【手続補正書】
【提出日】平成23年10月8日(2011.10.8)
【手続補正１】
【補正対象書類名】特許請求の範囲
【補正対象項目名】全文
【補正方法】変更
【補正の内容】
【特許請求の範囲】
【請求項１】
損傷した脊髄組織を治療する機器であって、
生体に導入可能な多孔質材料であって、当該生体に導入可能な多孔質材料の１若しくはそれ以上の細孔と前記治療すべき脊髄組織との間の気体流通を可能にするよう構成された細孔構造を有し、前記損傷した脊髄組織に近接して配置される少なくとも１つの選択された表面において、当該生体に導入可能な多孔質材料の内部での組織の成長を防ぐ上で十分小さな細孔を有する、生体に導入可能な多孔質材料と、
準大気圧を発生する減圧源であって、前記生体に導入可能な多孔質材料と気体流通可能に設けられ、前記治療すべき脊髄組織に前記準大気圧を分布させる、減圧源と
を有する機器。
【請求項２】
請求項１記載の機器において、前記生体に導入可能な多孔質材料は、オープンセル構造のコラーゲンを有するものである。
【請求項３】
請求項１および２のいずれか一項に記載の機器において、前記生体に導入可能な多孔質材料は、ポリジオールクエン酸塩を有するものである。
【請求項４】
請求項１〜３のいずれか一項に記載の機器において、前記生体に導入可能な多孔質材料は、ポリジオールクエン酸塩およびコラーゲンを有するものである。
【請求項５】
請求項１〜４のいずれか一項に記載の機器において、前記生体に導入可能な多孔質材料は、エラスチン、ヒアルロン酸、またはアルギン酸塩、およびこれらの組み合わせを有するものである。
【請求項６】
請求項１〜５のいずれか一項に記載の機器において、前記生体に導入可能な多孔質材料は、エレクトロスピニングした材料を有するものである。
【請求項７】
請求項１〜６のいずれか一項に記載の機器において、前記生体に導入可能な多孔質材料は、成形した材料を有するものである。
【請求項８】
請求項１〜７のいずれか一項に記載の機器において、前記生体に導入可能な多孔質材料は、印刷した材料を有するものである。
【請求項９】
請求項１〜８のいずれか一項に記載の機器において、前記生体に導入可能な多孔質材料は、前記損傷した脊髄組織に近接して配置される、少なくとも１つの選択された表面を有し、その細孔径は線維芽細胞および脊髄細胞のサイズより小さいものである。
【請求項１０】
請求項１〜９のいずれか一項に記載の機器において、前記生体に導入可能な多孔質材料は、その内部において、線維芽細胞および脊髄細胞より大きな細孔径を有するものである。
【請求項１１】
請求項１〜１０のいずれか一項に記載の機器において、前記生体に導入可能な多孔質材料は、前記選択された表面以外の位置において、線維芽細胞および脊髄細胞より大きな細孔径を有するものである。
【請求項１２】
請求項１〜１１のいずれか一項に記載の機器において、前記生体に導入可能な多孔質材料の細孔径は、アルブミンのサイズのタンパク質が通過できるようにする上で十分な大きさである。
【請求項１３】
請求項１〜１２のいずれか一項に記載の機器において、前記生体に導入可能な多孔質材料は、準大気圧の伝達を防ぐよう密閉された少なくとも１つの表面を有するものである。
【請求項１４】
請求項１〜１３のいずれか一項に記載の機器において、前記生体に導入可能な多孔質材料は、前記選択された表面以外の表面において、肉芽組織形成を促進する上で十分大きな細孔径を有するものである。
【請求項１５】
請求項１〜１４のいずれか一項に記載の機器において、前記減圧源は、真空ポンプを有するものである。
【請求項１６】
請求項１〜１５のいずれか一項に記載の機器において、この機器はカバーを有し、当該カバーは、前記損傷した脊髄組織を覆い、当該カバー下の当該損傷した脊髄組織において準大気圧を保つよう構成されているものである。
【請求項１７】
請求項１６記載の機器において、前記カバーは、粘着シートを有する。
【請求項１８】
準大気圧を使って、損傷した脊髄組織を治療する機器であって、
ｉ．生体に導入可能な多孔質材料であって、この多孔質材料の１若しくはそれ以上の細孔と前記治療すべき脊髄組織との間の気体流通を可能にするように構成された細孔構造を有し、前記損傷した脊髄組織に近接して配置される、生体に導入可能な多孔質材料と、
ｉｉ．損傷した脊髄組織の周辺領域で準大気圧を保つため、前記損傷した脊髄組織に近接した原位置（ｉｎ  ｓｉｔｕ）で前記生体に導入可能な多孔質材料を密閉する密閉手段と、
ｉｉｉ．前記損傷した脊髄組織において準大気圧を生じるため、減圧システムを前記多孔質材料と動作可能かつ気体流通可能に連結する連結手段と、
ｉｖ．前記減圧システムを作動させ、前記損傷した脊髄組織において準大気圧を提供する準大気圧提供手段と
を有する、損傷した脊髄組織を治療する機器。
【請求項１９】
請求項１８記載の損傷した脊髄組織を治療する機器において、前記生体に導入可能な多孔質材料は、当該多孔質材料の少なくとも１つの選択された表面において、当該多孔質材料の内部での組織の成長を防ぐ上で十分小さな細孔を有するものである。
【請求項２０】
請求項１８または請求項１９に記載の損傷した脊髄組織を治療する機器において、前記生体に導入可能な多孔質材料は、当該多孔質材料の少なくとも１つの選択された表面において、線維芽細胞のサイズより小さい細孔径を有するものである。
【請求項２１】
請求項１９または請求項２０に記載の損傷した脊髄組織を治療する機器において、前記選択された表面は、前記損傷した脊髄組織とのインターフェース（界面）に近接して配置されるものである。
【請求項２２】
請求項１８〜２１のいずれか一項に記載の損傷した脊髄組織を治療する機器において、前記生体に導入可能な多孔質材料は、前記損傷した脊髄組織を取り囲む空間内の他組織で肉芽組織形成を促進するよう十分大きな細孔径を有するものである。
【請求項２３】
請求項１８〜２２のいずれか一項に記載の損傷した脊髄組織を治療する機器において、前記生体に導入可能な多孔質材料は、前記損傷した脊髄組織に近接させて配置される多孔質でオープンセル構造のコラーゲン材料を有するものである。
【請求項２４】
請求項１８〜２２のいずれか一項に記載の損傷した脊髄組織を治療する機器において、前記生体に導入可能な多孔質材料は、前記損傷した脊髄組織に近接させて配置される多孔質でオープンセル構造の生体に導入可能な材料を有するものである。
【請求項２５】
請求項１８〜２２のいずれか一項に記載の損傷した脊髄組織を治療する機器において、前記生体に導入可能な多孔質材料は、前記損傷した脊髄組織に近接させて配置されるポリジオールクエン酸塩材料を有するものである。
【請求項２６】
請求項１８〜２２のいずれか一項に記載の損傷した脊髄組織を治療する機器において、前記生体に導入可能な多孔質材料は、前記損傷した脊髄組織に近接させて配置されるポリジオールクエン酸塩およびコラーゲンを有する材料を有するものである。
【請求項２７】
請求項１８〜２２のいずれか一項に記載の損傷した脊髄組織を治療する機器において、前記生体に導入可能な多孔質材料は、前記損傷した脊髄組織に近接させて配置されるエラスチン、ヒアルロン酸、アルギン酸塩、またはこれらの組み合わせを有する材料を有するものである。
【請求項２８】
請求項１８〜２２のいずれか一項に記載の損傷した脊髄組織を治療する機器において、前記生体に導入可能な多孔質材料は、前記損傷した脊髄組織に近接させて配置されるポリグリコール酸材料および／またはポリ乳酸材料を有するものである。
【請求項２９】
請求項１８〜２８のいずれか一項に記載の損傷した脊髄組織を治療する機器において、前記生体に導入可能な多孔質材料は、前記損傷した脊髄組織に近接させて配置されるエレクトロスピニングした多孔質材料を有するものである。
【請求項３０】
請求項１８〜２８のいずれか一項に記載の損傷した脊髄組織を治療する機器において、前記生体に導入可能な多孔質材料は、前記損傷した脊髄組織に近接させて配置される成形した多孔質材料を有するものである。
【請求項３１】
請求項１８〜２８のいずれか一項に記載の損傷した脊髄組織を治療する機器において、前記生体に導入可能な多孔質材料は、前記損傷した脊髄組織に近接させて配置される印刷した多孔質材料を有するものである。
【請求項３２】
請求項１８〜２２のいずれか一項に記載の損傷した脊髄組織を治療する機器において、前記生体に導入可能な多孔質材料は、前記損傷した脊髄組織に近接させて配置される発泡材、多孔質合成ポリマー材料、ポリビニルアルコール発泡材、およびオープンセル構造のポリマー発泡材のうち少なくとも１つを有するものである。
【請求項３３】
請求項１８〜２２のいずれか一項に記載の損傷した脊髄組織を治療する機器において、前記生体に導入可能な多孔質材料は、前記損傷した脊髄組織に近接させて配置される多孔質シートおよび柔軟なシート状メッシュのうち少なくとも１つを有するものである。
【請求項３４】
請求項１８〜２２のいずれか一項に記載の損傷した脊髄組織を治療する機器において、前記生体に導入可能な多孔質材料は、前記損傷した脊髄組織に近接させて配置されるポリエチレン材料および／またはポリエステル材料を有するものである。
【請求項３５】
請求項１８〜３４のいずれか一項に記載の損傷した脊髄組織を治療する機器において、
前記損傷した脊髄組織において、当該損傷における浮腫を軽減する上で十分な時間、前記準大気圧が維持されるものである。
【請求項３６】
請求項１８〜３４のいずれか一項に記載の損傷した脊髄組織を治療する機器において、
大気圧より約２５ｍｍＨｇ低い準大気圧が維持されるものである。
【請求項３７】
請求項１８〜３４のいずれか一項に記載の損傷した脊髄組織を治療する機器において、
大気圧より少なくとも約２５ｍｍＨｇ低い準大気圧が維持されるものである。
【請求項３８】
請求項１８〜３４のいずれか一項に記載の損傷した脊髄組織を治療する機器において、
大気圧より約２５ｍｍＨｇ〜７５ｍｍＨｇ低い準大気圧が、前記損傷した脊髄組織において維持されるものである。
【請求項３９】
請求項１８〜３４のいずれか一項に記載の損傷した脊髄組織を治療する機器において、前記原位置（ｉｎ  ｓｉｔｕ）で前記多孔質材料を密閉する密閉手段は、損傷した脊髄組織において準大気圧を維持するため、当該損傷した脊髄組織の上からカバーを配置する手段と、当該損傷した脊髄組織に近接した組織を前記カバーで密閉する手段とを有するものである。
【請求項４０】
請求項３９記載の損傷した脊髄組織を治療する機器において、前記カバーは、前記減圧システムから準大気圧を受ける減圧ポートを有し、前記減圧システムを前記多孔質材料と動作可能かつ気体流通可能に連結する連結手段は、前記減圧システムを前記減圧ポートと連結するものである。
【請求項４１】
請求項３９記載の損傷した脊髄組織を治療する機器において、当該損傷した脊髄組織周囲の組織を前記カバーで密閉する手段は、当該損傷した脊髄組織周囲の組織に前記カバーを接着剤で接着させて密閉するものである。
【請求項４２】
請求項３９記載の損傷した脊髄組織を治療する機器において、前記カバーを配置する手段は、前記損傷した脊髄組織の上から前記粘着シートを配置する手段を有し、前記カバーで密閉する手段は、前記損傷した脊髄組織周囲の組織に前記粘着シートを接着させて密閉し、前記シートと前記損傷した脊髄組織周囲の組織との間にシール（密閉部）を形成するものである。
【手続補正２】
【補正対象書類名】明細書
【補正対象項目名】０００５
【補正方法】変更
【補正の内容】
【０００５】
また脊髄は、機能し、生存するため、酸素を含んだ血液の供給を絶えず必要とする。血流が完全に中断されると、脊髄は、数分以内に不可逆的損傷を受ける。ただし、脊髄は、それより長時間生存能力を維持し、血流の減少から回復することもできる。虚血および比較的無機能の状態が数日続いた脊髄病巣でも、回復できるという証拠がある。この発見により、不可逆的損傷領域を取り囲むペナンブラまたは虚血周辺領域と呼ばれる虚血領域の概念が生まれた。虚血領域における二次的現象は、損傷した神経細胞による興奮性毒の局所的な放出、病巣の血流の変化、および浮腫である。
脊椎の血管病変の原因として考えられるのは、灌流圧低下による脊髄細胞への血流不足、血管が破裂した結果または隣接する組織の圧縮により脊髄の局所的領域に直接生じる損傷、粥状動脈硬化症、動脈瘤、炎症といった脊髄血管の内因性疾患、あるいは心臓など他所からの遠隔血栓が脊髄血管を閉塞した場合などである。
髄腔内出血の場合、通常、出血は小規模で始まり、圧力解離により体積を増して、隣接する脊髄組織の変位および圧縮に至る。出血周囲に隣接した被圧縮組織内の浮腫は、脊髄組織のより広い領域の機能を低下させて病態の規模を拡大し、悪化させる。隣接した脊髄内の浮腫は、通常１２〜７２時間にわたり徐々に悪化を生じるおそれがある。髄腔内出血の翌週に浮腫が発生すると、特に高齢者の場合、予後が悪化することが多い。血腫周囲の組織は変位し、圧縮されるが、必ずしも致命的に機能が低下するわけではない。血腫が再吸収され、隣接する浮腫が縮小し、病変組織が機能を回復するに伴い、改善が見られることもある。
【手続補正３】
【補正対象書類名】明細書
【補正対象項目名】０００６
【補正方法】変更
【補正の内容】
【０００６】
【特許文献１】  米国特許第１０００００１号明細書
【特許文献２】  米国特許第２２２１７５８号明細書
【特許文献３】  米国特許第２４４３４８１号明細書
【特許文献４】  米国特許第２５７３７９１号明細書
【特許文献５】  米国特許第２５７７９４５号明細書
【特許文献６】  米国特許第２６３２４４３号明細書
【特許文献７】  米国特許第２６８２８７３号明細書
【特許文献８】  米国特許第３３１５６６５号明細書
【特許文献９】  米国特許第３５２８４１６号明細書
【特許文献１０】  米国特許第３６４８６９２号明細書
【特許文献１１】  米国特許第３７８２３７７号明細書
【特許文献１２】  米国特許第３８１２９７２号明細書
【特許文献１３】  米国特許第３８１４０９５号明細書
【特許文献１４】  米国特許第３９０３８８２号明細書
【特許文献１５】  米国特許第３９３５８６３号明細書
【特許文献１６】  米国特許第４１９１２０４号明細書
【特許文献１７】  米国特許第４３４１２０９号明細書
【特許文献１８】  米国特許第４３９９８１６号明細書
【特許文献１９】  米国特許第４４５７７５５号明細書
【特許文献２０】  米国特許第４５３３３５２号明細書
【特許文献２１】  米国特許第４５５３９６７号明細書
【特許文献２２】  米国特許第４５７９５５５号明細書
【特許文献２３】  米国特許第４６３３８６３号明細書
【特許文献２４】  米国特許第４６３７８１９号明細書
【特許文献２５】  米国特許第４６４１６４３号明細書
【特許文献２６】  米国特許第４６６４６５２号明細書
【特許文献２７】  米国特許第４６６７６６６号明細書
【特許文献２８】  米国特許第４７３３６５９号明細書
【特許文献２９】  米国特許第４７４７１６６号明細書
【特許文献３０】  米国特許第４７７８４４６号明細書
【特許文献３１】  米国特許第４８２２２７８号明細書
【特許文献３２】  米国特許第４８７２４５０号明細書
【特許文献３３】  米国特許第４８９０６０８号明細書
【特許文献３４】  米国特許第４８９７０８１号明細書
【特許文献３５】  米国特許第４９０６２４０号明細書
【特許文献３６】  米国特許第４９８８３３６号明細書
【特許文献３７】  米国特許第４９９０１４４号明細書
【特許文献３８】  米国特許第４９９１５７４号明細書
【特許文献３９】  米国特許第４９９７４２５号明細書
【特許文献４０】  米国特許第５００２５２８号明細書
【特許文献４１】  米国特許第５００２５２９号明細書
【特許文献４２】  米国特許第５００３９７１号明細書
【特許文献４３】  米国特許第５０１４３８９号明細書
【特許文献４４】  米国特許第５０１９０８６号明細書
【特許文献４５】  米国特許第５０３４００６号明細書
【特許文献４６】  米国特許第５０４２９７８号明細書
【特許文献４７】  米国特許第５０６０６６２号明細書
【特許文献４８】  米国特許第５０７３１７２号明細書
【特許文献４９】  米国特許第５０８６７６３号明細書
【特許文献５０】  米国特許第５１０１８０８号明細書
【特許文献５１】  米国特許第５１０６６２９号明細書
【特許文献５２】  米国特許第５１３５５１８号明細書
【特許文献５３】  米国特許第５１４７３３８号明細書
【特許文献５４】  米国特許第５１５２７５７号明細書
【特許文献５５】  米国特許第５１６０３２２号明細書
【特許文献５６】  米国特許第５１６７６１３号明細書
【特許文献５７】  米国特許第５１７０７８１号明細書
【特許文献５８】  米国特許第５１７６６６３号明細書
【特許文献５９】  米国特許第５１７６６６７号明細書
【特許文献６０】  米国特許第５５２７２９３号明細書
【特許文献６１】  米国特許第５２１５５３９号明細書
【特許文献６２】  米国特許第５２３０３５０号明細書
【特許文献６３】  米国特許第５２６３９２２号明細書
【特許文献６４】  米国特許第５２９８０１５号明細書
【特許文献６５】  米国特許第５３４９９６５号明細書
【特許文献６６】  米国特許第５３５８４９４号明細書
【特許文献６７】  米国特許第５３７６２５２号明細書
【特許文献６８】  米国特許第５３９５３１５号明細書
【特許文献６９】  米国特許第５４１９７６８号明細書
【特許文献７０】  米国特許第５４３１６６２号明細書
【特許文献７１】  米国特許第５４４５６０４号明細書
【特許文献７２】  米国特許第５４５１２１５号明細書
【特許文献７３】  米国特許第５４８４４２７号明細書
【特許文献７４】  米国特許第５４８７８８９号明細書
【特許文献７５】  米国特許第５５２０６５２号明細書
【特許文献７６】  米国特許第５６７８５６４号明細書
【特許文献７７】  米国特許第５６９７９２０号明細書
【特許文献７８】  米国特許第５９１１２２２号明細書
【特許文献７９】  米国特許第５９５４６８０号明細書
【特許文献８０】  米国特許第５９６４７２３号明細書
【特許文献８１】  米国特許第５９８６１６３号明細書
【特許文献８２】  米国特許第６０７１２５４号明細書
【特許文献８３】  米国特許第６１１０１９７号明細書
【特許文献８４】  米国特許第６１１３５６１号明細書
【特許文献８５】  米国特許第６１４３９４５号明細書
【特許文献８６】  米国特許第６２１３９６５号明細書
【特許文献８７】  米国特許第６２１３９６６号明細書
【特許文献８８】  米国特許第６２１７５３５号明細書
【特許文献８９】  米国特許第６２３５０４７号明細書
【特許文献９０】  米国特許第６２４１６９７号明細書
【特許文献９１】  米国特許第６２４１６９８号明細書
【特許文献９２】  米国特許第６２６４６２２号明細書
【特許文献９３】  米国特許第６２６４９７９号明細書
【特許文献９４】  米国特許第０６２０７２０号明細書
【特許文献９５】  米国特許第０６８８１８９号明細書
【特許文献９６】  米国特許第７２７６０５１号明細書
【特許文献９７】  米国特許出願公開第２００７/０００５０２８号明細書
【特許文献９８】  米国特許出願公開第２００３/０２０８１４９号明細書
【特許文献９９】  米国特許出願公開第２００６/００２９６５０号明細書
【特許文献１００】  米国特許出願公開第２００７/０２３３０２２号明細書
【特許文献１０１】  米国特許出願公開第２００２/００６５４９４号明細書
【特許文献１０２】  米国特許出願公開第２００２/００８２５６７号明細書
【特許文献１０３】  米国特許出願公開第２００４/００６４１１１号明細書
【特許文献１０４】  米国特許出願公開第２００２/０１６１３４６号明細書
【特許文献１０５】  米国特許出願公開第２００５/０１３１３２７号明細書
【特許文献１０６】  米国特許出願公開第２００２/０１６１３１７号明細書
【特許文献１０７】  米国特許出願公開第２００２/０１９８５０４号明細書
【特許文献１０８】  米国特許出願公開第２００４/０２４９３５３号明細書
【特許文献１０９】  米国特許出願公開第２００２/０１９８５０３号明細書
【特許文献１１０】  米国特許出願公開第２００５/００９０７８７号明細書
【特許文献１１１】  米国特許第５７２０７２０号明細書
【特許文献１１２】  米国特許第４７１３０５２号明細書
【特許文献１１３】  米国特許第３９９８２２７号明細書
【特許文献１１４】  米国特許第７２１６６５１号明細書
【特許文献１１５】  米国特許第７１９８０４６号明細書
【特許文献１１６】  米国特許第２９１０７６３号明細書
【特許文献１１７】  米国特許第４１８４５１０号明細書
【特許文献１１８】  米国特許第４４６５４８５号明細書
【特許文献１１９】  米国特許第４６６４６６２号明細書
【特許文献１２０】  米国特許第４７１０１６５号明細書
【特許文献１２１】  米国特許第４２５６１０９号明細書
【特許文献１２２】  米国特許第２１２２１２１号明細書
【特許文献１２３】  米国特許第５３３０４５２号明細書
【特許文献１２４】  米国特許第５３４４４１５号明細書
【特許文献１２５】  米国特許第５４３７６５１号明細書
【特許文献１２６】  米国特許第５４９６２６２号明細書
【特許文献１２７】  米国特許第５５８８９５５号明細書
【特許文献１２８】  米国特許第５７１７０３０号明細書
【特許文献１２９】  米国特許第５７３３８８４号明細書
【特許文献１３０】  米国特許第６１８７０４７号明細書
【特許文献１３１】  米国特許出願公開第２００１/００４３９４３号明細書
【特許文献１３２】  米国特許出願公開第２００５/０１０１９４０号明細書
【特許文献１３３】  米国特許出願公開第２００５/０１２４９６６号明細書
【特許文献１３４】  米国特許出願公開第２００５/０１４８９１３号明細書
【特許文献１３５】  米国特許出願公開第２００５/０１９７６４５号明細書
【特許文献１３６】  米国特許出願公開第２００５/０２０３４５２号明細書
【特許文献１３７】  米国特許出願公開第２００５/０２０９５７４号明細書
【特許文献１３８】  米国特許出願公開第２００５/０２２２５２７号明細書
【特許文献１３９】  米国特許出願公開第２００５/０２２２５２８号明細書
【特許文献１４０】  米国特許出願公開第２００５/０２２２５４４号明細書
【特許文献１４１】  米国特許出願公開第２００５/０２２８３２９号明細書
【特許文献１４２】  米国特許出願公開第２００５/０２６１６１５号明細書
【特許文献１４３】  米国特許出願公開第２００５/０２６１６４２号明細書
【特許文献１４４】  米国特許出願公開第２００６/００２５７２７号明細書
【特許文献１４５】  米国特許出願公開第２００６/０１００５８６号明細書
【特許文献１４６】  米国特許出願公開第２００７/０２６０２２６号明細書
【特許文献１４７】  米国特許第４１５６０６６号明細書
【特許文献１４８】  米国特許第１９６３２５８号明細書
【特許文献１４９】  米国特許第８４７４７５号明細書
【特許文献１５０】  米国特許第１１４７５４号明細書
【特許文献１５１】  米国特許第１４１６１０８号明細書
【特許文献１５２】  米国特許第５１９２２８２号明細書
【特許文献１５３】  米国特許第５９６８０４７号明細書
【特許文献１５４】  米国特許第６８８７２４６号明細書
【特許文献１５５】  米国特許出願公開第２００６/０２１３５２７号明細書
【特許文献１５６】  米国特許出願公開第２００４/０２２５１７８号明細書
【特許文献１５７】  米国特許第４２２１２１５号明細書
【特許文献１５８】  米国特許第５４８４３９９号明細書
【特許文献１５９】  米国特許第３４２９３１３号明細書
【特許文献１６０】  米国特許第７２７９６１２号明細書
【特許文献１６１】  米国特許出願公開第２００７/００７１７９０号明細書
【特許文献１６２】  米国特許出願公開第２００３/０１０８５８７号明細書
【特許文献１６３】  米国特許第５９５１２９５号明細書
【特許文献１６４】  米国特許第７１７５６２５号明細書
【特許文献１６５】  米国特許出願公開第２００６/００２９６５０号明細書
【特許文献１６６】  米国特許第５７１７００５号明細書
【特許文献１６７】  米国特許第４７５３２３２号明細書
【特許文献１６８】  米国特許第４４９９８９６号明細書
【特許文献１６９】  米国特許第６３２５７８８号明細書
【特許文献１７０】  米国特許第３７８２３８７号明細書
【特許文献１７１】  米国特許第６７９３６３３号明細書
【特許文献１７２】  米国特許第５２２４９４７号明細書
【特許文献１７３】  米国特許第５４５６２６７号明細書
【特許文献１７４】  米国特許第５７４３９１２号明細書
【特許文献１７５】  米国特許第７１２８７３５号明細書
【特許文献１７６】  米国特許第６４８５５０３号明細書
【特許文献１７７】  米国特許第５４４７４９２号明細書
【特許文献１７８】  米国特許出願公開第２００７/００３２７５４号明細書
【特許文献１７９】  米国特許出願公開第２００７/０２１９５８５号明細書
【特許文献１８０】  米国特許出願公開第２００３/０１８７３６７号明細書
【特許文献１８１】  米国特許出願公開第２００８/０２０８１７１号明細書
【特許文献１８２】  米国特許第４１８７８５２号明細書
【特許文献１８３】  米国特許第５７３６３７２号明細書
【特許文献１８４】  米国特許第５７６６６１８号明細書
【特許文献１８５】  米国特許第７７２２８９４号明細書
【特許文献１８６】  米国特許出願公開第２００３/０１１８６９２号明細書
【特許文献１８７】  米国特許出願公開第２００５/００６３９３９号明細書
【特許文献１８８】  米国特許出願公開第２００６/０２６３４１７号明細書
【特許文献１８９】  米国特許出願公開第２００７/０２０８４２０号明細書
【特許文献１９０】  米国特許出願公開第２００８/０１１２９９８号明細書
【特許文献１９１】  米国特許出願公開第２００９/００９３５６５号明細書
【特許文献１９２】  米国特許出願公開第２００９/０１４８９４５号明細書
【特許文献１９３】  米国特許出願公開第２００９/０３２５８５９号明細書
【特許文献１９４】  米国特許第７０６６９６０号明細書
【特許文献１９５】  米国特許第６６４１６０４号明細書
【特許文献１９６】  米国特許第７９３１６５１号明細書
【特許文献１９７】  米国特許出願公開第２００８/０２０８１４７号明細書
【特許文献１９８】  米国特許出願公開第２００９/０２５４１２０号明細書
【特許文献１９９】  米国特許出願公開第２０１０/０１２１２２９号明細書
【特許文献２００】  デンマーク特許第０６４，０５５号明細書
【特許文献２０１】  欧州特許第０１１７６３２号明細書
【特許文献２０２】  欧州特許第０４２４１６５号明細書
【特許文献２０３】  欧州特許出願公開第０４８５６５７号明細書
【特許文献２０４】  仏国特許第１３０３２３８号明細書
【特許文献２０５】  仏国特許第０５００２５３号明細書
【特許文献２０６】  英国特許第１５４９７５６号明細書
【特許文献２０７】  英国特許出願公開第１９０２０３０９０号明細書
【特許文献２０８】  スウェーデン特許第８４４８５号明細書
【特許文献２０９】  ソビエト連邦特許第１２６８１７５号明細書
【特許文献２１０】  国際公開第８９／０４１５８号
【特許文献２１１】  国際公開第０１／８９４３１号
【特許文献２１２】  国際公開第０２／０４３６３４号
【特許文献２１０】  国際公開第０３／１０１６０８号
【特許文献２１１】  独国特許発明第１９６３２５８号明細書
【特許文献２１２】  独国特許発明第８４７４７５号明細書
【特許文献２１３】  英国特許第１１４７５４号明細書
【特許文献２１４】  ソビエト連邦特許第１４１６１０８号明細書
【特許文献２１５】  国際公開第２００８／０６３２８１号
【特許文献２１６】  独国特許発明第２９５０４３７８号明細書
【特許文献２１７】  欧州特許第０８８０９５３号明細書
【特許文献２１８】  国際公開第００／０７６５３号
【特許文献２１９】  国際公開第００／１５２７７号
【特許文献２２０】  国際公開第００／２６１００号
【特許文献２２１】  国際公開第００／３０５６７号
【特許文献２２２】  国際公開第００／３２２４７号
【特許文献２２３】  国際公開第００／３８５５２号
【特許文献２２４】  国際公開第００／４２９５８号
【特許文献２２５】  国際公開第０１／３７９２２号
【特許文献２２６】  国際公開第０１／４９２３３号
【特許文献２２７】  国際公開第０３／００５９４３号
【特許文献２２８】  国際公開第０３／１０１３８５号
【特許文献２２９】  国際公開第０５／１０２２３４号
【特許文献２２４】  国際公開第９３／０９７２７号
【特許文献２２５】  国際公開第９４／２００４１号
【特許文献２２６】  国際公開第９６／１５７４５号
【特許文献２２７】  欧州特許第０７７７５０４号明細書
【特許文献２２８】  欧州特許第０８５３９５０号明細書
【特許文献２２９】  欧州特許第１０８８５６９号明細書
【特許文献２３０】  英国特許第２３２９１２７号明細書
【特許文献２３１】  英国特許第２３３３９６５号明細書
【特許文献２３２】  英国特許第２３３６５４６号明細書
【特許文献２３３】  英国特許第２３４２５８４号明細書
【特許文献２３４】  英国特許第２３４４５３１号明細書
【特許文献２３５】  英国特許第１１４７５４号明細書
【特許文献２３６】  英国特許第２３５１０２５号明細書
【特許文献２３７】  国際公開第００／２１５８６号
【特許文献２３８】  国際公開第００／３８７５５号
【特許文献２３９】  国際公開第００／５９４１８号
【特許文献２４０】  国際公開第００／５９４２４号
【特許文献２４１】  国際公開第００／６１２０６号
【特許文献２４２】  国際公開第００／６４３９４号
【特許文献２４３】  国際公開第０１／３４２２３号
【特許文献２４４】  国際公開第０１／８５２４８号
【特許文献２４５】  国際公開第９６／０５８７３号
【特許文献２４６】  国際公開第９９／１３７９３号
【特許文献２３９】  国際公開第９１／００７１８号
【特許文献２４０】  国際公開第９２／２０２９９号
【特許文献２４１】  英国特許第６４１０６１号明細書
【特許文献２４２】  英国特許第１２７３３４２号明細書
【特許文献２４３】  独国特許発明第２８０９８２８号明細書
【特許文献２４４】  国際公開第９１／１６０３０号
【特許文献２４５】  独国特許発明第５６１７５７号明細書
【特許文献２４６】  国際公開第９０／１１７９５号
【特許文献２４７】  国際公開第９２／１９３１３号
【特許文献２４８】  独国特許発明第４１１１１２２号明細書
【特許文献２４９】  独国特許発明第８４７４７５号明細書
【特許文献２５０】  英国特許第２１９５２５５号明細書
【特許文献２５１】  欧州特許第０６２０７２０号明細書
【特許文献２５２】  欧州特許第０６８８１８９号明細書
【特許文献２５３】  国際公開第８０／０１１３９号
【特許文献２５４】  国際公開第８７／００４３９号
【特許文献２５５】  欧州特許第１４５７１６４号明細書
【非特許文献】
【手続補正４】
【補正対象書類名】明細書
【補正対象項目名】０００７
【補正方法】変更
【補正の内容】
【０００７】
【非特許文献１】  ＰＡＲＩＫＨ，  Ｒ．Ｓ．，  ｅｔ  ａｌ．，  "Ｓｅｌｆ−ａｄｈｅｓｉｖｅ  ｄｒａｐｅ  （Ｏｐｓｉｔｅ）  ｆｏｒ  ｍａｎａｇｅｍｅｎｔ  ｏｆ  ｌｅａｋｉｎｇ  ａｂｄｏｍｉｎａｌ  ｗｏｕｎｄｓ"，  Ｉｎｄｉａｎ  Ｊ．  Ｇａｓｔｒｏｅｎｔｅｒｏｌ．，  １９（４）：１７８−１８０  （Ｏｃｔｏｂｅｒ  ／  Ｄｅｃｅｍｂｅｒ  ２０００）．  ＮＰＬ−６３１
【非特許文献２】  ＡＬＥＸＩＳ，  Ａ．Ｆ．，  ｅｔ  ａｌ．，  "Ｒｅａｓｓｅｓｓｍｅｎｔ  ｏｆ  ｔｈｅ  ｓｕｃｔｉｏｎ  ｂｌｉｓｔｅｒ  ｍｏｄｅｌ  ｏｆ  ｗｏｕｎｄ  ｈｅａｌｉｎｇ：  ｉｎｔｒｏｄｕｃｔｉｏｎ  ｏｆ  ａ  ｎｅｗ  ｈｉｇｈｅｒ  ｐｒｅｓｓｕｒｅ  ｄｅｖｉｃｅ"，  Ｉｎｔ．  Ｊ．  Ｄｅｒｍａｔｏｌ．，  ３８（８）：６１３−６１７  （Ａｕｇｕｓｔ  １９９９）．  ＮＰＬ−６３２
【非特許文献３】  ＧＮＡＮＡＲＡＪ，  Ｊ．，  "Ａ  ｓｉｍｐｌｅ，  ｓｔｅｒｉｌｅ，  ｌｏｗ−ｃｏｓｔ，  ｃｌｏｓｅｄ  ｓｕｃｔｉｏｎ  ｄｒａｉｎａｇｅ  ｓｙｓｔｅｍ"，  Ｔｒｏｐ．  Ｄｏｃｔ．，  ２７（２）：１０４  （Ａｐｒｉｌ  １９９７）．  ＮＰＬ−６３３
【非特許文献４】  ＫＬＥＭＭ，  Ｋ．Ｗ．，  "Ａｎｔｉｂｉｏｔｉｃ  ｂｅａｄ  ｃｈａｉｎｓ"，  Ｃｌｉｎ．  Ｏｒｔｈｏｐ．  Ｒｅｌ．  Ｒｅｓ．，  （２９５）：６３−７６  （Ｏｃｔｏｂｅｒ  １９９３）．  ＮＰＬ−６３４
【非特許文献５】  ＰＩＧＮＡＴＴＩ，  Ｍ．，  ｅｔ  ａｌ．，  "Ｍｏｂｉｌｅ−ＶＡＣ  ｆｏｒ  ｔｈｅ  ｔｒｅａｔｍｅｎｔ  ｏｆ  ｌｏｗｅｒ  ｌｉｍｂ  ｕｌｃｅｒｓ"，  Ｐｌａｓｔ．  Ｒｅｃｏｎｓｔｒ．  Ｓｕｒｇ．，  １０８（６）１８３７−１８３８  （Ｎｏｖｅｍｂｅｒ  ２００１）．  ＮＰＬ−６３５
【非特許文献６】  ＳＣＨＡＵＭ，  ＫＤ．，  "Ｐａｙｍｅｎｔ  ｓｔｒａｔｅｇｉｅｓ：  ａ  ｎｅｗ  ｍｅｄｉｃａｒｅ  ｐａｒｔ  Ｂ  ｗｏｕｎｄ  ｃａｒｅ  ｐｏｌｉｃｙ"，  Ａｄｖ．  Ｓｋｉｎ  &  Ｗｏｕｎｄ  Ｃａｒｅ，  １４  （５）：２３８−２４０  （Ｓｅｐｔｅｍｂｅｒ  ／  Ｏｃｔｏｂｅｒ  ２００１）．  ＮＰＬ−６３６
【非特許文献７】  ＣＨＡＲＩＫＥＲ，  Ｍ．Ｅ．，  Ｐｒｅｓｅｎｔａｔｉｏｎ  ｅｎｔｉｔｌｅｄ，  "Ｖａｃｕｕｍ  ｔｈｅｒａｐｙ  ｉｎ  ｗｏｕｎｄ  ｍａｎａｇｅｍｅｎｔ"，  （Ｃｈａｒｉｋｅｒ  ｄｅｐｏｓｉｔｉｏｎ  ｅｘｈｉｂｉｔ  ｎｏ．  １２２０），  ｄａｔｅｄ  Ｏｃｔｏｂｅｒ  ２７，  ２００５．  ＮＰＬ−６３７
【非特許文献８】  ＣＨＡＲＩＫＥＲ，  Ｍ．Ｅ．，  Ｐｒｅｓｅｎｔａｔｉｏｎ  ｅｎｔｉｔｌｅｄ，  "Ｃｌｏｓｅｄ  ｗｏｕｎｄ  ｓｕｃｔｉｏｎ"，  （Ｃｈａｒｉｋｅｒ  ｄｅｐｏｓｉｔｉｏｎ  ｅｘｈｉｂｉｔ  ｎｏ．  １２１９），  ｄａｔｅｄ  Ｍａｒｃｈ  １７，  ２００５．  ＮＰＬ−６３８
【非特許文献９】  ＤＡＶＹＤＯＶ，  Ｙ．Ａ．，  ｅｔ  ａｌ．，  "Ｔｈｅ  ｂａｃｔｅｒｉｏｌｏｇｉｃａｌ  ａｎｄ  ｃｙｔｏｌｏｇｉｃａｌ  ａｓｓｅｓｓｍｅｎｔ  ｏｆ  ｖａｃｕｕｍ  ｔｈｅｒａｐｙ  ｏｆ  ｐｕｒｕｌｅｎｔ  ｗｏｕｎｄｓ"，  Ｖｅｓｔｎｉｋ  Ｋｈｉｒｕｒｇｉｉ  ｉｍｅｎｉ  Ｉ．Ｉ．  Ｇｒｅｋｏｖａ，  （１  ｓｈｅｅｔ  ｏｆ  ｔｉｔｌｅ  ｐａｇｅ  ａｎｄ  ｐｐ．  ４８−５２，  ５  ｓｈｅｅｔｓ  ｏｆ  Ｒｕｓｓｉａｎ  ｔｅｘｔ  ａｎｄ  Ｅｎｇｌｉｓｈ  ａｂｓｔｒａｃｔ  ｏｎ  ｐａｇｅ  ５２）；  １４１（１０）：４８−５２，  （Ｏｃｔｏｂｅｒ  １９８８）．  ＤＶ３
【非特許文献１０】  ＤＡＶＹＤＯＶ，  Ｙ．Ａ．，  ｅｔ  ａｌ．，  "Ｂａｃｔｅｒｉｏｌｏｇｉｃａｌ  ａｎｄ  ｃｙｔｏｌｏｇｉｃａｌ  ａｓｓｅｓｓｍｅｎｔ  ｏｆ  ｖａｃｕｕｍ  ｔｈｅｒａｐｙ  ｏｆ  ｐｕｒｕｌｅｎｔ  ｗｏｕｎｄｓ，"  （７  ｓｈｅｅｔｓ  ｏｆ  ｔｒａｎｓｌａｔｉｏｎ，  ｐｐ．  ４８−５２  ｏｆ  Ｒｕｓｓｉａｎ  ｔｅｘｔ  ａｎｄ  Ｅｎｇｌｉｓｈ  ａｂｓｔｒａｃｔ  ｏｎ  ｐａｇｅ  ５２）；  １４１（１０）：４８−５２  （Ｏｃｔｏｂｅｒ  １９８８）．  ＤＶ４
【非特許文献１１】  ＤＡＶＹＤＯＶ，  Ｙ．Ａ．，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ｐｕｒｕｌｅｎｔ  ｌａｃｔａｔｉｏｎ  ｍａｓｔｉｔｉｓ"，  Ｖｅｓｔｎｉｋ  Ｋｈｉｒｕｒｇｉｉ  ｌｍｅｎｉ  Ｉ．Ｉ．  Ｇｒｅｋｏｖａ，  （  １  Ｓｈｅｅｔ  ｏｆ  Ｔｉｔｌｅ  ｐａｇｅ  ａｎｄ  ｐｐ．  ６６−７０，  ６  ｓｈｅｅｔｓ  ｏｆ  Ｒｕｓｓｉａｎ  ｔｅｘｔ  ａｎｄ  Ｅｎｇｌｉｓｈ  ａｂｓｔｒａｃｔ  ｏｎ  ｐａｇｅ  ７０）；  １３７  （１１）：６６−７０，  （Ｎｏｖｅｍｂｅｒ  １９８６）．  ＤＶ６
【非特許文献１２】  ＤＡＶＹＤＯＶ，  Ｙ．Ａ．，  ｅｔ  ａｌ．，  "Ｖａｃｕｕｍ  ｔｈｅｒａｐｙ  ｉｎ  ｔｒｅａｔｍｅｎｔ  ｏｆ  ａｃｕｔｅ  ｐｕｒｕｌｅｎｔ  ｄｉｓｅａｓｅｓ  ｏｆ  ｓｏｆｔ  ｔｉｓｓｕｅｓ  ａｎｄ  ｐｕｒｕｌｅｎｔ  ｗｏｕｎｄｓ，"  Ｖｅｓｔｎｉｋ  Ｋｈｉｒｕｒｇｉｉ  （Ｓｕｒｇｅｏｎｓ  Ｈｅｒａｌｄ），  Ｎｏ．  ９  Ｍｅｄｉｃｉｎｅ  Ｐｕｂｌｉｓｈｅｒｓ，  （５  ｓｈｅｅｔｓ  ｏｆ  ｔｒａｎｓｌａｔｉｏｎ），  （１９８６）．  ＤＶ１１
【非特許文献１３】  ＡＲＧＥＮＴＡ，  Ｌ．Ｃ．，  ｅｔ  ａｌ．，  "Ｖａｃｕｕｍ−ａｓｓｉｓｔｅｄ  ｃｌｏｓｕｒｅ：  ｓｔａｔｅ  ｏｆ  ｃｌｉｎｉｃ  ａｒｔ"，  Ｐｌａｓｔ．  Ｒｅｃｏｎｓｔｒ．  Ｓｕｒｇ．，  １１７  （７  Ｓｕｐｐｌ．）：  １２７Ｓ−１４２Ｓ  （Ｊｕｎｅ  ２００６）．  ＷＦＵ−６４
【非特許文献１４】  ＣＨＵＮＧ，  Ｃ．Ｊ．，  ｅｔ  ａｌ．，  "Ｃａｓｅ  ｒｅｖｉｅｗ：  ｍａｎａｇｅｍｅｎｔ  ｏｆ  ｌｉｆｅ−ｔｈｒｅａｔｅｎｉｎｇ  ｓｅｐｓｉｓ  ａｎｄ  ｗｏｕｎｄ  ｈｅａｌｉｎｇ  ｉｎ  ａ  Ｋｌｉｐｐｅｌ−Ｔｒｅｎａｕｎａｙ  ｐａｔｉｅｎｔ  ｕｓｉｎｇ  ｓｅｒｉａｌ  ｓｕｒｇｉｃａｌ  ｄｅｂｒｉｄｅｍｅｎｔｓ  ａｎｄ  ｖａｃｕｕｍ−ａｓｓｉｓｔｅｄ  ｃｌｏｓｕｒｅ"，  Ｅｕｒ．  Ｊ．  Ｐｌａｓｔ．  Ｓｕｒｇ．，  ２６：２１４−２１６  （２００３）．  ＷＦＵ−６１
【非特許文献１５】  ＤＥＤＭＯＮＤ，  Ｂ．Ｔ．，  ｅｔ  ａｌ．，  "Ｓｕｂａｔｍｏｓｐｈｅｒｉｃ  ｐｒｅｓｓｕｒｅ  ｄｒｅｓｓｉｎｇｓ  ｉｎ  ｔｈｅ  ｔｅｍｐｏｒａｒｙ  ｔｒｅａｔｍｅｎｔ  ｏｆ  ｓｏｆｔ  ｔｉｓｓｕｅ  ｉｎｊｕｒｉｅｓ  ａｓｓｏｃｉａｔｅｄ  ｗｉｔｈ  ｔｙｐｅ  ＩＩＩ  ｏｐｅｎ  ｔｉｂｉａｌ  ｓｈａｆｔ  ｆｒａｃｔｕｒｅｓ  ｉｎ  ｃｈｉｌｄｒｅｎ"，  Ｊ．  Ｐｅｄｉａｔｒ．  Ｏｒｔｈｏｐ．，  ２６（６）：７２８−７３２，  （Ｎｏｖｅｍｂｅｒ  −  Ｄｅｃｅｍｂｅｒ  ２００６）．  ＷＦＵ−６７
【非特許文献１６】  ＤＥＤＭＯＮＤ，  Ｂ．Ｔ．，  ｅｔ  ａｌ．，  "Ｔｈｅ  ｕｓｅ  ｏｆ  ｎｅｇａｔｉｖｅ−ｐｒｅｓｓｕｒｅ  ｗｏｕｎｄ  ｔｈｅｒａｐｙ  （ＮＰＷＴ）  ｉｎ  ｔｈｅ  ｔｅｍｐｏｒａｒｙ  ｔｒｅａｔｍｅｎｔ  ｏｆ  ｓｏｆｔ  ｔｉｓｓｕｅ  ｉｎｊｕｒｉｅｓ  ａｓｓｏｃｉａｔｅｄ  ｗｉｔｈ  ｈｉｇｈ−ｅｎｅｒｇｙ  ｏｐｅｎ  ｔｉｂｉａｌ  ｓｈａｆｔ  ｆｒａｃｔｕｒｅｓ"，  Ｊ．  Ｏｒｔｈｏｐ．  Ｔｒａｕｍａ，  ２１（１）：１１−１７，  （Ｊａｎｕａｒｙ  ２００７）．  ＷＦＵ−６８
【非特許文献１７】  ＧＥＭＥＩＮＨＡＲＤＴ，  Ｋ．Ｄ．，  ｅｔ  ａｌ．，  "Ｖａｃｕｕｍ−ａｓｓｉｓｔｅｄ  ｃｌｏｓｕｒｅ  ｆｏｒ  ｍａｎａｇｅｍｅｎｔ  ｏｆ  ａ  ｔｒａｕｍａｔｉｃ  ｎｅｃｋ  ｗｏｕｎｄ  ｉｎ  ａ  ｈｏｒｓｅ"，  Ｅｑｕｉｎｅ  Ｖｅｔｅｒｉｎａｒｙ  Ｅｄｕｃａｔｉｏｎ，  １７（１）：２７−３３，  （２００５）．  ＷＦＵ−７２
【非特許文献１８】  ＬＡＶＥＲＴＹ，  Ｄ．，  ｅｔ  ａｌ．，  "Ｎｅｇａｔｉｖｅ  ｐｒｅｓｓｕｒｅ  ｗｏｕｎｄ  ｔｈｅｒａｐｙ  ｉｎ  ｔｈｅ  ｍａｎａｇｅｍｅｎｔ  ｏｆ  ｏｒｔｈｏｐｅｄｉｃ  ｗｏｕｎｄｓ"，  Ｏｓｔｏｍｙ  Ｗｏｕｎｄ  Ｍａｎａｇｅ．，  ５０（１１Ａ  ｓｕｐｐｌ）：１８Ｓ−９Ｓ  （Ｎｏｖｅｍｂｅｒ  ２００４）．  ＷＦＵ−５６
【非特許文献１９】  ＭＯＬＮＡＲ，  Ｊ．Ａ．，  "Ａｐｐｌｉｃａｔｉｏｎｓ  ｏｆ  ｎｅｇａｔｉｖｅ  ｐｒｅｓｓｕｒｅ  ｗｏｕｎｄ  ｔｈｅｒａｐｙ  ｔｏ  ｔｈｅｒｍａｌ  ｉｎｊｕｒｙ"，  Ｏｓｔｏｍｙ  Ｗｏｕｎｄ  Ｍａｎａｇｅ．，  ５０（４Ａ  ｓｕｐｐｌ）：１７−９  （Ａｐｒｉｌ  ２００４）．  ＷＦＵ−５８
【非特許文献２０】  ＭＯＬＮＡＲ，  Ｊ．Ａ．，  "Ｔｈｅ  ｓｃｉｅｎｃｅ  ｂｅｈｉｎｄ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５０  （４Ａ  ｓｕｐｐｌ）：２−５  （Ａｐｒｉｌ  ２００４）．  ＷＦＵ−５９
【非特許文献２１】  ＭＯＬＮＡＲ，  Ｊ．Ａ．，  ｅｔ  ａｌ．，  "Ｍａｎａｇｅｍｅｎｔ  ｏｆ  ａｎ  ａｃｕｔｅ  ｔｈｅｒｍａｌ  ｉｎｊｕｒｙ  ｗｉｔｈ  ｓｕｂａｔｍｏｓｐｈｅｒｉｃ  ｐｒｅｓｓｕｒｅ"，  Ｊ．  Ｂｕｒｎｓ  Ｗｏｕｎｄｓ，  ４：８３−９２，  ４：ｅ５  （ｐｕｂｌｉｓｈｅｄ  ｏｎｌｉｎｅ  Ｍａｒｃｈ  ２４，  ２００５）．  ＷＦＵ−４３
【非特許文献２２】  ＭＯＲＹＫＷＡＳ，  Ｍ．Ｊ．，  ｅｔ  ａｌ．，  "Ｅｆｆｅｃｔｓ  ｏｆ  ｖａｒｙｉｎｇ  ｌｅｖｅｌｓ  ｏｆ  ｓｕｂａｔｍｏｓｐｈｅｒｉｃ  ｐｒｅｓｓｕｒｅ  ｏｎ  ｔｈｅ  ｒａｔｅ  ｏｆ  ｇｒａｎｕｌａｔｉｏｎ  ｔｉｓｓｕｅ  ｆｏｒｍａｔｉｏｎ  ｉｎ  ｅｘｐｅｒｉｍｅｎｔａｌ  ｗｏｕｎｄｓ  ｉｎ  ｓｗｉｎｅ"，  Ａｎｎ．  Ｐｌａｓｔ．  Ｓｕｒｇ．，  ４７（５）：５４７−５５１  （Ｎｏｖｅｍｂｅｒ  ２００１）．  ＷＦＵ−４４
【非特許文献２３】  ＰＬＩＫＡＩＴＩＳ，  Ｃ．Ｍ．，  ｅｔ  ａｌ．，  "Ｓｕｂａｔｍｏｓｐｈｅｒｉｃ  ｐｒｅｓｓｕｒｅ  ｗｏｕｎｄ  ｔｈｅｒａｐｙ  ａｎｄ  ｔｈｅ  ｖａｃｕｕｍ−ａｓｓｉｓｔｅｄ  ｃｌｏｓｕｒｅ  ｄｅｖｉｃｅ：  ｂａｓｉｃ  ｓｃｉｅｎｃｅ  ａｎｄ  ｃｕｒｒｅｎｔ  ｃｌｉｎｉｃａｌ  ｓｕｃｃｅｓｓｅｓ"，  Ｅｘｐｅｒｔ  Ｒｅｖ．  Ｍｅｄ．  Ｄｅｖｉｃｅｓ，  ３（２）：１７５−１８４，  （Ｍａｒｃｈ  ２００６）．  ＷＦＵ−６３
【非特許文献２４】  ＳＣＨＬＡＴＴＥＲＥＲ，  Ｄ．，  ｅｔ  ａｌ．，  "Ｏｒｔｈｏｐｅｄｉｃ  ｉｎｄｉｃａｔｉｏｎｓ  ｆｏｒ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５１  （２Ａ  ｓｕｐｐｌ）：２７Ｓ−８Ｓ  （Ｆｅｂｒｕａｒｙ  ２００５）．  ＷＦＵ−５７
【非特許文献２５】  ＳＣＨＮＥＩＤＥＲ，  Ａ．Ｍ．，  ｅｔ  ａｌ．，  "Ｒｅ：  ｕｓｅ  ｏｆ  ｓｐｅｃｉａｌｉｚｅｄ  ｂｏｎｅ  ｓｃｒｅｗｓ  ｆｏｒ  ｉｎｔｅｒｍａｘｉｌｌａｒｙ  ｆｉｘａｔｉｏｎ：  ｒｅｐｌｙ"，  Ａｎｎ．  Ｐｌａｓｔ．  Ｓｕｒｇ．，  ４７  （１）：  ９３，  （Ｊｕｌｙ  ２００１）．  ＷＦＵ−７０
【非特許文献２６】  ＷＥＢＢ，  Ｌ．Ｘ．，  ｅｔ  ａｌ．，  "Ｔｈｅ  ｃｏｎｔａｍｉｎａｔｅｄ  ｈｉｇｈ−ｅｎｅｒｇｙ  ｏｐｅｎ−ｆｒａｃｔｕｒｅ：  ａ  ｐｒｏｔｏｃｏｌ  ｔｏ  ｐｒｅｖｅｎｔ  ａｎｄ  ｔｒｅａｔ  ｉｎｆｌａｍｍａｔｏｒｙ  ｍｅｄｉａｔｏｒ  ｓｔｏｒｍ−ｉｎｄｕｃｅｄ  ｓｏｆｔ−ｔｉｓｓｕｅ  ｃｏｍｐａｒｔｍｅｎｔ  ｓｙｎｄｒｏｍｅ  （ＩＭＳＩＣＳ）"，  Ｊ．  Ａｍ．  Ａｃａｄ．  Ｏｒｔｈｏｐ．  Ｓｕｒｇ．，  １４（１０）：ＳＡ８２−Ｓ８６  （Ｏｃｔｏｂｅｒ  ２００６）．  ＷＦＵ−６９
【非特許文献２７】  ＹＡＮＧ，  Ｃ．Ｃ．，  ｅｔ  ａｌ．，  "Ｖａｃｕｕｍ−ａｓｓｉｓｔｅｄ  ｃｌｏｓｕｒｅ  ｆｏｒ  ｆａｓｃｉｏｔｏｍｙ  ｗｏｕｎｄｓ  ｆｏｌｌｏｗｉｎｇ  ｃｏｍｐａｒｔｍｅｎｔ  ｓｙｎｄｒｏｍｅ  ｏｆ  ｔｈｅ  ｌｅｇ"，  Ｊ．  Ｓｕｒｇ．  Ｏｒｔｈｏｐ．  Ａｄｖ．，  １５（１）：１９−２３  （Ｓｐｒｉｎｇ  ２００６）．  ＷＦＵ−６６
【非特許文献２８】  ＡＲＧＥＮＴＡ，  Ａ．，  ｅｔ  ａｌ．，  "Ｄｅｆｏｒｍａｔｉｏｎ  ｏｆ  ｓｕｐｅｒｆｉｃｉａｌ  ａｎｄ  ｄｅｅｐ  ａｂｄｏｍｉｎａｌ  ｔｉｓｓｕｅｓ  ｗｉｔｈ  ａｐｐｌｉｃａｔｉｏｎ  ｏｆ  ａ  ｃｏｎｔｒｏｌｌｅｄ  ｖａｃｕｕｍ"，  Ｅｕｒｏｐｅａｎ  Ｔｉｓｓｕｅ  Ｒｅｐａｉｒ  Ｓｏｃｉｅｔｙ，  Ｆｏｃｕｓ  ｇｒｏｕｐ  ｍｅｅｔｉｎｇ  Ｔｏｐｉｃａｌ  Ｎｅｇａｔｉｖｅ  Ｐｒｅｓｓｕｒｅ  （ＴＮＰ）  Ｔｈｅｒａｐｙ，  Ｌｏｎｄｏｎ  ＵＫ  （  ４−６  Ｄｅｃｅｍｂｅｒ  ２００３）．  ＷＦＵ−５５
【非特許文献２９】  ＡＲＧＥＮＴＡ，  Ｌ．Ｃ．，  ｅｔ  ａｌ．，  "Ｔｈｅ  Ｖ．Ａ．Ｃ．  ａｓ  ａｎ  ａｄｊｕｎｃｔ  ｆｏｒ  ｔｒｅａｔｍｅｎｔ  ｆｏｒ  ａｂｄｏｍｉｎａｌ  ｗｏｕｎｄｓ"，  ６６ｔｈ  Ａｎｎｕａｌ  Ｍｅｅｔｉｎｇ  ｏｆ  ｔｈｅ  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｓａｎ  Ｆｒａｎｃｉｓｃｏ，  ＣＡ，  ｐｐ．  ３３０−３３１；  １  ｓｈｅｅｔ  ｏｆ  ａｂｓｔｒａｃｔ  （Ｓｅｐｔｅｍｂｅｒ  ２１−２４  １９９７）．  ＷＦＵ−３９
【非特許文献３０】  ＡＲＧＥＮＴＡ，  Ｌ．Ｃ．，  ｅｔ  ａｌ．，  "Ｖａｃｕｕｍ  ａｓｓｉｓｔｅｄ  ｃｌｏｓｕｒｅ  ｏｆ  ｃｈｒｏｎｉｃ  ｗｏｕｎｄｓ"，  ６５ｔｈ  Ａｎｎｕａｌ  Ｓｃｉｅｎｔｉｆｉｃ  Ｍｅｅｔｉｎｇ，  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｄａｌｌａｓ，  ＴＸ，  ｐｐ．  ２２６−２２７；  １  ｓｈｅｅｔ  ｏｆ  ａｂｓｔｒａｃｔ  （Ｎｏｖｅｍｂｅｒ  ９−１３，  １９９６）．  ＷＦＵ−３７
【非特許文献３１】  ＤＥＦＲＡＮＺＯ，  Ａ．Ｊ．，  ｅｔ  ａｌ．，  "Ｔｈｅ  ｕｓｅ  ｏｆ  Ｖ．Ａ．Ｃ．  ｔｈｅｒａｐｙ  ｆｏｒ  ｔｒｅａｔｍｅｎｔ  ｏｆ  ｌｏｗｅｒ  ｅｘｔｒｅｍｉｔｙ  ｗｏｕｎｄｓ  ｗｉｔｈ  ｅｘｐｏｓｅｄ  ｂｏｎｅ"，  ６８ｔｈ  Ａｎｎｕａｌ  Ｍｅｅｔｉｎｇ  ｏｆ  ｔｈｅ  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｎｅｗ  Ｏｒｌｅａｎｓ，  ＬＡ，  ｐｐ．  ３７−３８；  ２  ｓｈｅｅｔｓ  ｏｆ  ａｂｓｔｒａｃｔ  （Ｏｃｔｏｂｅｒ  ２４−２７，  １９９９）．  ＷＦＵ−４２
【非特許文献３２】  ＫＯＲＴＥＳＩＳ，  Ｂ．，  ｅｔ  ａｌ．，  "Ｖａｃｕｕｍ−ａｓｓｉｓｔｅｄ  ｃｌｏｓｕｒｅ  ｆｏｒ  ｔｈｅ  ｔｒｅａｔｍｅｎｔ  ｏｆ  ｏｐｅｎ  ｔｉｂｉａ  ｆｒａｃｔｕｒｅｓ"，  ７２ｎｄ  Ａｎｎｕａｌ  Ｍｅｅｔｉｎｇ  ｏｆ  ｔｈｅ  
Ａｍｅｒｉｃａｎ  Ｓｏｃｉｅｔｙ  ｏｆ  Ｐｌａｓｔｉｃ  Ｓｕｒｇｅｏｎｓ，  Ｓａｎ  Ｄｉｅｇｏ，  ＣＡ，  ｐｐ．  １７２−３；  １  ｓｈｅｅｔ  ｏｆ  ａｂｓｔｒａｃｔ  （Ｏｃｔｏｂｅｒ  ２５−２９，  ２００３）．  ＷＦＵ−４１
【非特許文献３３】  ＫＲＥＭＥＲＳ，  Ｌ．，  ｅｔ  ａｌ．，  "Ｅｆｆｅｃｔ  ｏｆ  ｔｏｐｉｃａｌ  ｓｕｂ−ａｔｍｏｓｐｈｅｒｉｃ  ｐｒｅｓｓｕｒｅ  ｔｒｅａｔｍｅｎｔ  ｏｎ  ａｎｇｉｏｔｅｎｓｉｎ  Ｉ  ａｎｄ  ＩＩ  ｌｅｖｅｌｓ  ｐｏｓｔ  ｂｕｒｎ"，  ３５ｔｈ  Ａｎｎｕａｌ  Ｍｅｅｔｉｎｇ，  Ａｂｓｔｒａｃｔ  ｐｒｉｎｔｅｄ  ｉｎ  Ｊ．  Ｂｕｒｎ  Ｃａｒｅ  Ｒｅｈａｂｉｌｉｔａｔｉｏｎ，  ｐａｇｅ  Ｓ４４，  Ａｂｓｔｒａｃｔ  ｎｏ．  ３  Ａｍｅｒｉｃａｎ  Ｂｕｒｎ  Ａｓｓｏｃｉａｔｉｏｎ，  Ｍｉａｍｉ，  Ｆｌｏｒｉｄａ  （Ａｐｒｉｌ  １−４  ２００３）．  ＷＦＵ−５４
【非特許文献３４】  ＭＯＬＮＡＲ，  Ｊ．Ａ．，  ｅｔ  ａｌ．，  "Ｉｍｐｒｏｖｅｄ  ｓｋｉｎ  ｇｒａｆｔ  ａｄｈｅｒｅｎｃｅ  ａｎｄ  ｖａｓｃｕｌａｒｉｚａｔｉｏｎ  ｏｆ  ｉｎｔｅｇｒａ（Ｒ）  ｕｓｉｎｇ  ｓｕｂａｔｍｏｓｐｈｅｒｉｃ  ｐｒｅｓｓｕｒｅ  -  ａ  ｌａｂｏｒａｔｏｒｙ  ｓｔｕｄｙ"，  Ａｂｓｔｒａｃｔ  ｐｒｉｎｔｅｄ  ｉｎ  Ｂｕｒｎ  Ｃａｒｅ  &  Ｒｅｈａｂｉｌｉｔａｔｉｏｎ，  ｐａｇｅ  Ｓ１１１，  Ａｂｓｔｒａｃｔ  ｎｏ．  １４１；  Ａｍｅｒｉｃａｎ  Ｂｕｍ  Ｍｅｅｔｉｎｇ，  ３４ｔｈ  Ａｎｎｕａｌ  Ｍｅｅｔｉｎｇ，  Ｃｈｉｃａｇｏ，  ＩＬ，  （Ａｐｒｉｌ  ２４−２７  ２００２）．  ＷＦＵ−５１
【非特許文献３５】  ＭＯＲＹＫＷＡＳ，  Ｍ．Ｊ．，  ｅｔ  ａｌ．，  "Ｎｅｇａｔｉｖｅ  ｐｒｅｓｓｕｒｅ  ｔｒｅａｔｍｅｎｔ  ｏｆ  ｂｕｒｎｅｄ  ｅｘｔｒｅｍｉｔｉｅｓ"，  ６５ｔｈ  Ａｎｎｕａｌ  Ｓｃｉｅｎｔｉｆｉｃ  Ｍｅｅｔｉｎｇ，  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｄａｌｌａｓ，  ＴＸ，  ｐｐ．  ８６−８７；  １  ｓｈｅｅｔ  ｏｆ  ａｂｓｔｒａｃｔ  （Ｎｏｖｅｍｂｅｒ  ９−１３，  １９９６）．  ＷＦＵ−３６
【非特許文献３６】  ＭＯＲＹＫＷＡＳ，  Ｍ．Ｊ．，  ｅｔ  ａｌ．，  "Ｔｈｅ  ｅｆｆｅｃｔ  ｏｆ  Ｖ．Ａ．Ｃ．（ＴＭ）  ｔｈｅｒａｐｙ  ｏｎ  ｔｈｅ  ｌｅｎｇｔｈ  ｏｆ  ｓｔａｙ，  ｔｏｔａｌ  ｃｈａｒｇｅｓ  ａｎｄ  ａｖｅｒａｇｅ  ｄａｉｌｙ  ｃｈａｒｇｅ  ｆｏｒ  ｐａｔｉｅｎｔｓ  ａｓｓｉｇｎｅｄ  ｔｏ  ＤＲＧ  ２６３：  ａｎａｌｙｓｉｓ  ｏｆ  １３  ｃｏｎｓｅｃｕｔｉｖｅ  ｑｕａｒｔｅｒｓ"，  ｐｒｅｓｅｎｔｅｄ  ｉｎ  ｐａｒｔ  ａｔ  ｔｈｅ  ２８ｔｈ  Ａｎｎｕａｌ  Ｃｏｎｆｅｒｅｎｃｅ  ｏｆ  ｔｈｅ  Ｗｏｕｎｄ，  Ｏｓｔｏｍｙ，  ａｎｄ  Ｃｏｎｔｉｎｅｎｃｅ  Ｎｕｒｓｅｓ  Ｓｏｃｉｅｔｙ，  Ｓｅａｔｔｌｅ，  ＷＡ，  （１５  ｓｈｅｅｔｓ）  （Ｊｕｎｅ  １５−１９，  １９９６）．  ＷＦＵ−５２
【非特許文献３７】  ＰＡＲＫ，  Ｃ．Ａ．，  ｅｔ  ａｌ．，  "Ｏｕｔｐａｔｉｅｎｔ  ｕｓｅ  ｏｆ  Ｉｎｔｅｇｒａ(r)  ａｎｄ  ｓｕｂａｔｍｏｓｐｈｅｒｉｃ  ｐｒｅｓｓｕｒｅ  ｉｎ  ｔｈｅ  ｍａｎａｇｅｍｅｎｔ  ｏｆ  ｗｏｕｎｄ  ａｎｄ  ｂｕｒｎ  ｒｅｃｏｎｓｔｒｕｃｔｉｏｎ"，  Ｊ．  Ｂｕｒｎ  Ｃａｒｅ  Ｒｅｈａｂｉｌ．，  ２６（２  ｓｕｐｐｌ．）：Ｓ１１３，  Ｃｈｉｃａｇｏ，  ＩＬ，  （Ｍａｙ  １０−１３，  ２００５）．  ＷＦＵ−６２
【非特許文献３８】  ＳＣＨＮＥＩＤＥＲ，  Ａ．Ｍ．，  ｅｔ  ａｌ．，  "Ｍｕｓｃｌｅ  ｆｌａｐ  ｓｕｒｖｉｖａｌ  ａｆｔｅｒ  ｃｏｍｐｌｅｔｅ  ｖｅｎｏｕｓ  ｏｃｃｌｕｓｉｏｎ  ｂｙ  ａｐｐｌｉｃａｔｉｏｎ  ｏｆ  ａ  ｎｅｇａｔｉｖｅ  ｐｒｅｓｓｕｒｅ  ｄｅｖｉｃｅ"，  ６６ｔｈ  Ａｎｎｕａｌ  Ｍｅｅｔｉｎｇ  ｏｆ  ｔｈｅ  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｓａｎ  Ｆｒａｎｃｉｓｃｏ，  ＣＡ，  ｐｐ．  ３００−３０２；  ２  ｓｈｅｅｔｓ  ｏｆ  ａｂｓｔｒａｃｔ  （Ｓｅｐｔｅｍｂｅｒ  ２１−２４  １９９７）．  ＷＦＵ−３８
【非特許文献３９】  ＳＣＨＮＥＩＤＥＲ，  Ａ．Ｍ．，  ｅｔ  ａｌ．，  "Ｔｒｅａｔｍｅｎｔ  ｏｆ  ｂｒｏｗｎ  ｒｅｃｌｕｓｅ  ｓｐｉｄｅｒ  ｂｉｔｅ  ｗｏｕｎｄｓ  ｂｙ  ｅｘｔｅｒｎａｌ  ａｐｐｌｉｃａｔｉｏｎ  ｏｆ  ｓｕｂ−ａｔｍｏｓｐｈｅｒｉｃ  ｐｒｅｓｓｕｒｅ"，  ６８ｔｈ  Ａｎｎｕａｌ  Ｍｅｅｔｉｎｇ  ｏｆ  ｔｈｅ  Ａｍｅｒｉｃａｎ  Ｓｏｃｉｅｔｙ  ｏｆ  Ｐｌａｓｔｉｃ  ａｎｄ  Ｒｅｃｏｎｓｔｒｕｃｔｉｖｅ  Ｓｕｒｇｅｏｎｓ，  Ｎｅｗ  Ｏｒｌｅａｎｓ，  ＬＡ，  ｐａｇｅ  ３５；  １  ｓｈｅｅｔ  ｏｆ  ａｂｓｔｒａｃｔ  （Ｏｃｔｏｂｅｒ  ２４−２７，  １９９９）．  ＷＦＵ−４０
【非特許文献４０】  ＷＥＢＢ，  Ｌ．Ｘ．，  "Ｕｓｅ  ｏｆ  ｎｅｇａｔｉｖｅ  ｐｒｅｓｓｕｒｅ  ｄｅｖｉｃｅｓ  ｉｎ  ｈｉｇｈｌｙ  ｃｏｎｔａｍｉｎａｔｅｄ，  ｈｉｇｈ  ｅｎｅｒｇｙ  ｗｏｕｎｄｓ"，  Ｅｘｔｒｅｍｉｔｙ  Ｗａｒ  Ｉｎｊｕｒｉｅｓ：  Ｓｔａｔｅ  ｏｆ  ｔｈｅ  Ａｒｔ  ａｎｄ  Ｆｕｔｕｒｅ  Ｄｉｒｅｃｔｉｏｎｓ，  ＡＡＯＳ／ＯＴＡ  Ｅｘｔｒｅｍｉｔｙ  Ｗａｒ  Ｉｎｊｕｒｅｓ  Ｓｙｍｐｏｓｉｕｍ，  Ｊａｎｕａｒｙ  ２４−２７，  ２００６，  ［Ａｂｓｔｒａｃｔ］．  ＷＦＵ−６５
【非特許文献４１】  ＭＯＲＹＫＷＡＳ，  Ｍ．Ｊ．，  "Ｂａｓｉｃ  Ｒｅｓｅａｒｃｈ  ａｎｄ  Ａｎｉｍａｌ  Ｓｔｕｄｉｅｓ，"  Ｐｒｅｓｅｎｔａｔｉｏｎ  ａｔ  ｔｈｅ  Ｅｕｒｏｐｅａｎ  Ｔｏｐｉｃａｌ  Ｎｅｇａｔｉｖｅ  Ｐｒｅｓｓｕｒｅ  Ｍｅｅｔｉｎｇ  ｉｎ  Ｓａｌｓｂｕｒｙ，  Ｅｎｇｌａｎｄ，  （Ｊｕｎｅ  ２００５）．  ＷＦＵ−７１
【非特許文献４２】  ＤＥＦＲＡＮＺＯ，  Ａ．Ｊ．，  ｅｔ  ａｌ．，  "Ｖａｃｕｕｍ  ａｓｓｉｓｔｅｄ  ｃｌｏｓｕｒｅ  ｏｆ  ｔｈｅ  ａｂｄｏｍｉｎａｌ  ｗａｌｌ"，  ７３ｒｄ  Ａｎｎｕａｌ  Ｍｅｅｔｉｎｇ，  Ａｍｅｒｉｃａｎ  Ａｓｓｏｃｉａｔｉｏｎ  ｏｆ  Ｐｌａｓｔｉｃ  Ｓｕｒｇｅｏｎｓ，  Ｐｈｉｌａｄｅｌｐｈｉａ，  ＰＡ  （２００４），  １  ｓｈｅｅｔ  ｏｆ  ａｂｓｔｒａｃｔ．  ＷＦＵ−６０
【非特許文献４３】  ＡＲＧＥＮＴＡ，  Ｐ．Ａ．，  ｅｔ  ａｌ．，  "Ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ｃｏｍｐｌｅｘ  ｇｙｎｅｃｏｌｏｇｉｃ  ｗｏｕｎｄ  ｆａｉｌｕｒｅｓ，"  Ｏｂｓｔｅｔ．  Ｇｙｎｅｃｏｌ．，  ９９（３）：４９７−５０１，  （９  ｓｈｅｅｔｓ）  （Ｍａｒｃｈ  ２００２）．  ＮＰＬ−０１８
【非特許文献４４】  ＡＺＡＤ，  Ｓ．，  ｅｔ  ａｌ．，  "Ｔｏｐｉｃａｌ  ｎｅｇａｔｉｖｅ  ｐｒｅｓｓｕｒｅ  ｍａｙ  ｈｅｌｐ  ｃｈｒｏｎｉｃ  ｗｏｕｎｄ  ｈｅａｌｉｎｇ，"  Ｂ．Ｍ．Ｊ．，  ３２４：１１００  （１  ｓｈｅｅｔ）  （Ｍａｙ  ４，  ２００２）．  ＮＰＬ−０２６
【非特許文献４５】  ＢＡＬＬＡＲＤ，  Ｋ．，  ｅｔ  ａｌ．，  "Ｄｅｖｅｌｏｐｍｅｎｔｓ  ｉｎ  ｗｏｕｎｄ  ｃａｒｅ  ｆｏｒ  ｄｉｆｆｉｃｕｌｔ  ｔｏ  ｍａｎａｇｅ  ｗｏｕｎｄｓ，"  Ｂｒ．  Ｊ．  Ｎｕｒｓ．，  ９（７）：４０５−８，４１０，４１２  （Ａｐｒｉｌ  １３−２６，  ２０００）．  ＮＰＬ−０３０
【非特許文献４６】  ＢＡＬＬＡＲＤ，  Ｋ．，  ｅｔ  ａｌ．，  "Ｖａｃｕｕｍ−ａｓｓｉｓｔｅｄ  ｃｌｏｓｕｒｅ，"  Ｎｕｒｓ．  Ｔｉｍｅｓ，  ９７（３５）：５１−２  （５  ｓｈｅｅｔｓ）  Ａｕｇｕｓｔ  ３０  −  Ｓｅｐｔｅｍｂｅｒ  ５，  ２００１．  ＮＰＬ−０３１
【非特許文献４７】  ＢＡＬＬＡＲＤ，  Ｋ．，  ｅｔ  ａｌ．，  "Ｕｓｅ  ｏｆ  ｖａｃｕｕｍ−ａｓｓｉｓｔｅｄ  ｃｌｏｓｕｒｅ  ｔｈｅｒａｐｙ  ｆｏｌｌｏｗｉｎｇ  ｆｏｏｔ  ａｍｐｕｔａｔｉｏｎ，"  Ｂｒ．  Ｊ．  Ｎｕｒｓ．，  １０（１５  Ｓｕｐｐｌｅｍｅｎｔ）：Ｓ６，  ８，  １１−１２  （Ａｕｇｕｓｔ  ２００１）．  ＮＰＬ−０３２
【非特許文献４８】  ＢＡＮＷＥＬＬ，  Ｐ．Ｅ．，  "Ｔｏｐｉｃａｌ  ｎｅｇａｔｉｖｅ  ｐｒｅｓｓｕｒｅ  ｔｈｅｒａｐｙ  ｉｎ  ｗｏｕｎｄ  ｃａｒｅ，"  Ｊ．  Ｗｏｕｎｄ  Ｃａｒｅ，  ８（２）：７９−８４  （Ｆｅｂｒｕａｒｙ  １９９９）．  ＮＰＬ−０３４
【非特許文献４９】  ＢＡＲＴＥＬＳ，  Ｃ．Ｇ．，  ｅｔ  ａｌ．，  "Ｔｈｅ  ｖａｃｕｕｍ  ｓｅａｌｉｎｇ  ｔｅｃｈｎｉｑｕｅ．  Ａ  ｎｅｗ  ａｐｐｒｏａｃｈ  ｔｏ  ｃｏｖｅｒ  ｓｏｆｔ  ｔｉｓｓｕｅ  ｄｅｆｅｃｔｓ，  ｕｓｅｄ  ａｆｔｅｒ  ｔｈｅ  ｒｅｓｅｃｔｉｏｎ  ｏｆ  ａ  ｌｅｉｏｍｙｏｓａｒｃｏｍａ"，  （Ｅｎｇｌｉｓｈ  ａｂｓｔｒａｃｔ  ｏｎ  ２ｎｄ  ｐａｇｅ  ａｎｄ  １  ｐａｇｅ  ｐｒｉｎｔｏｕｔ  ｆｒｏｍ  ＰｕｂＭｅｄ）；  Ｈａｕｔａｒｚｔ，  ５２  （７）：６５３−７  （Ｊｕｌｙ  ２００１）．  ＮＰＬ−０３９
【非特許文献５０】  ＢＡＵＥＲ，  Ｐ．，  ｅｔ  ａｌ．，  "Ｐｏｓｓｉｂｉｌｉｔｉｅｓ  ｏｆ  ｐｒｅｌｉｍｉｎａｒｙ  ｔｒｅａｔｍｅｎｔ  ｏｆ  ｉｎｆｅｃｔｅｄ  ｓｏｆｔ  ｔｉｓｓｕｅ  ｄｅｆｅｃｔｓ  ｂｙ  ｖａｃｕｕｍ  ｓｅａｌｉｎｇ  ａｎｄ  ＰＶＡ  ｆｏａｍ"，  （Ｅｎｇｌｉｓｈ  ａｂｓｔｒａｃｔ  ｏｎ  ｆｉｒｓｔ  ｐａｇｅ  ａｎｄ  １  ｓｈｅｅｔ  ＰｕｂＭｅｄ  ａｂｓｔｒａｃｔ），  Ｈａｎｄｃｈｉｒ．  Ｍｉｋｒｏｃｈｉｒ．  Ｐｌａｓｔ．  Ｃｈｉｒ．，  ３０（１）：２０−３  （Ｊａｎｕａｒｙ  １９９８）．  ＮＰＬ−０４０
【非特許文献５１】  ＢＡＹＮＨＡＭ，  Ｓ．Ａ．，  ｅｔ  ａｌ．，  "Ｔｒｅａｔｉｎｇ  ｓｔａｇｅ  ＩＶ  ｐｒｅｓｓｕｒｅ  ｕｌｃｅｒｓ  ｗｉｔｈ  ｎｅｇａｔｉｖｅ  ｐｒｅｓｓｕｒｅ  ｔｈｅｒａｐｙ：  ａ  ｃａｓｅ  ｒｅｐｏｒｔ"，  Ｏｓｔｏｍｙ  Ｗｏｕｎｄ  Ｍａｎａｇｅ．，  ４５（４）：２８−３２，  ３４−３５  （Ａｐｒｉｌ  １９９９）．  ＮＰＬ−０４１
【非特許文献５２】  ＢＲＯＤＹ，  Ｇ．Ｓ．，  "Ｂｉｏｌｏｇｉｃａｌ  ｃｒｅｅｐ"，  Ｐｌａｓｔ．  Ｒｅｃｏｎｓｔｒ．  Ｓｕｒｇ．，  ９２（６）：１２０２−１２０３  （Ｎｏｖｅｍｂｅｒ  １９９３）．  ＮＰＬ−０６０
【非特許文献５３】  ＣＡＭＰＴＯＮ−ＪＯＨＮＳＴＯＮ，  Ｓ．，  ｅｔ  ａｌ．，  "Ｉｎｆｅｃｔｅｄ  ｗｏｕｎｄ  ｍａｎａｇｅｍｅｎｔ：  ａｄｖａｎｃｅｄ  ｔｅｃｈｎｏｌｏｇｉｅｓ，  ｍｏｉｓｔｕｒｅ−ｒｅｔｅｎｔｉｖｅ  ｄｒｅｓｓｉｎｇｓ，  ａｎｄ  ｄｉｅ−ｈａｒｄ  ｍｅｔｈｏｄｓ"，  Ｃｒｉｔ．  Ｃａｒｅ  Ｎｕｒｓ．  Ｑ，  ２４（２）：６４−７７  （Ａｕｇｕｓｔ  ２００１）．  ＮＰＬ−０６８
【非特許文献５４】  ＣＨＥＮ，  Ｋ．Ｄ．，  ｅｔ  ａｌ．，  "Ｍｅｃｈａｎｏｔｒａｎｓｄｕｃｔｉｏｎ  ｉｎ  ｒｅｓｐｏｎｓｅ  ｔｏ  ｓｈｅａｒ  ｓｔｒｅｓｓ"，  Ｊ．  Ｂｉｏｌ．  Ｃｈｅｍ．，  ２７４（２６）：１８３９３−１８４００，  （Ｊｕｎｅ  ２５，  １９９９）．  ＮＰＬ−０８１
【非特許文献５５】  ＣＬＡＲＥ，  Ｍ．Ｐ．，  ｅｔ  ａｌ．，  "Ｅｘｐｅｒｉｅｎｃｅ  ｗｉｔｈ  ｔｈｅ  ｖａｃｕｕｍ  ａｓｓｉｓｔｅｄ  ｃｌｏｓｕｒｅ  ｎｅｇａｔｉｖｅ  ｐｒｅｓｓｕｒｅ  ｔｅｃｈｎｉｑｕｅ  ｉｎ  ｔｈｅ  ｔｒｅａｔｍｅｎｔ  ｏｆ  ｎｏｎ−ｈｅａｌｉｎｇ  ｄｉａｂｅｔｉｃ  ａｎｄ  ｄｙｓｖａｓｃｕｌａｒ  ｗｏｕｎｄｓ"，  Ｆｏｏｔ  Ａｎｋｌｅ  Ｉｎｔ．，  ２３（１０）：８９６−９０１  （Ｏｃｔｏｂｅｒ  ２００２）．  ＮＰＬ−０８４
【非特許文献５６】  ＣＬＡＸＴＯＮ，  Ｍ．Ｊ．，  ｅｔ  ａｌ．，  "Ｈｅａｌｉｎｇ  ｔｈｅ  ｄｉａｂｅｔｉｃ  ｗｏｕｎｄ  ａｎｄ  ｋｅｅｐｉｎｇ  ｉｔ  ｈｅａｌｅｄ：  ｍｏｄａｌｉｔｉｅｓ  ｆｏｒ  ｔｈｅ  ｅａｒｌｙ  ２１ｓｔ  ｃｅｎｔｕｒｙ"，  Ｃｕｒｒ．  Ｄｉａｂ．  Ｒｅｐ．，  ２（６）：５１０−８  （Ｄｅｃｅｍｂｅｒ  ２００２）．  ＮＰＬ−０８６
【非特許文献５７】  ＣＯＧＧＲＡＶＥ，  Ｍ．，  ｅｔ  ａｌ．，  "Ｔｏｐｉｃａｌ  ｎｅｇａｔｉｖｅ  ｐｒｅｓｓｕｒｅ  ｆｏｒ  ｐｒｅｓｓｕｒｅ  ｕｌｃｅｒ  ｍａｎａｇｅｍｅｎｔ"，  Ｂｒ．  Ｊ．  Ｎｕｒｓ．，  １１（６  Ｓｕｐｐｌ）：Ｓ２９−３１，  Ｓ３３−３４，  Ｓ３６  （Ｍａｒｃｈ  ２００２）．  ＮＰＬ−０８９
【非特許文献５８】  ＣＯＬＬＩＥＲ，  Ｍ．，  "Ｋｎｏｗ  ｈｏｗ：  Ｖａｃｕｕｍ  ａｓｓｉｓｔｅｄ  ｃｌｏｓｕｒｅ  （ＶＡＣ）"，  Ｎｕｒｓ．  Ｔｉｍｅｓ，  ９３（５）：３２−３  （Ｊａｎｕａｒｙ  ２９−Ｆｅｂｒｕａｒｙ  ４  １９９７）．  ＮＰＬ−０９０
【非特許文献５９】  ＣＯＯＰＥＲ，  Ｓ．Ｍ．，  ｅｔ  ａｌ．，  "Ｔｏｐｉｃａｌ  ｎｅｇａｔｉｖｅ  ｐｒｅｓｓｕｒｅ"，  Ｉｎｔ．  Ｊ．  Ｄｅｒｍａｔｏｌ．，  ３９（１２）：８９６−８  （Ｄｅｃｅｍｂｅｒ  ２０００）．  ＮＰＬ−０９８
【非特許文献６０】  ＣＯＺＡＲＴ，  Ｒ．Ｆ．，  ｅｔ  ａｌ．，  "Ｔｈｅ  ｕｓｅ  ｏｆ  ｃｏｎｔｒｏｌｌｅｄ  ｓｕｂａｔｍｏｓｐｈｅｒｉｃ  ｐｒｅｓｓｕｒｅ  ｔｏ  ｐｒｏｍｏｔｅ  ｗｏｕｎｄ  ｈｅａｌｉｎｇ  ｉｎ  ｐｒｅｐａｒａｔｉｏｎ  ｆｏｒ  ｓｐｌｉｔ−ｔｈｉｃｋｎｅｓｓ  ｓｋｉｎ  ｇｒａｆｔｉｎｇ  ｉｎ  ａ  ｆｏｕｒｔｈ  ｄｅｇｒｅｅ  ｂｕｒｎ"，  Ｔｅｎｎ．  Ｍｅｄ．，  ９２（１０）：３８２−４  （Ｏｃｔｏｂｅｒ  １９９９）．  ＮＰＬ−１０３
【非特許文献６１】  ＣＲＯ，  Ｃ．，  ｅｔ  ａｌ．，  "Ｖａｃｕｕｍ  ａｓｓｉｓｔｅｄ  ｃｌｏｓｕｒｅ  ｓｙｓｔｅｍ  ｉｎ  ｔｈｅ  ｍａｎａｇｅｍｅｎｔ  ｏｆ  ｅｎｔｅｒｏｃｕｔａｎｅｏｕｓ  ｆｉｓｔｕｌａｅ，"  Ｐｏｓｔｇｒａｄ．  Ｍｅｄ．  Ｊ．，  ７８（９２５）：３６４−５  （Ｎｏｖｅｍｂｅｒ  ２００２）．  ＮＰＬ−１０４
【非特許文献６２】  ＤＥ  ＦＩＬＩＰＰＯ，  Ｒ．Ｅ．，  ｅｔ  ａｌ．，  "Ｓｔｒｅｔｃｈ  ａｎｄ  ｇｒｏｗｔｈ：  ｔｈｅ  ｍｏｌｅｃｕｌａｒ  ａｎｄ  ｐｈｙｓｉｏｌｏｇｉｃ  ｉｎｆｌｕｅｎｃｅｓ  ｏｆ  ｔｉｓｓｕｅ  ｅｘｐａｎｓｉｏｎ"，  Ｐｌａｓｔ．  Ｒｅｃｏｎｓｔｒ．  Ｓｕｒｇ．，  １０９（７）：２４５０−２４６２  （Ｊｕｎｅ  ２００２）．  ＮＰＬ−１１０
【非特許文献６３】  ＤＥＶＡ，  Ａ．Ｋ．，  ｅｔ  ａｌ．，  "Ｖａｃｕｕｍ−ａｓｓｉｓｔｅｄ  ｃｌｏｓｕｒｅ  ｏｆ  ａ  ｓａｃｒａｌ  ｐｒｅｓｓｕｒｅ  ｓｏｒｅ"，  Ｊ．  Ｗｏｕｎｄ  Ｃａｒｅ，  ６（７）：３１１−３１２，  （Ｊｕｌｙ  １９９７）．  ＮＰＬ−１１４
【非特許文献６４】  ＤＵＮＦＯＲＤ，  Ｃ．，  "Ｈｙｐｅｒｇｒａｎｕｌａｔｉｏｎ  ｔｉｓｓｕｅ"，  Ｊ．  Ｗｏｕｎｄ  Ｃａｒｅ，  ８（１０）：５０６−５０７  （Ｎｏｖｅｍｂｅｒ  １９９９）．  ＮＰＬ−１２３
【非特許文献６５】  ＤＵＮＦＯＲＤ，  Ｃ．Ｅ．，  "Ｔｒｅａｔｍｅｎｔ  ｏｆ  ａ  ｗｏｕｎｄ  ｉｎｆｅｃｔｉｏｎ  ｉｎ  ａ  ｐａｔｉｅｎｔ  ｗｉｔｈ  ｍａｎｔｌｅ  ｃｅｌｌ  ｌｙｍｐｈｏｍａ"，  Ｂｒ．  Ｊ．  Ｎｕｒｓ．，  １０（１６）：１０５８，  １０６０，  １０６２，  １０６４−５  （Ｓｅｐｔｅｍｂｅｒ  １３−２６，  ２００１）．  ＮＰＬ−１２４
【非特許文献６６】  ＥＳＰＥＮＳＥＮ，  Ｅ．Ｈ．，  ｅｔ  ａｌ．，  "Ｕｓｅ  ｏｆ  ｓｕｂａｔｍｏｓｐｈｅｒｉｃ  （ＶＡＣ）  ｔｈｅｒａｐｙ  ｔｏ  ｉｍｐｒｏｖｅ  ｂｉｏｅｎｇｉｎｅｅｒｅｄ  ｔｉｓｓｕｅ  ｇｒａｆｔｉｎｇ  ｉｎ  ｄｉａｂｅｔｉｃ  ｆｏｏｔ  ｗｏｕｎｄｓ"，  Ｊ．  Ａｍ．  Ｐｏｄｉａｔｒ．  Ｍｅｄ．  Ａｓｓｏｃ．，  ９２（７）：３９５−７  （Ｊｕｌｙ  −  Ａｕｇｕｓｔ  ２００２）．  ＮＰＬ−１４２
【非特許文献６７】  ＦＬＥＣＫ，  Ｔ．Ｍ．，  ｅｔ  ａｌ．，  "Ｔｈｅ  ｖａｃｕｕｍ−ａｓｓｉｓｔｅｄ  ｃｌｏｓｕｒｅ  ｓｙｓｔｅｍ  ｆｏｒ  ｔｈｅ  ｔｒｅａｔｍｅｎｔ  ｏｆ  ｄｅｅｐ  ｓｔｅｒｎａｌ  ｗｏｕｎｄ  ｉｎｆｅｃｔｉｏｎｓ  ａｆｔｅｒ  ｃａｒｄｉａｃ  ｓｕｒｇｅｒｙ"，  Ａｎｎ．  Ｔｈｏｒａｃ．  Ｓｕｒｇ．，  ７４（５）：１５９６−６００  （Ｎｏｖｅｍｂｅｒ  ２００２）．  ＮＰＬ−１５５
【非特許文献６８】  ＦＬＥＩＳＣＨＭＡＮＮ，  Ｗ．，  ｅｔ  ａｌ．，  "Ｖａｃｕｕｍ  ａｓｓｉｓｔｅｄ  ｃｌｏｓｕｒｅ  ｏｆ  ｗｏｕｎｄｓ  ｆｏｌｌｏｗｉｎｇ  ｄｅｒｍａｔｏｆａｓｃｉｏｔｏｍｙ  ｏｆ  ｔｈｅ  ｌｅｇ"，  Ｕｎｆａｌｌｃｈｉｒｕｒｇ．，  （Ｅｎｇｌｉｓｈ  ａｂｓｔｒａｃｔ  ｏｎ  ｐａｇｅ  ２８４，  ａｎｄ  １  ｓｈｅｅｔ  ｐｒｉｎｔｏｕｔ  ｆｒｏｍ  ＰｕｂＭｅｄ）；  ９９（４）：２８３−７，  （Ａｐｒｉｌ  １９９６）．  ＮＰＬ−１６１
【非特許文献６９】  ＦＯＲＤ，  Ｃ．Ｎ．，  ｅｔ  ａｌ．，  "Ｉｎｔｅｒｉｍ  ａｎａｌｙｓｉｓ  ｏｆ  ａ  ｐｒｏｓｐｅｃｔｉｖｅ，  ｒａｎｄｏｍｉｚｅｄ  ｔｒｉａｌ  ｏｆ  ｖａｃｕｕｍ−ａｓｓｉｓｔｅｄ  ｃｌｏｓｕｒｅ  ｖｅｒｓｕｓ  ｔｈｅ  ｈｅａｌｔｈｐｏｉｎｔ  ｓｙｓｔｅｍ  ｉｎ  ｔｈｅ  ｍａｎａｇｅｍｅｎｔ  ｏｆ  ｐｒｅｓｓｕｒｅ  ｕｌｃｅｒｓ"，  Ａｎｎ．  Ｐｌａｓｔ．  Ｓｕｒｇ．，  （１１  ｓｈｅｅｔｓ）；  ４９（１）：５５−６１  （Ｊｕｌｙ  ２００２）．  ＮＰＬ−１６３
【非特許文献７０】  ＧＯＵＴＴＥＦＡＮＧＥＡＳ，  Ｃ．，  ｅｔ  ａｌ．，  "Ｆｕｎｃｔｉｏｎａｌ  Ｔ  ｌｙｍｐｈｏｃｙｔｅｓ  ｉｎｆｉｌｔｒａｔｅ  ｉｍｐｌａｎｔｅｄ  ｐｏｌｙｖｉｎｙｌ  ａｌｃｏｈｏｌ  ｆｏａｍｓ  ｄｕｒｉｎｇ  ｓｕｒｇｉｃａｌ  ｗｏｕｎｄ  ｃｌｏｓｕｒｅ  ｔｈｅｒａｐｙ，"  Ｃｌｉｎ．  Ｅｘｐ．  Ｉｍｍｕｎｏｌ．，  １２４（３）：３９８−４０５  （Ｊｕｎｅ  ２００１）．  ＮＰＬ−１７３
【非特許文献７１】  ＧＲＥＥＲ，  Ｓ．Ｅ．，  ｅｔ  ａｌ．，  "Ｓｕｂａｔｍｏｓｐｈｅｒｉｃ  ｐｒｅｓｓｕｒｅ  ｄｒｅｓｓｉｎｇ  ｆｏｒ  ｓａｐｈｅｎｏｕｓ  ｖｅｉｎ  ｄｏｎｏｒ−ｓｉｔｅ  ｃｏｍｐｌｉｃａｔｉｏｎｓ，"  Ａｎｎ．  Ｔｈｏｒａｃ．  Ｓｕｒｇ．，  （６  ｓｈｅｅｔｓ）；  ７１（３）：１０３８−４０  （Ｍａｒｃｈ  ２００１）．  ＮＰＬ−１７６
【非特許文献７２】  ＨＡＷＫＩＮＳ−ＢＲＡＤＬＥＹ，  Ｂ．，  ｅｔ  ａｌ．，  "Ｔｒｅａｔｍｅｎｔ  ｏｆ  ａ  ｎｏｎｈｅａｌｉｎｇ  ｗｏｕｎｄ  ｗｉｔｈ  ｈｙｐｅｒｇｒａｎｕｌａｔｉｏｎ  ｔｉｓｓｕｅ  ａｎｄ  ｒｏｌｌｅｄ  ｅｄｇｅｓ"，  Ｊ．  Ｗｏｕｎｄ  Ｏｓｔｏｍｙ  Ｃｏｎｔｉｎｅｎｃｅ  Ｎｕｒｓ．，  ２９（６）：３２０−３２４  （Ｎｏｖｅｍｂｅｒ  ２００２）．  ＮＰＬ−１８７
【非特許文献７３】  ＨＡＲＬＡＮ，  Ｊ．Ｗ．，  "Ｔｒｅａｔｍｅｎｔ  ｏｆ  ｏｐｅｎ  ｓｔｅｒｎａｌ  ｗｏｕｎｄｓ  ｗｉｔｈ  ｔｈｅ  ｖａｃｕｕｍ−ａｓｓｉｓｔｅｄ  ｃｌｏｓｕｒｅ  ｓｙｓｔｅｍ：  ａ  ｓａｆｅ，  ｒｅｌｉａｂｌｅ  ｍｅｔｈｏｄ"，  Ｐｌａｓｔ．  Ｒｅｃｏｎｓｔｒｕｃｔ．  Ｓｕｒｇ．，  １０９（２）：７１０−１２  （Ｆｅｂｒｕａｒｙ  ２００２）．  ＮＰＬ−１９１
【非特許文献７４】  ＨＡＲＴＮＥＴＴ，  Ｓ．，  "Ｈｅｐａｒｉｎ−ｉｎｄｕｃｅｄ  ｔｈｒｏｍｂｏｃｙｔｏｐｅｎｉａ  ａｓ  ｔｈｅ  ｃａｕｓｅ  ｏｆ  ｇｌｕｔｅｕｓ  ｍｕｓｃｌｅ  ｎｅｃｒｏｓｉｓ：  ａ  ｃａｓｅ  ｓｔｕｄｙ  ｄｅｓｃｒｉｂｉｎｇ  ｔｈｅ  ｂｅｎｅｆｉｔｓ  ｏｆ  ｍｕｌｔｉｄｉｓｉｐｌｉｎａｒｙ  ｐｈｙｓｉｃａｌ  ａｎｄ  ｐｓｙｃｈｏｓｏｃｉａｌ  ｉｎｔｅｒｖｅｎｔｉｏｎｓ"，  Ｏｓｔｏｍｙ  Ｗｏｕｎｄ  Ｍａｎａｇｅ．，  ４７（５）：１８−２６  （Ｍａｙ  ２００１）．  ＮＰＬ−１９４
【非特許文献７５】  ＨＥＲＳＨ，  Ｒ．Ｅ．，  ｅｔ  ａｌ．，  "Ａ  ｔｅｃｈｎｉｑｕｅ  ｆｏｒ  ｔｈｅ  ｔｒｅａｔｍｅｎｔ  ｏｆ  ｓｔｅｒｎａｌ  ｉｎｆｅｃｔｉｏｎｓ  ｕｓｉｎｇ  ｔｈｅ  ｖａｃｕｕｍ  ａｓｓｉｓｔｅｄ  ｃｌｏｓｕｒｅ  ＴＭ  ｄｅｖｉｃｅ"，  Ｈｅａｒｔ  Ｓｕｒｇ．  Ｆｏｒｕｍ，  ４（３）：２１１−１５  （２００１）．  ＮＰＬ−２０２
【非特許文献７６】  ＩＮＧＢＥＲ，  Ｄ．Ｅ．，  "Ｍｅｃｈａｎｉｃａｌ  ｓｉｇｎａｌｉｎｇ  ａｎｄ  ｔｈｅ  ｃｅｌｌｕｌａｒ  ｒｅｓｐｏｎｓｅ  ｔｏ  ｅｘｔｒａｃｅｌｌｕｌａｒ  ｍａｔｒｉｘ  ｉｎ  ａｎｇｉｏｇｅｎｅｓｉｓ  ａｎｄ  ｃａｒｄｉｏｖａｓｃｕｌａｒ  ｐｈｙｓｉｏｌｏｇｙ"，  Ｃｉｒｃ．  Ｒｅｓ．，  ９１：８７７−８８７  （Ｎｏｖｅｍｂｅｒ  １５，  ２００２）．  ＮＰＬ−２１９
【非特許文献７７】  ＫＡＬＡＩＬＩＥＦＦ，  Ｄ．，  "Ｖａｃｕｕｍ−ａｓｓｉｓｔｅｄ  ｃｌｏｓｕｒｅ：  ｗｏｕｎｄ  ｃａｒｅ  ｔｅｃｈｎｏｌｏｇｙ  ｆｏｒ  ｔｈｅ  ｎｅｗ  ｍｉｌｌｅｎｎｉｕｍ"，  Ｐｅｒｓｐｅｃｔｉｖｅｓ，  ２２（３）：２８−９  （Ｆａｌｌ  １９９８）．  ＮＰＬ−２３０
【非特許文献７８】  ＫＥＲＣＨＥＲ，  Ｋ．Ｗ．，  ｅｔ  ａｌ．，  "Ｓｕｃｃｅｓｓｆｕｌ  ｓａｌｖａｇｅ  ｏｆ  ｉｎｆｅｃｔｅｄ  ＰＴＦＥ  ｍｅｓｈ  ａｆｔｅｒ  ｖｅｎｔｒａｌ  ｈｅｒｎｉａ  ｒｅｐａｉｒ"，  Ｏｓｔｏｍｙ  Ｗｏｕｎｄ  Ｍａｎａｇｅ．，  ４８（１０）：４０−５  （Ｏｃｔｏｂｅｒ  ２００２）．  ＮＰＬ−２３４
【非特許文献７９】  ＫＩＥＲＮＡＮ，  Ｍ．，  "Ｔｈｅ  ｐｒｏｃｅｓｓ  ｏｆ  ｇｒａｎｕｌａｔｉｏｎ  ａｎｄ  ｉｔｓ  ｒｏｌｅ  ｉｎ  ｗｏｕｎｄ  ｈｅａｌｉｎｇ"，  Ｃｏｍｍｕｎｉｔｙ  Ｎｕｒｓｅ，  ５（５）：４７−４８  （Ｊｕｎｅ  １９９９）．  ＮＰＬ−２３５
【非特許文献８０】  ＫＬＯＴＨ，  Ｌ．Ｃ．，  "５  ｑｕｅｓｔｉｏｎｓ−ａｎｄ  ａｎｓｗｅｒｓ−ａｂｏｕｔ  ｎｅｇａｔｉｖｅ  ｐｒｅｓｓｕｒｅ  ｗｏｕｎｄ  ｔｈｅｒａｐｙ"，  Ａｄｖ．  Ｓｋｉｎ  Ｗｏｕｎｄ  Ｃａｒｅ，  １５（５）：２２６，  ２２８−９  （Ｓｅｐｔｅｍｂｅｒ  −  Ｏｃｔｏｂｅｒ  ２００２）．  ＮＰＬ−２３７
【非特許文献８１】  ＫＵＳＥＬ，  Ｃ．，  "Ｕｓｅ  ｏｆ  Ｖ．Ａ．Ｃ．  （ｖａｃｕｕｍ−ａｓｓｉｓｔｅｄ  ｃｌｏｓｕｒｅ）  ｔｈｅｒａｐｙ  ｉｎ  ｇｅｎｅｒａｌ  ｓｕｒｇｅｒｙ：  ｐｒｏｂｌｅｍ  ｗｏｕｎｄｓ  ｄｅｐｒｉｖｅｄ  ｏｆ  ａｉｒ"，  Ｐｆｌｅｇｅ  Ｚ．，  （ａｎｄ  １  ｓｈｅｅｔ  ｐｒｉｎｔｏｕｔ  ｆｒｏｍ  ＰｕｂＭｅｄ）；  ５５（６）：４０８−４１２  （Ｊｕｎｅ  ２００２）．  ＮＰＬ−２４５
【非特許文献８２】  ＬＡＢＬＥＲ，  Ｌ．，  ｅｔ  ａｌ．，  "Ｖａｃｕｕｍ  ｓｅａｌｉｎｇ  ｏｆ  ｐｒｏｂｌｅｍ  ｗｏｕｎｄｓ"，  Ｓｗｉｓｓ  Ｓｕｒｇ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  ８（６）：２６６−７  （２００２）．  ＮＰＬ−２４６
【非特許文献８３】  ＭＡＲＳＴＯＮ，  Ｗ．Ａ．，  ｅｔ  ａｌ．，  "Ｔｈｅ  ｅｆｆｉｃａｃｙ  ａｎｄ  ｓａｆｅｔｙ  ｏｆ  Ｄｅｒｍａｇｒａｆｔ  ｉｎ  ｉｍｐｒｏｖｉｎｇ  ｔｈｅ  ｈｅａｌｉｎｇ  ｏｆ  ｃｈｒｏｎｉｃ  ｄｉａｂｅｔｉｃ  ｆｏｏｔ  ｕｌｃｅｒｓ：  ｒｅｓｕｌｔｓ  ｏｆ  ａ  ｐｒｏｓｐｅｃｔｉｖｅ  ｒａｎｄｏｍｉｚｅｄ  ｔｒｉａｌ"，  Ｄｉａｂｅｔｅｓ  Ｃａｒｅ，  ２６（６）  １０  ｐｐ．，  （Ｅｘｈｉｂｉｔ  ２７１）  （Ｊｕｎｅ  １，  ２００３）．  ＮＰＬ−２６７
【非特許文献８４】  ＭＥＮＤＥＺ−ＥＡＳＴＭＡＮ，  Ｓ．，  "Ｎｅｗ  ｔｒｅａｔｍｅｎｔ  ｆｏｒ  ａｎ  ｏｌｄ  ｐｒｏｂｌｅｍ：  ｎｅｇａｔｉｖｅ−ｐｒｅｓｓｕｒｅ  ｗｏｕｎｄ  ｔｈｅｒａｐｙ"，  Ｎｕｒｓ．，  ３２（５）：５８−６４．  （１２  ｓｈｅｅｔｓ）  （Ｍａｙ  ２００２）．  ＮＰＬ−２７９
【非特許文献８５】  ＭＵＬＬＥＲ，  Ｇ．，  "Ｖａｃｕｕｍ  ｄｒｅｓｓｉｎｇ  ｉｎ  ｓｅｐｔｉｃ  ｗｏｕｎｄ  ｔｒｅａｔｍｅｎｔ"，  Ｌａｎｇｅｎｂｅｃｋｓ  Ａｒｃｈ．  Ｃｈｉｒ．  Ｓｕｐｐｌ．  Ｋｏｎｇｒｅｓｓｂｄ．，  （Ｅｎｇｌｉｓｈ  ａｂｓｔｒａｃｔ  ｏｎ  ｐａｇｅ  ５３７，  ａｎｄ  １  ｓｈｅｅｔ  ｐｒｉｎｔｏｕｔ  ｆｒｏｍ  ＰｕｂＭｅｄ）；  １１４：５３７−４１  （１９９７）．  ＮＰＬ−３０１
【非特許文献８６】  ＲＡＭＮＡＲＩＮＥ，  Ｉ．Ｒ．，  ｅｔ  ａｌ．，  "Ｖａｃｕｕｍ−ａｓｓｉｓｔｅｄ  ｃｌｏｓｕｒｅ  ｉｎ  ｔｈｅ  ｐａｅｄｉａｔｒｉｃ  ｐａｔｉｅｎｔ  ｗｉｔｈ  ｐｏｓｔ−ｃａｒｄｉｏｔｏｍｙ  ｍｅｄｉａｓｔｉｎｉｔｉｓ"，  Ｅｕｒ．  Ｊ．  Ｃａｒｄｉｏｔｈｏｒａｃ．  Ｓｕｒｇ．，  ２２：１０２９−３１  （Ｄｅｃｅｍｂｅｒ  ２００２）．  ＮＰＬ−３４２
【非特許文献８７】  ＲＯＬＬＩＮＳ，  Ｈ．，  "Ｈｙｐｅｒｇｒａｎｕｌａｔｉｏｎ  ｔｉｓｓｕｅ  ａｔ  ｇａｓｔｒｏｓｔｏｍｙ  ｓｉｔｅｓ"，  Ｊ．  Ｗｏｕｎｄ  Ｃａｒｅ，  ９（３）：１２７−１２９  （Ｍａｒｃｈ  ２０００）．  ＮＰＬ−３４６
【非特許文献８８】  ＳＣＨＡＵＭ，  Ｋ．Ｄ．，  "Ｍｅｄｉｃａｒｅ  Ｐａｒｔ  Ｂ  ｎｅｇａｔｉｖｅ  ｐｒｅｓｓｕｒｅ  ｗｏｕｎｄ  ｔｈｅｒａｐｙ  ｐｕｍｐ  ｐｏｌｉｃｙ．  Ａ  ｐａｒｔｎｅｒ  ｆｏｒ  Ｍｅｄｉｃａｒｅ  Ｐａｒｔ  Ａ  ＰＰＳ，"  Ｈｏｍｅ  Ｈｅａｌｔｈｃ．  Ｎｕｒｓｅ，  ２０（１）：５７−８  （Ｊａｎｕａｒｙ  ２００２）．  ＮＰＬ−３５８
【非特許文献８９】  ＳＨＡＥＲ，  Ｗ．Ｄ．，  "Ｉｎｅｘｐｅｎｓｉｖｅ  ｖａｃｕｕｍ−ａｓｓｉｓｔｅｄ  ｃｌｏｓｕｒｅ  ｅｍｐｌｏｙｉｎｇ  ａ  ｃｏｎｖｅｎｔｉｏｎａｌ  ｄｉｓｐｏｓａｂｌｅ  ｃｌｏｓｅｄ−ｓｕｃｔｉｏｎ  ｄｒａｉｎａｇｅ  ｓｙｓｔｅｍ"，  Ｐｌａｓｔ．  Ｒｅｃｏｎｓｔｒ．  Ｓｕｒｇ．，  １０７（１）：２９２−３  （Ｊａｎｕａｒｙ  ２００１）．  ＮＰＬ−３６５
【非特許文献９０】  ＳＡＫＬＡＮＩ，  Ａ．Ｐ．，  ｅｔ  ａｌ．，  "Ｖａｃｕｕｍ  ａｓｓｉｓｔｅｄ  ｃｌｏｓｕｒｅ  ｓｙｓｔｅｍ  ｉｎ  ｔｈｅ  ｍａｎａｇｅｍｅｎｔ  ｏｆ  ｅｎｔｅｒｏｃｕｔａｎｅｏｕｓ  ｆｉｓｔｕｌａ"，  Ｐｏｓｔｇｒａｄ．  Ｍｅｄ．  Ｊ．，  ７８（９２５）：６９９  （Ｎｏｖｅｍｂｅｒ  ２００２）．  ＮＰＬ−３７０
【非特許文献９１】  ＴＡＫＥＩ，  Ｔ．，  ｅｔ  ａｌ．，  "Ｍｏｌｅｃｕｌａｒ  ｂａｓｉｓ  ｆｏｒ  ｔｉｓｓｕｅ  ｅｘｐａｎｓｉｏｎ：  ｃｌｉｎｉｃａｌ  ｉｍｐｌｉｃａｔｉｏｎｓ  ｆｏｒ  ｔｈｅ  ｓｕｒｇｅｏｎ"，  Ｐｌａｓｔ．  Ｒｅｃｏｎｓｔｒ．  Ｓｕｒｇ．，  １０２（１）：２４７−２５８  （Ｊｕｌｙ  １９９８）．  ＮＰＬ−３９５
【非特許文献９２】  ＴＡＮＧ，  Ａ．Ｔ．Ｍ．，  ｅｔ  ａｌ．，  "Ｖａｃｕｕｍ−ａｓｓｉｓｔｅｄ  ｃｌｏｓｕｒｅ  ｔｏ  ｔｒｅａｔ  ｄｅｅｐ  ｓｔｅｒｎａｌ  ｗｏｕｎｄ  ｉｎｆｅｃｔｉｏｎ  ｆｏｌｌｏｗｉｎｇ  ｃａｒｄｉａｃ  ｓｕｒｇｅｒｙ"，  Ｊ．  Ｗｏｕｎｄ  Ｃａｒｅ，  ９（５）：２２９−３０  （Ｍａｙ  ２０００）．  ＮＰＬ−３９７
【非特許文献９３】  ＮＩＫＫＨＡＨ，  Ｃ．，  ｅｔ  ａｌ．，  "Ｒｅ：  ｕｓｅ  ｏｆ  ｓｐｅｃｉａｌｉｚｅｄ  ｂｏｎｅ  ｓｃｒｅｗｓ  ｆｏｒ  ｉｎｔｅｒｍａｘｉｌｌａｒｙ  ｆｉｘａｔｉｏｎ"，  Ａｎｎ．  Ｐｌａｓｔ．  Ｓｕｒｇ．，  ４７（１）：  ９３，  （Ｊｕｌｙ  ２００１）．  ＮＰＬ−４１３
【非特許文献９４】  ＶＯＩＮＣＨＥＴ，  Ｖ．，  ｅｔ  ａｌ．，  "Ｖａｃｕｕｍ  ａｓｓｉｓｔｅｄ  ｃｌｏｓｕｒｅ．  Ｗｏｕｎｄ  ｈｅａｌｉｎｇ  ｂｙ  ｎｅｇａｔｉｖｅ  ｐｒｅｓｓｕｒｅ"，  Ａｎｎ．  Ｃｈｉｒ．  Ｐｌａｓｔ．  Ｅｓｔｈｅｔ．，  （Ｅｎｇｌｉｓｈ  ａｂｓｔｒａｃｔ  ｏｎ  ｆｉｒｓｔ  ｐａｇｅ，  ａｎｄ  １  ｓｈｅｅｔ  ｐｒｉｎｔｏｕｔ  ｆｒｏｍ  ＰｕｂＭｅｄ）；  ４１（５）：５８３−９，  （Ｏｃｔｏｂｅｒ  １９９６）．  ＮＰＬ−４２２
【非特許文献９５】  ＶＯＮ  ＧＯＳＳＬＥＲ，  Ｃ．Ｍ．，  ｅｔ  ａｌ．，  "Ｒａｐｉｄ  ａｇｇｒｅｓｓｉｖｅ  ｓｏｆｔ−ｔｉｓｓｕｅ  ｎｅｃｒｏｓｉｓ  ａｆｔｅｒ  ｂｅｅｔｌｅ  ｂｉｔｅ  ｃａｎ  ｂｅ  ｔｒｅａｔｅｄ  ｂｙ  ｒａｄｉｃａｌ  ｎｅｃｒｅｃｔｏｍｙ  ａｎｄ  ｖａｃｕｕｍ  ｓｕｃｔｉｏｎ−ａｓｓｉｓｔｅｄ  ｃｌｏｓｕｒｅ"，  Ｊ．  Ｃｕｔａｎ．  Ｍｅｄ．  Ｓｕｒｇ．，  ４（４）：２１９−２２２  （Ｏｃｔｏｂｅｒ  ２０００）．  ＮＰＬ−４２４
【非特許文献９６】  ＷＩＬＨＥＬＭＩ，  Ｂ．Ｊ．，  ｅｔ  ａｌ．，  "Ｃｒｅｅｐ  ｖｓ．  ｓｔｒｅｔｃｈ：  ａ  ｒｅｖｉｅｗ  ｏｆ  ｔｈｅ  ｖｉｓｃｏｅｌａｓｔｉｃ  ｐｒｏｐｅｒｔｉｅｓ  ｏｆ  ｓｋｉｎ"，  Ａｎｎ．  Ｐｌａｓｔ．  Ｓｕｒｇ．，  ４１  （２）：２１５−２１９，  （Ａｕｇｕｓｔ  １９９８）．  ＮＰＬ−４３６
【非特許文献９７】  ＶＶＩＳＥＭＡＮ，  Ｊ．，  ｅｔ  ａｌ．，  "Ａｅｓｔｈｅｔｉｃ  ａｓｐｅｃｔｓ  ｏｆ  ｎｅｕｒｏｆｉｂｒｏｍａｔｏｓｉｓ  ｒｅｃｏｎｓｔｒｕｃｔｉｏｎ  ｗｉｔｈ  ｔｈｅ  ｖａｃｕｕｍ−ａｓｓｉｓｔｅｄ  ｃｌｏｓｕｒｅ  ｓｙｓｔｅｍ"，  Ａｅｓｔｈ．  Ｐｌａｓｔ．  Ｓｕｒｇ．，  ２５：３２６−３１  （Ｓｅｐｔｅｍｂｅｒ  −  Ｏｃｔｏｂｅｒ  ２００１）．  ＮＰＬ−４４０
【非特許文献９８】  ＹＯＵＮＧ，  Ｔ．，  "Ｃｏｍｍｏｎ  ｐｒｏｂｌｅｍｓ  ｉｎ  ｗｏｕｎｄ  ｃａｒｅ：  ｏｖｅｒｇｒａｎｕｌａｔｉｏｎ"，  Ｂｒ．  Ｊ．  Ｎｕｒｓｉｎｇ，  ４（３）：１６９−１７０，  （Ｆｅｂｒｕａｒｙ  ９−２２，  １９９５）．  ＮＰＬ−４５１
【非特許文献９９】  ＺＩＥＧＬＥＲ，  Ｕ．Ｅ．，  ｅｔ  ａｌ．，  "Ｓｋｉｎ  ｓｕｂｓｔｉｔｕｔｅｓ  ｉｎ  ｃｈｒｏｎｉｃ  ｗｏｕｎｄｓ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ；  １  ｓｈｅｅｔ  ｐｒｉｎｔｏｕｔ  ｆｒｏｍ  ＰｕｂＭｅｄ）；  １２６  Ｓｕｐｐｌ  １：７１−４  （２００１）．  ＮＰＬ−４５４
【非特許文献１００】  ＳＴＡＮＮＡＲＤ，  Ｊ．，  "Ｃｏｍｐｌｅｘ  ｏｒｔｈｏｐａｅｄｉｃ  ｗｏｕｎｄｓ：  ｐｒｅｖｅｎｔｉｏｎ  ａｎｄ  ｔｒｅａｔｍｅｎｔ  ｗｉｔｈ  ｎｅｇａｔｉｖｅ  ｐｒｅｓｓｕｒｅ  ｗｏｕｎｄ  ｔｈｅｒａｐｙ"，  Ｏｒｔｈｏｐ．  Ｎｕｒｓ．，  ２３  Ｓｕｐｐｌ  １：３−１０  （１０  ｓｈｅｅｔｓ）  （Ｍａｒｃｈ  −  Ａｐｒｉｌ  ２００４），  ｐｒｅｓｅｎｔｅｄ  ａｔ  ｔｈｅ  １７ｔｈ  Ａｎｎｕａｌ  Ｃｌｉｎｉｃａｌ  Ｓｙｍｐｏｓｉｕｍ  ｏｎ  Ａｄｖａｎｃｅｓ  ｉｎ  Ｓｋｉｎ  &  Ｗｏｕｎｄ  Ｃａｒｅ，  Ｄａｌｌａｓ，  ＴＸ  （Ｓｅｐｔｅｍｂｅｒ  ２３，  ２００２）．  ＮＰＬ−５８８
【非特許文献１０１】  ＰＡＴＥＬ，  Ｃ．Ｔ．Ｃ．，  ｅｔ  ａｌ．，  "Ｖａｃｕｕｍ−ａｓｓｉｓｔｅｄ  ｗｏｕｎｄ  ｃｌｏｓｕｒｅ：  ｃｈａｎｇｉｎｇ  ａｔｍｏｓｐｈｅｒｉｃ  ｐｒｅｓｓｕｒｅ  ａｓｓｉｓｔｓ  ｗｏｕｎｄ  ｈｅａｌｉｎｇ，"  ＡＪＮ，  １００：４５−４７  （２０００）．  ＮＰＬ−５９８
【非特許文献１０２】  ＭＡＳＴＥＲＳ，  Ｊ．，  "Ｒｅｌｉａｂｌｅ，  ｉｎｅｘｐｅｎｓｉｖｅ  ａｎｄ  ｓｉｍｐｌｅ  ｓｕｃｔｉｏｎ  ｄｒｅｓｓｉｎｇｓ"，  Ｌｅｔｔｅｒｓ  ｔｏ  ｔｈｅ  Ｅｄｉｔｏｒ，  ｐａｇｅ  ２６７，  ｌａｂｅｌｅｄ  １９９８．  ＮＰＬ−６０２
【非特許文献１０３】  ＨＡＺＥＬＢＡＧ，  Ｓ．，  ｅｔ  ａｌ．，  "Ｃｙｔｏｋｉｎｅ  ｐｒｏｆｉｌｅ  ｏｆ  ｃｅｒｖｉｃａｌ  ｃａｎｃｅｒ  ｃｅｌｌｓ"，  Ｇｙｎｅｃｏｌ．  Ｏｎｃｏｌ．，  ８３（２）：２３５−２４３，  （Ｎｏｖｅｍｂｅｒ  ２００１）．  ＮＰＬ−６１３
【非特許文献１０４】  ＢＥＩＴＺ，  Ｊ．Ｍ．，  ｅｔ  ａｌ．，  "Ａｂｄｏｍｉｎａｌ  ｗｏｕｎｄ  ｗｉｔｈ  ｅｎｔｅｒｏｃｕｔａｎｅｏｕｓ  ｆｉｓｔｕｌａ：  ａ  ｃａｓｅ  ｓｔｕｄｙ"，  Ｊ．  Ｗｏｕｎｄ  Ｏｓｔｏｍｙ  Ｃｏｎｔｉｎｅｎｃｅ  Ｎｕｒｓ．，  ２５（２）：１０２−６，  （Ｍａｒｃｈ  １９９８）．  ＮＰＬ−６１４
【非特許文献１０５】  ＢＡＸＡＮＤＡＬＬ，  Ｔ．，  "Ｈｅａｌｉｎｇ  ｃａｖｉｔｙ  ｗｏｕｎｄｓ  ｗｉｔｈ  ｎｅｇａｔｉｖｅ  ｐｒｅｓｓｕｒｅ"，  Ｅｌｄｅｒｌｙ  Ｃａｒｅ，  ９（１）：２０，  ２２  （Ｆｅｂｒｕａｒｙ  −  Ｍａｒｃｈ  １９９７）  ＮＰＬ−６１５
【非特許文献１０６】  ＭＣＫＩＮＮＥＹ，  Ｐ．Ｅ．，  "Ｏｕｔ−ｏｆ−ｈｏｓｐｉｔａｌ  ａｎｄ  ｉｎｔｅｒｈｏｓｐｉｔａｌ  ｍａｎａｇｅｍｅｎｔ  ｏｆ  ｃｒｏｔａｌｉｎｅ  ｓｎａｋｅｂｉｔｅ"，  Ａｎｎ．  Ｅｍｅｒｇ．  Ｍｅｄ．，  ３７  （２）：１６８−１７４，  （Ｆｅｂｒｕａｒｙ  ２００１）．  ＮＰＬ−６１６
【非特許文献１０７】  ＬＥＲＯＹ，  Ｓ．Ｃ．，  ｅｔ  ａｌ．，  "Ｓｅｖｅｒｅ  ｐｅｎｉｌｅ  ｅｒｏｓｉｏｎ  ａｆｔｅｒ  ｕｓｅ  ｏｆ  ａ  ｖａｃｕｕｍ  ｓｕｃｔｉｏｎ  ｄｅｖｉｃｅ  ｆｏｒ  ｍａｎａｇｅｍｅｎｔ  ｏｆ  ｅｒｅｃｔｉｌｅ  ｄｙｓｆｕｎｃｔｉｏｎ  ｉｎ  ａ  ｓｐｉｎａｌ  ｃｏｒｄ  ｉｎｊｕｒｅｄ  ｐａｔｉｅｎｔ．  Ｃａｓｅ  ｒｅｐｏｒｔ"，  Ｐａｒａｐｌｅｇｉａ，  ３２（２）：１２０−１２３  （Ｆｅｂｒｕａｒｙ  １９９４）．  ＮＰＬ−６１７
【非特許文献１０８】  Ｓｌｉｄｅｓ  ａｎｄ  ｐｈｏｔｏｇｒａｐｈｓ  ｏｆ  ｐａｔｉｅｎｔ  ｔｒｅａｔｍｅｎｔ，  １９  ｓｈｅｅｔｓ，  （Ｅｘｈｉｂｉｔ  Ｄ−１５２）  （ａｌｌｅｇｅｄｌｙ  ｄａｔｅｄ  １９８７）．  ＮＰＬ−３７６
【非特許文献１０９】  Ｓｌｉｄｅｓ，  ｄｒａｗｉｎｇｓ，  ｐｈｏｔｏｇｒａｐｈｓ  ｏｆ  ｐａｔｉｅｎｔ  ｔｒｅａｔｍｅｎｔ  ａｎｄ  ｐｒｅｓｅｎｔａｔｉｏｎ  ｓｌｉｄｅｓ，  ２０  ｓｈｅｅｔｓ，  （Ｅｘｈｉｂｉｔ  Ｄ−１５１）  （ａｌｌｅｇｅｄｌｙ  ｄａｔｅｄ  １９８７）．  ＮＰＬ−３７７
【非特許文献１１１０】  Ｐｈｏｔｏｇｒａｐｈｓ  ｏｆ  ｗｏｕｎｄ  ｃｏｖｅｒｉｎｇｓ  ａｎｄ  ｐａｔｉｅｎｔ  ｔｒｅａｔｍｅｎｔ，  １６  ｓｈｅｅｔｓ，  （Ｅｘｈｉｂｉｔ  Ｄ−２４０）  （ａｌｌｅｇｅｄｌｙ  ｄａｔｅｄ  １９８９）．  ＮＰＬ−３３１
【非特許文献１１１】  Ｌｅｔｔｅｒ  ｔｏ  Ｍｒ．  Ｕｒｓ  Ｔａｎｎｅｒ  ｆｒｏｍ  Ｍｉｃｈａｅｌ  Ｂａｎｉａｋ  ｒｅｇａｒｄｉｎｇ：  Ｕｐｄａｔｅｄ  Ｏｐｉｎｉｏｎ  ｏｆ  Ｎｏｎ−ｉｎｆｒｉｎｇｅｍｅｎｔ  ａｎｄ  Ｉｎｖａｌｉｄｉｔｙ  ｏｆ  Ｚａｍｉｅｒｏｗｓｋｉ  Ｕ．Ｓ．  Ｐａｔｅｎｔ  ４，９６９，８８０  ａｎｄ  Ａｒｇｅｎｔａ  Ｕ．Ｓ．  Ｐａｔｅｎｔ  ５，６３６，６４３，  ３０  ｐｐ．，  （Ｅｘｈｉｂｉｔ  Ｄ−１４０）  （ｄａｔｅｄ  Ａｕｇｕｓｔ  ２３，  ２００４）．  ＮＰＬ−２５５
【非特許文献１１２】  ＢＡＮＷＥＬＬ，  Ｐ．Ｅ．，  ｅｔ  ａｌ．，  "Ｔｏｐｉｃａｌ  ｎｅｇａｔｉｖｅ  ｐｒｅｓｓｕｒｅ  （ＴＮＰ）：  ｔｈｅ  ｅｖｏｌｕｔｉｏｎ  ｏｆ  ａ  ｎｏｖｅｌ  ｗｏｕｎｄ  ｔｈｅｒａｐｙ，"  Ｊ．  Ｗｏｕｎｄ  Ｃａｒｅ，  １２  （１）：２２−８  （Ｊａｎｕａｒｙ  ２００３）．  ＮＰＬ−０３５
【非特許文献１１３】  ＣＡＲＤＯＺＯ，  Ｍ．，  "Ａ  ｃａｓｅ  ｓｔｕｄｙ  ｏｆ  ｈｏｌｉｓｔｉｃ  ｗｏｕｎｄ  ｍａｎａｇｅｍｅｎｔ  ｉｎ  ｉｎｔｅｎｓｉｖｅ  ｃａｒｅ"，  Ｂｒ．  Ｊ．  Ｎｕｒｓ．，  １２（１１  Ｓｕｐｐｌ）：Ｓ３５−３７，  Ｓ４０−４２  （Ｊｕｎｅ  ２００３）．  ＮＰＬ−０６９
【非特許文献１１４】  ＣＯＬＬＩＥＲ，  Ｍ．，  "Ｔｏｐｉｃａｌ  ｎｅｇａｔｉｖｅ  ｐｒｅｓｓｕｒｅ  ｔｈｅｒａｐｙ"，  Ｎｕｒｓ．  Ｔｉｍｅｓ，  ９９（５）：５４−５  （Ｆｅｂｒｕａｒｙ  ４−１０，  ２００３）．  ＮＰＬ−０９１
【非特許文献１１５】  ＤＯＭＫＯＷＳＫＩ，  Ｐ．Ｗ．，  ｅｔ  ａｌ．，  "Ｅｖａｌｕａｔｉｏｎ  ｏｆ  ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ｐｏｓｔｓｔｅｒｏｔｏｍｙ  ｍｅｄｉａｓｔｉｎｉｔｉｓ，"  Ｊ．  Ｔｈｏｒａｃ．  Ｃａｒｄｉｏｖａｓｃ．  Ｓｕｒｇ．，  １２６（２）：３８６−９０  （Ａｕｇｕｓｔ  ２００３）．  ＮＰＬ−１１９
【非特許文献１１６】  ＥＧＩＮＴＯＮ，  Ｍ．Ｔ．，  ｅｔ  ａｌ．，  "Ａ  ｐｒｏｓｐｅｃｔｉｖｅ  ｒａｎｄｏｍｉｚｅｄ  ｅｖａｌｕａｔｉｏｎ  ｏｆ  ｎｅｇａｔｉｖｅ−ｐｒｅｓｓｕｒｅ  ｗｏｕｎｄ  ｄｒｅｓｓｉｎｇｓ  ｆｏｒ  ｄｉａｂｅｔｉｃ  ｆｏｏｔ  ｗｏｕｎｄｓ"，  Ａｎｎ．  Ｖａｓｃ．  Ｓｕｒｇ．，  １７（６）：６４５−９  （２００３）．  ＮＰＬ−１３２
【非特許文献１１７】  ＦＥＲＲＥＩＲＡ，  Ｍ．Ｃ．，  ｅｔ  ａｌ．，  "Ｔｈｅ  ｖａｃｕｕｍ  ａｓｓｉｓｔｅｄ  ｃｌｏｓｕｒｅ  ｏｆ  ｃｏｍｐｌｅｘ  ｗｏｕｎｄｓ：  ｒｅｐｏｒｔ  ｏｆ  ｔｈｒｅｅ  ｃａｓｅｓ"，  Ｒｅｖ．  Ｈｏｓｐ．  Ｃｌｉｎ．  Ｆａｃ．  Ｍｅｄ．  Ｓ．  Ｐａｕｌｏ，  ５８（４）：２２７−３０  （２００３）．  ＮＰＬ−１５１
【非特許文献１１８】  ＦＩＳＨＥＲ，  Ａ．，  ｅｔ  ａｌ．，  "Ｖａｃｕｕｍ  ａｓｓｉｓｔｅｄ  ｗｏｕｎｄ  ｃｌｏｓｕｒｅ  ｔｈｅｒａｐｙ"，  Ｉｓｓｕｅｓ  Ｅｍｅｒｇ．  Ｈｅａｌｔｈ  Ｔｅｃｈｎｏｌ．，  Ｉｓｓｕｅ  ４４，  ６  ｐｐ．  （Ｍａｒｃｈ  ２００３）．  ＮＰＬ−１５４
【非特許文献１１９】  ＨＡＬＬＢＥＲＧ，  Ｈ．，  ｅｔ  ａｌ．，  "Ｖａｇｉｎａｌ  ｃｏｎｓｔｒｕｃｔｉｏｎ  ｗｉｔｈ  ｓｋｉｎ  ｇｒａｆｔｓ  ａｎｄ  ｖａｃｕｕｍ−ａｓｓｉｓｔｅｄ  ｃｌｏｓｕｒｅ"，  Ｓｃａｎｄ．  Ｊ．  Ｎａｓｔ．  Ｒｅｃｏｎｓｔｒ．  Ｓｕｒｇ．  Ｈａｎｄ  Ｓｕｒｇ．，  ３７（２）：９７−１０１  （２００３）．  ＮＰＬ−１８４
【非特許文献１２０】  ＨＥＳＳ，  Ｃ．Ｌ?  ，  ｅｔ  ａｌ．，  "Ａ  ｒｅｖｉｅｗ  ｏｆ  ｍｅｃｈａｎｉｃａｌ  ａｄｊｕｎｃｔｓ  ｉｎ  ｗｏｕｎｄ  ｈｅａｌｉｎｇ：  ｈｙｄｒｏｔｈｅｒａｐｙ，  ｕｌｔｒａｓｏｕｎｄ，  ｎｅｇａｔｉｖｅ  ｐｒｅｓｓｕｒｅ  ｔｈｅｒａｐｙ，  ｈｙｐｅｒｂａｒｉｃ  ｏｘｙｇｅｎ，  ａｎｄ  ｅｌｅｃｔｒｏｓｔｉｍｕｌａｔｉｏｎ"，  Ａｎｎ．  Ｐｌａｓｔ．  Ｓｕｒｇ．，  ５１（２）：２１０−８  （Ａｕｇｕｓｔ  ２００３）．  ＮＰＬ−２０４
【非特許文献１２１】  ＨＯＤＺＩＣ，  Ｊ．，  ｅｔ  ａｌ．，  "Ｖａｃｕｕｍ  ｓｅａｌｉｎｇ  ｏｆ  ｅｘｔｅｎｓｉｖｅ  ｗｏｕｎｄ  ｈｅａｌｉｎｇ  ｄｉｓｏｒｄｅｒｓ  ａｆｔｅｒ  ｋｉｄｎｅｙ  ｔｒａｎｓｐｌａｎｔａｔｉｏｎ，"  Ｕｒｏｌｏｇｅ  Ａ．，  （６  ｓｈｅｅｔｓ  ｉｎ  Ｇｅｒｍａｎ，  Ｅｎｇｌｉｓｈ  ａｂｓｔｒａｃｔ  ｏｎ  ｐａｇｅ  ２  ａｎｄ  １  ｓｈｅｅｔ  ｐｒｉｎｔｏｕｔ  ｆｒｏｍ  ＰｕｂＭｅｄ）；  ４２（８）：１０９７−１００  （Ａｕｇｕｓｔ  ２００３）  （Ｅｐｕｂ  Ａｐｒｉｌ  ３，  ２００３）．  ＮＰＬ−２０８
【非特許文献１２２】  ＫＡＵＦＭＡＮ，  Ｍ．Ｗ．，  ｅｔ  ａｌ．，  Ｖａｃｕｕｍ−ａｓｓｉｓｔｅｄ  ｃｌｏｓｕｒｅ  ｔｈｅｒａｐｙ：  ｗｏｕｎｄ  ｃａｒｅ  ａｎｄ  ｎｕｒｓｉｎｇ  ｉｍｐｌｉｃａｔｉｏｎｓ"，  Ｄｅｒｍａｔｏｌ．  Ｎｕｒｓ．，  １５  （４）：３１７−２０，  ３２３−２３６  （Ａｕｇｕｓｔ  ２００３）．  ＮＰＬ−２３２
【非特許文献１２３】  ＬＵＣＫＲＡＺ，  Ｈ．，  ｅｔ  ａｌ−  ，  Ｖａｃｕｕｍ−ａｓｓｉｓｔｅｄ  ｃｌｏｓｕｒｅ  ａｓ  ａ  ｔｒｅａｔｍｅｎｔ  ｍｏｄａｌｉｔｙ  ｆｏｒ  ｉｎｆｅｃｔｉｏｎｓ  ａｆｔｅｒ  ｃａｒｄｉａｃ  ｓｕｒｇｅｒｙ，  Ｊ．  Ｔｈｏｒａｃ．  Ｃａｒｄｉｏｖａｓｃ．  Ｓｕｒｇ．，  １２５（２）：３０１−５  （Ｆｅｂｒｕａｒｙ  ２００３）．  ＮＰＬ−２６０
【非特許文献１２４】  ＭｃＧＵＩＮＮＥＳＳ，  Ｊ．Ｇ．，  ｅｔ  ａｌ．，  "Ｖａｃｕｕｍ−ａｓｓｉｓｔｅｄ  ｃｌｏｓｕｒｅ  ｏｆ  ａ  ｃｏｍｐｌｅｘ  ｐｉｌｏｎｉｄａｌ  ｓｉｎｕｓ"，  Ｄｉｓ．  Ｃｏｌｏｎ  Ｒｅｃｔｕｍ，  ４６（２）：２７４−６  （Ｆｅｂｒｕａｒｙ  ２００３）．  ＮＰＬ−２７２
【非特許文献１２５】  ＭＯＲＡＮ，  Ｓ．Ｇ．，  ｅｔ  ａｌ．，  "Ｖａｃｕｕｍ−ａｓｓｉｓｔｅｄ  ｃｏｍｐｌｅｘ  ｗｏｕｎｄ  ｃｌｏｓｕｒｅ  ｗｉｔｈ  ｅｌａｓｔｉｃ  ｖｅｓｓｅｌ  ｌｏｏｐ  ａｕｇｍｅｎｔａｔｉｏｎ：  ａ  ｎｏｖｅｌ  ｔｅｃｈｎｉｑｕｅ"，  Ｊ．  Ｗｏｕｎｄ  Ｃａｒｅ，  １２（６）：２１２−３  （Ｊｕｎｅ  ２００３）．  ＮＰＬ−２９８
【非特許文献１２６】  ＳＣＨＩＰＰＥＲ，  Ｊ．，  ｅｔ  ａｌ．，  "Ｔｈｅ  ｐｒｅｃｏｎｄｉｔｉｏｎｉｎｇ  ａｎｄ  ｐｒｅｌａｍｉｎａｔｉｏｎ  ｏｆ  ｐｅｄｉｄｅｄ  ａｎｄ  ｆｒｅｅ  ｍｉｃｒｏｖａｓｃｕｌａｒ  ａｎａｓｔｏｍｉｓｅｄ  ｆｌａｐｓ  ｗｉｔｈ  ｔｈｅ  ｔｅｃｈｎｉｑｕｅ  ｏｆ  ｖａｃｕｕｍ  ａｓｓｉｓｔｅｄ  ｃｌｏｓｕｒｅ"，  Ｌａｒｙｎｇｏｒｈｉｎｏｏｔｏｌｏｇｉｅ，  （Ｅｎｇｌｉｓｈ  ａｂｓｔｒａｃｔ  ｏｎ  ｆｉｒｓｔ  ｐａｇｅ，  ａｎｄ  ２  ｓｈｅｅｔｓ  ｐｒｉｎｔｏｕｔ  ｆｒｏｍ  ＰｕｂＭｅｄ）；  ８２（６）：４２１−７，  （Ｊｕｎｅ  ２００３）．  ＮＰＬ−３６４
【非特許文献１２７】  ＳＨＩ，  Ｂ．，  ｅｔ  ａｌ．，  "Ｅｆｆｅｃｔｓ  ｏｆ  ｖａｃｕｕｍ−ａｓｓｉｓｔｅｄ  ｃｌｏｓｕｒｅ  （ＶＡＣ）  ｏｎ  ｔｈｅ  ｅｘｐｒｅｓｓｉｏｎｓ  ｏｆ  ＭＭＰ−  １，  ２，  １３  ｉｎ  ｈｕｍａｎ  ｇｒａｎｕｌａｔｉｏｎ  ｗｏｕｎｄ"，  Ｚｈｏｎｇｈｕａ  Ｚｈｅｎｇ  Ｘｉｎｇ  Ｗａｉ  Ｋｅ  Ｚａ  Ｚｈｉ，  （Ｅｎｇｌｉｓｈ  ａｂｓｔｒａｃｔ  ｏｎ  ｆｉｒｓｔ  ｐａｇｅ  ａｎｄ  １  ｓｈｅｅｔ  ｐｒｉｎｔｏｕｔ  ｆｒｏｍ  ＰｕｂＭｅｄ）；  １９  （４）：２７９−８１  （Ｊｕｌｙ  ２００３）．  ＮＰＬ−３６６
【非特許文献１２８】  ＳＩＬＶＥＲ，  Ｆ．Ｈ．，  ｅｔ  ａｌ．，  "Ｍｅｃｈａｎｏｂｉｏｌｏｇｙ  ｏｆ  ｆｏｒｃｅ  ｔｒａｎｓｄｕｃｔｉｏｎ  ｉｎ  ｄｅｒｍａｌ  ｔｉｓｓｕｅ"，  Ｓｋｉｎ  Ｒｅｓ．  Ｔｅｃｈｎｏｌ．，  ９（１）：３−２３  （Ｆｅｂｒｕａｒｙ  ２００３）．  ＮＰＬ−３７２
【非特許文献１２９】  ＳＩＬＶＥＲ，  Ｆ．Ｈ  ，  ｅｔ  ａｌ．，  "Ｍｅｃｈａｎｏｓｅｎｓｉｎｇ  ａｎｄ  ｍｅｃｈａｎｏｃｈｅｍｉｃａｌ  ｔｒａｎｓｄｕｃｔｉｏｎ：  ｈｏｗ  ｉｓ  ｍｅｃｈａｎｉｃａｌ  ｅｎｅｒｇｙ  ｓｅｎｓｅｄ  ａｎｄ  ｃｏｎｖｅｒｔｅｄ  ｉｎｔｏ  ｃｈｅｍｉｃａｌ  ｅｎｅｒｇｙ  ｉｎ  ａｎ  ｅｘｔｒａｃｅｌｌｕｌａｒ  ｍａｔｒｉｘ？"  Ｃｒｉｔ．  Ｒｅｖ．  Ｂｉｏｍｅｄ．  Ｅｎｇ．，  ３１（４）２５５−３３１  （２００３）．  ＮＰＬ−３７３
【非特許文献１３０】  ＳＫＩＬＬＭＡＮ，  Ｊ．，  ｅｔ  ａｌ．，  "Ｖａｃｕｕｍ  ａｓｓｉｓｔｅｄ  ｃｌｏｓｕｒｅ  （ＶＡＣ）  ｄｒｅｓｓｉｎｇ  ｆｏｒ  ｓｋｉｎ  ｇｒａｆｔ  ａｐｐｌｉｃａｔｉｏｎ  ｆｏｌｌｏｗｉｎｇ  ｅｘｅｎｔｅｒａｔｉｏｎ  ｏｆ  ｔｈｅ  ｏｒｂｉｔ"，  Ｏｒｂｉｔ，  ２２（１）：６３−５  （Ｍａｒｃｈ  ２００３）．  ＮＰＬ−３７５
【非特許文献１３１】  ＳＯＮＧ，  Ｄ．Ｈ．，  ｅｔ  ａｌ．，  "Ｖａｃｕｕｍ  ａｓｓｉｓｔｅｄ  ｃｌｏｓｕｒｅ  ｆｏｒ  ｔｈｅ  ｔｒｅａｔｍｅｎｔ  ｏｆ  ｓｔｅｒｎａｌ  ｗｏｕｎｄｓ：  ｔｈｅ  ｂｒｉｄｇｅ  ｂｅｔｗｅｅｎ  ｄｅｂｒｉｄｅｍｅｎｔ  ａｎｄ  ｄｅｆｉｎｉｔｉｖｅ  ｃｌｏｓｕｒｅ"，  Ｐｌａｓｔ．  Ｒｅｃｏｎｔｒ．  Ｓｕｒｇ．，  １１１（１）：９２−７  （Ｊａｎｕａｒｙ  ２００３）．  ＮＰＬ−３８１
【非特許文献１３２】  ＷＡＮＮＥＲ，  Ｍ．Ｂ．，  ｅｔ  ａｌ．，  "Ｖａｃｕｕｍ−ａｓｓｉｓｔｅｄ  ｗｏｕｎｄ  ｃｌｏｓｕｒｅ  ｆｏｒ  ｃｈｅａｐｅｒ  ａｎｄ  ｍｏｒｅ  ｃｏｍｆｏｒｔａｂｌｅ  ｈｅａｌｉｎｇ  ｏｆ  ｐｒｅｓｓｕｒｅ  ｓｏｒｅｓ：  ａ  ｐｒｏｓｐｅｃｔｉｖｅ  ｓｔｕｄｙ"，  Ｓｃａｎｄ．  Ｊ．  Ｐｌａｓｔ．  Ｒｅｃｏｎｓｔｒｕｃｔ．  Ｓｕｒｇ．  Ｈａｎｄ  Ｓｕｒｇ．，  ３７（１）：２８−３３  （２００３）．  ＮＰＬ−４２７
【非特許文献１３２】  ＷＥＡＶＥＲ，  Ｂ．  "Ｔｈｅ  ｎｕｒｓｉｎｇ  ｎｅｅｄｓ  ｏｆ  ａ  ｐａｔｉｅｎｔ  ｗｉｔｈ  ａ  ｃｏｍｐｌｉｃａｔｅｄ  ａｂｄｏｍｉｎａｌ  ｗｏｕｎｄ"，  Ｐｒｏｆ．  Ｎｕｒｓｅ，  １８（５）：２６９−７３  （Ｊａｎｕａｒｙ  ２００３）．  ＮＰＬ−４２９
【非特許文献１３３】  ＷＯＮＧＷＯＲＡＷＡＴ，  Ｍ．Ｄ．，  ｅｔ  ａｌ．，  "Ｎｅｇａｔｉｖｅ  ｐｒｅｓｓｕｒｅ  ｄｒｅｓｓｉｎｇｓ  ａｓ  ａｎ  ａｌｔｅｒｎａｔｉｖｅ  ｔｅｃｈｎｉｑｕｅ  ｆｏｒ  ｔｈｅ  ｔｒｅａｔｍｅｎｔ  ｏｆ  ｉｎｆｅｃｔｅｄ  ｗｏｕｎｄｓ"，  Ｃｌｉｎ．  Ｏｒｔｈｏｐ．  Ｒｅｌａｔ．  Ｒｅｓ．，  （４１４）：４５−８  （Ｓｅｐｔｅｍｂｅｒ  ２００３）．  ＮＰＬ−４４２
【非特許文献１３４】  ＪＵＣＨＬＩ，  Ｌ．，  "Ｋｒａｎｋｅｎｐｆｌｅｇｅ  ［Ｎｕｒｓｉｎｇ］  Ｐｒａｃｔｉｃｅ  ａｎｄ  Ｔｈｅｏｒｙ  ｏｆ  Ｐｒｏｍｏｔｉｎｇ  Ｈｅａｌｔｈ  ａｎｄ  Ｐａｔｉｅｎｔ  Ｃａｒｅ，"  Ｇｅｏｒｇ  Ｔｈｉｅｍｅ  Ｖｅｒｌａｇ  Ｓｔｕｔｔｇａｒｔ，  ｌａｂｅｌｅｄ  ａｓ  "Ａｎｌａｇｅ  ６．１"  １９９１  （ａｌｌｅｇｅｄｌｙ  ｄａｔｅｄ  Ｆｅｂｒｕａｒｙ  １９９１），  ａｎｄ  ｅｍａｉｌ  ｄａｔｅｄ  Ｍａｙ  ３０，  ２００７  ｌａｂｅｌｅｄ  ａｓ  "Ａｎｌａｇｅ  ６．２，"  ｂｏｔｈ  ｉｎ  Ｇｅｒｍａｎ  ｗｉｔｈ  Ｅｎｇｌｉｓｈ  ｔｒａｎｓｌａｔｉｏｎｓ．  ＤＥＮＡ−ＷＨ１−００５
【非特許文献１３５】  ＦＬＥＩＳＣＨＭＡＮＮ，  Ｗ．，  ｅｔ  ａｌ．，  "Ｃｏｍｂｉｎａｔｉｏｎ  ｏｓｔｅｏｓｙｎｔｈｅｓｉｓ  ｉｎ  ｔｈｅ  ｔｒｅａｔｍｅｎｔ  ｏｆ  ｐｙｌｏｎ  ｆｒａｃｔｕｒｅｓ  ｗｉｔｈ  ｓｏｆｔ  ｔｉｓｓｕｅ  ｄａｍａｇｅ，"  ｌａｂｅｌｅｄ  "Ａｎｌａｇｅ  ＮＫ１０，"  ｐｐ．  １７８−１８１  ａｎｄ  ｓｈｏｗｉｎｇ  "６．  Ｇｅｒｍａｎ−Ａｕｓｔｒｉａｎ−Ｓｗｉｓｓ  Ｔｒａｕｍａ  Ｃｏｎｆｅｒｅｎｃｅ  ｉｎ  Ｖｉｅｎｎａ  Ｍａｙ  ２１−２５，  １９９１，"  ｐｕｂｌｉｓｈｅｄ  ｉｎ  "Ｄｅｒ  Ｕｎｆａｌｌｃｈｉｒｕｒｇ"  ［Ｔｈｅ  Ｔｒａｕｍａｔｏｌｏｇｉｓｔ］  ｉｎ  １９９３，  ｉｎ  Ｇｅｒｍａｎ  ｗｉｔｈ  Ｅｎｇｌｉｓｈ  ｔｒａｎｓｌａｔｉｏｎ．  ＤＥＮＡ−ＷＨ１−００６
【非特許文献１３６】  "Ｃｏｌｄｅｘ，"  ｌａｂｅｌｅｄ  ａｓ  "Ａｎｌａｇｅ  ＮＫ１２"  ｉｎ  Ｇｅｒｍａｎ  ｗｉｔｈ  Ｅｎｇｌｉｓｈ  ｔｒａｎｓｌａｔｉｏｎ．  ＤＥＮＡ−ＷＨ１−００７
【非特許文献１３７】  ＴＵＲＮＥＲ，  Ｔ．Ｄ．，  ｅｔ  ａｌ．，  ｅｄｓ．，  Ｅｘｃｅｒｐｔｓ  ｆｒｏｍ  "Ａｄｖａｎｃｅｓ  ｉｎ  ｗｏｕｎｄ  ｍａｎａｇｅｍｅｎｔ，"  ｉｎｃｌｕｄｉｎｇ  "Ｒｅｃｅｎｔ  ａｄｖａｎｃｅｓ  ｉｎ  ｗｏｕｎｄ  ｍａｎａｇｅｍｅｎｔ  ｐｒｏｄｕｃｔｓ"  ｂｙ  Ｔ．Ｄ．  Ｔｕｒｎｅｒ  ａｎｄ  "Ｔｈｅ  ｒｏｌｅ  ｏｆ  ｆｏａｍ  ｄｒｅｓｓｉｎｇｓ  ｉｎ  ｗｏｕｎｄ  ｍａｎａｇｅｍｅｎｔ"  ｂｙ  Ｓ．  Ｔｈｏｍａｓ，  Ｐｒｏｃｅｅｄｉｎｇｓ  ｏｆ  ａ  ｓｙｍｐｏｓｉｕｍ  ｈｅｌｄ  ａｔ  ｔｈｅ  Ｗｅｌｓｈ  Ｓｃｈｏｏｌ  ｏｆ  Ｐｈａｒｍａｃｙ，  Ｕｎｉｖｅｒｓｉｔｙ  ｏｆ  Ｗａｌｅｓ  Ｉｎｓｔｉｔｕｔｅ  ｏｆ  Ｓｃｉｅｎｃｅ  ａｎｄ  Ｔｅｃｈｎｏｌｏｇｙ，  Ｃａｒｄｉｆｆ，  ２０−２１  Ｍａｒｃｈ  １９８５，  ｌａｂｅｌｅｄ  ａｓ  "Ａｎｌａｇｅ  ＮＫ１３，"  １９８６．  ＤＥＮＡ−ＷＨ１−００８
【非特許文献１３８】  ＦＬＥＩＳＣＨＭＡＮＮ，  Ｗ．，  ｅｔ  ａｌ．，  "Ｃｏｍｂｉｎａｔｉｏｎ  ｏｓｔｅｏｓｙｎｔｈｅｓｉｓ  ｉｎ  ｔｒｅａｔｉｎｇ  ｐｉｌｏｎ  ｆｒａｃｔｕｒｅｓ  ｉｎｖｏｌｖｉｎｇ  ｓｏｆｔ  ｔｉｓｓｕｅ  ｉｎｊｕｒｉｅｓ，"  ｉｎ  "Ｔｒａｎｓｌａｔｉｏｎ  ｏｆ  ａｎ  ｅｘｃｅｒｐｔ  ｆｒｏｍ  ｔｈｅ  ｂｒｏｃｈｕｒｅ  ｒｅｇａｒｄｉｎｇ  ｔｈｅ  Ｓｉｘｔｈ  Ｇｅｒｍａｎ−Ａｕｓｔｒｉａｎ−Ｓｗｉｓｓ  Ａｃｃｉｄｅｎｔ  Ｃｏｎｇｒｅｓｓ"  ａｌｌｅｇｅｄｌｙ  ｄａｔｅｄ  １９９１，  ｉｎ  Ｇｅｒｍａｎ  ｗｉｔｈ  Ｅｎｇｌｉｓｈ  ｔｒａｎｓｌａｔｉｏｎ．  ＤＥＮＡ−ＷＨ１−００９
【非特許文献１３９】  ＩＳＯ  １００７９−１，  "Ｉｎｔｅｒｎａｔｉｏｎａｌ  Ｓｔａｎｄａｒｄ，"  "Ｍｅｄｉｃａｌ  ｓｕｃｔｉｏｎ  ｅｑｕｉｐｍｅｎｔ  -  Ｐａｒｔ  １：  ｅｌｅｃｔｒｉｃａｌｌｙ  ｐｏｗｅｒｅｄ  ｓｕｃｔｉｏｎ  ｅｑｕｉｐｍｅｎｔ  -  Ｓａｆｅｔｙ  ｒｅｑｕｉｒｅｍｅｎｔｓ，"  ｄａｔｅｄ  Ｍａｙ  １５，  １９９１．  ＤＥＮＡ−ＷＨ２−００５
【非特許文献１４０】  ＭＯＬＮＡＲ，  Ｊ．Ａ．，  "Ｖ．Ａ．Ｃ．  ａｎｄ  ｂｕｒｎ  ｃａｒｅ"，  ｐｒｅｓｅｎｔａｔｉｏｎ  ｓｌｉｄｅｓ．  ＷＦＵ−７４
【非特許文献１４１】  Ｓｌｉｄｅｓ  ｒｅｇａｒｄｉｎｇ  ｕｓｅ  ｏｆ  Ｖ．Ａ．Ｃ．  ＷＦＵ−７５
【非特許文献１４２】  Ｉｎｓｔｒｕｃｔｉｏｎ  Ｍａｎｕａｌ，  Ｃｒｅａｔｉｖｅ  Ｍｅｄｉｃａｌ  Ｌａｂｏｒａｔｏｒｉｅｓ，  Ｉｎｃ．  Ｐ．Ｏ．  Ｂｏｘ  ６３４７，  Ｒｏｃｈｅｓｔｅｒ，  Ｍｉｎｎ．  ５５９０３．  "ＴＵＧＳ"  （Ｔｒａｎｓｐｏｒｔａｂｌｅ  Ｕｎｉｖｅｒｓａｌ  Ｇｒａｄｉｅｎｔ  Ｓｕｃｔｉｏｎ）．
【非特許文献１４３】  Ｄｅｋｎａｔｅｌ，  Ｄｉｖ．  ｏｆ  Ｈｏｗｍｅｄｉｃａ，  Ｉｎｃ．  Ｑｕｅｎｎｓ  Ｖｉｌｌａｇｅ，  ＮＹ  １１４２９．  "Ｐｌｅｕｒ−ｅｖａｃ．  ＮＰＬ−１１１
【非特許文献１４４】  Ｓｐａｒｔａ  Ｉｎｓｔｒｕｍｅｎｔ  Ｃｏｒｐ．  ２６６０２  Ｃｏｒｐｏｒａｔｅ  Ａｖｅ．，  Ｈａｙｗａｒｄ，  ＣＡ  ９４５４５．  "Ｐｏｗｅｒ  Ｓｏｕｒｃｅ  Ｍｕｌｔｉ−Ｐｕｒｐｏｓｅ  Ｓｕｒｇｉｃａｌ  Ａｓｐｉｒａｔｏｒ．"  ＮＰＬ−３８３
【非特許文献１４５】  Ｗｅｌｌｓ  Ｊｏｈｎｓｏｎ  Ｃｏｍｐａｎｙ，  ２０４５  Ｎ．  Ｆｏｒｂｅｓ  Ｂｌｖｄ．，  Ｓｕｉｔｅ  １０６，  Ｔｕｃｓｏｎ，  ＡＺ．  "Ｐｏｉｎｔ  ５  Ａｓｐｉｒａｔｏｒ．"  ＮＰＬ−４３３
【非特許文献１４６】  Ｍｉｃｒｏｔｅｋ  Ｈｅｒｉｔａｇｅ，  Ｉｎｃ．  Ｐ．Ｏ．  Ｂｏｘ  ２４８７，  Ｃｏｌｕｍｂｕｓ，  ＭＳ  ３９７０４．  "Ｗｏｕｎｄ−Ｅｖａｃ  ＥＴ．"  ＮＰＬ−２８４
【非特許文献１４７】  Ｆｌｅｉｓｃｈｍａｎｎ，  Ｗ．  Ｗｕｎｄ  Ｆｏｒｕｍ  Ｓｐｅｚｉａｌ．  ＩＨＷ  ９４．  "Ｖａｋｕｕｍｖｅｒｓｉｅｇｅｌｕｎｇ  ｚｕｒＢｅｈａｎｄｌｕｎｇ  ｖｏｎ  Ｐｒｏｂｅｌｍｗｕｎｄｅｎ"  （ｗｉｔｈ  Ｅｎｇｌｉｓｈ  ｔｒａｎｓｌａｔｉｏｎ：  "Ｖａｃｕｕｍ  ｓｅａｌｉｎｇ  ｆｏｒ  Ｔｒｅａｔｍｅｎｔ  ｏｆ  Ｐｒｏｂｌｅｍａｔｉｃａｌ  Ｗｏｕｎｄｓ．"  ＮＰＬ−１６０
【非特許文献１４８】  Ｆｌｅｉｓｃｈｍａｎｎ，  Ｗ．  Ａｃｔａ  Ｏｒｔｈｏｐａｅｄｉｃａ  Ｂｅｌｇｉｃａ．  Ｖｏｌ．  ５８，  Ｓｕｐｐｌ．  １−１９９２  "Ｔｒｅａｔｍｅｎｔｏｆ  Ｂｏｎｅ  ａｎｄ  Ｓｏｆｔ  Ｔｉｓｓｕｅ  Ｄｅｆｅｃｔｓ  ｉｎ  Ｉｎｆｅｃｔｅｄ  Ｎｏｎｕｎｉｏｎ．"  ＮＰＬ−１５９
【非特許文献１４９】  Ｆｌｅｉｓｃｈｍａｎｎ，  Ｗ．  Ｓｔｒｅｃｋｅｒ  Ｗ，  Ｂｏｍｂｅｌｌｉ  Ｍ，  Ｋｉｎｚｌ  Ｌ．  Ｕｎｆａｌｌ  Ｃｈｉｒｕｒｑ．  Ｓｐｒｉｎｇｅｒ−Ｖａｒｉａｇ  １９９３．  ９６：４８８−９２  "Ｖａｋｕｕｍｖｅｒｓｉｅｇｅｌｕｎｇ  ｚｕｒ  Ｂｅｈａｎｄｌｕｎｇ  ｄｅｓ  Ｗｅｉｃｈｔｅｉｌｓｃｈａｄｅｎｓ  ｂｅｉ  ｏｆｆｅｎｅｎ  Ｆｒａｋｔｕｒｅｎ．"  ｗｉｔｈ  Ｅｎｇｌｉｓｈ  ｔｒａｎｓｌａｔｉｏｎ  ［Ｖａｃｕｕｍ  ｓｅａｌｉｎｇ  ａｓ  ｔｒｅａｔｍｅｎｔ  ｏｆ  ｓｏｆｔ  ｔｉｓｓｕｅ  ｄａｍａｇｅ  ｉｎ  ｏｐｅｎ  ｆｒａｃｔｕｒｅｓ］． ［Ｇｅｒｍａｎ］  ＮＰＬ−  
１５７
【非特許文献１５０】  Ｖａｌｅｎｔａ，  Ａ．Ｌ．  Ａｍｅｒｉｃａｎ  Ｊｏｕｒｎａｌ  ｏｆ  Ｎｕｒｓｉｎｇ．  Ａｐｒｉｌ  １９９４．  "Ｕｓｉｎｇ  ｔｈｅ  Ｖａｃｕｕｍ Ｄｒｅｓｓｉｎｇ  Ａｌｔｅｒｎａｔｉｖｅ  ｆｏｒ  Ｄｉｆｆｉｃｕｌｔ  Ｗｏｕｎｄｓ．"  ９４：４４−５  ＮＰＬ−４１４
【非特許文献１５１】  Ｓａｕｎｄｅｒｓ，  Ｊ．  Ｗ．，  Ｔｈｅ  Ｌａｎｃｅｔ，  ｐｐ．  １２８６−１２８７，  Ｊｕｎｅ  ２８，  １９５２，  "Ｎｅｇａｔｉｖｅ−Ｐｒｅｓｓｕｒｅ  Ｄｅｖｉｃｅ  ｆｏｒ  Ｃｏｎｔｒｏｌｌｅｄ  Ｈｙｐｏｔｅｎｓｉｏｎ  ｄｕｒｉｎｇ  Ｓｕｒｇｉｃａｌ  Ｏｐｅｒａｔｉｏｎｓ"  ＮＰＬ−３５６
【非特許文献１５２】  Ｌａｎｄｉｓ，  ｅｔ  ａｌ．，  Ｒｏｂｉｎｅｔｔｅ  Ｆｏｕｎｄａｔｉｏｎ  ｏｆ  ｔｈｅ  Ｈｏｓｐｉｔａｌ  ｏｆ  ｔｈｅ  Ｕｎｉｖｅｒｓｉｔｙ  ｏｆ  Ｐｅｎｎｓｙｌｖａｎｉａ，  "Ｔｈｅ  Ｅｆｆｅｃｔｓ  ｏｆ  Ａｌｔｅｒｎａｔｅ  Ｓｕｃｔｉｏｎ  ａｎｄ  Ｐｒｅｓｓｕｒｅ  ｏｎ  Ｂｌｏｏｄ  Ｆｌｏｗ  ｔｏ  ｔｈｅ  Ｌｏｗｅｒ  Ｅｘｔｒｅｍｉｔｉｅｓ"  （Ｓｅｐｔｅｍｂｅｒ  １９３３）．  ＮＰＬ−２４９
【非特許文献１５３】  Ｈａｒｇｅｎｓ  ｅｔ  ａｌ．，  Ｓｐａｃｅ  Ｐｈｙｓｉｏｌｏｇｙ  Ｌａｂｏｒａｔｏｒｙ，  Ｌｉｆｅ  Ｓｃｉｅｎｃｅ  Ｄｉｖｉｓｉｏｎ，  ＮＡＳＡ  Ａｍｅｓ  Ｒｅｓｅａｒｃｈ  Ｃｅｎｔｅｒ，  "Ｃｏｎｔｒｏｌ  ｏｆ  Ｃｉｒｃｕｌａｔｏｒｙ  Ｆｕｎｃｔｉｏｎ  ｉｎ  Ａｌｔｅｒｅｄ  Ｇｒａｖｉｔａｔｉｏｎａｌ  Ｆｉｅｌｄｓ"  （Ｆｅｂｒｕａｒｙ  １９９２）．  ＮＰＬ−１８９
【非特許文献１５４】  Ｗｏｌｔｈｕｉｓ  ｅｔ  ａｌ，  Ｐｈｙｓｉｏｌｏｇｉｃａｌ  Ｒｅｖｉｅｗｓ，  ５４：  ５６６−５９５，  Ｊｕｌｙ  １９７４，  "Ｐｈｙｓｉｏｌｏｇｉｃａｌ  Ｅｆｆｅｃｔｓ  ｏｆ  Ｌｏｃａｌｌｙ  Ａｐｐｌｉｅｄ  Ｒｅｄｕｃｅｄ  Ｐｒｅｓｓｕｒｅ  ｉｎ  Ｍａｎ"  ＮＰＬ−４４１
【非特許文献１５５】  Ｖｉｌｊａｎｔｏ  ｅｔ  ａｌ．，  Ｂｒ．  Ｊ．  Ｓｕｒｇ．，  ６３：  ４２７−４３０，  １９７６，  "Ｌｏｃａｌ  Ｈｙｐｅｒａｌｉｍｅｎｔａｔｉｏｎ  ｏｆ  Ｏｐｅｎ  Ｗｏｕｎｄｓ"  ＮＰＬ−４１９
【非特許文献１５６】  Ｄｉｌｌｏｎ，  Ｒ．  Ａｎｇｉｏｌｏｇｙ  −−  Ｔｈｅ  Ｊｏｕｒｎａｌ  ｏｆ  Ｖａｓｃｕｌａｒ  Ｄｉｓｅａｓｅｓ，  ｐｐ．  ４７−５６，  Ｊａｎｕａｒｙ  １９８６，  "Ｔｒｅａｔｍｅｎｔ  ｏｆ  Ｒｅｓｉｓｔａｎｔ  Ｖｅｎｏｕｓ  Ｓｔａｓｉｓ  Ｕｌｃｅｒｓ  ａｎｄ  Ｄｅｒｍａｔｉｔｉｓ  ｗｉｔｈ  ｔｈｅ  Ｅｎｄ−Ｄｉａｓｔｏｌｉｃ  Ｐｎｅｕｍａｔｉｃ  Ｃｏｍｐｒｅｓｓｉｏｎ  Ｂｏｏｔ"  ＮＰＬ−１１８
【非特許文献１５７】  Ｌｕｎｄｖａｌｌ  ｅｔ  ａｌ．，  Ａｃｔａ  Ｐｈｙｓｉｏｌ  Ｓｃａｎｄ，  １３６：  ４０３−４０９，  ａｃｃｅｐｔｅｄ  Ｊａｎ．  ２８，  "Ｔｒａｎｓｍｉｓｓｉｏｎ  ｏｆ  ｅｘｔｅｒｎａｌｌｙ  ａｐｐｌｉｅｄ  ｎｅｇａｔｉｖｅ  ｐｒｅｓｓｕｒｅ  ｔｏ  ｔｈｅ  ｕｎｄｅｒｌｙｉｎｇ  ｔｉｓｓｕｅ．  Ａ  ｓｔｕｄｙ  ｏｎ  ｔｈｅ  ｕｐｐｅｒ  ａｒｍ  ｏｆ  ｍａｎ"  ＮＰＬ−２６２
【非特許文献１５８】  Ｋｌｅｍｐ  ｅｔ  ａｌ．，  Ｔｈｅ  Ｊｏｕｒｎａｌ  ｏｆ  Ｉｎｖｅｓｔｉｇａｔｉｖｅ  Ｄｅｒｍａｔｏｌｏｇｙ，  ｐｐ．  ７２５−７２６  （１９８９），  "Ｓｕｂｃｕｔａｎｅｏｕｓ  Ｂｌｏｏｄ  Ｆｌｏｗ  ｉｎ  Ｅａｒｌｙ  Ｍａｌｅ  Ｐａｔｔｅｒｎ  Ｂａｌｄｎｅｓｓ"  ＮＰＬ−２３６
【非特許文献１５９】  Ａ．  Ｈａｒｌｅ，  Ｚ．  Ｏｒｔｈｏｐ．，  １２７：  ５１３−５１７  （１９８９），  "Ｓｃｈｗａｃｈｓｔｅｌｌｅｎ  ｈｅｒｋｏｍｍｌｉｃｈｅｒＤｒａｉｎａｇｅｎ"  ｗｉｔｈ  Ｅｎｇｌｉｓｈ  Ｔｒａｎｓｌａｔｉｏｎ．  ＮＰＬ−１９２
【非特許文献１６０】  Ｄｕｎｌｏｐ  ｅｔ  ａｌ．，  Ｂｒ．  Ｊ．  Ｓｕｒｇ．，  ７７：  ５６２−５６３  （１９９０），  "Ｖａｃｕｕｍ  ｄｒａｉｎａｇｅ  ｏｆ  ｇｒｏｉｎ  ｗｏｕｎｄｓ  ａｆｔｅｒ  ｖａｓｃｕｌａｒ  ｓｕｒｇｅｒｙ：  ａ  ｃｏｎｔｒｏｌｌｅｄ  ｔｒａｉｌ"．  ＮＰＬ−１２５
【非特許文献１６１】  Ｍａｄｄｉｎ  ｅｔ  ａｌ．，  Ｉｎｔｅｒｎａｔｉｏｎａｌ  Ｊｏｕｒｎａｌ  ｏｆ  Ｄｅｒｍａｔｏｌｏｇｙ，  ２９：  ４４６−４５０  （１９９０），  "Ｔｈｅ  Ｂｉｏｌｏｇｉｃａｌ  Ｅｆｆｅｃｔｓ  ｏｆ  ａ  Ｐｕｌｓｅｄ  Ｅｌｅｃｔｒｏｓｔａｔｉｃ  Ｆｉｅｌｄ  ｗｉｔｈ  Ｓｐｅｃｉｆｉｃ  Ｒｅｆｅｒｅｎｃｅ  ｔｏ  Ｈａｉｒ：  Ｅｌｅｃｔｒｏｔｒｉｃｈｏｇｅｎｅｓｉｓ"  ＮＰＬ−２６３
【非特許文献１６２】  Ｎａｋａｙａｍａ  ｅｔ  ａｌ．，  Ａｎｎ．  Ｐｌａｓｔ．  Ｓｕｒｇ．，  ２６：４９９−５０２  （１９９１），  "  Ａ  Ｎｅｗ  Ｄｒｅｓｓｉｎｇ  Ｍｅｔｈｏｄ  ｆｏｒ  Ｆｒｅｅ  Ｓｋｉｎ  Ｇｒａｆｔｉｎｇ  ｉｎ  Ｈａｎｄｓ"  ＮＰＬ−３０７
【非特許文献１６３】  Ｈａｒｇｅｎｓ  ｅｔ  ａｌ．，  Ａｖｉａｔｉｏｎ，  Ｓｐａｃｅ  ａｎｄ  Ｅｎｖｉｒｏｎｍｅｎｔａｌ  Ｍｅｄｉｃｉｎｅ，  ｐｐ．  ９３４−９３７，  Ｏｃｔ．  １９９１，  "Ｌｏｗｅｒ  Ｂｏｄｙ  Ｎｅｇａｔｉｖｅ  Ｐｒｅｓｓｕｒｅ  ｔｏ  Ｐｒｏｖｉｄｅ  Ｌｏａｄ  Ｂｅａｒｉｎｇ  ｉｎ  Ｓｐａｃｅ"  ＮＰＬ１８８
【非特許文献１６４】  Ａｕｔｈｏｒ  ｕｎｋｎｏｗｎ，  Ｓｃｉｅｎｃｅ，  Ｓｅｐｔ．  １９９２，  ｐ．４２，  "Ｔｈｅ  Ｎｏｔ−Ｓｏ−Ｂａｌｄ−Ｔｒｕｔｈ"  ＮＰＬ−０２２
【非特許文献１６５】  Ｔｅｃｈｎｏ  Ｔａｋａｔｓｕｋｉ  Ｃｏ．，  Ｌｔｄ．，  ８−１６  Ｈａｔｃｈｏｎｉｓｈｉｍａｃｈｉ，  Ｔａｋａｔｓｕｋｉ  Ｃｉｔｙ，  Ｏｓａｋａ，  ＪＡＰＡＮ，  "ＨｉＢｌｏｗ  Ａｉｒ  Ｐｕｍｐ"  ＮＰＬ−３９９
【非特許文献１６６】  Ｗｅｌｌｓ  Ｊｏｈｎｓｏｎ  Ｃｏｍｐａｎｙ，  ２０４５  Ｎ．  Ｆｏｒｂｅ  Ｂｌｖｄ．，  Ｓｕｉｔｅ  １０６，  Ｔｕｃｓｏｎ，  ＡＺ，  "Ｓｕｃｔｉｏｎ  Ｔｉｐｓ"  ＮＰＬ−４３２
【非特許文献１６７】  Ｉｎｄｕｓｔｒｉａｌ  Ｅｑｕｉｐｍｅｎｔ  Ｎｅｗｓ，  Ｐ．Ｏ．  Ｂｏｘ  １１５８，  Ｓｋｏｋｉｅ，  ＩＬ  ６００７６−９７８６，  "Ｍｉｓｃｅｌｌａｎｅｏｕｓ  Ｅｑｕｉｐｍｅｎｔ"  ＮＰＬ−２１８
【非特許文献１６８】  Ｌｅｔｓｏｕ  ｅｔ  ａｌ．  "Ｓｔｉｍｕｌａｔｉｏｎ  ｏｆ  Ａｄｅｎｙｌａｔｅ  Ｃｙｃｌａｓｅ  Ａｃｔｉｖｉｔｙ  ｉｎ  Ｃｕｌｔｕｒｅｄ  Ｅｎｄｏｔｈｅｌｉａｌ  Ｃｅｌｌｓ  Ｓｕｂｊｅｃｔｅｄ  ｔｏ  Ｃｙｃｌｉｃ  Ｓｔｒｅｔｃｈ．"  Ｃａｒｄｉｏｖａｓｃｕｌａｒ  Ｓｕｒｇｅｒｙ  ３．  Ｔｏｒｏｎｔｏ．  Ｓｅｐｔ．  １９８９．  ６３４−６３９．  ＮＰＬ−２５３
【非特許文献１６９】  Ｂｕｃａｌｏ  ｅｔ  ａｌ．  "Ｉｎｈｉｂｉｔｉｏｎ  ｏｆ  Ｃｅｌｌ  Ｐｒｏｌｉｆｅｒａｔｉｏｎ  ｂｙ  Ｃｈｒｏｎｉｃ  ｗｏｕｎｄ  Ｆｌｕｉｄ．"  Ｗｏｕｎｄ  Ｒｅｐａｉｒ  ａｎｄ  Ｒｅｇｅｎｅｒａｔｉｏｎ．  １８１−１８６  Ｊｕｌｙ  １９９３  ＮＰＬ−０６５
【非特許文献１７０】  Ｆａｌａｎｇｅ，  Ｖｉｎｃｅｎｔ．  "Ｇｒｏｗｔｈ  Ｆａｃｔｏｒｓ  ａｎｄ  Ｃｈｒｏｎｉｃ  Ｗｏｕｎｄｓ：  Ｔｈｅ  ｎｅｅｄ  ｔｏ  Ｕｎｄｅｒｓｔａｎｄ  ｔｈｅ  Ｍｉｃｒｏｅｎｖｉｒｏｎｍｅｎｔ．"  Ｊｏｕｒｎａｌ  ｏｆ  Ｄｅｒｍａｔｏｌｏｇｙ，  Ｂｏｌ．  １９：  ６６７−６７２．  １９９２．  ＮＰＬ−１４８
【非特許文献１７１】  Ｕｒｓｃｈｅｌ  ｅｔ  ａｌ．  "Ｔｈｅ  Ｅｆｆｅｃｔ  ｏｆ  Ｍｅｃｈａｎｉｃａｌ  Ｓｔｒｅｓｓ  ｏｎ  Ｓｏｆｔ  ａｎｄ  Ｈａｒｄ  Ｔｉｓｓｕｅ  Ｒｅｐａｉｒ；  ａ  Ｒｅｖｉｅｗ．"  Ｂｒｉｔｉｓｈ  Ｊｏｕｒｎａｌ  ｏｆ  Ｐｌａｓｔｉｃ  Ｓｕｒｇｅｒｙ．  ４１，  １８２−１８６．  １９８８． ＮＰＬ−４１１
【非特許文献１７２】  Ｇｏｇｉａ，  Ｐｒｅｍ  Ｐ．  "Ｔｈｅ  Ｂｉｏｌｏｇｙ  ｏｆ  Ｗｏｕｎｄ  Ｈｅａｌｉｎｇ．"  Ｏｓｔｏｍｙ／Ｗｏｕｎｄ  Ｍａｎａｇｅｍｅｎｔ．  Ｎｏｖ．−Ｄｅｃ．  １９９２．  ｐｐ  １２，  １４−１６，  １８−２０，  ２２  ＮＰＬ−１７２
【非特許文献１７３】  Ｗｙｓｏｃｋｉ  ｅｔ  ａｌ．  "Ｗｏｕｎｄ  Ｆｌｕｉｄ  ｆｒｏｍ  Ｃｈｒｏｎｉｃ  Ｌｅｇ  Ｕｌｃｅｒｓ  Ｃｏｎｔａｉｎｓ  Ｅｌｅｖａｔｅｄ  Ｌｅｖｅｌｓ  ｏｆ  Ｍｅｔａｌｌｏｐｒｏｔｅｉｎａｓｅｓ  ＭＭＰ−２  ａｎｄ  ＭＭＰ−９．"  Ｔｈｅ  Ｓｏｃｉｅｔｙ  ｆｏｒ  Ｉｎｖｅｓｔｉｇａｔｉｖｅ  Ｄｅｒｍａｔｏｌｏｇｙ，  Ｉｎｃ．  Ｊｕｌｙ  １９９３．  ６４−６８  ＮＰＬ−４５０
【非特許文献１７４】  Ｏｌｅｎｉｕｓ  ｅｔ  ａｌ．  "Ｍｉｔｏｔｉｃ  Ａｃｔｉｖｉｔｙ  ｉｎ  Ｅｘｐａｎｄｅｄ  Ｈｕｍａｎ  Ｓｋｉｎ．"  Ｐｌａｓｔｉｃ  ａｎｄ  Ｒｅｃｏｎｓｔｒｕｃｔｉｖｅ  Ｓｕｒｇｅｒｙ．"  Ｆｅｂ．  １９９３．  ２１３−２１６．  ＮＰＬ−３１８
【非特許文献１７５】  Ｍｕｌｄｅｒ，  Ｇ．  Ｄ．  ｅｔ  ａｌ．  （ｅｄｓ．），  Ｃｌｉｎｉｃｉａｎｓ  Ｐｏｃｋｅｔ  Ｇｕｉｄｅ  ｔｏ  Ｃｈｒｏｎｉｃ  Ｗｏｕｎｄ  Ｒｅｐａｉｒ，
【非特許文献１７６】  Ｓｐａｒｔａｎｂｕｒｇ，  ＳＣ：  Ｗｏｕｎｄ  Ｈｅａｌｉｎｇ  Ｐｕｂｌｉｃａｔｉｏｎｓ），  １９９１，  ｐｐ．  ５４−５５． ＮＰＬ−３１７
【非特許文献１７７】  Ｃｈａｒｉｋｅｒ，  Ｍ．  Ｅ．  ｅｔ  ａｌ．  （ｅｄｓ），  "Ｅｆｆｅｃｔｉｖｅ  Ｍａｎａｇｅｍｅｎｔ  ｏｆ  Ｉｎｃｉｓｉｏｎａｌ  ａｎｄ  Ｃｕｔａｎｅｏｕｓ  Ｆｉｓｔｕｌａｅ  ｗｉｔｈ  Ｃｌｏｓｅｄ  Ｓｕｃｔｉｏｎ  Ｗｏｕｎｄ  Ｄｒａｉｎａｇｅ，"  Ｃｏｎｔｅｍｐｏｒａｒｙ  Ｓｕｒｇｅｒｙ，  Ｖｏｌ．  ３４，  Ｊｕｎｅ  １９８９，  ｐｐ  ５９−６３．  ＮＰＬ−０７３
【非特許文献１７８】  Ｒａｓｔｇｅｌｄｉ，  Ｓ．：  Ｉ．  Ｐｒｅｓｓｕｒｅ  Ｔｒｅａｔｍｅｎｔ  ｏｆ  Ｐｅｒｉｐｈｅｒａｌ  Ｖａｓｃｕｌａｒ  Ｄｉｓｅａｓｅｓ．  ＩＩ．  Ｉｎｔｅｒｍｉｔｔｅｎｔ  Ｐｒｅｓｓｕｒｅ  Ｔｒｅａｔｍｅｎｔ  ｏｆ  Ｐｅｒｉｐｈｅｒａｌ  Ｖａｓｃｕｌａｒ  Ｄｉｓｅａｓｅｓ．  Ｏｐｕｓｃｕｌａ  Ｍｅｄｉｃａ，  Ｓｕｐｐｌ．  ＸＸＶＩＩ，  １９７２．  ＮＰＬ−３４３
【非特許文献１７９】  ＯＰ−Ｊｏｕｒｎａｌ  Ｎｒ．  ３，  Ｊａｈｒ．  ６，  Ｄｅｃ．  １９９０，  ｐｐ  ３１−３５  Ｗ．  Ｆｌｅｉｓｃｈｍａｎｎ，  Ｍ．  Ｍｅｎｔｚｅｌ，  Ｌ．  Ｋｉｎｚｌ  "ＢＷＳ，  Ｇｅｆａｈｒｅｎ  ａｎｄ  Ｋｏｍｐｌｉｋａｔｉｏｎｅｎ  ｄｅｒ  Ｔｈｅｒａｐｉｅ"  ｗｉｔｈ  Ｅｎｇｌｉｓｈ  Ｔｒａｎｓ．  ＮＰＬ−１５６
【非特許文献１８０】  Ｚｕｍｔｏｂｅｌ  ｅｔ  ａｌ．，  （１９９１）  "Ｗｕｎｄｄｒａｉｎａｇｅ  ｉｎ  ｄｅｒ  Ｅｌｅｋｔｉｖｅｕｎｄ  Ｎｏｔｆａｌｉｃｈｉｒｕｒｇｉｅ"  Ｗｏｌｆｇａｎｇ  Ｐａｂｓｔ  Ｖｅｒｌａｇ，  ｒｅｌｅｖａｎｔ  ｐａｇｅ  １２，  ｌｅｆｔ  ｃｏｌｕｍｎ．  Ｅｎｇｌｉｓｈ  Ｔｒａｎｓｌａｔｉｏｎ  ａｔｔａｃｈｅｄ．  ＮＰＬ−４５５
【非特許文献１８１】  Ｓａｅｃｈｔｌｉｎｇ，  Ｋｕｎｓｔｓｔｏｆｆ−Ｔａｓｃｈｅｎｂｕｃｈ，  ２４．  Ａｕｓｇａｂｅ  １９８９，  Ｓ．  ４３９，  ４７７．  Ｅｎｇｌｉｓｈ  Ｔｒａｎｓｌａｔｉｏｎ  ａｔｔａｃｈｅｄ．  ＮＰＬ−３５０
【非特許文献１８２】  Ｍｕｔｓｃｈｌｅｒ，  Ｗ．  Ｂａｋｋｅｒ  Ｄ．  Ｊ．，  "Ｔｅｍｐｏｒａｒｅｒ  Ｈａｕｔｅｒｓａｔｚ"，  ＺＦＡ  １９８９，  Ｈｅｆｔ  ２４，  Ｓ．  ７１４−７２０  ａｌｓ  Ｓｏｎｄｅｒｄｒｕｃｋ．  Ｅｎｇｌｉｓｈ  Ｔｒａｎｓｌａｔｉｏｎ  ａｔｔａｃｈｅｄ．  ＮＰＬ−３０５
【非特許文献１８３】  Ｗ．  Ｆｌｅｉｓｃｈｍａｎｎ，  Ｕ．  Ｂｅｃｋｅｒ，  Ｍ．  Ｂｉｓｃｈｏｆｆ，  Ｈ．  Ｈｏｅｋｓｔｒａ，  "Ｖａｃｕｕｍ  ｓｅａｌｉｎｇ：  ｉｎｄｉｃａｔｉｏｎ，  ｔｅｃｈｎｉｑｕｅ，  ａｎｄ  ｒｅｓｕｌｔｓ"，  Ｅｕｒ．  Ｊ．  Ｏｒｔｈｏｐ  &  Ｔｒａｕｍａｔｏ  （１９９５）  ５：３７−４０．  ＮＰＬ−１５８
【非特許文献１８４】  Ａｒｇｅｎｔａ  ＬＣ，  Ｍｏｒｙｋｗａｓ  ＭＪ．  Ｖａｃｕｕｍ−ａｓｓｉｓｔｅｄ  ｃｌｏｓｕｒｅ：  ａ  ｎｅｗ  ｍｅｔｈｏｄ  ｆｏｒ  ｗｏｕｎｄ  ｃｏｎｔｒｏｌ  ａｎｄ  ｔｒｅａｔｍｅｎｔ：  ｃｌｉｎｉｃａｌ  ｅｘｐｅｒｉｅｎｃｅ．  Ａｎｎ  Ｐｌａｓｔ  Ｓｕｒｇ  １９９７；３８：  ５６３−５７７  ＷＦＵ−３１
【非特許文献１８５】  Ｍｏｒｙｋｗａｓ  ＭＪ，  Ａｒｇｅｎｔａ  ＬＣ，  Ｓｈｅｌｔｏｎ−Ｂｒｏｗｎ  Ｅｌ，  ＭｃＧｕｉｒｔ  Ｗ．  Ｖａｃｕｕｍ−ａｓｓｉｓｔｅｄ  ｃｌｏｓｕｒｅ：  ａ  ｎｅｗ  ｍｅｔｈｏｄ  ｆｏｒ  ｗｏｕｎｄ  ｃｏｎｔｒｏｌ  ａｎｄ  ｔｒｅａｔｍｅｎｔ：  ａｎｉｍａｌ  ｓｔｕｄｉｅｓ  ａｎｄ  ｂａｓｉｃ  ｆｏｕｎｄａｔｉｏｎ．  Ａｎｎ  Ｐｌａｓｔ  Ｓｕｒｇ  １９９７；  ３８：５５３−６２  ＷＦＵ−２９
【非特許文献１８６】  Ｄａｖｙｄｏｖ  ＩＡ，  Ｌａｒｉｃｈｅｖ  ＡＢ，  Ｓｍｉｒｎｏｖ  ＡＰ，  Ｆｌｅｇｏｎｔｏｖ  ＶＢ．  Ｖａｋｕｕｍ−ｔｅｒａｐｉｉａ  ｖ  ｌｅｃｈｅｎｉｉ  ｏｓｔｒｙｋｈ  ｇｎｏｉｎｙｋｈ  ｚａｂｏｌｅｖａｎｉｉ  ｍｉａｇｋｉｋｈ  ｔｋａｎｅｉ  Ｉ  ｇｎｏｉｎｙｋｈ  ｒａｎ．  ［Ｖａｃｕｕｍ  ｔｈｅｒａｐｙ  ｏｆ  ａｃｕｔｅ  ｓｕｐｐｕｒａｔｉｖｅ  ｄｉｓｅａｓｅｓ  ｏｆ  ｓｏｆｔ  ｔｉｓｓｕｅｓ  ａｎｄ  ｓｕｐｐｕｒａｔｉｖｅ  ｗｏｕｎｄｓ］．  Ｒｕｓｓｉａｎ  Ｖｅｓｔｎｉｋ  Ｋｈｉｒｕｒｇｉｉ  Ｉｍｅｎｉ  Ｉ  −  Ｉ  −  Ｇｒｅｋｏｖａ  １９８８；  １４１：  ４３−６  ｗｉｔｈ  Ｅｎｇ．Ｔｒａｎｓ．  ＤＶ１０
【非特許文献１８７】  Ｄａｖｙｄｏｖ  ＩＡ，  Ａｂｒａｍｏｖ  Ａｌ，  Ｌａｒｉｃｈｅｖ  ＡＢ．  Ｖａｋｕｕｍ−ｔｅｒａｐｉｉａ  ｖ  ｐｒｅｄｕｐｒｅｚｈｄｅｎｉｉ  ｐｏｓｌｅｏｐｅｒａｔｓｉｏｎｎｏｉ  ｒａｎｅｖｏｉ  ｉｎｆｅｋｔｓｉｉ．  ［Ｖａｃｕｕｍ  ｔｈｅｒａｐｙ  ｉｎ  ｔｈｅ  ｐｒｅｖｅｎｔｉｏｎ  ｏｆ  ｐｏｓｔｏｐｅｒａｔｉｖｅ  ｗｏｕｎｄ  ｉｎｆｅｃｔｉｏｎ］．  Ｒｕｓｓｉａｎ  Ｖｅｓｔｎｉｋ  Ｋｈｉｒｕｒｇｉｉ  Ｉｍｅｎ  Ｉ  −  Ｉ  −  Ｇｒｅｋｏｖａ  １９９１；  １４７：９１−５，  ｗｉｔｈ  Ｅｎｇｌｉｓｈ  Ｔｒａｎｓｌａｔｉｏｎ．  ＤＶ１２
【非特許文献１８８】  ｌａｎｋｏｖ  ＮＩ．  Ｓｉｍｕｌｉａｔｓｉｉａ  ｋｏｎｓｏｌｉｄａｔｓｉｉ  ｐｅｒｅｌｏｍｏｖ  ｎｉｚｈｎｅｉ  ｃｈｅｌｉｕｓｔｉ  ｖａｋｔｕｕｍｎｏｉ  ｔｅｒａｐｉｅｉ．  ［Ｓｔｉｍｕｌａｔｉｏｎ  ｏｆ  ｃｏｎｓｏｌｉｄａｔｉｏｎ  ｏｆ  ｍａｎｄｉｂｕｌａｒ  ｆｒａｃｔｕｒｅｓ  ｂｙ  ｍｅａｎｓ  ｏｆ  ｖａｃｕｕｍ  ｔｈｅｒａｐｙ］  Ｒｕｓｓｉａｎ．  Ｓｔｏｍａｔｏｌｏｇｉｉａ  １９７１；  ５０：  ８６，  ｗｉｔｈ  Ｅｎｇ．  Ｔｒａｎｓ．  ＮＰＬ２１７
【非特許文献１８９】  Ｉｎｏｉａｔｏｖ  ＩＭ，  Ａｌｅｋｓａｎｄｒｏｖ  ＶＢ．  Ｌｅｃｈｅｎｉｅ  ｐｒｏｍｅｚｈｎｏｓｔｎｏｉ  ｒａｎｙ  ｐｏｓｌｅ  ａｍｐｕｔａｔｓｉｉ  ｐｒｉａｍｏｉ  ｋｉｓｈｋｉ  ｖａｋｕｕｍ−ａｓｐｉｒａｔｓｉｅｉ．  ［Ｖａｃｕｕｍ  ａｓｐｉｒａｔｉｏｎ  ｉｎ  ｔｈｅ  ｔｒｅａｔｍｅｎｔ  ｏｆ  ｔｈｅ  ｐｅｒｉｎｅａｌ  ｗｏｕｎｄ  ｆｏｌｌｏｗｉｎｇ  ｅｘｔｉｒｐａｔｉｏｎ  ｏｆ  ｔｈｅ  ｒｅｃｔｕｍ］．  Ｒｕｓｓｉａｎ．  Ｋｈｉｒｕｒｇｉｉａ  １９７１；  ４７：  ７４−８，  ｗｉｔｈ  Ｅｎｇｌｉｓｈ  Ｔｒａｎｓｌａｔｉｏｎ．  ＮＰＬ−２２０
【非特許文献１９０】  Ｓａｅｃｈｔｌｉｎｇ，  Ｋｕｎｓｔｓｔｏｆｆ−Ｔａｓｃｈｅｎｂｕｃｈ，  ２４．  Ａｕｓｇａｂｅ  １９８９，  Ｓ．  ４３９，  ４７７．  Ｅｎｇｌｉｓｈ  Ｔｒａｎｓｌａｔｉｏｎ  ａｔｔａｃｈｅｄ．  ＮＰＬ−３５０
【非特許文献１９１】  Ｍｕｔｓｃｈｌｅｒ，  Ｗ．  Ｂａｋｋｅｒ  Ｄ．  Ｊ．，  "Ｔｅｍｐｏｒａｒｅｒ  Ｈａｕｔｅｒｓａｔｚ"，  ＺＦＡ  １９８９，  Ｈｅｆｔ  ２４，  Ｓ．  ７１４−７２０  ａｌｓ  Ｓｏｎｄｅｒｄｒｕｃｋ．  Ｅｎｇｌｉｓｈ  Ｔｒａｎｓｌａｔｉｏｎ  ａｔｔａｃｈｅｄ．  ＮＰＬ−３０５
【非特許文献１９２】  Ｗ．  Ｆｌｅｉｓｃｈｍａｎｎ，  Ｕ．  Ｂｅｃｋｅｒ，  Ｍ．  Ｂｉｓｃｈｏｆｆ，  Ｈ．  Ｈｏｅｋｓｔｒａ，  "Ｖａｃｕｕｍ  ｓｅａｌｉｎｇ：  ｉｎｄｉｃａｔｉｏｎ，  ｔｅｃｈｎｉｑｕｅ，  ａｎｄ  ｒｅｓｕｌｔｓ"，  Ｅｕｒ．  Ｊ．  Ｏｒｔｈｏｐ  &  Ｔｒａｕｍａｔｏ  （１９９５）  ５：３７−４０．  ＮＰＬ−１５８
【非特許文献１９３】  Ａｒｇｅｎｔａ  ＬＣ，  Ｍｏｒｙｋｗａｓ  ＭＪ．  Ｖａｃｕｕｍ−ａｓｓｉｓｔｅｄ  ｃｌｏｓｕｒｅ：  ａ  ｎｅｗ  ｍｅｔｈｏｄ  ｆｏｒ  ｗｏｕｎｄ  ｃｏｎｔｒｏｌ  ａｎｄ  ｔｒｅａｔｍｅｎｔ：  ｃｌｉｎｉｃａｌ  ｅｘｐｅｒｉｅｎｃｅ．  Ａｎｎ  Ｐｌａｓｔ  Ｓｕｒｇ  １９９７；３８：  ５６３−５７７  ＷＦＵ−３１
【非特許文献１９４】  Ｍｏｒｙｋｗａｓ  ＭＪ，  Ａｒｇｅｎｔａ  ＬＣ，  Ｓｈｅｌｔｏｎ−Ｂｒｏｗｎ  Ｅｌ，  ＭｃＧｕｉｒｔ  Ｗ．  Ｖａｃｕｕｍ−ａｓｓｉｓｔｅｄ  ｃｌｏｓｕｒｅ：  ａ  ｎｅｗ  ｍｅｔｈｏｄ  ｆｏｒ  ｗｏｕｎｄ  ｃｏｎｔｒｏｌ  ａｎｄ  ｔｒｅａｔｍｅｎｔ：  ａｎｉｍａｌ  ｓｔｕｄｉｅｓ  ａｎｄ  ｂａｓｉｃ  ｆｏｕｎｄａｔｉｏｎ．  Ａｎｎ  Ｐｌａｓｔ  Ｓｕｒｇ  １９９７；  ３８：５５３−６２  ＷＦＵ−２９
【非特許文献１９５】  Ｄａｖｙｄｏｖ  ＩＡ，  Ｌａｒｉｃｈｅｖ  ＡＢ，  Ｓｍｉｒｎｏｖ  ＡＰ，  Ｆｌｅｇｏｎｔｏｖ  ＶＢ．  Ｖａｋｕｕｍ−ｔｅｒａｐｉｉａ  ｖ  ｌｅｃｈｅｎｉｉ  ｏｓｔｒｙｋｈ  ｇｎｏｉｎｙｋｈ  ｚａｂｏｌｅｖａｎｉｉ  ｍｉａｇｋｉｋｈ  ｔｋａｎｅｉ  Ｉ  ｇｎｏｉｎｙｋｈ  ｒａｎ．  ［Ｖａｃｕｕｍ  ｔｈｅｒａｐｙ  ｏｆ  ａｃｕｔｅ  ｓｕｐｐｕｒａｔｉｖｅ  ｄｉｓｅａｓｅｓ  ｏｆ  ｓｏｆｔ  ｔｉｓｓｕｅｓ  ａｎｄ  ｓｕｐｐｕｒａｔｉｖｅ  ｗｏｕｎｄｓ］．  Ｒｕｓｓｉａｎ  Ｖｅｓｔｎｉｋ  Ｋｈｉｒｕｒｇｉｉ  Ｉｍｅｎｉ  Ｉ  −  Ｉ  −  Ｇｒｅｋｏｖａ  １９８８；  １４１：  ４３−６  ｗｉｔｈ  Ｅｎｇ．Ｔｒａｎｓ．  ＤＶ１０
【非特許文献１９６】  Ｄａｖｙｄｏｖ  ＩＡ，  Ａｂｒａｍｏｖ  Ａｌ，  Ｌａｒｉｃｈｅｖ  ＡＢ．  Ｖａｋｕｕｍ−ｔｅｒａｐｉｉａ  ｖ  ｐｒｅｄｕｐｒｅｚｈｄｅｎｉｉ  ｐｏｓｌｅｏｐｅｒａｔｓｉｏｎｎｏｉ  ｒａｎｅｖｏｉ  ｉｎｆｅｋｔｓｉｉ．  ［Ｖａｃｕｕｍ  ｔｈｅｒａｐｙ  ｉｎ  ｔｈｅ  ｐｒｅｖｅｎｔｉｏｎ  ｏｆ  ｐｏｓｔｏｐｅｒａｔｉｖｅ  ｗｏｕｎｄ  ｉｎｆｅｃｔｉｏｎ］．  Ｒｕｓｓｉａｎ  Ｖｅｓｔｎｉｋ  Ｋｈｉｒｕｒｇｉｉ  Ｉｍｅｎ  Ｉ  −  Ｉ  −  Ｇｒｅｋｏｖａ  １９９１；  １４７：９１−５，  ｗｉｔｈ  Ｅｎｇｌｉｓｈ  Ｔｒａｎｓｌａｔｉｏｎ．  ＤＶ１２
【非特許文献１９７】  ｌａｎｋｏｖ  ＮＩ．  Ｓｉｍｕｌｉａｔｓｉｉａ  ｋｏｎｓｏｌｉｄａｔｓｉｉ  ｐｅｒｅｌｏｍｏｖ  ｎｉｚｈｎｅｉ  ｃｈｅｌｉｕｓｔｉ  ｖａｋｔｕｕｍｎｏｉ  ｔｅｒａｐｉｅｉ．  ［Ｓｔｉｍｕｌａｔｉｏｎ  ｏｆ  ｃｏｎｓｏｌｉｄａｔｉｏｎ  ｏｆ  ｍａｎｄｉｂｕｌａｒ  ｆｒａｃｔｕｒｅｓ  ｂｙ  ｍｅａｎｓ  ｏｆ  ｖａｃｕｕｍ  ｔｈｅｒａｐｙ］  Ｒｕｓｓｉａｎ．  Ｓｔｏｍａｔｏｌｏｇｉｉａ  １９７１；  ５０：  ８６，  ｗｉｔｈ  Ｅｎｇ．  Ｔｒａｎｓ．  ＮＰＬ２１７
【非特許文献１９８】  Ｉｎｏｉａｔｏｖ  ＩＭ，  Ａｌｅｋｓａｎｄｒｏｖ  ＶＢ．  Ｌｅｃｈｅｎｉｅ  ｐｒｏｍｅｚｈｎｏｓｔｎｏｉ  ｒａｎｙ  ｐｏｓｌｅ  ａｍｐｕｔａｔｓｉｉ  ｐｒｉａｍｏｉ  ｋｉｓｈｋｉ  ｖａｋｕｕｍ−ａｓｐｉｒａｔｓｉｅｉ．  ［Ｖａｃｕｕｍ  ａｓｐｉｒａｔｉｏｎ  ｉｎ  ｔｈｅ  ｔｒｅａｔｍｅｎｔ  ｏｆ  ｔｈｅ  ｐｅｒｉｎｅａｌ  ｗｏｕｎｄ  ｆｏｌｌｏｗｉｎｇ  ｅｘｔｉｒｐａｔｉｏｎ  ｏｆ  ｔｈｅ  ｒｅｃｔｕｍ］．  Ｒｕｓｓｉａｎ．  Ｋｈｉｒｕｒｇｉｉａ  １９７１；  ４７：  ７４−８，  ｗｉｔｈ  Ｅｎｇｌｉｓｈ  Ｔｒａｎｓｌａｔｉｏｎ．  ＮＰＬ−２２０
【非特許文献１９９】  Ｋｏｃｈｎｅｖ  ＶＡ．  Ｐｒｉｍｅｎｅｎｉｅ  ｖａｋｕｕｍ−ｄｒｅｎａｚｈｎｏｉ  ｓｉｓｔｅｍｙ  ｄｌｉａ  ｐｒｏｆｉｌａｋｔｉｋｉ  ｐｏｓｌｅｏｐｅｒａｔｓｉｏｎｎｙｋｈ  ｒａｎｅｖｙｋｈ  ｏｓｌｏｚｈｎｅｎｉｉ  ｕ  ｂｏｌｎｙｋｈ  ｏｐｕｋｈｏｌｉａｍｉ．  ［Ｔｈｅ  ｕｓｅ  ｏｆ  ａ  ｖａｃｕｕｍ  ｄｒａｉｎａｇｅ  ｓｙｓｔｅｍ  ｉｎ  ｔｈｅ  ｐｒｅｖｅｎｔｉｏｎ  ｏｆ  ｐｏｓｔｏｐｅｒａｔｉｖｅ  ｗｏｕｎｄ  ｃｏｍｐｌｉｃａｔｉｏｎｓ  ｉｎ  ｔｕｍｏｒ  ｐａｔｉｅｎｔｓ］．  Ｒｕｓｓｉａｎ．  Ｖｏｐｒｏｓｙ  Ｏｎｋｏｌｏｇｉｉ  １９６７；  １３：１０２−５，  ｗ／Ｅｎｇ．  Ｔｒａｎｓ．  ＮＰＬ−２３９
【非特許文献２００】  Ｍｉｒａｚｉｍｏｖ  ＢＭ．  Ｓｖｏｂｏｄｎａｉａ  Ｋｏｚｈｎａｉｅ  ｐｌａｓｔｉｋａ  ｓｔｏｐｙ  ｓ  ｐｏｄｇｏｔｏｖｋｏｉ  ｒａｎｅｖｏｉ  ｐｏｖｅｒｋｈｎｏｓｔｉ  ｖａｋｕｍｉｒａｖａｎｉｅｍ  ［Ｆｒｅｅ  ｓｋｉｎ  ｇｒａｆｔ  ｏｆ  ｔｈｅ  ｆｏｏｔ  ｗｉｔｈ  ｖａｃｕｕｍ  ｐｒｅｐａｒａｔｉｏｎ  ｏｆ  ｔｈｅ  ｗｏｕｎｄ  ｓｕｒｆａｃｅ］．  Ｒｕｓｓｉａｎ．  Ｏｒｔｈｏｐｅｄｉｉａ  Ｔｒａｖｍａｔｏｌｏｇｉｉａ  Ｉ  Ｐｒｏｔｅｚｉｒｏｖａｎｉｅ  １９６６；２７：１９−２２，  ｗｉｔｈ  Ｅｎｇｌｉｓｈ  Ｔｒａｎｓｌａｔｉｏｎ．  ＮＰＬ−２９１
【非特許文献２０１】  Ｍｉｒａｚｉｍｏｖ  ＢＭ，  Ｖａｓｉｎａ  ＴＡ，  Ｍｅｚｈｅｒｉｃｈｅｒ  ＭＩ．  Ｍｉｋｒｏｆｌｏｒａ  ｄｌｉｔｅｌｎｏ  ｎｅｋａｚｈｉｖａｉｕｓｈｃｈｉｋｈ  ｒａｎ  ｉ  ｅｆｆｅｋｔｉｖｎｏｓｔ  ｍｅｔｏｄａ  ｖａｋｕｕｍｉｒｏｖａｎｉｉａ．  ［Ｍｉｃｒｏｆｌｏｒａ  ｏｆ  ｐｒｏｌｏｎｇｅｄ  ｎｏｎ−ｈｅａｌｉｎｇ  ｗｏｕｎｄｓ  ａｎｄ  ｔｈｅ  ｅｆｆｅｃｔｉｖｅｎｅｓｓ  ｏｆ  ｔｈｅ  ｖａｃｕｕｍ  ｅｖａｐｏｒａｔｉｖｅ  ｍｅｔｈｏｄ］．  Ｒｕｓｓｉａｎ．  Ｋｈｉｒｕｒｇｉｉａ  １９６７；  ４３：  ４０−３，  ｗｉｔｈ  Ｅｎｇｌｉｓｈ  Ｔｒａｎｓｌａｔｉｏｎ．  ＮＰＬ−２９０
【非特許文献２０２】  Ｍｉｒａｚｉｍｏｖ  ＢＭ．  Ｖｏｒｂｅｒｅｉｔｕｎｇ  ｖｏｎ  Ｗｕｎｄｅｎ  ｕｎｄ  Ｇｅｓｃｈｗｕｒｅｎ  ｚｕｒ  Ｈａｕｔｐｌａｓｔｉｋ  ｕｎｔｅｒ  Ａｎｗｅｎｄｕｎｇ  ｄｅｒ  Ｖａｋｕｕｍｉｅｒｕｎｇ  ［Ｐｒｅｐａｒａｔｉｏｎ  ｏｆ  ｗｏｕｎｄｓ  ａｎｄ  ａｂｃｅｓｓｅｓ  ｆｏｒ  ｄｅｒｍａｔｏｐｌａｓｔｙ  ｂｙ  ｍｅａｎｓ  ｏｆ  ａ  ｖａｃｕｕｍ  ｄｅｖｉｃｅ］．  Ｇｅｒｍａｎ．  Ｂｅｉｔｒａｇｅ  ｚｕｒ  Ｏｒｔｈｏｐａｄｉｅ  ｕｎｄ  Ｔｒａｕｍａｔｏｌｏｇｉｅ  １９６７；  １４：２２４−３０，  ｗｉｔｈ  Ｅｎｇ．  Ｔｒａｎｓｌａｔｉｏｎ．  ＮＰＬ−２９２
【非特許文献２０３】  Ｎｅｔｕｄｙｋｈａｔｋａ  ０．  Ｖｌｉｉａｎｉｅ  ｎｉｚｋｏｇｏ  ｄｏｚｉｒｏｖａｎｎｏｇｏ  ｖａｋｕｕｍａ  ｎａ  ｔｅｃｈｅｎｉｅ  ｒｅｐａｒａｔｉｖｎｏｇｏ  ｐｒｏｔｓｅｓｓａ  ｖ  ｋｏｓｔｎｏｉ  ｔｋａｎｉ  ［Ｅｆｆｅｃｔ  ｏｆ  ｌｏｗ  ｖａｃｕｕｍ  ｏｎ  ｔｈｅ  ｃｏｕｒｓｅ  ｏｆ  ｔｈｅ  ｒｅｐａｒａｔｉｖｅ  ｐｒｏｃｅｓｓ  ｉｎ  ｂｏｎｅ  ｔｉｓｓｕｅ］．  Ｒｕｓｓｉａｎ．  Ｖｏｐｒｏｓｙ  Ｋｕｒｏｒｔｏｌｏｇｉｉ，  Ｆｉｚｉｏｔｅｒａｐｉｉ  ｉ  Ｌｅｃｈｅｂｎｏｉ  Ｆｉｚｉｃｈｅｓｋｏｉ  Ｋｕｌｔｕｒｙ  １９７２；  ３７：４１１−５，  ｗ／Ｅｎｇ．  Ｔｒａｎｓ．  ＮＰＬ３１１
【非特許文献２０４】  Ｖｏｌｋｏｖ  ＬＡ．  Ｉｓｐｏｒｚｏｖａｎｉｅ  ｖａｋｕｕｍ−ｄｒｅｎａｚｈｎｏｉ  ｓｉｓｔｅｍｙ  ｖ  ｋｈｉｒｕｒｇｉｃｈｅｓｋｏｉ  ｐｒａｋｔｉｋｅ．  ［Ｕｓｅ  ｏｆ  ｖａｃｕｕｍ−ｄｒａｉｎａｇｅ  ｓｙｓｔｅｍ  ｉｎ  ｓｕｒｇｉｃａｌ  ｐｒａｃｔｉｃｅ］．  Ｒｕｓｓｉａｎ．  Ｋｌｉｎｉｃｈｅｓｋａｉａ  Ｋｈｉｒｕｒｇｉｉａ． １９７３；７：５４−５，  ｗｉｔｈ  Ｅｎｇｌｉｓｈ  Ｔｒａｎｓｌａｔｉｏｎ．  ＮＰＬ−４２３
【非特許文献２０５】  Ｔｅｄｅｒ  Ｈ，  Ｓａｎｄｅｎ  Ｇ，  Ｓｖｅｄｍａｎ  Ｐ．  Ｃｏｎｔｉｎｕｏｕｓ  Ｗｏｕｎｄ  Ｉｒｒｉｇａｔｉｏｎ  ｉｎ  ｔｈｅ  Ｐｉｇ．  Ｊ  Ｉｎｖｅｓｔ  Ｓｕｒｇ  １９９０；３：３９９−４０７  ＮＰＬ−４００
【非特許文献２０６】  Ｎａｋａｙａｍａ  Ｙ，  Ｔｏｍｏｔａｒｉ  Ｉ，  Ｓｏｅｄａ  Ｓ．  Ａ  Ｎｅｗ  Ｍｅｔｈｏｄ  ｆｏｒ  ｔｈｅ  Ｄｒｅｓｓｉｎｇ  ｏｆ  Ｆｒｅｅ  Ｓｋｉｎ  Ｇｒａｆｔｓ．  Ｐｌａｓｔ  Ｒｅｃｏｎｓｔｒ  Ｓｕｒｇ  １９９０；８６：１２１６−１２１９  ＮＰＬ−３０８
【非特許文献２０７】  Ｂｒｏｃｋ  ＷＢ，  Ｂａｒｋｅｒ  ＤＥ，  Ｂｕｒｎｓ  ＲＰ．  Ｔｅｍｐｏｒａｒｙ  Ｃｌｏｓｕｒｅ  ｏｆ  ｏｐｅｎ  ａｂｄｏｍｉｎａｌ  ｗｏｕｎｄｓ：  ｔｈｅ  ｖａｃｕｕｍ  ｐａｃｋ．  Ａｍｅｒ  Ｓｕｒｇ  １９９５；６１：３０−５  ＮＰＬ−０５９
【非特許文献２０８】  Ｓｈｅｉｎ  Ｍ，  Ｓａａｄｉａ  Ｒ，  Ｊａｍｅｓｏｎ  ＪＲ，  Ｄｅｃｋｅｒ  ＧＡＧ．  Ｔｈｅ  "ｓａｎｄｗｉｃｈ  ｔｅｃｈｎｉｑｕｅ"  ｉｎ  ｔｈｅ  Ｍａｎａｇｅｍｅｎｔ  ｏｆ  ｔｈｅ  Ｏｐｅｎ  Ａｂｄｏｍｅｎ．  Ｂｒ  Ｊ  Ｓｕｒｇ  １９８６；７３：３６９−７０  ＮＰＬ−３６３
【非特許文献２０９】  Ｂｒｏｏｍｅ  Ａ．  Ｈａｎｓｓｏｎ  Ｌ，  Ｌｕｎｄｇｒｅｎ  Ｆ，  Ｓｍｅｄｂｅｒｇ  Ｓ．  Ｏｐｅｎ  Ｔｒｅａｔｍｅｎｔ  ｏｆ  Ａｂｄｏｍｉｎａｌ  Ｓｅｐｔｉｃ  Ｃａｔａｓｔｒｏｐｈｉｅｓ．  Ｗｏｒｌｄ  Ｊ．  Ｓｕｒｇ  １９８３；７：７９２−６  ＮＰＬ−０６１
【非特許文献２１０】  Ｖａｔａｎａｓａｐｔ  Ｖ，  Ａｒｅｅｍｉｔ  Ｓ，  Ｊｅｅｒａｖｉｐｏｏｌｖａｒｎ  Ｐ，  ｅｔ  ａｌ．  Ｒｅｄ  ｒｕｂｂｅｒ  ｂｕｌｂ，  ｃｈｅａｐ  ａｎｄ  ｅｆｆｅｃｔｉｖｅ  ｖａｃｕｕｍ  ｄｒａｉｎａｇｅ．  Ｊｏｕｒｎａｌ  ｏｆ  ｔｈｅ  Ｍｅｄｉｃａｌ  Ａｓｓｏｃｉａｔｉｏｎ  ｏｆ  Ｔｈａｉｌａｎｄ  １９８９；７２：１９３−７  ＮＰＬ−４１７
【非特許文献２１１】  Ｂｒｕｍｍｅｌｋａｍｐ  ＷＨ，  Ｔａａｔ  ＣＷ，  Ｓｌｏｒｓ  ＪＦ．  Ｈｉｇｈ−ｖａｃｕｕｍ  ｄｒａｉｎａｇｅ  ａｎｄ  ｐｒｉｍａｒｙ  ｐｅｒｉｎｅａｌ  ｗｏｕｎｄ  ｃｌｏｓｕｒｅ  ｉｎ  ａｂｄｏｍｉｎｏｐｅｒｉｎｅａｌ  ｅｘｃｉｓｉｏｎ  ｏｆ  ｔｈｅ  ｒｅｃｔｕｍ．  Ｎｅｔｈｅｒｌａｎｄｓ  Ｊｏｕｒｎａｌ  ｏｆ  Ｓｕｒｇｅｒｙ  １９９１；４３：２３６−９ ＮＰＬ−０６３
【非特許文献２１２】  Ｍｏｒｙｋｗａｓ  Ｊ，  Ａｒｇｅｎｔａ  ＬＣ．  Ｎｏｎｓｕｒｇｉｃａｌ  ｍｏｄａｌｉｔｉｅｓ  ｔｏ  ｅｎｈａｎｃｅ  ｈｅａｌｉｎｇ  ａｎｄ  ｃａｒｅ  ｏｆ  ｓｏｆｔ  ｔｉｓｓｕｅ  ｗｏｕｎｄｓ．  Ｊｏｕｒｎａｌ  ｏｆ  ｔｈｅ  Ｓｏｕｔｈｅｒｎ  Ｏｒｔｈｏｐａｅｄｉｃ  Ａｓｓｏｃｉａｔｉｏｎ  １９９７；６：２７９−８８  ＷＦＵ−０４
【非特許文献２１３】  Ｓａｍｅｓ  ＣＰ．  Ｓｅａｌｉｎｇ  ｏｆ  ｗｏｕｎｄｓ  ｗｉｔｈ  ｖａｃｕｕｍ  ｄｒａｉｎａｇｅ  ［ｌｅｔｔｅｒ］  Ｂｒ  Ｍｅｄ  Ｊ  １９７７；２：１１２３  ＮＰＬ−３５３
【非特許文献２１４】  Ｇｒｅｅｒ  ＳＥ，  Ｌｏｎｇａｋｅｒ  ＭＴ，  Ｍａｒｇｉｏｔｔａ  Ｍ．  Ｐｒｅｌｉｍｉｎａｒｙ  Ｒｅｓｕｌｔｓ  ｆｒｏｍ  ａ  Ｍｕｌｔｉｃｅｎｔｅｒ，  Ｒａｎｄｏｍｉｚｅｄ，  Ｃｏｎｔｒｏｌｌｅｄ，  Ｓｔｕｄｙ  ｏｆ  ｔｈｅ  Ｕｓｅ  ｏｆ  Ｓｕｂａｔｍｏｓｐｈｅｒｉｃ  Ｐｒｅｓｓｕｒｅ  Ｄｒｅｓｓｉｎｇ  ｆｏｒ  Ｐｒｅｓｓｕｒｅ  Ｕｌｃｅｒ  Ｈｅａｌｉｎｇ．  Ｗｏｕｎｄ  Ｒｅｐａｉｒ  ａｎｄ  Ｒｅｇｅｎｅｒａｔｉｏｎ  １９９９；７：２５５  ＮＰＬ０８７
【非特許文献２１５】  Ｇｒｅｅｒ  ＳＥ，  Ｌｏｎｇａｋｅｒ  ＭＴ，  Ｍａｒｇｉｏｔｔａ  Ｍ，  Ｍａｔｔｈｅｗｓ  ＡＪ，  Ｋａｓａｂｉａｎ  Ａ．  Ｔｈｅ  Ｕｓｅ  ｏｆ  Ｓｕｂａｔｍｏｓｐｈｅｒｉｃ  Ｐｒｅｓｓｕｒｅ  Ｄｒｅｓｓｉｎｇ  ｆｏｒ  ｔｈｅ  Ｃｏｖｅｒａｇｅ  ｏｆ  Ｒａｄｉａｌ  Ｆｏｒｅａｒｍ  Ｆｒｅｅ  Ｆｌａｐ  Ｄｏｎｏｒ−Ｓｉｔｅ  Ｅｘｐｏｓｅｄ  Ｔｅｎｄｏｎ  Ｃｏｍｐｌｉｃａｔｉｏｎｓ．  Ａｎｎ  Ｐｌａｓｔ  Ｓｕｒｇ  １９９９；４３：５５１５５４  ＮＰＬ−１７９
【非特許文献２１６】  Ｇｒｅｅｒ  ＳＥ，  Ｄｕｔｈｉｅ  Ｅ，  Ｃａｒｔｏｌａｎｏ  Ｂ，  Ｋｏｅｈｌｅｒ  ＫＭ，  Ｍａｙｄｉｃｋ−Ｙｏｕｎｇｂｅｒｇ  Ｄ，  Ｌｏｎｇａｋｅｒ  ＭＴ．  Ｔｅｃｈｎｉｑｕｅｓ  ｆｏｒ  Ａｐｐｌｙｉｎｇ  Ｓｕｂａｔｍｏｓｐｈｅｒｉｃ  Ｐｒｅｓｓｕｒｅ  Ｄｒｅｓｓｉｎｇ  ｔｏ  Ｗｏｕｎｄｓ  ｉｎ  Ｄｉｆｆｉｃｕｌｔ  Ｒｅｇｉｏｎｓ  ｏｆ  Ａｎａｔｏｍｙ．  ＪＷＯＣＮ  １９９９；２６：２５０−３  ＮＰＬ−１７７
【非特許文献２１７】  Ｇｒｅｅｒ  ＳＥ，  Ｋａｓａｂｉａｎ  Ａ，  Ｔｈｏｒｎｅ  Ｃ，  Ｂｏｒｕｄ  Ｌ，  Ｓｉｍｓ  ＣＤ，  Ｈｓｕ  Ｍ．  Ｔｈｅ  Ｕｓｅ  ｏｆ  Ｓｕｂａｔｍｏｓｐｈｅｒｉｃ  Ｐｒｅｓｓｕｒｅ  Ｄｒｅｓｓｉｎｇ  ｔｏ  Ｓａｌｖａｇｅ  ａ  Ｇｕｓｔｉｌｏ  Ｇｒａｄｅ  ＩＩＩＢ  Ｏｐｅｎ  Ｔｉｂｉａ  Ｆｒａｃｔｕｒｅ  ｗｉｔｈ  Ｃｏｎｃｏｍｉｔａｎｔ  Ｏｓｔｅｏｍｙｅｌｉｔｉｓ  ａｎｄ  Ａｖｅｒｔ  ａ  Ｆｒｅｅ  Ｆｌａｐ．  Ａｎｎ  Ｐｌａｓｔ  Ｓｕｒｇ  １９９８；４１：６８７  ＮＰＬ−１７８
【非特許文献２１８】  Ｇｅｎｅｃｏｖ  ＤＧ，  Ｓｃｈｎｅｉｄｅｒ  ＡＭ，  Ｍｏｒｙｋｗａｓ  ＭＪ，  ｅｔ  ａｌ．  Ａ  Ｃｏｎｔｒｏｌｌｅｄ  ｓｕｂａｔｍｏｓｐｈｅｒｉｃ  ｐｒｅｓｓｕｒｅ  ｄｒｅｓｓｉｎｇ  ｉｎｃｒｅａｓｅｓ  ｔｈｅ  ｒａｔｅ  ｏｆ  ｓｋｉｎ  ｇｒａｆｔ  ｄｏｎｏｒ  ｓｉｔｅ  ｒｅｅｐｉｔｈｅｌｉａｌｉｚａｔｉｏｎ．  Ａｎｎ  Ｐｌａｓｔ  Ｓｕｒｇ  １９９８；４０：２１９−２５  ＷＦＵ−２８
【非特許文献２１９】  Ｍｅｎｄｅｚ−Ｅａｓｔｍａｎ  Ｓ．  Ｎｅｇａｔｉｖｅ  ｐｒｅｓｓｕｒｅ  ｗｏｕｎｄ  ｔｈｅｒａｐｙ．  Ｐｌａｓｔｉｃ  Ｓｕｒｇｉｃａｌ  Ｎｕｒｓｉｎｇ  １９９８；１８：２７−９，  ３３−３７  ＮＰＬ−２７７
【非特許文献２２０】  Ｂａｎｗｅｌｌ  Ｐ．  Ｗｉｔｈｅｙ  Ｓ，  Ｈｏｌｔｅｎ  Ｉ．  Ｔｈｅ  ｕｓｅ  ｏｆ  ｎｅｇａｔｉｖｅ  ｐｒｅｓｓｕｒｅ  ｔｏ  ｐｒｏｍｏｔｅ  ｈｅａｌｉｎｇ  ［ｌｅｔｔｅｒ；  ｃｏｍｍｅｎｔ］．  Ｂｒｉｔ  Ｊ  Ｐｌａｓｔ  Ｓｕｒｇ  １９９８；５１：７９  ＮＰＬ−０３３
【非特許文献２２１】  Ｂｌａｃｋｂｕｒｎ  Ｊ  Ｈ  Ｂｏｅｍｉ  Ｌ，  Ｈａｌｌ  ＷＷ．  ｅｔ  ａｌ．  Ｎｅｇａｔｉｖｅ−ｐｒｅｓｓｕｒｅ  ｄｒｅｓｓｉｎｇｓ  ａｓ  ａ  ｂｏｌｓｔｅｒ  ｆｏｒ  ｓｋｉｎ  ｇｒａｆｔｓ．  Ａｎｎ  Ｐｌａｓｔ  Ｓｕｒｇ  １９９８；４０：４５３−７  ＮＰＬ−０４９
【非特許文献２２２】  Ｓｍｉｔｈ  ＬＡ，  Ｂａｒｋｅｒ  ＤＥ，  Ｃｈａｓｅ  ＣＷ，  ｅｔ  ａｌ．  Ｖａｃｕｕｍ  Ｐａｃｋ  Ｔｅｃｈｎｉｑｕｅ  ｏｆ  Ｔｅｍｐｏｒａｒｙ  Ａｂｄｏｍｉｎａｌ  Ｃｌｏｓｕｒｅ：  Ａ  Ｆｏｕｒ−Ｙｅａｒ  Ｅｘｐｅｒｉｅｎｃｅ．  Ａｍｅｒ  Ｓｕｒｇ  １９９７；６３：１１０２−８  ＮＰＬ３７８
【非特許文献２２３】  ＭｃＣｕｌｌｏｃｈ  ＪＭ，  Ｋｅｍｐｅｒ  ＣＣ．  Ｖａｃｕｕｍ−Ｃｏｍｐｒｅｓｓｉｏｎ  Ｔｈｅｒａｐｙ  ｆｏｒ  ｔｈｅ  Ｔｒｅａｔｍｅｎｔ  ｏｆ  ａｎ  ｌｓｃｈｅｍｉｃ  Ｕｌｃｅｒ．  Ｐｈｙｓｉｃａｌ  Ｔｈｅｒａｐｙ  １９９３；７３：１６５−９  ＮＰＬ−２７０
【非特許文献２２４】  Ｍｕｌｉｎｅｒ  Ｔ，  Ｍｒｋｏｎｊｉｃ  Ｌ，  Ｋｗａｓｎｙ  ０，  Ｖｅｃｓｅｉ  Ｖ．  Ｔｈｅ  ｕｓｅ  ｏｆ  ｎｅｇａｔｉｖｅ  ｐｒｅｓｓｕｒｅ  ｔｏ  ｐｒｏｍｏｔｅ  ｔｈｅ  ｈｅａｌｉｎｇ  ｏｆ  ｔｉｓｓｕｅ  ｄｅｆｅｃｔｓ：  ａ  ｃｌｉｎｉｃａｌ  ｔｒｉａｌ  ｕｓｉｎｇ  ｔｈｅ  ｖａｃｕｕｍ  ｓｅａｌｉｎｇ  ｔｅｃｈｎｉｑｕｅ  ［ｓｅｅ  ｃｏｍｍｅｎｔｓ］．  Ｂｒｉｔ  Ｊ  Ｐｌａｓｔ  Ｓｕｒｇ  １９９７；５０：１９４−９  ＮＰＬ−３０２
【非特許文献２２５】  Ｍｉｒａｚｉｍｏｖ，  Ｂ．Ｍ．：  Ｆｒｅｅ  Ｓｋｉｎ  Ｇｒａｆｔｉｎｇ  ｏｆ  Ｗｏｕｎｄｓ  ａｎｄ  Ｕｌｃｅｒｓ  ｕｓｉｎｇ  ｔｈｅ  "Ｖａｃｕｕｍ  Ｔｒｅａｔｍｅｎｔ"  Ｍｅｔｈｏｄ．  ［Ｏｒｔｈｏｐ．  Ｔｒａｖｍａｔｏｌ．  Ｐｒｏｔｅｚ．，  ２８（１）：５４−５８．］  ｗｉｔｈ  Ｅｎｇｌｉｓｈ  Ｔｒａｎｓ．  １９６７  ＮＰＬ−２９３
【非特許文献２２６】  Ｇｒｅｅｒ，  Ｓｔｅｖｅｎ  Ｅ．，  "Ｗｈｉｔｈｅｒ  Ｓｕｂａｔｍｏｓｐｈｅｒｉｃ  Ｐｒｅｓｓｕｒｅ  Ｄｒｅｓｓｉｎｇ？"  Ｔｈｅ  Ｉｎｓｔｉｔｕｔｅ  ｏｆ  Ｒｅｃｏｎｓｔｒｕｃｔｉｖｅ  Ｐｌａｓｔｉｃ  Ｓｕｒｇｅｒｙ，  Ｔｈｅ  Ｎｅｗ  Ｙｏｒｋ  Ｕｎｉｖｅｒｓｉｔｙ  Ｍｅｄｉｃａｌ  Ｃｅｎｔｅｒ，  Ｎｅｗ  Ｙｏｒｋ，  ＮＹ  Ａｐｒｉｌ  Ｉｓｓｕｅ  ｏｆ  Ａｎｎａｌｓ  ｏｆ  Ｐｌａｓｔｉｃ  Ｓｕｒｇｅｒｙ  ２０００．  ＮＰＬ−１８０
【非特許文献２２７】  Ｒｅｇｉｓｔｒａｔｉｏｎ  Ｎｕｍｂｅｒ  １９８２３４９．  Ｏｗｎｅｒ，  ＫＣＩ  Ｉｎｃ．，  ３４４０  Ｅ．  Ｈｏｕｓｔｏｎ  Ｓｔｒｅｅｔ  Ｓａｎ  Ａｎｔｏｎｉｏ  ＴＥＸＡＳ  ７８２１９．  Ｓｏｕｒｃｅ：  Ｕｎｉｔｅｄ  Ｓｔａｔｅｓ  Ｐａｔｅｎｔ  ａｎｄ  Ｔｒａｄｅｍａｒｋ  Ｏｆｆｉｃｅ  ｏｆｆｉｃｉａｌ  ｗｅｂｓｉｔｅ．  Ｆｉｌｉｎｇ  ｄａｔｅ  ０５／０１／１９９５  Ｒｅｇｉｓｔｒａｔｉｏｎ  Ｄａｔｅ  ０６／２５／１９９６  ＮＰＬ−３４４
【非特許文献２２８】  Ｈｉｄｄｅｎ  Ｉｎｔｅｒｅｓｔ  -  Ａ  Ｓｐｅｃｉａｌ  Ｒｅｐｏｒｔ．；  Ｗｈｅｎ  Ｐｈｙｓｉｃｉａｎｓ  Ｄｏｕｂｌｅ  ａｓ  Ｅｎｔｒｅｐｒｅｎｅｕｒｓ．  Ｔｈｅ  Ｎｅｗ  Ｙｏｒｋ  Ｔｉｍｅｓ．  ｌｌｐｐ．  Ｎｏｖｅｍｂｅｒ  ３０，  １９９９  ＮＰＬ−１３３
【非特許文献２２９】  Ｄｅｆｒａｎｚｏ，  Ａｎｔｈｏｎｙ  Ｊ．，  ｅｔ  ａｌ．，  "Ｖａｃｕｕｍ−Ａｓｓｉｓｔｅｄ  Ｃｌｏｓｕｒｅ  ｆｏｒ  ｔｈｅ  Ｔｒｅａｔｍｅｎｔ  ｏｆ  Ｄｅｇｌｏｖｉｎｇ  Ｉｎｊｕｒｉｅｓ．"  Ｐｌａｓｔｉｃ  ａｎｄ  Ｒｅｃｏｎｓｔｒｕｃｔｉｖｅ  Ｓｕｒｇｅｒｙ  １０４  （７）  ２１４５−４８：  （１９９９）．  ＷＦＵ−３５
【非特許文献２３０】  Ｍｏｒｙｋｗａｓ，  Ｍｉｃｈａｅｌ  Ｊ．，  ｅｔ  ａｌ．，  "Ｕｓｅ  ｏｆ  Ｓｕｂａｔｍｏｓｐｈｅｒｉｃ  Ｐｒｅｓｓｕｒｅ  ｔｏ  Ｐｒｅｖｅｎｔ  Ｐｒｏｇｒｅｓｓｉｏｎ  ｏｆ  Ｐａｒｔｉａｌ−Ｔｈｉｃｋｎｅｓｓ  Ｂｕｒｎｓ  ｉｎ  ａ  Ｓｗｉｎｅ  Ｍｏｄｅｌ"．  Ｊｏｕｒｎａｌ  ｏｆ  Ｂｕｒｎ  Ｃａｒｅ  &  Ｒｅｈａｂｉｌｉｔａｔｉｏｎ  ２０  （１  Ｐａｒｔ  １）：  １５−２１  （１９９９）  ＷＦＵ−０３
【非特許文献２３１】  Ｓｃｈｎｅｉｄｅｒ，  Ａｎｄｒｅｗ  Ｍ．，  ｅｔ  ａｌ．，  "Ａ  Ｎｅｗ  ａｎｄ  Ｒｅｌｉａｂｌｅ  Ｍｅｔｈｏｄ  ｏｆ  Ｓｅｃｕｒｉｎｇ  Ｓｋｉｎ  Ｇｒａｆｔｓ  ｔｏ  ｔｈｅ  Ｄｉｆｆｉｃｕｌｔ  Ｒｅｃｉｐｉｅｎｔ  Ｂｅｄ"．  Ｐｌａｓｔｉｃ  ａｎｄ  Ｒｅｃｏｎｓｔｒｕｃｔｉｖｅ  Ｓｕｒｇｅｒｙ  １０２（４）  １１９５−９８  （１９９８）．  ＷＦＵ−３０
【非特許文献２３２】  Ｒｏｓｓｅｒ，  Ｃｈａｒｌｅｓ  Ｊ．，  ｅｔ  ａｌ．，  "Ａ  Ｎｅｗ  Ｔｅｃｈｎｉｑｕｅ  ｔｏ  Ｍａｎａｇｅ  Ｐｅｒｉｎｅａｌ  Ｗｏｕｎｄｓ"．  Ｉｎｆｅｃｔｉｏｎｓ  ｉｎ  Ｕｒｏｌｏｇｙ  １３（２）  ４５−４７，  ５６  （２０００）．  ＷＦＵ−３４
【非特許文献２３３】  Ｐｈｉｌｂｅｃｋ，  Ｔｈｏｍａｓ  Ｅ．，  ｅｔ  ａｌ．，  "Ｔｈｅ  Ｃｌｉｎｉｃａｌ  ａｎｄ  Ｃｏｓｔ  Ｅｆｆｅｃｔｉｖｅｎｅｓｓ  ｏｆ  Ｅｘｔｅｒｎａｌｌｙ  Ａｐｐｌｉｅｄ  Ｎｅｇａｔｉｖｅ  Ｐｒｅｓｓｕｒｅ  Ｗｏｕｎｄ  Ｔｈｅｒａｐｙ  ｉｎ  ｔｈｅ  Ｔｒｅａｔｍｅｎｔ  ｏｆ  Ｗｏｕｎｄｓ  ｉｎ  Ｈｏｍｅ  Ｈｅａｌｔｈｃａｒｅ  Ｍｅｄｉｃａｒｅ  Ｐａｔｉｅｎｔｓ"．  Ｏｓｔｏｍｙ／Ｗｏｕｎｄ  Ｍａｎａｇｅｍｅｎｔ  ４５（１１）  ４１−４４，  ４６５０  （１９９９）．  ＮＰＬ−３３０
【非特許文献２３４】  Ｍｅａｒａ，  Ｊｏｈｎ  Ｇ．，  ｅｔ  ａｌ．，  "  Ｖａｃｕｕｍ−Ａｓｓｉｓｔｅｄ  Ｃｌｏｓｕｒｅ  ｉｎ  ｔｈｅ  Ｔｒｅａｔｍｅｎｔ  ｏｆ  Ｄｅｇｌｏｖｉｎｇ  Ｉｎｊｕｒｉｅｓ"．  Ａｎｎａｌｓ  ｏｆ  Ｐｌａｓｔｉｃ  Ｓｕｒｇｅｒｙ  ４２（６）  ５８９−５９４  （１９９９）．  ＮＰＬ−２７３
【非特許文献２３５】  Ｏｂｄｅｉｊｎ，  Ｍｉｒｙａｍ  Ｃ．，  ｅｔ  ａｌ．，  "Ｖａｃｕｕｍ−Ａｓｓｉｓｔｅｄ  Ｃｌｏｓｕｒｅ  ｉｎ  ｔｈｅ  Ｔｒｅａｔｍｅｎｔ  ｏｆ  Ｐｏｓｔｓｔｅｒｎｏｔｏｍｙ  Ｍｅｄｉａｓｔｉｎｉｔｉｓ"．  Ａｎｎ  Ｔｈｏｒａｃ  Ｓｕｒｇｅｒｙ  ６８  ２３５８−６０  （１９９９）．  ＮＰＬ３１５
【非特許文献２３６】  Ｍｅｎｄｅｚ−Ｅａｓｔｍａｎ，  Ｓｕｓａｎ．，  "Ｗｈｅｎ  ｗｏｕｎｄｓ  ｗｏｎｔ  ｈｅａｌ"．  ＲＮ  ２０−２４  （１９９８）  ＮＰＬ２８２
【非特許文献２３７】  Ｈａｒｔｎｅｔｔ，  Ｊａｃｑｕｅｌｉｎｅ  Ｍ．，  "Ｕｓｅ  ｏｆ  Ｖａｃｕｕｍ−Ａｓｓｉｓｔｅｄ  Ｗｏｕｎｄ  Ｃｌｏｓｕｒｅ  ｉｎ  Ｔｈｒｅｅ  Ｃｈｒｏｎｉｃ  Ｗｏｕｎｄｓ"． ＪＷＯＣＮ  ２５  （６）  ２８１−２９０  （１９９８）．  ＮＰＬ−１９５
【非特許文献２３８】  Ｍｅｎｄｅｚ−Ｅａｓｔｍａｎ，  Ｓｕｓａｎ．，  "Ｕｓｅ  ｏｆ  Ｈｙｐｅｒｂａｒｉｃ  Ｏｘｙｇｅｎ  ａｎｄ  Ｎｅｇａｔｉｖｅ  Ｐｒｅｓｓｕｒｅ  Ｔｈｅｒａｐｙ  ｉｎ  ｔｈｅ  Ｍｕｌｔｉｄｉｓｃｉｐｌｉｎａｒｙ  Ｃａｒｅ  ｏｆ  ａ  Ｐａｔｉｅｎｔ  ｗｉｔｈ  Ｎｏｎｈｅａｌｉｎｇ  Ｗｏｕｎｄｓ"．  ＪＷＯＣＮ  ２６（２）  ６７−７６  （１９９９）．  ＮＰＬ−２８１
【非特許文献２３９】  Ｍｅｎｄｅｚ−Ｅａｓｔｍａｎ，  Ｓｕｓａｎ．，  "Ｕｓｅ  ｏｆ  Ｈｙｐｅｒｂａｒｉｃ  Ｏｘｙｇｅｎ  ａｎｄ  Ｎｅｇａｔｉｖｅ  Ｐｒｅｓｓｕｒｅ  Ｔｈｅｒａｐｙ  ｉｎ  ｔｈｅ  Ｍｕｌｔｉｄｉｓｃｉｐｌｉｎａｒｙ  Ｃａｒｅ  ｏｆ  ａ  Ｐａｔｉｅｎｔ  ｗｉｔｈ  Ｎｏｎｈｅａｌｉｎｇ  Ｗｏｕｎｄｓ"．  ＪＷＯＣＮ  ２６（２）  ６７−７６  （１９９９）．  ＮＰＬ−２８１
【非特許文献２４０】  Ｄａｖｙｄｏｖ，  ｅｔ  ａｌ．，  "Ｐａｔｈｅｎｏｇｅｎｉｃ  ｍｅｃｈａｎｉｓｍ  ｏｆ  ｔｈｅ  ｅｆｆｅｃｔ  ｏｆ  ｖａｃｕｕｍ  ｔｈｅｒａｐｙ  ｏｎ  ｔｈｅ  ｃｏｕｒｓｅ  ｏｆ  ｔｈｅ  ｗｏｕｎｄ  ｐｒｏｃｅｓｓ"．  Ｋｈｉｒｕｒｇｉｉａ，  Ｊｕｎｅ  １９９０  （ｗｉｔｈ  Ｅｎｇｌｉｓｈ  ｔｒａｎｓｌａｔｉｏｎ）． ＤＶ１３
【非特許文献２４１】  Ｄａｖｙｄｏｖ，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ｓｕｐｐｕｒａｔｉｖｅ  ｌａｃｔａｔｉｏｎ  ｍａｓｔｉｔｉｓ"．  Ｖｅｓｔｎ．  Ｋｈｉｒ．，  Ｎｏｖ．  １９８６  （ｗｉｔｈ  Ｅｎｇｌｉｓｈ  ｔｒａｎｓｌａｔｉｏｎ）．  ＤＶ８
【非特許文献２４２】  Ｄａｖｙｄｏｖ，  ｅｔ  ａｌ．，  "Ｂａｃｔｅｒｉｏｌｏｇｉｃａｌ  ａｎｄ  ｃｙｔｏｌｏｇｉｃａｌ  ｅｖａｌｕａｔｉｏｎ  ｏｆ  ｔｈｅ  ｖａｃｕｕｍ  ｔｈｅｒａｐｙ  ｏｆ  ｓｕｐｐｕｒａｔｉｖｅ  ｗｏｕｎｄｓ"．  Ｖｅｓｔｎ．  Ｋｈｉｒ．，  Ｏｃｔ．  １９８８  （ｗｉｔｈ  Ｅｎｇｌｉｓｈ  ｔｒａｎｓｌａｔｉｏｎ）．  ＤＶ２
【非特許文献２４３】  Ｄａｖｙｄｏｖ，  ｅｔ  ａｌ．，  "Ｂａｓｉｓ  ｏｆ  ｔｈｅ  ｕｓｅ  ｏｆ  ｆｏｒｃｅｄ  ｅａｒｌｙ  ｓｅｃｏｎｄａｒｙ  ｓｕｔｕｒｅ  ｉｎ  ｔｈｅ  ｔｒｅａｔｍｅｎｔ  ｏｆ  ｓｕｐｐｕｒａｔｉｖｅ  ｗｏｕｎｄｓ  ｂｙ  ｔｈｅ  ｖａｃｕｕｍ  ｔｈｅｒａｐｙ  ｍｅｔｈｏｄ"．  Ｖｅｓｔｎ．  Ｋｈｉｒ．，  Ｍａｒ．  １９９０  （ｗｉｔｈ  Ｅｎｇｌｉｓｈ  ｔｒａｎｓｌａｔｉｏｎ）．  ＤＶ１
【非特許文献２４４】  Ｂｏｒｚｏｖ，  ｅｔ  ａｌ．，  "Ｖａｃｕｕｍ  ｔｈｅｒａｐｙ  ｏｆ  ｓｏｍｅ  ｓｋｉｎ  ｄｉｓｅａｓｅｓ"．  Ｖｅｓｔｎ．  Ｄｅｒｍａｔｏｌ．  Ｖｅｎｅｒｏｌ．，  Ａｕｇ．  １９６５  （ｗｉｔｈ  Ｅｎｇｌｉｓｈ  ｔｒａｎｓｌａｔｉｏｎ）．  ＮＰＬ−０５５
【非特許文献２４５】  Ｍ．Ｊ．  Ｍｏｒｙｋｗａｓ  ａｎｄ  Ｌ．Ｃ．  Ａｒｇｅｎｔａ，  "Ｔｅｃｈｎｉｑｕｅｓ  ｉｎ  Ｕｓｅ  ｏｆ  Ｖ．Ａ．Ｃ．  Ｔｒｅａｔｍｅｎｔ  （ｉｎ  Ｅｎｇｌｉｓｈ）"，  Ａｃｔａ  Ｃｈｉｒ．  Ａｕｓｔｒｉａｃａ  Ｓｕｐｐｌｅｍｅｎｔ  Ｎｒ．  １５０，  １９９８，  ｐ．  ３−４  ｏｆ  ２−２８．  ＷＦＵ０２
【非特許文献２４６】  Ｇａｒｃｉａ−Ｒｉｎａｌｄｉ，  ｅｔ  ａｌ．，  "Ｉｍｐｒｏｖｉｎｇ  ｔｈｅ  Ｅｆｆｉｃｉｅｎｃｙ  ｏｆ  Ｗｏｕｎｄ  Ｄｒａｉｎａｇｅ  Ｃａｔｈｅｔｅｒｓ"，  Ｊ．  Ｓｕｒｇ．，  １９７５，  ｐｐ．  ３７２−３７３．  ＮＰＬ−１６９
【非特許文献２４７】  Ｒａｆｆｌ，  ｅｔ  ａｌ．  "Ｔｈｅ  Ｆｉｖｅ  Ｙｅａｒ  Ｓｕｒｖｉｖａｌ  Ｒａｔｅ  ｆｏｒ  Ｇａｓｔｒｉｃ  Ｃａｎｃｅｒ：  Ｓｔａｔｉｓｔｉｃａｌ  Ｓｔｕｄｙ  ｆｒｏｍ  Ｓｙｒａｃｕｓｅ  Ｍｅｄｉｃａｌ  Ｃｅｎｔｅｒ"，  Ｃａｎｃｅｒ，  ６：７５６−７５９，  Ｊｕｌｙ  １９５３．  ＮＰＬ−３３９
【非特許文献２４８】  Ｒａｆｆｌ，  ｅｔ  ａｌ．，  "Ｔｈｅ  Ｕｓｅ  ｏｆ  Ｎｅｇａｔｉｖｅ  Ｐｒｅｓｓｕｒｅ  Ｕｎｄｅｒ  Ｓｋｉｎ  Ｆｌａｐｓ  Ａｆｔｅｒ  Ｒａｄｉｃａｌ  Ｍａｓｔｅｃｔｏｍｙ，  Ａｎｎ．  Ｓｕｒｇ．  １３６：  １０４８，  Ｄｅｃｅｍｂｅｒ，  １９５２．  ＮＰＬ−３４０
【非特許文献２４９】  Ｍａｒｉｅ  Ｋｎｉｇｈｔ，  "Ａ  Ｓｅｃｏｎｄ  Ｓｋｉｎ  ｆｏｒ  Ｐａｔｉｅｎｔｓ  ｗｉｔｈ  Ｌａｒｇｅ  Ｄｒａｉｎａｇｅ  Ｗｏｕｎｄｓ，"  Ｎｕｒｓｉｎｇ  ６（１）  ｐ．  ３７，  １９７６．  ＮＰＬ−２３８
【非特許文献２５０】  Ｏｓｃａｒ  Ｒａｍｉｒｅｚ，  "Ｏｐｔｉｍａｌ  Ｗｏｕｎｄ  Ｈｅａｌｉｎｇ  ｕｎｄｅｒ  Ｏｐ−Ｓｉｔｅ  Ｄｒｅｓｓｉｎｇ"  Ｐｌａｓ．  &  Ｒｅｃｏｎ．  Ｓｕｒｇ．，  ７３（３）：  ４７４−４７５；  １９８４．  ＮＰＬ−３４１
【非特許文献２５１】  Ｈｅｌｅｎ  Ｂｉｂｌｅｈｅｉｎｅｒ，  "Ｄｅａｌｉｎｇ  ｗｉｔｈ  ａ  Ｗｏｕｎｄ  ｔｈａｔ  Ｄｒａｉｎｓ  １．５  Ｌｉｔｅｒｓ  ｐｅｒ  Ｄａｙ，"  ＲＮ  Ａｕｇｕｓｔ  １９８６．  ＮＰＬ−０４６
【非特許文献２５２】  Ｐｅｔｅｒ  Ｓｃｈｗａｂ，  "Ｐｒｉｍａｒｙ  Ｃｌｏｓｕｒｅ  ｏｆ  ｔｈｅ  Ｐｅｒｉｎｅａｌ  Ｗｏｕｎｄ  Ａｆｔｅｒ  Ｐｒｏｃｔｅｃｔｏｍｙ"  Ｍａｙｏ  Ｃｌｉｎ．  Ｐｒｏｃ．，  Ｍａｒｃｈ  １９７４，  Ｖｏｌ．  ４９．  ＮＰＬ−３６２
【非特許文献２５３】  ＳＶＥＤＭＡＮ，  Ｐ．，  ｅｔ  ａｌ．，  "Ｓｔａｐｈｙｌｏｃｏｃｃａｌ  ｗｏｕｎｄ  ｉｎｆｅｃｔｉｏｎ  ｉｎ  ｔｈｅ  ｐｉｇ：  Ｐａｒｔ  Ｉ．  Ｃｏｕｒｓｅ，"  Ａｎｎ．  Ｐｌａｓｔ．  Ｓｕｒｇ．，  ２３（３）：２１２−２１８，  （Ｓｅｐｔｅｍｂｅｒ  １９８９）．  ＮＰＬ−６８４
【非特許文献２５４】  ＳＡＮＤＥＮ，  Ｇ．，  ｅｔ  ａｌ．，  "Ｓｔａｐｈｙｌｏｃｏｃｃａｌ  ｗｏｕｎｄ  ｉｎｆｅｃｔｉｏｎ  ｉｎ  ｔｈｅ  ｐｉｇ：  Ｐａｒｔ  ＩＩ．  Ｉｎｏｃｕｌａｔｉｏｎ，  ｑｕａｎｔｉｆｉｃａｔｉｏｎ  ｏｆ  ｂａｃｔｅｒｉａ，  ａｎｄ  ｒｅｐｒｏｄｕｃｉｂｉｌｉｔｙ，"  Ａｎｎ．  Ｐｌａｓｔ．  Ｓｕｒｇ．，  ２３（３）：２１９−２２３，  （Ｓｅｐｔｅｍｂｅｒ  １９８９）．  ＮＰＬ−６８５
【非特許文献２５５】  Ａｖｅｒｙ，  Ｃ．，  ｅｔ  ａｌ．，  "Ｎｅｇａｔｉｖｅ  ｐｒｅｓｓｕｒｅ  ｗｏｕｎｄ  ｄｒｅｓｓｉｎｇ  ｏｆ  ｔｈｅ  ｒａｄｉａｌ  ｆｏｒｅａｒｍ  ｄｏｎｏｒ  ｓｉｔｅ"，  
Ｉｎｔｅｒｎａｔｉｏｎａｌ  Ｊｏｕｒｎａｌ  ｏｆ  Ｏｒａｌ  Ｍａｘｉｌｌｏｆａｃｉａｌ  Ｓｕｒｇｅｒｙ，  ２０００；  ２９，  ｐｇｓ．  １９８−２００．  ＮＰＬ−０２４
【非特許文献２５６】  Ａｒｍｓｔｒｏｎｇ，  Ｄａｖｉｄ  Ｇ．，  ｅｔ  ａｌ．，  "Ｏｕｔｃｏｍｅｓ  ｏｆ  Ｓｕｂａｔｍｏｓｐｈｅｒｉｃ  Ｐｒｅｓｓｕｒｅ  Ｄｒｅｓｓｉｎｇ  Ｔｈｅｒａｐｙ  ｏｎ  Ｗｏｕｎｄｓ  ｏｆ  ｔｈｅ  Ｄｉａｂｅｔｉｃ  Ｆｏｏｔ"，  Ｏｓｔｏｍｙ／Ｗｏｕｎｄ  Ｍａｎａｇｅｍｅｎｔ  ２００２；  ４８（４）：  ６４−６８．  ＮＰＬ−０１９
【非特許文献２５７】  Ｂｒｏｗｎ，  Ｋａｒｅｎ  Ｍ．，  ｅｔ  ａｌ．，  "Ｖａｃｕｕｍ−Ａｓｓｉｓｔｅｄ  Ｃｌｏｓｕｒｅ  ｉｎ  ｔｈｅ  Ｔｒｅａｔｍｅｎｔ  ｏｆ  ａ  ９−Ｙｅａｒ−Ｏｌｄ  Ｃｈｉｌｄ  ｗｉｔｈ  Ｓｅｖｅｒｅ  ａｎｄ  Ｍｕｌｔｉｐｌｅ  Ｄｏｇ  Ｂｉｔｅ  Ｉｎｊｕｒｉｅｓ  ｏｆ  ｔｈｅ  Ｔｈｏｒａｘ"，  Ｓｏｃｉｅｔｙ  ｏｆ  Ｔｈｏｒａｃｉｃ  Ｓｕｒｇｅｏｎｓ，  ２００１；  ７２：１４０９−１４１０．  ＮＰＬ−０６２
【非特許文献２５８】  Ｃａｔａｒｉｎｏ，  Ｐｅｄｒｏ  Ａ．，  ｅｔ  ａｌ．，  "Ｈｉｇｈ−Ｐｒｅｓｓｕｒｅ  Ｓｕｃｔｉｏｎ  Ｄｒａｉｎａｇｅ  ｖｉａ  ａ  Ｐｏｌｙｕｒｅｔｈａｎｅ  Ｆｏａｍ  ｉｎ  ｔｈｅ  
Ｍａｎａｇｅｍｅｎｔ  ｏｆ  Ｐｏｓｔｓｔｅｒｎｏｔｏｍｙ  Ｍｅｄｉａｓｔｉｎｉｔｉｓ"，  Ａｎｎ  Ｔｈｏｒａｃ  Ｓｕｒｇ  ２０００；  ７０：１８９１−５．  ＮＰＬ−０７１
【非特許文献２５９】  Ｍｅｎｄｅｚ−Ｅａｓｔｍａｎ，  Ｓｕｓａｎ，  ＲＮ，  ＣＰＳＮ，  ＣＷＣＮ，  Ｃｌｉｎｉｃａｌ  Ｍａｎａｇｅｍｅｎｔ  Ｅｘｔｒａ，  Ｇｕｉｄｅｌｉｎｅｓ  ｆｏｒ  Ｕｓｉｎｇ  Ｎｅｇａｔｉｖｅ  Ｐｒｅｓｓｕｒｅ  Ｗｏｕｎｄ  Ｔｈｅｒａｐｙ，  Ａｄｖａｎｃｅｓ  ｉｎ  Ｓｋｉｎ  &  Ｗｏｕｎｄ  Ｃａｒｅ，  Ｎｏｖｅｍｂｅｒ／Ｄｅｃｅｍｂｅｒ  ２００１，  Ｖｏｌ．  １４，  Ｎｏ．  ６，  ｐ．  ３１４−３２３．  ＮＰＬ−２７８，  ＮＰＬ−６８６
【非特許文献２６０】  Ｃｏｏｐｅｒ，  Ｓｕｓａｎ  Ｍａｒｙ，  "Ｔｏｐｉｃａｌ  ｎｅｇａｔｉｖｅ  ｐｒｅｓｓｕｒｅ  ｉｎ  ｔｈｅ  ｔｒｅａｔｍｅｎｔ  ｏｆ  ｐｒｅｓｓｕｒｅ  ｕｌｃｅｒｓ"，  Ｌｅｔｔｅｒｓ  ｐｏｓｔｅｄ  ｉｎ  ｔｈｅ  Ｊｏｕｒｎａｌ  ｏｆ  ｔｈｅ  Ａｍｅｒｉｃａｎ  Ａｃａｄ  ｏｆ  Ｄｅｒｍａｔｏｌｏｇｙ，  Ａｕｇｕｓｔ，  Ｐａｒｔ  １，  １９９９，  ｐ．  ２８０．  ＮＰＬ０９９
【非特許文献２６１】  Ｄａｖｙｄｏｖ，  Ｉ．Ａ．，  ｅｔ  ａｌ．，  "Ｃｏｎｃｅｐｔ  ｏｆ  ｃｌｉｎｉｃｏ−ｂｉｏｌｏｇｉｃａｌ  ｃｏｎｔｒｏｌ  ｏｆ  ｔｈｅ  ｗｏｕｎｄ"，  Ｖｅｓｔｎｉｋ  ｋｈｉｒｕｒｇｉｉ  ｉｍｅｎｉ  １．１．  Ｇｒｅｋｏｖａ，  ｖ．  １４６，  ｉｓｓｕｅ  ２，  １９９１，  １３２−６  （ｗｉｔｈ  Ｅｎｇｌｉｓｈ  ｔｒａｎｓｌａｔｉｏｎ）．  ＤＶ５
【非特許文献２６２】  ｄｅ  ｌａ  Ｔｏｒｒｅ，  Ｊｏｒｇｅ  Ｉ．，  ＭＤ，  ｅｔ  ａｌ．，  "Ｈｅａｌｉｎｇ  ａ  Ｗｏｕｎｄ  ｗｉｔｈ  ａｎ  Ｅｘｐｏｓｅｄ  Ｈｅｒｒｉｎｇｔｏｎ  Ｒｏａｄ：  Ａ  Ｃａｓｅ  Ｓｔｕｄｙ"，  Ｏｓｔｏｍｙ  Ｗｏｕｎｄ  Ｍａｎａｇｅｍｅｎｔ，  ｐｇｓ．  １８  −１９，  Ｍａｙ  ２００２，  Ｖｏｌ．  ４８，  Ｉｓｓｕｅ  ５．  ＮＰＬ−１０８
【非特許文献２６３】  ｄｅ  Ｌａｎｇｅ，  Ｍ．Ｙ．，  ｅｔ  ａｌ．，  "Ｖａｃｕｕｍ−ａｓｓｉｓｔｅｄ  ｃｌｏｓｕｒｅ：  ｉｎｄｉｃａｔｉｏｎｓ  ａｎｄ  ｃｌｉｎｉｃａｌ  ｅｘｐｅｒｉｅｎｃｅ"，  Ｅｕｒ  Ｊ  Ｐｌａｓｔ  Ｓｕｒｇ  （２０００）  ２３：１７８−１８２．  ＮＰＬ−１０９
【非特許文献２６４】  Ｄｅｖａ，  Ａｎａｎｄ，  Ｋ．，  ｅｔ  ａｌ．，  "Ｔｏｐｉｃａｌ  ｎｅｇａｔｉｖｅ  ｐｒｅｓｓｕｒｅ  ｉｎ  ｗｏｕｎｄ  ｍａｎａｇｅｍｅｎｔ"，  ＭＪＡ，  Ｖｏ．  １７３，  ｐｇｓ．  １２８−１３１，  Ａｕｇｕｓｔ  ７，  ２０００．  ＮＰＬ−１１３
【非特許文献２６５】  Ｅｌｗｏｏｄ，  Ｅｒｉｃ  Ｔ．，  ｅｔ  ａｌ．，  "Ｎｅｇａｔｉｖｅ−Ｐｒｅｓｓｕｒｅ  Ｄｒｅｓｓｉｎｇｓ  ｉｎ  ｔｈｅ  Ｔｒｅａｔｍｅｎｔ  ｏｆ  Ｈｉｄｒａｄｅｎｉｔｉｓ  Ｓｕｐｐｕｒａｔｉｖｅ"，  Ａｎｎ  Ｐｌａｓｔ  Ｓｕｒｇｅｒｙ  Ｊａｎｕａｒｙ  ２００１；  ４６：４９−５１．  ＮＰＬ−１３６
【非特許文献２６６】  Ｅｖａｎｓ，  Ｄ．  ａｎｄ  Ｌａｎｄ，  Ｌ．，  "Ｔｏｐｉｃａｌ  ｎｅｇａｔｉｖｅ  ｐｒｅｓｓｕｒｅ  ｆｏｒ  ｔｒｅａｔｉｎｇ  ｃｈｒｏｎｉｃ  ｗｏｕｎｄｓ：  ａ  ｓｙｓｔｅｍａｔｉｃ  ｒｅｖｉｅｗ"，  Ｂｒｉｔｉｓｈ  Ｊｏｕｒｎａｌ  ｏｆ  Ｐｌａｓｔｉｃ  Ｓｕｒｇｅｒｙ  （２００１），  ５４，  ２３８−２４２．  ＮＰＬ−１４４
【非特許文献２６７】  Ｆａｂｉａｎ，  Ｔｈａｄｄｅｕｓ  Ｓ．，  ＭＤ，  "Ｔｈｅ  Ｅｖａｌｕａｔｉｏｎ  ｏｆ  Ｓｕｂａｔｍｏｓｐｈｅｒｉｃ  Ｐｒｅｓｓｕｒｅ  ａｎｄ  Ｈｙｐｅｒｂａｒｉｃ  Ｏｘｙｇｅｎ  ｉｎ  Ｉｓｃｈｅｍｉｃ  Ｆｕｌｌ−Ｔｈｉｃｋｎｅｓｓ  Ｗｏｕｎｄ  Ｈｅａｌｉｎｇ"  ，  Ｔｈｅ  Ａｍｅｒｉｃａｎ  Ｓｕｒｇｅｏｎ，  Ｄｅｃｅｍｂｅｒ  ２０００，  Ｖｏｌ．．  ６６，  １１３６−１１４３．  ＮＰＬ−１４６
【非特許文献２６８】  Ｆｅｎｎ，  Ｃ．Ｈ．  ａｎｄ  Ｂｕｔｌｅｒ，  Ｐ．Ｅ．Ｍ．，  "Ａｂｄｏｍｉｎｏｐｌａｓｔｙ  ｗｏｕｎｄ−ｈｅａｌｉｎｇ  ｃｏｍｐｌｉｃａｔｉｏｎｓ：  ａｓｓｉｓｔｅｄ  ｃｌｏｓｕｒｅ  ｕｓｉｎｇ  ｆｏａｍ  ｓｕｃｔｉｏｎ  ｄｒｅｓｓｉｎｇ"，  Ｂｒｉｔｉｓｈ  Ｊｏｕｒｎａｌ  ｏｆ  Ｐｌａｓｔｉｃ  Ｓｕｒｇｅｒｙ  （２００１），  ５４，  ３４８−３５１．  ＮＰＬ−１５０
【非特許文献２６９】  Ｇｉｏｖａｎｎｉｎｉ，  Ｕｂｅｒｔｏ  Ｍ．，  ＭＤ，  "Ｎｅｇａｔｉｖｅ  Ｐｒｅｓｓｕｒｅ  ｆｏｒ  ｔｈｅ  Ｍａｎａｇｅｍｅｎｔ  ｏｆ  ａｎ  Ｅｘｐｏｓｅｄ  Ｖａｓｃｕｌａｒ  Ｄａｃｒｏｎ  Ｐｏｌｙｅｓｔｅｒ  Ｐａｔｃｈ"，  Ａｎｎａｌｓ  ｏｆ  Ｐｌａｓｔｉｃ  Ｓｕｒｇｅｒｙ，  ４７（５）：  ５７７−５７８，  ２００１．  ＮＰＬ−１７１
【非特許文献２７０】  Ｇｕｓｔａｆｓｓｏｎ，  Ｒｏｎｎｙ，  ＭＤ，  "Ｖａｃｕｕｍ−ａｓｓｉｓｔｅｄ  ｃｌｏｓｕｒｅ  ｔｈｅｒａｐｙ  ｇｕｉｄｅｄ  ｂｙ  Ｃ−ｒｅａｃｔｉｖｅ  ｐｒｏｔｅｉｎ  ｌｅｖｅｌ  ｉｎ  ｐａｔｉｅｎｔｓ  ｗｉｔｈ  ｄｅｅｐ  ｓｔｅｒｎａｌ  ｗｏｕｎｄ  ｉｎｆｅｃｔｉｏｎ"，  Ｔｈｅ  Ｊｏｕｒｎａｌ  ｏｆ  Ｔｈｏｒａｃｉｃ  ａｎｄ  Ｃａｒｄｉｏｖａｓｃｕｌａｒ  Ｓｕｒｇｅｒｙ，  Ｖｏｌ．  １２３，  Ｎｏ．  ５，  ｐｇｓ．  ８９５−９００，  Ｍａｙ  ２００２．  ＮＰＬ−１８１
【非特許文献２７１】  Ｇｗａｎ−Ｎｕｌｌａ，  Ｄａｎｉｅｌ  Ｎ．，  ＭＤ  ａｎｄ  Ｃａｓａｌ，  Ｒｏｌａｎｄｏ  Ｓ．，  ＭＤ，  "Ｔｏｘｉｃ  Ｓｈｏｃｋ  Ｓｙｎｄｒｏｍｅ  Ａｓｓｏｃｉａｔｅｄ  ｗｉｔｈ  ｔｈｅ  Ｕｓｅ  ｏｆ  ｔｈｅ  Ｖａｃｕｕｍ−Ａｓｓｉｓｔｅｄ  Ｃｌｏｓｕｒｅ  Ｄｅｖｉｃｅ"，  Ａｎｎ  Ｐｌａｓｔｉｃ  Ｓｕｒｇｅｒｙ  ２００１；４７：５５２−５５４．  ＮＰＬ１８３
【非特許文献２７２】  Ｈｅｒｓｈ，  Ｒｏｂｅｒｔ  Ｅ．，  ＭＤ，  ｅｔ  ａｌ．，  "Ｔｈｅ  Ｖａｃｕｕｍ−Ａｓｓｉｓｔｅｄ  Ｃｌｏｓｕｒｅ  Ｄｅｖｉｃｅ  ａｓ  ａ  Ｂｒｉｄｇｅ  ｔｏ  Ｓｔｅｒｎａｌ  Ｗｏｕｎｄ  Ｃｌｏｓｕｒｅ"，  Ａｎｎ  Ｐｌａｓｔ  Ｓｕｒｇ．  ２００１；  ４６：  ２５０−２５４．  ＮＰＬ−２０３
【非特許文献２７３】  Ｈｅｕｇｅｌ，  Ｊｕｄｓｏｎ  Ｒ．，  ｅｔ  ａｌ．，  "Ｔｒｅａｔｍｅｎｔ  ｏｆ  ｔｈｅ  Ｅｘｐｏｓｅｄ  Ａｃｈｉｌｌｅｓ  Ｔｅｎｄｏｎ  Ｕｓｉｎｇ  Ｎｅｇａｔｉｖｅ  Ｐｒｅｓｓｕｒｅ  Ｗｏｕｎｄ  Ｔｈｅｒａｐｙ：  Ａ  Ｃａｓｅ  Ｒｅｐｏｒｔ"，  Ｊｏｕｒｎａｌ  ｏｆ  Ｂｕｒｎ  Ｃａｒｅ  ａｎｄ  Ｒｅｈａｂｉｌｉｔａｔｉｏｎ，  Ｍａｙ／Ｊｕｎｅ  ２００２，  Ｖｏｌ．  ２３，  Ｎｏ．  ３，  ｐｇｓ．  １６７−１７１．  ＮＰＬ−２０５
【非特許文献２７４】  Ｊｏｓｅｐｈ，  Ｅｍｍａｎｕｅｌｌａ，  ＭＤ，  ｅｔ  ａｌ．，  "Ａ  Ｐｒｏｓｐｅｃｔｉｖｅ  Ｒａｎｄｏｍｉｚｅｄ  Ｔｒｉａｌ  ｏｆ  Ｖａｃｕｕｍ−Ａｓｓｉｓｔｅｄ  Ｃｌｏｓｕｒｅ  Ｖｅｒｓｕｓ  Ｓｔａｎｄａｒｄ  Ｔｈｅｒａｐｙ  ｏｆ  Ｃｈｒｏｎｉｃ  Ｎｏｎｈｅａｌｉｎｇ  Ｗｏｕｎｄｓ"，  ＷＯＵＮＤＳ  ２０００：  １２（３）：  ６０−６７．  ＮＰＬ−
２２８
【非特許文献２７５】  Ｊｏｓｔｙ，  Ｉ．Ｃ．，  ｅｔ  ａｌ．，  "Ｖａｃｕｕｍ−ａｓｓｉｓｔｅｄ  ｃｌｏｓｕｒｅ：  ａｎ  ａｌｔｅｒｎａｔｉｖｅ  ｓｔｒａｔｅｇｙ  ｉｎ  ｔｈｅ  ｍａｎａｇｅｍｅｎｔ  ｏｆ  ｄｅｇｌｏｖｉｎｇ  ｉｎｊｕｒｉｅｓ  ｏｆ  ｔｈｅ  ｆｏｏｔ"，  Ｂｒｉｔｉｓｈ  Ｊｏｕｒｎａｌ  ｏｆ  Ｐｌａｓｔｉｃ  Ｓｕｒｇｅｒｙ  （２００１），  ５４，  ｐｇｓ．  ３６３−３６５．  ＮＰＬ−
２２９
【非特許文献２７６】  Ｋｏｓｔｉｕｃｈｅｎｏｋ，  Ｂ．Ｍ．，  ｅｔ  ａｌ．，  "Ｖａｃｕｕｍ  Ｔｒｅａｔｍｅｎｔ  ｉｎ  ｔｈｅ  Ｓｕｒｇｉｃａｌ  Ｍａｎａｇｅｍｅｎｔ  ｏｆ  Ｓｕｐｐｕｒａｔｉｖｅ  Ｗｏｕｎｄｓ"，  ｌｚｄａｔｅｌｓｔｖｏ  Ｍｅｄｉｔｓｉｎａ，  Ｓｔ．  Ｐｅｔｅｒｓｂｕｒｇ，  １９８６，  Ｓｅｐｔｅｍｂｅｒ，  １３７（９）：  １８−２１  （ｗｉｔｈ  Ｅｎｇｌｉｓｈ  Ｔｒａｎｓｌａｔｉｏｎ）．  ＮＰＬ−２４１
【非特許文献２７７】  Ｋｏｖａｃｓ，  Ｌａｓｚｌｏ  Ｈ．，  ＭＤ，  "Ｎｅｃｒｏｔｉｚｉｎｇ  Ｆａｓｃｉｉｔｉｓ"，  Ａｎｎａｌｓ  ｏｆ  Ｐｌａｓｔｉｃ  Ｓｕｒｇｅｒｙ，  Ｖｏｌ．  ４７，  Ｎｏ．  ６，  Ｄｅｃｅｍｂｅｒ  ２００１，  ｐｇｓ．  ６８０−６８２．  ＮＰＬ−２４２
【非特許文献２７８】  Ｋｒａｎｓｅｒ，  Ｄｉａｎｅ  Ｌ．，  "Ｍａｎａｇｉｎｇ  Ｗｏｕｎｄ  Ｐａｉｎ  ｉｎ  Ｐａｔｉｅｎｔｓ  ｗｉｔｈ  Ｖａｃｕｕｍ−Ａｓｓｉｓｔｅｄ  Ｃｌｏｓｕｒｅ  Ｄｅｖｉｃｅｓ"，  Ｏｓｔｏｍｙ  Ｗｏｕｎｄ  Ｍａｎａｇｅｍｅｎｔ  ２００２；  ４８（５）：  ３８−４３．  ＮＰＬ−２４３
【非特許文献２７９】  Ｍｅｎｄｅｚ−Ｅａｓｔｍａｎ，  Ｓｕｓａｎ，  ＲＮ，  ＣＰＳＮ，  ＣＷＣＮ，  "ｗｏｕｎｄ  ｔｈｅｒａｐｙ"，  Ｎｕｒｓｉｎｇ２００２，  Ｖｏｌ．  ３２，  Ｎｏ．  ５，  Ｍａｙ，  ｐｇｓ．  ５９−６３  ａｎｄ  １  ｓｈｅｅｔ  ｏｆ  ｑｕｉｚ．  ＮＰＬ−２８０
【非特許文献２８０】  Ｍｏｏｎｅｙ，  Ｊａｍｅｓ  Ｆ．，  ＩＩＩ．，  "Ｔｒｅａｔｍｅｎｔ  ｏｆ  Ｓｏｆｔ  Ｔｉｓｓｕｅ  Ｄｅｆｅｃｔｓ  ｉｎ  Ｐｅｄｉａｔｒｉｃ  Ｐａｔｉｅｎｔｓ  Ｕｓｉｎｇ  ｔｈｅ  Ｖ．Ａ．Ｃ．  ＴＭ  Ｓｙｓｔｅｍ"，  Ｃｌｉｎｉｃａｌ  Ｏｒｔｈｏｐｅｄｉｃｓ  ａｎｄ  Ｒｅｌａｔｅｄ  Ｒｅｓｅａｒｃｈ，  Ｎｕｍｂｅｒ  ３７６，  ｐｐ．  ２６−３１，  Ｊｕｌｙ  ２０００．  ＷＦＵ−２６
【非特許文献２８１】  Ｓｃｈｅｕｆｌｅｒ，  ０．，  ｅｔ  ａｌ．，  "Ｐｒｏｂｌｅｍ−ａｄａｐｔｅｄ  ａｐｐｌｉｃａｔｉｏｎ  ｏｆ  ｖａｃｕｕｍ  ｏｃｃｌｕｓｉｏｎ  ｄｒｅｓｓｉｎｇｓ：  ｃａｓｅ  ｒｅｐｏｒｔ  ａｎｄ  ｃｌｉｎｉｃａｌ  ｅｘｐｅｒｉｅｎｃｅ"，  Ｅｕｒ  Ｊ．  Ｐｌａｓｔ  Ｓｕｒｇ  （２０００）  ２３：  ３８６−３９０．  ＮＰＬ−３６０
【非特許文献２８２】  Ｓｐｏｓａｔｏ，  Ｇ．，  ｅｔ  ａｌ．，  "Ａｍｂｕｌａｎｔ  ｖａｃｕｕｍ−ａｓｓｉｓｔｅｄ  ｃｌｏｓｕｒｅ  ｏｆ  ｓｋｉｎ−ｇｒａｆｔ  ｄｒｅｓｓｉｎｇ  ｉｎ  ｔｈｅ  ｌｏｗｅｒ  ｌｉｍｂｓ  ｕｓｉｎｇ  ａ  ｐｏｒｔａｂｌｅ  ｍｉｎｉ−ＶＡＣ  ｄｅｖｉｃｅ"，  Ｂｒｉｔｉｓｈ  Ｊｏｕｒｎａｌ  ｏｆ  Ｐｌａｓｔｉｃ  Ｓｕｒｇｅｒｙ  （２００１），  ５４，  ２３５−２３７．  ＮＰＬ３８５
【非特許文献２８３】  Ｔａｎｇ，  Ａｕｇｕｓｔｉｎｅ  Ｔ．Ｍ．，  ｅｔ  ａｌ．，  "Ｎｏｖｅｌ  ａｐｐｌｉｃａｔｉｏｎ  ｏｆ  ｖａｃｕｕｍ  ａｓｓｉｓｔｅｄ  ｃｌｏｓｕｒｅ  ｔｅｃｈｎｉｑｕｅ  ｔｏ  ｔｈｅ  ｔｒｅａｔｍｅｎｔ  ｏｆ  ｓｔｅｒｎｏｔｏｍｙ  ｗｏｕｎｄ  ｉｎｆｅｃｔｉｏｎ"，  Ｅｕｒｏｐｅａｎ  Ｊｏｕｒｎａｌ  ｏｆ  Ｃａｒｄｉｏ−Ｔｈｏｒａｃｉｃ  Ｓｕｒｇｅｒｙ  １７  （２０００）  ４８２−４８４．  ＮＰＬ−３９６
【非特許文献２８４】  Ｗｕ，  Ｓ．Ｈ．，  ｅｔ  ａｌ．，  "Ｖａｃｕｕｍ  ｔｈｅｒａｐｙ  ａｓ  ａｎ  ｉｎｔｅｒｍｅｄｉａｔｅ  ｐｈａｓｅ  ｉｎ  ｗｏｕｎｄ  ｃｌｏｓｕｒｅ：  ａ  ｃｌｉｎｉｃａｌ  ｅｘｐｅｒｉｅｎｃｅ"，  Ｅｕｒ  Ｊ  Ｓｕｒｇ  （２０００）  ２３：１７４−１７７．  ＮＰＬ−４４９
【非特許文献２８５】  Ｚｈｉｖｏｔａｅｖ  ＶＭ．  Ｖａｃｕｕｍ  ｔｈｅｒａｐｙ  ｏｆ  ｐｏｓｔｏｐｅｒａｔｉｖｅ  ｉｎｆｅｃｔｅｄ  ｗｏｕｎｄｓ  ｏｆ  ｔｈｅ  ｕｒｉｎａｒｙ  ｂｌａｄｄｅｒ，  Ｋｌｉｎｉｃｈｅｓｋａｉａ  Ｋｈｉｕｒｇｉｉａ．  １９７０；５：３６−３９．  （ｉｎ  Ｒｕｓｓｉａｎ）  （ａｎｄ  １  ｓｈｅｅｔ  ｐｒｉｎｔｏｕｔ  ｆｒｏｍ  ＰｕｂＭｅｄ）．  ＮＰＬ４５３
【非特許文献２８６】  Ｔｈｅ  Ｋｒｅｍｌｉｎ  Ｐａｐｅｒｓ  ．．．  ｐｅｒｓｐｅｃｔｉｖｅｓ  ｉｎ  ｗｏｕｎｄ  ｃａｒｅ，  "Ａ  ｃｏｌｌｅｃｔｉｏｎ  ｏｆ  ｐｕｂｌｉｓｈｅｄ  ｓｔｕｄｉｅｓ  ｃｏｍｐｌｅｍｅｎｔｉｎｇ  ｔｈｅ  ｒｅｓｅａｒｃｈ  ａｎｄ  ｉｎｎｏｖａｔｉｏｎ  ｏｆ  ｗｏｕｎｄ  ｃａｒｅ"，  Ｒｕｓｓｉａｎ  Ｍｅｄｉｃａｌ  Ｊｏｕｒｎａｌ  "Ｖｅｓｔｎｉｋ  Ｋｈｉｒｕｒｇｉｉ"，  ５  Ｒｕｓｓｉａｎ  Ａｒｔｉｃｌｅｓ  ｆｒｏｍ  １９８６−１９９１，  ｔｒａｎｓｌａｔｅｄ  ｂｙ  ＢｌｕｅＳｋｙ  Ｍｅｄｉｃａｌ  Ｇｒｏｕｐ  Ｉｎｃ．  (c)２００４．  ＮＰＬ−２４４
【非特許文献２８７】  ３ＭＴＭ，  Ｔｅｇａｄｅｒｍ  Ｆａｍｉｌｙ  ｏｆ  Ｔｒａｎｓｐａｒｅｎｔ  Ｄｒｅｓｓｉｎｇｓ  ｆｏｒ  Ｃｈｒｏｎｉｃ  Ｗｏｕｎｄｓ，  ｐｐ．  １−８  （２００２）．  ＮＰＬ−００２
【非特許文献２８８】  ＡＬＰＥＲ，  Ｊｏｓｅｐｈ  Ｃ．，  ｅｔ  ａｌ．，  "Ｔｈｅ  Ｉｎ  Ｖｉｔｒｏ  Ｒｅｓｐｏｎｓｅ  ｏｆ  Ｆｉｂｒｏｂｌａｓｔｓ  ｔｏ  ｔｈｅ  Ｆｌｕｉｄ  ｔｈａｔ  Ａｃｃｕｍｕｌａｔｅｓ  Ｕｎｄｅｒ  ａ  Ｖａｐｏｒ−Ｐｅｒｍｅａｂｌｅ  Ｍｅｍｂｒａｎｅ"．  Ｊｏｕｒｎａｌ  ｏｆ  Ｉｎｖｅｓｔｉｇａｔｉｖｅ  Ｄｅｒｍａｔｏｌｏｇｙ，  ８４：５１３−５１５，  １９８５．  ＮＰＬ−０１３
【非特許文献２８９】  ＡＬＰＥＲ，  Ｊｏｓｅｐｈ  Ｃ．，  ｅｔ  ａｌ．，  "Ｕｓｅ  ｏｆ  ｔｈｅ  Ｖａｐｏｒ  Ｐｅｒｍｅａｂｌｅ  Ｍｅｍｂｒａｎｅ  ｆｏｒ  Ｃｕｔａｎｅｏｕｓ  Ｕｌｃｅｒｓ：  Ｄｅｔａｉｌｓ  ｏｆ  ａｐｐｌｉｃａｔｉｏｎ  ａｎｄ  ｓｉｄｅ  ｅｆｆｅｃｔｓ"，  Ｊｏｕｒｎａｌ  ｏｆ  ｔｈｅ  Ａｍｅｒｉｃａｎ  Ａｃａｄｅｍｙ  ｏｆ  Ｄｅｒｍａｔｏｌｏｇｙ，  Ｖｏｌ．  １１，  Ｎｏ．  ５，  Ｐａｒｔ  Ｉ，  Ｎｏｖ．，  １９８４，  ｐｐ．  ８５８−８６６． （ＮＰＬ−０１４）
【非特許文献２９０】  ＡＮＧＥＲＭＥＩＥＲ，  ＭＡＲＬＡ  Ｃ．，  ｅｔ  ａｌ．，  "Ｖａｐｏｒ−Ｐｅｒｍｅａｂｌｅ  Ｍｅｍｂｒａｎｅ  Ｔｈｅｒａｐｙ  ｆｏｒ  Ｕｌｃｅｒｓ  ｏｆ  Ｏｓｔｅｏｍｙｅｌｉｔｉｓ"，  Ｊ．  Ｄｅｒｍａｔｏｌ．  Ｓｕｒｇ．  Ｏｎｃｏｌ"  １０：５，  Ｍａｙ  １９８４，  ｐｐ．  ３８４−３８８．  ＮＰＬ−０１６
【非特許文献２９１】  ＢＯＵＲＫＥ，  ｅｔ  ａｌ．，  "Ｃｏｍｐａｒｉｓｏｎ  Ｂｅｔｗｅｅｎ  Ｓｕｃｔｉｏｎ  ａｎｄ  Ｃｏｒｒｕｇａｔｅｄ  Ｄｒａｉｎａｇｅ  Ａｆｔｅｒ  Ｓｉｍｐｌｅ  Ｍａｓｔｅｃｔｏｍｙ：  Ａ  Ｒｅｐｏｒｔ  ｏｎ  Ｃｏｎｔｒｏｌｌｅｄ  Ｔｒｉａｌ"，  Ｂｒ．  Ｊ．  Ｓｕｒｇ．，  Ｖｏｌ．  ６３，  １９７６，  ｐｐ．  ６７−６９．  ＮＰＬ−０５６
【非特許文献２９２】  ＣｏｎｓｔａＶａｃＴＭ  Ｃｌｏｓｅｄ  Ｗｏｕｎｄ  Ｄｒａｉｎａｇｅ  Ｓｙｓｔｅｍ，  Ｓｔｒｙｋｅｒ  Ｉｎｓｔｒｕｍｅｎｔｓ，  ２  ｐａｇｅｓ．  ＮＰＬ−０９２
【非特許文献２９３】  ＥＡＧＬＳＴＥＩＮ，  Ｗｉｌｌｉａｍ  Ｈ．，  "Ｅｘｐｅｒｉｅｎｃｅｓ  ｗｉｔｈ  Ｂｉｏｓｙｎｔｈｅｔｉｃ  Ｄｒｅｓｓｉｎｇｓ"，  Ｊｏｕｒｎａｌ  ｏｆ  ｔｈｅ  Ａｍｅｒｉｃａｎ  Ａｃａｄｅｍｙ  ｏｆ  Ｄｅｒｍａｔｏｌｏｇｙ，  Ｖｏｌ．  １２，  Ｎｏ．  ２，  Ｐａｒｔ  ２，  Ｆｅｂｒｕａｒｙ，  １９８５，  ｐｐ．  ４３４−４４０．  ＮＰＬ−１２９
【非特許文献２９４】  ＦＡＬＡＮＧＡ，  Ｖｉｎｃｅｎｔ，  ｅｔ  ａｌ．，  "Ａ  Ｔｈｅｒａｐｅｕｔｉｃ  Ａｐｐｒｏａｃｈ  ｔｏ  Ｖｅｎｏｕｓ  Ｕｌｃｅｒｓ"，  Ｊｏｕｒｎａｌ  ｏｆ  ｔｈｅ  Ａｍｅｒｉｃａｎ  Ａｃａｄｅｍｙ  ｏｆ  Ｄｅｒｍａｔｏｌｏｇｙ，  Ｖｏｌ．  １４，  Ｎｏ．  ５，  Ｐａｒｔ  １，  Ｍａｙ  １９８６，  ｐｐ．  ７７７−７８４．  ＮＰＬ−１４７
【非特許文献２９５】  ＦＲＩＥＤＭＡＮ，  Ｓ．，  ｅｔ  ａｌ．，  "Ｔｒｅａｔｍｅｎｔ  ｏｆ  Ｄｅｒｍａｂｒａｓｉｏｎ  Ｗｏｕｎｄｓ  ｗｉｔｈ  ａ  Ｈｙｄｒｏｃｏｌｌｏｉｄ  Ｏｃｃｌｕｓｉｖｅ  Ｄｒｅｓｓｉｎｇ"，  Ａｒｃｈ  Ｄｅｒｍａｔｏｌ，  Ｖｏｌ．  １２１，  Ｄｅｃ．  １９８５，  ｐｐ．  １４８６−１４８７．  ＮＰＬ−１６６
【非特許文献２９６】  ＦＲＩＥＤＭＡＮ，  Ｓｔｅｐｈｅｎ  Ｊ．，  ｅｔ  ａｌ．，  "Ｍａｎａｇｅｍｅｎｔ  ｏｆ  Ｌｅｇ  Ｕｌｃｅｒｓ  ｗｉｔｈ  Ｈｙｄｒｏｃｏｌｌｏｉｄ  Ｏｃｃｌｕｓｉｖｅ  Ｄｒｅｓｓｉｎｇ"，  Ａｒｃｈ．  Ｄｅｒｍａｔｏｌ．，  Ｖｏｌ．  １２０，  Ｏｃｔ．  １９８４，  ｐｐ．  １３２９−１３３６．  ＮＰＬ−１６７
【非特許文献２９７】  ＨＯＬＬＡＮＤ，  Ｋ．Ｔ．，  ｅｔ  ａｌ．，  "Ａ  Ｃｏｍｐａｒｉｓｏｎ  ｏｆ  ｔｈｅ  Ｉｎ  Ｖｉｖｏ  Ａｎｔｉｂａｃｔｅｒｉａｌ  Ｅｆｆｅｃｔｓ  ｏｆ  ＯｐＳｉｔｅ，  Ｔｅｇａｄｅｒｍ  ａｎｄ  Ｅｎｓｕｒｅ  ｄｒｅｓｓｉｎｇｓ"，  Ｊｏｕｒｎａｌ  ｏｆ  Ｈｏｓｐｉｔａｌ  Ｉｎｆｅｃｔｉｏｎ，  １９８５，  ６，  ｐｐ．  ２９９−３０３．  ＮＰＬ−２０９
【非特許文献２９８】  ＪＥＴＥＲ，  Ｋａｔｈｅｒｉｎｅ  Ｆ．，  ｅｔ  ａｌ．，  "Ｗｏｕｎｄ  Ｄｒｅｓｓｉｎｇｓ  ｏｆ  ｔｈｅ  Ｎｉｎｅｔｉｅｓ：  Ｉｎｄｉｃａｔｉｏｎｓ  ａｎｄ  Ｃｏｎｔｒａｉｎｄｉｃａｔｉｏｎｓ"，  Ｃｌｉｎｉｃｓ  ｉｎ  Ｐｏｄｉａｔｒｉｃ  Ｍｅｄｉｃｉｎｅ  ａｎｄ  Ｓｕｒｇｅｒｙ，  Ｖｏｌ．  ８，  ｎｏ．  ４，  Ｏｃｔｏｂｅｒ  １９９１，  ｐｐ．  ７９９−８１６．  ＮＰＬ−２２４
【非特許文献２９９】  ＫＡＴＺ，  Ｓｔｕａｒｔ，  ｅｔ  ａｌ．，  "Ｓｅｍｉｐｅｒｍｅａｂｌｅ  Ｏｃｃｌｕｓｉｖｅ  Ｄｒｅｓｓｉｎｇｓ"，  Ａｒｃｈ  Ｄｅｒｍａｔｏｌ．，  Ｖｏｌ  １２２，  Ｊａｎｕａｒｙ  １９８６，  ｐｐ．  ５８−６２．  ＮＰＬ−２３１
【非特許文献３００】  ＬＥＷＩＳ，  Ｒ．Ｔ．，  "Ｋｎｉｔｔｅｄ  Ｐｏｌｙｐｒｏｐｙｌｅｎｅ  （Ｍａｒｌｅｘ）  Ｍｅｓｈ  ｉｎ  ｔｈｅ  Ｒｅｐａｉｒ  ｏｆ  Ｉｎｃｉｓｉｏｎａｌ  Ｈｅｒｎｉａｓ"，  Ｔｈｅ  Ｃａｎａｄｉａｎ  Ｊｏｕｒｎａｌ  ｏｆ  Ｓｕｒｇｅｒｙ，  Ｖｏｌ．  ２７，  Ｎｏ．２，  Ｍａｒｃｈ  １９８４，  ｐｐ．  １５５−１５７．  ＮＰＬ−２５６
【非特許文献３０１】  Ｌｏｗｅｒ  Ｅｘｔｒｅｍｉｔｙ  Ｕｌｃｅｒｓ，  Ｃｈａｐｔｅｒ  ９，  ｐｐ．  ４７−５７．  ＮＰＬ−２５９
【非特許文献３０２】  Ｍｉｃｒｏｔｅｋ  Ｍｅｄｉｃａ，  Ｉｎｃ．  "Ｔｈｅ  Ｍｉｃｒｏｔｅｋ  Ｃｏｍｐｌｅｔｅ  Ｃｌｏｓｅｄ  Ｗｏｕｎｄ  Ｄｒａｉｎａｇｅ  Ｓｙｓｔｅｍ"，  ６  ｐａｇｅｓ．  ＮＰＬ−２８５
【非特許文献３０３】  ＲＯＶＥＥ，  Ｄａｖｉｄ  Ｔ．，  ｅｔ  ａｌ．，  "Ｅｆｆｅｃｔ  ｏｆ  Ｌｏｃａｌ  Ｗｏｕｎｄ  Ｅｎｖｉｒｏｎｍｅｎｔ  ｏｎ  Ｅｐｉｄｅｒｍａｌ  Ｈｅａｌｉｎｇ"，  Ｄｅｐｔ．  ｏｆ  Ｓｋｉｎ  Ｂｉｏｌｏｇｙ，  Ｊｏｈｎｓｏｎ  &  Ｊｏｈｎｓｏｎ  Ｒｅｓｅａｒｃｈ，  Ｎｅｗ  Ｂｒｕｎｓｗｉｃｋ，  ＮＪ，  ｐｐ．  １５９−１８１  （１９７２）．  ＮＰＬ−３４８
【非特許文献３０４】  ＳＡＴＡＳ，  Ｄｏｎａｔａｓ，  "Ｈａｎｄｂｏｏｋ  ｏｆ  Ｐｒｅｓｓｕｒｅ−Ｓｅｎｓｉｔｉｖｅ  Ａｄｈｅｓｉｖｅ  Ｔｅｃｈｎｏｌｏｇｙ"，  Ｓｉｌｉｃｏｎｅ  Ｒｅｌｅａｓｅ  Ｃｏａｔｉｎｇｓ，  Ｖａｎ  Ｎｏｓｔａｎｄ  Ｒｅｉｎｈｏｌｄ  Ｃｏｍｐａｎｙ，  １９８２，  ｐｐ．  ３８４−４０３．  ＮＰＬ−３５５
【非特許文献３０５】  ＴＵＲＮＥＲ，  Ｔ．Ｄ．，  "Ａ  Ｌｏｏｋ  ａｔ  Ｗｏｕｎｄ  Ｄｒｅｓｓｉｎｇｓ"，  Ｈｅａｌｔｈ  ａｎｄ  Ｓｏｃｉａｌ  Ｓｅｒｖｉｃｅ  Ｊｏｕｒｎａｌ，  ４  Ｍａｙ，  １９７９，  ｐｐ．  ５２９５３１．  ＮＰＬ−４０５
【非特許文献３０６】  ＴＵＲＮＥＲ，  Ｔ．Ｄ．，  "Ｒｅｃｅｎｔ  Ａｄｖａｎｃｅｓ  ｉｎ  Ｗｏｕｎｄ  Ｍａｎａｇｅｍｅｎｔ  Ｐｒｏｄｕｃｔｓ"，  ｐｐ．  ３−６  ＮＰＬ−４０６
【非特許文献３０７】  ＴＵＲＮＥＲ，  Ｔ．Ｄ．，  "Ｓｅｍｉｐｅｒｍｅａｂｌｅ  Ｆｉｌｍｓ  ａｓ  Ｗｏｕｎｄ  Ｄｒｅｓｓｉｎｇｓ"，  Ｗｅｌｓｈ  Ｓｃｈｏｏｌ  ｏｆ  Ｐｈａｒｍａｃｙ，  Ｕｎｉｖｅｒｓｉｔｙ  ｏｆ  Ｗａｌｅｓ，  Ｇｒｅａｔ  Ｂｒｉｔａｉｎ  （Ｊｕｌｙ  ３１，  １９８４）．  ＮＰＬ−４０７
【非特許文献３０８】  ＴＵＲＮＥＲ，  Ｔ．Ｄ．，  "Ｔｈｅ  Ｄｅｖｅｌｏｐｍｅｎｔ  ｏｆ  Ｗｏｕｎｄ  Ｍａｎａｇｅｍｅｎｔ  Ｐｒｏｄｕｃｔｓ"，  Ｃｈｒｏｎｉｃ  Ｗｏｕｎｄ  Ｃａｒｅ，  ｐｐ．  ３１−４６．  ＮＰＬ−４０８
【非特許文献３０９】  ＴＵＲＮＥＲ，  Ｔ．Ｄ．，  ｅｔ  ａｌ．，  "Ｗｏｕｎｄ  Ｍａｎａｇｅｍｅｎｔ  Ｐｒｏｄｕｃｔ  Ｓｅｌｅｃｔｉｏｎ"，  Ｊｏｕｒｎａｌ  ｏｆ  Ｓｔｅｒｉｌｅ  Ｓｅｒｖｉｃｅｓ  Ｍａｎａｇｅｍｅｎｔ，  Ａｐｒｉｌ  １９８５，  ｐｐ．  ３−６．  ＮＰＬ−４０９
【非特許文献３１０】  ＶＡＲＧＨＥＳＥ，  Ｍａｔｈｅｗ  Ｃ．，  ｅｔ  ａｌ．，  "Ｌｏｃａｌ  Ｅｎｖｉｒｏｎｍｅｎｔ  ｏｆ  Ｃｈｒｏｎｉｃ  Ｗｏｕｎｄｓ  Ｕｎｄｅｒ  Ｓｙｎｔｈｅｔｉｃ  Ｄｒｅｓｓｉｎｇｓ"，  Ａｒｃｈ．  Ｄｅｒｍａｔｏｌ，  Ｖｏｌ．  １２２，  Ｊａｎ．  １９８６，  ｐｐ．  ５２−５７．  ＮＰＬ−４１６
【非特許文献３１１】  ＶＩＬＪＡＮＴＯ，  Ｊ．，  "Ｃｅｌｌｓｔｉｃ：  Ａ  Ｄｅｖｉｃｅ  ｆｏｒ  Ｗｏｕｎｄ  Ｈｅａｌｉｎｇ  Ｓｔｕｄｉｅｓ  ｉｎ  Ｍａｎ．  Ｄｅｓｃｒｉｐｔｉｏｎ  ｏｆ  ｔｈｅ  Ｍｅｔｈｏｄ"，  Ｊｏｕｒｎａｌ  ｏｆ  Ｓｕｒｇｉｃａｌ  Ｒｅｓｅａｒｃｈ，  ２０，  １９７６，  ｐｐ．  １１５−１１９．  ＮＰＬ−４２０
【非特許文献３１２】  ＷＡＧＮＥＲ，  Ｓ．Ａ．，  ｅｔ  ａｌ．，  "Ａｎ  ｉｎｄｉｖｉｄｕａｌｉｚｅｄ  Ｐｌａｓｔｉｃ  Ｉｎｔｒａｏｒａｌ  Ｄｅｖｉｃｅ  ｆｏｒ  ｔｈｅ  Ｃｏｌｌｅｃｔｉｏｎ  ｏｆ  Ｈｕｍａｎ  Ｐａｒｏｔｉｄ  Ｓａｌｉｖａ"，  Ｉｎｔｅｒｎａｔｉｏｎａｌ  Ｊｏｕｒｎａｌ  ｏｆ  Ｃｌｉｎｉｃａｌ  Ｐｈａｒｍａｃｏｌｏｇｙ，  Ｔｈｅｒａｐｙ  ａｎｄ  Ｔｏｘｉｌｏｇｙ，  Ｖｏ．  ２２，  Ｎｏ．  ５，  １９８４，  ｐｐ．  ２３６−２３９．  ＮＰＬ−４２５
【非特許文献３１３】  ＷＩＬＳＯＮ，  Ｊｏｈｎ  Ｌ．，  ｅｔ  ａｌ．，  "Ｌｏｓｓ  ｏｆ  Ｂｌｏｏｄ  Ｖｏｌｕｍｅ  ｉｎ  Ｓｐｉｎａｌ  Ｓｕｒｇｅｒｙ  ｗｉｔｈ  Ｕｓｅ  ｏｆ  Ｃｌｏｓｅｄ  Ｗｏｕｎｄ  Ｓｕｃｔｉｏｎ：  Ａｎ  Ｅｘｐｅｒｉｍｅｎｔａｌ  Ｓｔｕｄｙ"，  Ｓｏｕｔｈｅｒｎ  Ｍｅｄｉｃａｌ  Ｊｏｕｒｎａｌ，  Ｊｕｌｙ  １９６８，  ｐｐ．  ７６１−７６３，  ｒｅａｄ  ｂｅｆｏｒｅ  ｔｈｅ  Ｓｅｃｔｉｏｎ  ｏｎ  Ｏｒｔｈｏｐａｅｄｉｃ  ａｎｄ  Ｔｒａｕｍａｔｉｃ  Ｓｕｒｇｅｒｙ，  Ｓｏｕｔｈｅｒｎ  Ｍｅｄｉｃａｌ  Ａｓｓｏｃｉａｔｉｏｎ，  ６１ｓｔ  Ａｎｎｕａｌ  Ｍｅｅｔｉｎｇ，  Ｍｉａｍｉ  Ｂｅａｃｈ，  ＦＬ，  （Ｎｏｖ．  １３−１６，  １９６７）．  ＮＰＬ−４３７
【非特許文献３１４】  ＷＩＮＴＥＲ，  Ｇ．Ｄ．，  "Ｈｅａｌｉｎｇ  ｏｆ  Ｓｋｉｎ  Ｗｏｕｎｄｓ  ａｎｄ  ｔｈｅ  Ｉｎｆｌｕｅｎｃｅ  ｏｆ  Ｄｒｅｓｓｉｎｇｓ  ｏｎ  ｔｈｅ  Ｒｅｐａｉｒ  Ｐｒｏｃｅｓｓ"，  ｐｐ．  ４６６０  ｏｆ  "Ｓｕｒｇｉｃａｌ  ｄｒｅｓｓｉｎｇｓ  ａｎｄ  ｗｏｕｎｄ  ｈｅａｌｉｎｇ：  ｐｒｏｃｅｅｄｉｎｇｓ  ｏｆ  ａ  ｓｙｍｐｏｓｉｕｍ  ｈｅｌｄ  ｏｎ  ７−８  Ｊｕｌｙ  １９７０  ａｔ  ｔｈｅ  Ｕｎｉｖｅｒｓｉｔｙ  ｏｆ  Ｂｒａｄｆｏｒｄ，"  Ｃｒｏｓｂｙ  Ｌｏｃｋｗｏｏｄ  ｆｏｒ  Ｂｒａｄｆｏｒｄ  Ｕｎｉｖｅｒｓｉｔｙ  Ｐｒｅｓｓ，  （１９７１）．  ＮＰＬ−４３９
【非特許文献３１５】  ＫＯＨＬＭＡＮ，  Ｐ．，  ｅｔ  ａｌ．，  "Ｐｏｕｃｈｉｎｇ  Ｐｒｏｃｅｄｕｒｅ  Ｔｏ  Ｃｏｌｌｅｃｔ  Ｄｒａｉｎａｇｅ  Ｆｒｏｍ  Ａｒｏｕｎｄ  Ａ  Ｂｉｌｉａｒｙ  Ｄｒａｉｎａｇｅ  Ｃａｔｈｅｔｅｒ"，  Ｏｓｔｏｍｙ／Ｗｏｕｎｄ  Ｍａｎａｇｅｍｅｎｔ，  Ｎｏｖ．／Ｄｅｃ．  １９９１，  ｐｐ．  ４７−５０，  Ｖ．  ３７．  ＮＰＬ−２４０
【非特許文献３１６】  ＡＬＰＥＲ，  Ｊ．，  "Ｒｅｃｅｎｔ  Ａｄｖａｎｃｅｓ  ｉｎ  Ｍｏｉｓｔ  Ｗｏｕｎｄ  Ｈｅａｌｉｎｇ"，  Ｓｏｕｔｈｅｒｎ  Ｍｅｄｉｃａｌ  Ｊｏｕｒｎａｌ，  Ｎｏｖｅｍｂｅｒ  １９８６，  ｐｐ．  １３９８−１４０４，  Ｖ．  ７９，  Ｎ．１１．  ＮＰＬ−０１１
【非特許文献３１７】  ＲＥＩＤ，  Ｄ．，  "Ｉｎｆｏｒｍａｔｉｏｎ  ｏｎ  Ｃｕｐｐｉｎｇ  ｏｒ  Ｕｓｉｎｇ  Ｓｕｃｔｉｏｎ  Ｃｕｐｓ  ｏｎ  Ｗｏｕｎｄｓ  ａｎｄ  ｆｏｒ  Ｈｅａｌｉｎｇ  Ｐｕｒｐｏｓｅｓ"，  ｆｒｏｍ  Ｃｈｉｎｅｓ  Ｈｅｒｂａｌ  Ｍｅｄｉｃｉｎｅ  （２  ｐａｇｅｓ）．  ＮＰＬ−３４５
【非特許文献３１８】  ＳＨＥＰＰＡＲＤ，  Ｍ．Ｄ．，  "Ｓｅａｌｅｄ  ｄｒａｉｎａｇｅ  ｏｆ  ｗｏｕｎｄｓ，"  Ｔｈｅ  Ｌａｎｃｅｔ，  Ｊｕｎｅ  １４，  １９５２，  ｐｐ．  １１７４１１７６  ＮＰＬ−４１０
【非特許文献３１９】  ＰＵＴＮＥＹ，  Ｆ．，  "Ｔｈｅ  Ｕｓｅ  ｏｆ  Ｃｏｎｔｉｎｕｏｕｓ  Ｎｅｇａｔｉｖｅ  Ｐｒｅｓｓｕｒｅ  Ａｆｔｅｒ  Ｌａｒｙｎｇｅｃｔｏｍｙ  ａｎｄ  Ｒａｄｉｃａｌ  Ｎｅｃｋ  Ｄｉｓｓｅｃｔｉｏｎ"，  Ｓｕｒｇｅｒｙ，  Ｇｙｎｅｃｏｌｏｇｙ  &  Ｏｂｓｔｅｔｒｉｃｓ，  Ａｕｇｕｓｔ  １９５６，  ｐｐ．  ２４４−  ２４６．  ＮＰＬ−３３６
【非特許文献３２０】  Ｐｌｅｕｐｕｍｐ  ＭＫ  ＩＩ，  ｐｒｉｎｔｏｕｔｓ  ｆｒｏｍ  ｗｅｂｓｉｔｅｓ，  ｗｗｗ．ｘｅｎａｍｅｄｉｃａｌ．ｓｅ  ａｎｄｗｗｖｖ．ｌａｎｄｓｔｉｎｇｅｔ．ｓｏｒｍｌａｎｄ．ｓｅ，  Ａｕｇｕｓｔ  １４，  ２００１  （１２  ｐａｇｅｓ）．  ＮＰＬ−３３２
【非特許文献３２１】  "Ｗｏｕｎｄ  Ｓｕｃｔｉｏｎ；  Ｂｅｔｔｅｒ  Ｄｒａｉｎａｇｅ  Ｗｉｔｈ  Ｆｅｗｅｒ  Ｐｒｏｂｌｅｍｓ"，  Ｎｕｒｓｉｎｇ７５，  Ｏｃｔｏｂｅｒ，  ｐｐ．  ５２−５５  （１９７５）．  ＮＰＬ−４４７
【非特許文献３２２】  ＧＲＡＭＳ  ＡＳＰＩＲＡＴＯＲ，  ｅｔ  ａｌ．，  Ｇｒａｍｓ  Ｍｅｄｉｃａｌ，  ｃａｔａｌｏｇ  ｐａｇｅｓ  （３  ｐａｇｅｓ）  （ｐｒｉｃｅｓ  ａｓ  ｏｆ  Ａｕｇｕｓｔ  １９９１  ａｎｄ  Ｓｅｐｔｅｍｂｅｒ  １９９２）．  ＮＰＬ−１７５
【非特許文献３２３】  Ｍｅｄｅｌａ  Ｄｏｍｉｎａｎｔ  ｐｒｏｍｏｔｉｏｎａｌ  ｌｉｔｅｒａｔｕｒｅ  （２  ｐａｇｅｓ  ｏｆ  ｐｈｏｔｏｓ）  （ｌａｂｅｌｅｄ  ｃｉｒｃａ  １９８４−１９８５）．  ＮＰＬ−２７４
【非特許文献３２４】  ＥＮＧＤＡＨＬ，  ０．，  ｅｔ  ａｌ．，  "Ｑｕａｎｔｉｆｉｃａｔｉｏｎ  ｏｆ  Ａｓｐｉｒａｔｅｄ  Ａｉｒ  Ｖｏｌｕｍｅ  Ｒｅｄｕｃｅｓ  Ｔｒｅａｔｍｅｎｔ  Ｔｉｍｅ  ｉｎ  Ｐｎｅｕｒｎｏｔｈｏｒａｘ"，  Ｅｕｒ  Ｒｅｓｐｉｒ  Ｊ．，  １９９０，  ３，  ｐｐ．  ６４９−６５２．  ＮＰＬ−１４０
【非特許文献３２５】  Ｕｓａｇｅ  Ｍａｎｕａｌ  Ｐｌｅｕｒａｓｕｇ  ＴＤＲ  （２  ｐａｇｅｓ  ｏｆ  ｄｉａｇｒａｍｓ  ｗｉｔｈ  ｄｅｓｃｒｉｐｔｉｏｎｓ）．  ＮＰＬ−４１２
【非特許文献３２６】  ＳＰＥＮＧＬＥＲ，  Ｍ．，  ｅｔ  ａｌ．，  "Ｐｅｒｆｏｒｍａｎｃｅ  ｏｆ  Ｆｉｌｔｅｒｅｄ  Ｓｕｍｐ  Ｗｏｕｎｄ  Ｄｒａｉｎａｇｅ  Ｔｕｂｅｓ"，  Ｓｕｒｇｅｒｙ，  Ｇｙｎｅｃｏｌｏｇｙ  &  Ｏｂｓｔｅｔｒｉｃｓｑ，  Ｍａｒｃｈ  １９８２，  ｐｐ．  ３３３−３３６，  ｖｏｌ．  １５４．  ＮＰＬ−３８４
【非特許文献３２７】  ＨＡＬＬＳＴＲＯＭ，  Ｂ．，  ｅｔ  ａｌ．，  "Ｐｏｓｔｏｐｅｒａｔｉｖｅ  Ｃｏｕｒｓｅ  Ａｆｔｅｒ  Ｔｏｔａｌ  Ｈｉｐ  Ａｒｔｈｒｏｐｌａｓｔｙ：  Ｗｏｕｎｄ  Ｄｒａｉｎａｇｅ  Ｖｅｒｓｕｓ  Ｎｏ  Ｄｒａｉｎａｇｅ"，  Ｏｒｔｈｏｐａｅｄｉｃ  Ｒｅｖｉｅｗ，  Ｊｕｌｙ  １９９２，  ｐｐ．  ８４７−８５１．  ＮＰＬ−１８５
【非特許文献３２８】  ＭＩＬＥＳ，  Ｗ．，  ｅｔ  ａｌ．，  "Ａ  Ｍｅｔｈｏｄ  ｏｆ  Ｐｅｒｆｏｒｍｉｎｇ  Ａｂｄｏｍｉｎｏｐｅｒｉｎｅａｌ  Ｅｘｃｉｓｉｏｎ  ｆｏｒ  Ｃａｒｃｉｎｏｍａ  ｏｆ  ｔｈｅ  Ｒｅｃｔｕｍ  ａｎｄ  ｏｆ  ｔｈｅ  Ｔｅｒｍｉｎａｌ  Ｐｏｒｔｉｏｎ  ｏｆ  ｔｈｅ  Ｐｅｌｖｉｃ  Ｃｏｌｏｎ"，  Ｔｈｅ  Ｌａｎｃｅｔ，  Ｄｅｃ．  １９，  １９０８，  ｐｐ．  １８１２−１８１３．  ＮＰＬ−２８７
【非特許文献３２９】  ＢＥＮＪＡＭＩＮ，  Ｐ．，  "Ｆａｅｃｕｌｅｎｔ  Ｐｅｒｉｔｏｎｉｔｉｓ：  Ａ  Ｃｏｍｐｌｉｃａｔｉｏｎ  ｏｆ  Ｖａｃｕｕｍ  Ｄｒａｉｎａｇｅ"，  Ｂｒ．  Ｊ．  Ｓｕｒｇ．，  １９８０，  ｐｐ．  ４５３−４５４，  ｖｏｌ．  ６７． ＮＰＬ−０４２
【非特許文献３３０】  ＳＡＧＩ，  Ａ．，  ｅｔ  ａｌ．，  "Ｂｕｒｎ  Ｈａｚａｒｄ  Ｆｒｏｍ  Ｃｕｐｐｉｎｇ  -  Ａｎ  Ａｎｃｉｅｎｔ  Ｕｎｉｖｅｒｓａｌ  Ｍｅｄｉｃａｔｉｏｎ  Ｓｔｉｌｌ  ｉｎ  Ｐｒａｃｔｉｃｅ"，  Ｂｕｒｎｓ，  １９８８，  ｐｐ．  ３２３−３２５，  ｖｏｌ．  １４，  ｎｏ．４．  ＮＰＬ−３５１
【非特許文献３３１】  ＡＧＲＡＭＡ，  Ｈ．，  ｅｔ  ａｌ．，  "Ｆｕｎｃｔｉｏｎａｌ  Ｌｏｎｇｅｖｉｔｙ  ｏｆ  Ｉｎｔｒａｐｅｒｉｔｏｎｅａｌ  Ｄｒａｉｎｓ"，  Ｔｈｅ  Ａｍｅｒｉｃａｎ  Ｊｏｕｒｎａｌ  ｏｆ  Ｓｕｒｇｅｒｙ"，  Ｓｅｐｔ．  １９７６，  ｐｐ．  ４１８−４２１，  ｖｏｌ．  １３２．  ＮＰＬ−００９
【非特許文献３３２】  ＭＡＧＥＥ，  Ｃ．，  ｅｔ  ａｌ．，  "Ｐｏｔｅｎｔｉａｔｉｏｎ  ｏｆ  Ｗｏｕｎｄ  Ｉｎｆｅｃｔｉｏｎ  ｂｙ  Ｓｕｒｇｉｃａｌ  Ｄｒａｉｎｓ"，  Ｔｈｅ  Ａｍｅｒｉｃａｎ  Ｊｏｕｒｎａｌ  ｏｆ  Ｓｕｒｇｅｒｙ，  Ｍａｙ  １９７６，  ｐｐ．  ５４７−５４９，  ｖｏｌ．  １３１．  ＮＰＬ−２６４
【非特許文献３３３】  ＢＩＲＤＳＥＬＬ，  Ｄ．，  ｅｔ  ａｌ．，  "Ｔｈｅ  Ｔｈｅｏｒｅｔｉｃａｌｌｙ  Ｉｄｅａｌ  Ｄｏｎｏｒ  Ｓｉｔｅ  Ｄｒｅｓｓｉｎｇ"，Ａｎｎａｌｓ  ｏｆ  Ｐｌａｓｔｉｃ  Ｓｕｒｇｅｒｙ，  Ｊｕｎｅ  １９７９，  ｐｐ．  ５３５−５３７，  ｖｏｌ．  ２，  ｎｏ．  ６．  ＮＰＬ−０４８
【非特許文献３３４】  ＣＲＵＳＥ，  Ｐ．，  ｅｔ  ａｌ．，  "Ａ  Ｆｉｖｅ−Ｙｅａｒ  Ｐｒｏｓｐｅｃｔｉｖｅ  Ｓｔｕｄｙ  ｏｆ  ２３，６４９  Ｓｕｒｇｉｃａｌ  Ｗｏｕｎｄｓ"，  Ｓｕｒｇｉｃａｌ  Ｗｏｕｎｄｓ／Ｃｒｕｓｅ  ａｎｄ  Ｆｏｏｒｄ，  Ａｕｇ．  １９７３，  ｐｐ．  ２０６−２１０，  ｖｏｌ．  １０７．  ＮＰＬ−１０５
【非特許文献３３５】  ＡＵＢＲＥＹ，  Ｄ．，  ｅｔ  ａｌ．，  "Ｔｒｅａｔｍｅｎｔ  ｏｆ  ｔｈｅ  Ｐｅｒｉｎｅａｌ  Ｗｏｕｎｄ  Ａｆｔｅｒ  Ｐｒｏｃｔｅｃｔｏｍｙ  ｂｙ  Ｉｎｔｅｒｍｉｔｔｅｎｔ  Ｉｒｒｉｇａｔｉｏｎ"，  Ａｒｃｈ．  Ｓｕｒｇ．，  Ｏｃｔ．  １９８４，  ｐｐ．  １１４１−１１４４，  ｖｏｌ．  １１９．  ＮＰＬ−０２１
【非特許文献３３６】  ＭＡＹＯ，  Ｃ．，  "Ｔｈｅ  Ｏｎｅ−Ｓｔａｇｅ  Ｃｏｍｂｉｎｅｄ  Ａｂｄｏｍｉｎｏｐｅｒｉｎｅａｌ  Ｒｅｓｅｃｔｉｏｎ  ｆｏｒ  Ｃａｒｃｉｎｏｍａ  ｏｆ  ｔｈｅ  Ｒｅｃｔｕｍ，  Ｒｅｃｔｏｓｉｇｍｏｉｄ  ａｎｄ  Ｓｉｇｍｏｉｄ"，  Ｓｕｒｇｉｃａｌ  Ｃｌｉｎｉｃｓ  ｏｆ  Ｎｏｒｔｈ  Ａｍｅｒｉｃａ，  Ａｕｇｕｓｔ  １９３９，  ｐｐ．  １０１１−１０１９．  ＮＰＬ−２６８
【非特許文献３３７】  ＤＲＡＰＥＲ，  Ｊ．，  "Ｍａｋｅ  ｔｈｅ  ｄｒｅｓｓｉｎｇ  ｆｉｔ  ｔｈｅ  ｗｏｕｎｄ"，  Ｎｕｒｓｉｎｇ  Ｔｉｍｅｓ，  Ｏｃｔｏｂｅｒ  ９，  １９８５，  ｐｐ．  ３２−３５．  ＮＰＬ−１２２
【非特許文献３３８】  ＳＣＨＵＭＡＮＮ，  Ｄ．，  ｅｔ  ａｌ．，  "Ｐｒｅｏｐｅｒａｔｉｖｅ  Ｍｅａｓｕｒｅｓ  ｔｏ  Ｐｒｏｍｏｔｅ  Ｗｏｕｎｄ  Ｈｅａｌｉｎｇ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ６８３−６９９，  ｖｏｌ．  １４，  ｎｏ．  ４．  ＮＰＬ−３６１
【非特許文献３３９】  ＢＥＳＳＴ，  Ｊ．，  ｅｔ  ａｌ．，  "Ｗｏｕｎｄ  Ｈｅａｌｉｎｇ  -  Ｉｎｔｒａｏｐｅｒａｔｉｖｅ  Ｆａｃｔｏｒｓ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ７０１−７１２，  ｖｏｌ．  １４，  ｎｏ．  ４．  ＮＰＬ−０４４
【非特許文献３４０】  ＣＯＯＰＥＲ，  Ｄ．，  ｅｔ  ａｌ．，  "Ｐｏｓｔｓｕｒｇｉｃａｌ  Ｎｕｒｓｉｎｇ  Ｉｎｔｅｒｖｅｎｔｉｏｎ  ａｓ  ａｎ  Ａｄｊｕｎｃｔ  ｔｏ  Ｗｏｕｎｄ  Ｈｅａｌｉｎｇ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ７１３−７２６，  Ｎｕｒｓｉｎｇ  Ｃｌｉｎｉｃｓ  ｏｆ  Ｎｏｒｔｈ  Ａｍｅｒｉｃａ，  ｖｏｌ．  １４，  ｎｏ．  ４  ＮＰＬ−０９７
【非特許文献３４１】  ＯＢＹＲＮＥ，  Ｃ．，  "Ｃｌｉｎｉｃａｌ  Ｄｅｔｅｃｔｉｏｎ  ａｎｄ  Ｍａｎａｇｅｍｅｎｔ  ｏｆ  Ｐｏｓｔｏｐｅｒａｔｉｖｅ  Ｗｏｕｎｄ  Ｓｅｐｓｉｓ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ７２７−７４１，  ｖｏｌ．  １４，  ｎｏ．  ４．  ＮＰＬ−３１６
【非特許文献３４２】  ＫＥＩＴＨ，  Ｃ．，  "Ｗｏｕｌｄ  Ｍａｎａｇｅｍｅｎｔ  Ｆｏｌｌｏｗｉｎｇ  Ｈｅａｄ  ａｎｄ  Ｎｅｃｋ  Ｓｕｒｇｅｒｙ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ７６１−７７８，  ｖｏｌ．  １４，  ｎｏ，  ４．  ＮＰＬ−２３３
【非特許文献３４３】  ＴＥＮＴＡ，  Ｌ．，  ｅｔ  ａｌ．，  "Ｓｕｃｔｉｏｎ  Ｄｒａｉｎａｇｅ  ｏｆ  Ｗｏｕｎｄｓ  ｏｆ  ｔｈｅ  Ｈｅａｄ  ａｎｄ  Ｎｅｃｋ"，  Ｓｕｒｇｅｒｙ，  Ｇｙｎｅｃｏｌｏｇｙ．  &  Ｏｂｓｔｅｔｒｉｃｓ，  Ｄｅｃ．  １９８９，  ｐ．  ５５８，  ｖｏｌ．  １６９．  ＮＰＬ−４０１
【非特許文献３４４】  ＦＩＲＬＩＴ，  Ｃ．，  ｅｔ  ａｌ．，  "Ｓｕｒｇｉｃａｌ  Ｗｏｕｎｄ  Ｄｒａｉｎａｇｅ：  Ａ  Ｓｉｍｐｌｅ  Ｄｅｖｉｃｅ  ｆｏｒ  Ｃｏｌｌｅｃｔｉｏｎ"，  ｊｏｕｒｎａｌ  ｏｆ  Ｕｒｏｌｏｇｙ，  Ａｕｇ．，  １９７２，  ｐｐ．  ３２７，  ｖｏｌ．  １０８．  ＮＰＬ−１５３
【非特許文献３４５】  ＭＯＬＯＮＥＹ，  Ｇ．，  "Ａｐｐｏｓｉｔｉｏｎ  ａｎｄ  Ｄｒａｉｎａｇｅ  ｏｆ  Ｌａｒｇｅ  Ｓｋｉｎ  Ｆｌａｐｓ"，  Ｏｘｆｏｒｄ，  Ｅｎｇｌａｎｄ，  ｐｐ．  １７３−１７９  （Ｆｅｂｒｕａｒｙ  １９５７）．  ＮＰＬ−２９６
【非特許文献３４６】  ＷＯＲＴＨ，  Ｍ．，  ｅｔ  ａｌ．，  "Ｔｈｅ  Ｅｆｆｅｃｔｉｖｅｎｅｓｓ  ｏｆ  Ｂａｃｔｅｒｉａｌ  Ｆｉｌｔｒａｔｉｏｎ  ｉｎ  Ｖｅｎｔｅｄ  Ｗｏｕｎｄ  Ｄｒａｉｎｓ"，  Ｊｏｕｒｎａｌ  ｏｆ  Ｓｕｒｇｉｃａｌ  Ｒｅｓｅａｒｃｈ，  １９７９，  ｐｐ．  ４０５−４０７，  ２７．  ＮＰＬ−４４６
【非特許文献３４７】  ＦＬＹＮＮ，  Ｍ．，  ｅｔ  ａｌ．，  "Ｐｒｏｍｏｔｉｎｇ  Ｗｏｕｎｄ  Ｈｅａｌｉｎｇ：  Ｗｏｕｎｄ  Ｈｅａｌｉｎｇ  Ｍｅｃｈａｎｉｓｍｓ"，  Ａｍｅｒｉｃａｎ  Ｊｏｕｒｎａｌ  ｏｆ  Ｎｕｒｓｉｎｇ，  Ｏｃｔ．  １９８２，  ｐｐ．  １５４４−１５５８．  ＮＰＬ−１６２
【非特許文献３４８】  ＭＩＬＥＳ，  Ｗ．，  "Ｔｅｃｈｎｉｑｕｅ  ｏｆ  ｔｈｅ  Ｒａｄｉｃａｌ  Ｏｐｅｒａｔｉｏｎ  ｆｏｒ  Ｃａｎｃｅｒ  ｏｆ  ｔｈｅ  Ｒｅｃｔｕｍ"，  Ｔｈｅ  Ｂｒｉｔｉｓｈ  Ｊｏｕｒｎａｌ  ｏｆ  Ｓｕｒｇｅｒｙ，  １９１４−１９１５，  ｐｐ．  ２９２−３０５．  ＮＰＬ−２８６
【非特許文献３４９】  ＨＩＬＴＯＮ，  Ｐ．，  "Ｓｕｒｇｉｃａｌ  Ｗｏｕｎｄ  Ｄｒａｉｎａｇｅ：  Ａ  Ｓｕｒｖｅｙ  ｏｆ  Ｐｒａｃｔｉｃｅｓ  Ａｍｏｎｇ  Ｇｙｎａｅｃｏｌｏｇｉｓｔｓ  ｉｎ  ｔｈｅ  Ｂｒｉｔｉｓｈ  Ｉｓｌｅｓ"，  Ｂｒｉｔｉｓｈ  Ｊｏｕｒｎａｌ  ｏｆ  Ｏｂｓｔｅｔｒｉｃｓ  ａｎｄ  Ｇｙｎａｅｃｏｌｏｇｙ，  Ｏｃｔ．  １９８８，  ｐｐ．  １０６３−  １０６９，  ｖｏｌ．  ９５．  ＮＰＬ−２０７
【非特許文献３５０】  ＭＩＬＳＯＭ，  Ｉ．，  ｅｔ  ａｌ．，  "Ａｎ  Ｅｖａｌｕａｔｉｏｎ  ｏｆ  ａ  Ｐｏｓｔ−Ｏｐｅｒａｔｉｖｅ  Ｖａｃｕｕｍ  Ｄｒａｉｎａｇｅ  Ｓｙｓｔｅｍ"，  Ｃｕｒｒｅｎｔ  Ｍｅｄｉｃａｌ  Ｒｅｓｅａｒｃｈ  ａｎｄ  Ｏｐｉｎｉｏｎ，  １９７９，  ｐｐ．  １６０−１６４，  ｖｏｌ．  ６，  ｎｏ．  ２．  ＮＰＬ−２８９
【非特許文献３５１】  ＦＯＸ，  Ｊ．，  ｅｔ  ａｌ．，  "Ｔｈｅ  Ｕｓｅ  ｏｆ  Ｄｒａｉｎｓ  ｉｎ  Ｓｕｂｃｕｔａｎｅｏｕｓ  Ｓｕｒｇｉｃａｌ  Ｐｒｏｃｅｄｕｒｅｓ"，  Ｔｈｅ  Ａｍｅｒｉｃａｎ  Ｊｏｕｒｎａｌ  ｏｆ  Ｓｕｒｇｅｒｙ，  Ｎｏｖ．  １９７６，  ｐｐ．  ６７３−６７４，  ｖｏｌ．  １３２．  ＮＰＬ−１６４
【非特許文献３５２】  ＨＩＬＳＡＢＥＣＫ，  Ｊ．，  "Ｔｈｅ  Ｐｒｅｓａｃｒａｌ  Ｓｐａｃｅ  ａｓ  ａ  Ｃｏｌｌｅｃｔｏｒ  ｏｆ  Ｆｌｕｉｄ  Ａｃｃｕｍｕｌａｔｉｏｎｓ  Ｆｏｌｌｏｗｉｎｇ  Ｒｅｃｔａｌ  Ａｎａｓｔｏｍｏｓｉｓ"，  Ａｍｅｒｉｃａｎ  Ｓｏｃｉｅｔｙ  ｏｆ  Ｃｏｌｏｎ  ａｎｄ  Ｒｅｃｔａｌ  Ｓｕｒｇｅｏｎｓ，  （Ｏｃｔ．  １９８２），  ｐｐ．  ６８０−６８４，  ｖｏｌ．  ２５，  ｎｏ．  ７．  ＮＰＬ−２０６
【非特許文献３５３】  ＨＵＬＴＥＮ，  Ｌ．，  ｅｔ  ａｌ．，  "Ｐｒｉｍａｒｙ  Ｃｌｏｓｕｒｅ  ｏｆ  Ｐｅｒｉｎｅａｌ  Ｗｏｕｎｄ  Ａｆｔｅｒ  Ｐｒｏｔｏｃｏｌｅｃｔｏｍｙ  ｏｒ  Ｒｅｃｔａｌ  Ｅｘｃｉｓｉｏｎ"，  Ａｃｔａ  Ｃｈｉｒ  Ｓｃａｎｄ  １３７，  １９７１，  ｐｐ．  ４６７−４６９．  ＮＰＬ−２１５
【非特許文献３５４】  ＬＡＮＤＥＳ，  Ｒ．，  "Ａｎ  Ｉｍｐｒｏｖｅｄ  Ｓｕｃｔｉｏｎ  Ｄｅｖｉｃｅ  ｆｏｒ  Ｄｒａｉｎｉｎｇ  Ｗｏｕｎｄｓ"，  Ａｒｃｈ．  Ｓｕｒｇ．，  Ｍａｙ  １９７２，  ｐｐ．  ７０７，  ｖｏｌ．  １０４．  ＮＰＬ−２４８
【非特許文献３５５】  ＨＵＧＨ，  Ｔ．，  "Ａｂｄｏｍｉｎａｌ  Ｗｏｕｎｄ  Ｄｒａｉｎａｇｅ"，  Ｔｈｅ  Ｍｅｄｉｃａｌ  Ｊｏｕｒｎａｌ  ｏｆ  Ａｕｓｔｒａｌｉａ，  Ｍａｙ  ４，  １９８７，  ｐｐ．  ５０５．  ＮＰＬ−２１４
【非特許文献３５６】  ＥＩＳＥＮＢＵＤ，  Ｄ．，  "Ｍｏｄｅｒｎ  Ｗｏｕｎｄ  Ｍａｎａｇｅｍｅｎｔ"，  Ａｄａｄｅｍ  Ｐｕｂｌｉｓｈｉｎｇ，  ｐｐ．  １０９−１１６  （Ｊａｎｕａｒｙ  １９９９）．  ＮＰＬ−１３４
【非特許文献３５７】  ＥＡＧＬＳＴＥＩＮ，  Ｗ．，  ｅｔ  ａｌ．，  "Ｗｏｕｎｄ  Ｄｒｅｓｓｉｎｇｓ：  Ｃｕｒｒｅｎｔ  ａｎｄ  Ｆｕｔｕｒｅ"，  Ｃｌｉｎｉｃａｌ  ａｎｄ  Ｅｘｐｅｒｉｍｅｎｔａｌ  Ａｐｐｒｏａｃｈｅｓ  ｔｏ  Ｄｅｒｍａｌ  ａｎｄ  Ｅｐｉｄｅｒｍａｌ  Ｒｅｐａｉｒ；  Ｎｏｒｍａｌ  ａｎｄ  Ｃｈｒｏｎｉｃ  Ｗｏｕｎｄｓ，  Ｐｒｏｇｒｅｓｓ  ｉｎ  Ｃｌｉｎｉｃａｌ  ａｎｄ  Ｂｉｏｌｏｇｉｃａｌ  Ｒｅｓｅａｒｃｈ，  ｖｏｌ．  ３６５，  Ｃ  １９９１  Ｗｉｌｅｙ−Ｌｉｓｓ，  Ｉｎｃ．，  ｐｐ．  ２５７−２６５． ＮＰＬ−１２８
【非特許文献３５８】  ＢＲＵＮＯ，  Ｐ．，  "Ｔｈｅ  Ｎａｔｕｒｅ  ｏｆ  Ｗｏｕｎｄ  Ｈｅａｌｉｎｇ"，  Ｎｕｒｓｉｎｇ  Ｃｌｉｎｉｃｓ  ｏｆ  Ｎｏｒｔｈ  Ａｍｅｒｉｃａ，  Ｄｅｃ．  １９７９，  ｐｐ．  ６６７−６８２，  ｖｏｌ．  １４，  ｎｏ．  ４．  ＮＰＬ−０６４
【非特許文献３５９】  ＢＡＲ−ＥＬ，  Ｙ．，  ｅｔ  ａｌ．，  "Ｐｏｔｅｎｔｉａｌｌｙ  Ｄａｎｇｅｒｏｕｓ  Ｎｅｇａｔｉｖｅ  Ｉｎｔｒａｐｌｅｕｒａｌ  Ｐｒｅｓｓｕｒｅｓ  Ｇｅｎｅｒａｔｅｄ  ｂｙ  Ｏｒｄｉｎａｒｙ  Ｐｌｅｕｒａｌ  Ｄｒａｉｎａｇｅ  Ｓｙｓｔｅｍｓ"，  Ｃｈｅｓｔ，  Ｆｅｂ．  ２００１，  ｐｐ．  ５１１−５１４，  ｖｏｌ．  １１９，  ｎｏ．  ２．  ＮＰＬ−０３６
【非特許文献３６０】  ＡＧＡＲＷＡＬＡ，  Ｓ．，  ｅｔ  ａｌ．，  "Ｕｓｅ  ｏｆ  Ｍｉｎｉ−Ｖａｃｕｕｍ  Ｄｒａｉｎｓ  ｉｎ  Ｓｍａｌｌ  Ｓｕｒｇｉｃａｌ  Ｗｏｕｎｄｓ"，  Ｐｌａｓｔｉｃ  ａｎｄ  Ｒｅｃｏｎｓｔｒｕｃｔｉｖｅ  Ｓｕｒｇｅｒｙ，  Ａｐｒｉｌ  １９９８，  ｐｐ．  １４２１−１４２２，  ｖｏｌ．  １０１，  ｎ．  ５．  ＮＰＬ−００
【非特許文献３６１】  ＮＡＳＳＥＲ，  Ａ．，  "Ｔｈｅ  Ｕｓｅ  ｏｆ  ｔｈｅ  Ｍｉｎｉ−Ｆｌａｐ  Ｗｏｕｎｄ  Ｓｕｃｔｉｏｎ  Ｄｒａｉｎ  ｉｎ  Ｍａｘｉｌｌｏｆａｃｉａｌ  Ｓｕｒｇｅｒｙ"，  Ａｎｎａｌｓ  ｏｆ  ｔｈｅ  Ｒｏｙａｌ  Ｃｏｌｌｅｇｅ  ｏｆ  Ｓｕｒｇｅｏｎｓ  ｏｆ  Ｅｎｇｌａｎｄ，  １９８６，  ｐｐ．  １５１−１５３，  ｖｏｌ．  ６８．  ＮＰＬ−３０９
【非特許文献３６２】  ＨＵＮＴ，  Ｔ．Ｋ．，  ｅｔ  ａｌ．  ｅｄｓ．，  "Ｄｅａｄ  Ｓｐａｃｅ"  ａｎｄ  "Ｄｒａｉｎａｇｅ"，  Ｆｕｎｄａｍｅｎｔａｌｓ  ｏｆ  Ｗｏｕｎｄ  Ｍａｎａｇｅｍｅｎｔ，  ｐｐ．  ４１６−４４７  （１９７９）．  ＮＰＬ−１８６
【非特許文献３６３】  ＬＵＭＬＥＹ，  Ｊ．，  ｅｔ  ａｌ．，  "Ｔｈｅ  Ｐｈｙｓｉｃａｌ  ａｎｄ  ｂａｃｔｅｒｉｏｌｏｇｉｃａｌ  Ｐｒｏｐｅｒｔｉｅｓ  ｏｆ  Ｄｉｓｐｏｓａｂｌｅ  ａｎｄ  Ｎｏｎ−Ｄｉｓｐｏｓａｂｌｅ  Ｓｕｃｔｉｏｎ  Ｄｒａｉｎａｇｅ  Ｕｎｉｔｓ  ｉｎ  ｔｈｅ  Ｌａｂｏｒａｔｏｒｙ"，  Ｂｒ．  Ｊ．  Ｓｕｒｇ，  １９７４，  ｐｐ．  ８３２８３７，  ｖｏｌ．  ６１．  ＮＰＬ−２６１
【非特許文献３６４】  ＢＲＩＴＴＯＮ，  Ｂ．，  ｅｔ  ａｌ．，  "Ａ  Ｃｏｍｐａｒｉｓｏｎ  Ｂｅｔｗｅｅｎ  Ｄｉｓｐｏｓａｂｌｅ  ａｎｄ  Ｎｏｎ−ｄｉｓｐｏｓａｂｌｅ  Ｓｕｃｔｉｏｎ  Ｄｒａｉｎａｇｅ  Ｕｎｉｔｓ：  Ａ  Ｒｅｐｏｒｔ  ｏｆ  ａ  Ｃｏｎｔｒｏｌｌｅｄ  Ｔｒｉａｌ"，  Ｂｒ．  Ｊ．  Ｓｕｒｇ．，  １９７９，  ｐｐ．  ２７９−２８０，  ｖｏｌ．  ６６．  ＮＰＬ−０５７
【非特許文献３６５】  ＭＣＦＡＲＬＡＮＥ，  Ｒ．，  "Ｔｈｅ  ｕｓｅ  ｏｆ  Ｃｏｎｔｉｎｕｏｕｓ  Ｓｕｃｔｉｏｎ  Ｕｎｄｅｒ  Ｓｋｉｎ  Ｆｌａｐｓ"，  Ｂｒｉｔｉｓｈ  Ｊｏｕｒｎａｌ  ｏｆ  Ｐｌａｓｔｉｃ  Ｓｕｒｇｅｒｙ，  ｐｐ．  ７７−８６  （１９５８−１９５９）．  ＮＰＬ−２７１
【非特許文献３６６】  ＦＡＹ，  Ｍ．，  "Ｄｒａｉｎａｇｅ  Ｓｙｓｔｅｍｓ：  Ｔｈｅｉｒ  Ｒｏｌｅ  ｉｎ  Ｗｏｕｎｄ  Ｈｅａｌｉｎｇ"，  ＡＯＲＮ  Ｊｏｕｒｎａｌ，  Ｓｅｐｔ．  １９８７，  ｐｐ．  ４４２−４５５，  ｖｏｌ．  ４６，  ｎｏ．  ３．  ＮＰＬ−１４９
【非特許文献３６７】  ＴＡＹＬＯＲ，  Ｖ．，  "Ｍｅｅｔｉｎｇ  ｔｈｅ  Ｃｈａｌｌｅｎｇｅ  ｏｆ  Ｆｉｓｔｕｌａｓ  &  Ｄｒａｉｎｉｎｇ  Ｗｏｕｎｄｓ"，  Ｎｕｒｓｉｎｇ８０，  Ｊｕｎｅ，  ｐｐ．  ４５−５１．  ＮＰＬ−３９８
【非特許文献３６８】  ＯＲＧＩＬＬ，  Ｄ．，  "Ｃｕｒｅｎｔ  Ｃｏｎｃｅｐｔｓ  ａｎｄ  Ａｐｐｒｏａｃｈｅｓ  ｔｏ  Ｗｏｕｌｄ  Ｈｅａｌｉｎｇ"，  Ｃｒｉｔｉｃａｌ  Ｃａｒｅ  Ｍｅｄｉｃｉｎｅ，  Ｓｅｐｔ．  １９８８，  ｐｐ．  ８９９−９０８，  ｖｏｌ．  １６，  ｎｏ．  ９．  ＮＰＬ−３２０
【非特許文献３６９】  Ｐａｒｔ  ＩＩＩ．  Ｒｅｓｏｌｖｉｎｇ  Ｓｅｌｅｃｔｅｄ  Ｃｌｉｎｉｃａｌ  Ｄｉｌｅｍｍａｓ，  ｐｐ．  １７−２０．  ＮＰＬ−３２８
【非特許文献３７０】  "Ｍａｋｉｎｇ  Ｓｅｎｓｅ  ｏｆ  Ｗｏｕｎｄ  Ｄｒａｉｎａｇｅ"，  Ｎｕｒｓｉｎｇ  Ｔｉｍｅｓ，  Ｊｕｌｙ  ５，  １９８９，  ｐｐ．  ４０−４２，  ｖｏｌ．  ８５，  ｎｏ．  ２７．  ＮＰＬ−２６５
【非特許文献３７１】  Ｍａｎｕａｌｅｃｔｒｉｃ  Ｂｒｅａｓｔｐｕｍｐ，  Ｃａｔａｌｏｇ  ｐａｇｅｓ  （４  ｐａｇｅｓ），  ｄｉａｇｒａｍｓ  ａｎｄ  ｄｅｓｃｒｉｐｔｉｏｎｓ．  ＮＰＬ２６６
【非特許文献３７２】  ＨＡＲＫＩＳＳ，  Ｋ．，  "Ｌｅｇ  Ｕｌｃｅｒｓ  Ｃｈｅａｐｅｒ  ｉｎ  ｔｈｅ  Ｌｏｎｇ  Ｒｕｎ"，  Ｃｏｍｍｕｎｉｔｙ  Ｏｕｔｌｏｏｋ，  Ａｕｇｕｓｔ  １９８５，  ｐｐ．  １９，  ２１，  ２２，  ２４  &  ２６  ＮＰＬ−１９０，  ＮＰＬ−６０１
【非特許文献３７３】  ＷＥＳＴＡＢＹ，  Ｓ．  （Ｅｄｉｔｏｒ），  "Ｗｏｕｎｄ  Ｃａｒｅ  Ｎｏ．  ４３；  Ｗｈｉｃｈ  Ｄｒｅｓｓｉｎｇ  ａｎｄ  Ｗｈｙ"，  Ｎｕｒｓｉｎｇ  Ｔｉｍｅｓ  Ｊｕｌｙ  ２１，  １９８２，  ｐｐ．  ４１−４４．  ＮＰＬ−４３４
【非特許文献３７４】  ＯｐＳｉｔｅ  Ｗｏｕｎｄ  Ｄｒｅｓｓｉｎｇｓ，  "Ｄｏ  Ｙｏｕｒ  Ｐｒｅｓｓｕｒｅ  Ｓｏｒｅ  Ｄｒｅｓｓｉｎｇｓ  Ｓｈａｐｅ  Ｕｐ  ｔｏ  ｔｈｅ  ＯｐＳｉｔｅ  Ｓｔａｎｄａｒｄ"，  ２  ｐａｇｅｓ  ｏｆ  ａｄｖｅｒｔｉｓｅｍｅｎｔｓ．  ＮＰＬ−３１９
【非特許文献３７５】  Ｄｏｗ  Ｃｏｒｎｉｎｇ  Ｓｉｌａｓｔｉｃ(r)  Ｆｏａｍ  Ｄｒｅｓｓｉｎｇ：  Ａ  Ｎｅｗ  Ｃｏｎｃｅｐｔ  ｉｎ  ｔｈｅ  Ｍａｎａｇｅｍｅｎｔ  ｏｆ  Ｏｐｅｎ  Ｇｒａｎｕｌａｔｉｎｇ  Ｗｏｕｎｄｓ，  ２  ｐａｇｅｓ  ｏｆ  ａｄｖｅｒｔｉｓｅｍｅｎｔｓ．  ＮＰＬ−１２１
【非特許文献３７６】  ＣＯＢＢ，  Ｊ．，  "Ｗｈｙ  Ｕｓｅ  Ｄｒａｉｎｓ"，  Ｔｈｅ  Ｊｏｕｒｎａｌ  ｏｆ  Ｂｏｎｅ  ａｎｄ  Ｊｏｉｎｔ  Ｓｕｒｇｅｒｙ，  Ｎｏｖ．  １９９０，  ｐｐ．  ９９３−９９５，  ｖｏｌ．  ７２−Ｂ，  ｎｏ．  ６．  ＮＰＬ−０８８
【非特許文献３７７】  ＰＬＥＵＲＸ  Ｐｌｅｕｒａｌ  Ｃａｔｈｅｔｅｒ，  Ｄｅｎｖｅｒ  Ｂｉｏｍｅｄｉｃａｌ，  ４  ｐａｇｅｓ  ｏｆ  ｂｒｏｃｈｕｒｅ．  ＮＰＬ−３３４
【非特許文献３７８】  ＳＩＬＶＩＳ，  Ｒ．，  ｅｔ  ａｌ．，  "Ｔｈｅ  Ｕｓｅ  ｏｆ  Ｃｏｎｔｉｎｕｏｕｓ  Ｓｕｃｔｉｏｎ  Ｎｅｇａｔｉｖｅ  Ｐｒｅｓｓｕｒｅ  Ｉｎｓｔｅａｄ  ｏｆ  Ｐｒｅｓｓｕｒｅ  Ｄｒｅｓｓｉｎｇ"，  Ａｎｎａｌｓ  ｏｆ  Ｓｕｒｇｅｒｙ，  Ａｕｇ．  １９５５，  ｐｐ．  ２５２−２５６，  ｖｏｌ．  １４２，  ｎｏ．２．  ＮＰＬ３７４
【非特許文献３７９】  ＶＡＮ  ＷＡＹ，  Ｃ．，  "Ｐｒｅｖｅｎｔｉｏｎ  ｏｆ  Ｓｕｃｔｉｏｎ−Ｉｎｄｕｃｅｄ  Ｇａｓｔｒｉｃ  Ｍｕｃｏｓａｌ  Ｄａｍａｇｅ  ｉｎ  Ｄｏｇｓ"，  Ｇａｓｔｒｉｃ  Ｓｕｃｔｉｏｎ，  １９８７，  ｐｐ．  ７７４−７７７，  ｖｏｌ．  １５，  ｎｏ．  ８．  ＮＰＬ−４１５
【非特許文献３８０】  ＭＯＳＥＲＯＶＡ，  Ｊ．，  "Ｔｈｅ  Ｈｅａｌｉｎｇ  ａｎｄ  Ｔｒｅａｔｍｅｎｔ  ｏｆ  Ｓｋｉｎ  Ｄｅｆｅｃｔｓ"，  ｐｐ．  １０３−１５１  （１９８９）  ＮＰＬ−２９９
【非特許文献３８１】  ＲＡＢＫＩＮ，  Ｊ．，  ｅｔ  ａｌ．，  "Ｉｎｆｅｃｔｉｏｎ  ａｎｄ  Ｏｘｙｇｅｎ"，  Ｐｒｏｂｌｅｍ  Ｗｏｕｎｄｓ：  Ｔｈｅ  Ｒｏｌｅ  ｏｆ  Ｏｘｙｇｅｎ"，  ｐｐ．  １−１５  （１９８７）．  ＮＰＬ−３３８
【非特許文献３８２】  Ｐａｒａｄｉｓｅ  Ｖａｌｌｅｙ  Ｈｏｓｐｉｔａｌ，  Ｔｈｅ  Ｃｅｎｔｅｒ  ｆｏｒ  Ｗｏｕｎｄ  Ｈｅａｌｉｎｇ  ａｎｄ  Ｈｙｐｅｒｂａｒｉｃ  Ｍｅｄｉｃｉｎｅ，  ３  ｐａｇｅｓ  ｏｆ  ｂｒｏｃｈｕｒｅ．  ＮＰＬ−３２６
【非特許文献３８３】  ＤｕｏＤＥＲＭ  ＨｙｄｒｏａｃｔｉｖｅＴＭ  Ｄｒｅｓｓｉｎｇ，  "Ｉｎ  ｗｏｕｎｄ  ｍａｎａｇｅｍｅｎｔ  −−  Ｎｏｗ，  ａ  ｐｒｏｖｅｎ  ｅｎｖｉｒｏｎｍｅｎｔ  ｆｏｒ  ｆａｓｔ  ｈｅａｌｉｎｇ"，  １  ｐａｇｅ  ａｄｖｅｒｔｉｓｅｍｅｎｔ．  ＮＰＬ−１２６
【非特許文献３８４】  Ｈｏｗｍｅｄｉｃａ  ｐｏｒｔｏ−ｖａｃ(r)，  "Ｇｅｎｔｌｅ，  Ｓｔｅａｄｙ  Ｗｏｕｎｄ  Ｄｒａｉｎａｇｅ"，  １  ｐａｇｅ  ａｄｖｅｒｔｉｓｅｍｅｎｔ．  ＮＰＬ−２１２
【非特許文献３８５】  Ｓｉｌｉｃｏｎｅ  ｆｒｏｍ  ＣＵＩ  （Ｃｏｘ−Ｕｐｈｏｆｆ  Ｉｎｔｅｒｎａｔｉｏｎａｌ），  "Ｆｌｅｘａｂｉｌｉｔｙ"，  １  ｐａｇｅ  ａｄｖｅｒｔｉｓｅｍｅｎｔ．  ＮＰＬ−３７１
【非特許文献３８６】  ＣＵＲＴＩＮ，  Ｌ．，  "Ｗｏｕｎｄ  Ｍａｎａｇｅｍｅｎｔ：  Ｃａｒｅ  ａｎｄ  Ｃｏｓｔ  -  Ａｎ  Ｏｖｅｒｖｉｅｗ"，  Ｎｕｒｓｉｎｇ  Ｍａｎａｇｅｍｅｎｔ，  Ｆｅｂ．  １９８４，  ｐｐ．  ２２−２５，  ｖｏｌ．  １５．  ＮＰＬ−１０６
【非特許文献３８７】  ＧＲＡＢＯＷＳＫＩ，  Ｓ．，  "Ｌｅｃｚｅｎｉｅ  ｒａｎ  ｚ  ｚａｓｔｏｓｏｗａｎｉｅｍ  ｐｏｄｃｉｓｎｉｅｎｉａ"，  ａｒｔｉｃｌｅ，  ｐｐ．  １９−２１，  Ｅｎｇｌｉｓｈ  ａｂｓｔｒａｃｔ  ｏｎ  ｐａｇｅ  ２１  ａｎｄ  １  ｓｈｅｅｔ  ｐｒｉｎｔｏｕｔ  ｆｒｏｍ  ＰｕｂＭｅｄ，  （Ｊａｎｕａｒｙ  １，  １９６４）．  ＮＰＬ１７４
【非特許文献３８８】  ＲＯＹＬＥ，  Ｇ．，  ｅｔ  ａｌ．，  "Ｄｉｓｐｏｓａｂｌｅ  Ｄｒａｉｎｓ"，  Ａｎｎａｌｓ  ｏｆ  ｔｈｅ  Ｒｏｙａｌ  Ｃｏｌｌｅｇｅ  ｏｆ  Ｓｕｒｇｅｒｙ  ｏｆ  Ｅｎｇｌａｎｄ，  １９８４，  １  ｐａｇｅ，  ｖｏｌ．  ６６．  ＮＰＬ−３４９
【非特許文献３８９】  ＭＥＥＨＡＮ，  Ｐ．，  "Ｏｐｅｎ  Ａｂｄｏｍｉｎａｌ  Ｗｏｕｎｄｓ：  Ａ  Ｃｒｅａｔｉｖｅ  Ａｐｐｒｏａｃｈ  ｔｏ  ａ  Ｃｈａｌｌｅｎｇｉｎｇ  Ｐｒｏｂｌｅｍ"，  Ｐｒｅｇｒｅｓｓｉｏｎｓ，  １９９２，  ｐｐ．  ３−８，  １１，  ｖｏｌ．  ４，  ｎｏ．  ２．  ＮＰＬ−２７６
【非特許文献３９０】  ＳＴＡＮＳＢＹ，  Ｇ．，  ｅｔ  ａｌ．，  "Ｖａｃｕｕｍ  Ｄｒａｉｎａｇｅ  ｏｆ  Ｇｒｏｉｎ  Ｗｏｕｎｄｓ  Ａｆｔｅｒ  Ｖａｓｃｕｌａｒ  Ｓｕｒｇｅｒｙ"，  Ｂｒ．  Ｊ．  Ｓｕｒｇ．，  Ｏｃｔ．  １９９０，  ｐｐ．  １１９４−１１９５，  ｖｏｌ．  ７７，  ｎｏ．  １０． ＮＰＬ−３９１
【非特許文献３９１】  ＥＤＬＩＣＨ，  Ｒ．，  ｅｔ  ａｌ．，  "Ｅｖａｌｕａｔｉｏｎ  ｏｆ  ａ  Ｎｅｗ，  Ｉｍｐｒｏｖｅｄ  Ｓｕｒｇｉｃａｌ  Ｄｒａｉｎａｇｅ  Ｓｙｓｔｅｍ"，  Ｔｈｅ  Ａｍｅｒｉｃａｎ  Ｊｏｕｒｎａｌ  ｏｆ  Ｓｕｒｇｅｒｙ，  Ｆｅｂ．  １９８５，  ｐｐ．  ２９５−２９８，  ｖｏｌ．  １４９．  ＮＰＬ−１３０
【非特許文献３９２】  ＢＲＯＡＤＥＲ，  Ｊ．，  ｅｔ  ａｌ．，  "Ｍａｎａｇｅｍｅｎｔ  ｏｆ  ｔｈｅ  Ｐｅｌｖｉｃ  Ｓｐａｃｅ  Ａｆｔｅｒ  Ｐｒｏｃｔｅｃｔｏｍｙ"，  Ｂｒ．  Ｊ．  Ｓｕｒｇ．，  １９７４，  ｐｐ．  ９４−９７，  ｖｏｌ．  ６１．  ＮＰＬ−０５８
【非特許文献３９３】  ＡＹＯＵＢ，  Ｍ．，  ｅｔ  ａｌ．，  "Ａ  ｓｔｕｄｙ  ｏｆ  ｃｕｔａｎｅｏｕｓ  ａｎｄ  ｉｎｔｒａｃｏｍｐａｒｔｍｅｎｔａｌ  ｌｉｍｂ  ｐｒｅｓｓｕｒｅｓ  ａｓｓｏｃｉａｔｅｄ  ｗｉｔｈ  ｔｈｅ  ｃｏｍｂｉｎｅｄ  ｕｓｅ  ｏｆ  ｔｏｕｒｎｉｑｕｅｔｓ  ａｎｄ  ｐｌａｓｔｅｒ  ｃａｓｔｓ"，  Ｍａｙ  １９８６，  ｐｐ．  ４９７，  ｖｏｌ．  ６８−Ｂ，  ｎｏ．  ３．  ＮＰＬ−０２５
【非特許文献３９４】  ＣＯＯＰＥＲ，  Ｄ．，  "Ｏｐｔｉｍｉｚｉｎｇ  Ｗｏｕｎｄ  Ｈｅａｌｉｎｇ：  Ａ  Ｐｒａｃｔｉｃｅ  Ｗｉｔｈｉｎ  Ｎｕｒｓｉｎｇｓ  Ｄｏｍａｉｎ"，  Ｎｕｒｓｉｎｇ  Ｃｌｉｎｉｃｓ  ｏｆ  Ｎｏｒｔｈ  Ａｍｅｒｉｃａ，  Ｍａｒｃｈ  １９９０，  ｐｐ．  １６５−１８０，  ｖｏｌ．  ２５，  ｎｏ．  １．  ＮＰＬ−０９５
【非特許文献３９５】  ＣＯＯＰＥＲ，  Ｄ．，  "Ｗｏｕｎｄ  Ｈｅａｌｉｎｇ"，  Ｎｕｒｓｉｎｇ  Ｃｌｉｎｉｃｓ  ｏｆ  Ｎｏｒｔｈ  Ａｍｅｒｉｃａ，  ｐｐ．  １６３−１６４  （Ｍａｒｃｈ  １９９０）．  ＮＰＬ−０９６
【非特許文献３９６】  ＨＯＬＬＩＳ，  Ｈ．，  ｅｔ  ａｌ．，  "Ａ  Ｐｒａｃｔｉｃａｌ  Ａｐｐｒｏａｃｈ  ｔｏ  Ｗｏｕｎｄ  Ｃａｒｅ  ｉｎ  Ｐａｔｉｅｎｔｓ  Ｗｉｔｈ  Ｃｏｍｐｌｅｘ  Ｅｎｔｅｒｏｃｕｔａｎｅｏｕｓ  Ｆｉｓｔｕｌａｓ"，  Ｓｕｒｇｅｒｙ，  Ｇｙｎｅｃｏｌｏｇｙ  &  Ｏｂｓｔｅｔｒｉｃｓ，  Ａｕｇ．  １９８５，  ｐｐ．  １７８−１８０，  ｖｏｌ．  １６１．  ＮＰＬ−２１０
【非特許文献３９７】  ＦＩＮＧＥＲＨＵＴ，  Ａ．，  "Ｐａｓｓｉｖｅ  ｖｓ．  Ｃｌｏｓｅｄ  Ｓｕｃｔｉｏｎ  Ｄｒａｉｎａｇｅ  Ａｆｔｅｒ  Ｐｅｒｉｎｅａｌ  Ｗｏｕｌｄ  Ｃｌｏｓｕｒｅ  Ｆｏｌｌｏｗｉｎｇ  Ａｂｄｏｍｉｎｏｐｅｒｉｎｅａｌ  Ｒｅｃｔａｌ  Ｅｘｃｉｓｉｏｎ  ｆｏｒ  Ｃａｒｃｉｎｏｍａ"，  Ｄｉｓ  Ｃｏｌｏｎ  Ｒｅｃｔｕｍ，  Ｓｅｐｔ．  １９９５，  ｐｐ．  ９２６−９３２，  Ｖｏｌ．  ３８，  Ｎｏ．  ９．  ＮＰＬ−１５２
【非特許文献３９８】  ＣＯＯＫ  ＰＮＥＵＭＯＴＨＯＲＡＸ  ＣＡＴＨＥＴＥＲ  ＳＥＴ，  ＷＡＹＮＥ  ＰＮＥＵＭＯＴＨＯＲＡＸ  ＣＡＴＨＥＴＥＲ  ＳＥＴ，  Ｅｍｅｒｇｅｎｃｙ  Ｍｅｄｉｃｉｎｅ，  Ｖｉｄｅｏｔａｐｅ  ａｄｖｅｒｔｉｓｅｍｅｎｔ．  ＮＰＬ−０９４
【非特許文献３９９】  ＳＣＨＡＦＦＥＲ，  Ｄ．，  "Ｃｌｏｓｅｄ  Ｓｕｃｔｉｏｎ"，  Ｎｕｒｓｉｎｇ９７，  Ｎｏｖ．，  ｈｔｔｐ：／／ｗｗｗ．ｓｐｒｉｎｇｎｅｔ．ｃｏｍ，  ｐｐ．  ６２−６４．  ＮＰＬ−３５７
【非特許文献４００】  ＣＡＲＲＯＬＬ，  Ｐ．，  "Ｔｈｅ  Ｐｒｉｎｃｉｐｌｅｓ  ｏｆ  Ｖａｃｕｕｍ  ａｎｄ  Ｉｔｓ  Ｕｓｅ  ｉｎ  ｔｈｅ  Ｈｏｓｐｉｔａｌ  Ｅｎｖｉｒｏｎｍｅｎｔ"，  Ｏｈｍｅｄａ，  ｐｐ  １−３０  ａｎｄ  ｃｏｖｅｒ  ｓｈｅｅｔ．  ＮＰＬ−０７０
【非特許文献４０１】  ＭＯＲＹＫＷＡＳ，  Ｍ．Ｊ．，  ｅｔ  ａｌ．，  "Ｕｓｅ  ｏｆ  Ｎｅｇａｔｉｖｅ  Ｐｒｅｓｓｕｒｅ  ｔｏ  Ｉｎｃｒｅａｓｅ  ｔｈｅ  Ｒａｔｅ  ｏｆ  Ｇｒａｎｕｌａｔｉｏｎ  Ｔｉｓｓｕｅ  Ｆｏｒｍａｔｉｏｎ  ｉｎ  Ｃｈｒｏｎｉｃ  Ｏｐｅｎ  Ｗｏｕｎｄｓ"，  Ｔｈｅ  ＦＡＳＥＢ  Ｊｏｕｒｎａｌ，  （７９９−８００），  Ｆｅｂｒｕａｒｙ  １９，  １９９３．  ＷＦＵ−１３
【非特許文献４０２】  ＯＲＲＩＮＧＥＲ，  Ｊ．Ｓ．，  ｅｔ  ａｌ．，  "Ｍａｎａｇｅｍｅｎｔ  ｏｆ  Ｗｏｕｎｄｓ  ｉｎ  Ｐａｔｉｅｎｔｓ  ｗｉｔｈ  Ｃｏｍｐｌｅｘ  Ｅｎｔｅｒｏｃｕｔａｎｅｏｕｓ  Ｆｉｓｔｕｌａｓ"，  Ｓｕｒｇｅｒｙ，  Ｇｙｎｅｃｏｌｏｇｙ  &  Ｏｂｓｔｅｔｒｉｃｓ，  Ｊｕｌｙ  １９８７，  Ｖｏｌｕｍｅ  １６５．  ＮＰＬ−３２３
【非特許文献４０３】  ＳＷＥＡＲＩＮＧＥＮ，  Ｐ．Ｌ．，  "Ｔｈｅ  Ａｄｄｉｓｏｎ−Ｗｅｓｌｅｙ  Ｐｈｏｔｏ−Ａｔｌａｓ  ｏｆ  Ｎｕｒｓｉｎｇ  Ｐｒｏｃｅｄｕｒｅｓ"，  ９  ｐａｇｅｓ，  (c)１９８４．  ＮＰＬ３９３
【非特許文献４０４】  ＭＵＬＤＥＲ，  Ｇ．Ｄ，  ｅｔ  ａｌ．，  Ｃｌｉｎｉｃｉａｎｓ  Ｐｏｃｋｅｔ  Ｇｕｉｄｅ  ｔｏ  Ｃｈｒｏｎｉｃ  Ｗｏｕｎｄ  Ｒｅｐａｉｒ，  Ｗｏｕｎｄ  Ｈｅａｌｉｎｇ  Ｐｕｂｌｉｃａｔｉｏｎｓ  Ｓｅｃｏｎｄ  Ｅｄｉｔｉｏｎ，  １９９２，  ｐｐ．  １−１０７． ＮＰＬ−３００
【非特許文献４０５】  ＰＥＡＣＯＣＫ，  Ｅ．Ｅ．，  Ｊｒ．，  "Ｗｏｕｎｄ  Ｒｅｐａｉｒ：，  Ｒｅｐａｉｒ  ｏｆ  Ｓｋｉｎ  Ｗｏｕｎｄｓ，  １９８４，  ｐｐ．  １７２−１７５．  ＮＰＬ−３２９
【非特許文献４０６】  ＢＡＮＷＥＬＬ，  Ｐ，  ｅｔ  ａｌ．，  "Ｔｏｐｉｃａｌ  Ｎｅｇａｔｉｖｅ  Ｐｒｅｓｓｕｒｅ  ＴＮＰ  Ｆｏｃｕｓ  Ｇｒｏｕｐ  Ｍｅｅｔｉｎｇ"，  Ｐｒｏｃｅｅｄｉｎｇｓ，  Ｌｏｎｄｏｎ，  ＵＫ  ２００３，  ｐｐ  １−１１１．  ＷＦＵ−２４
【非特許文献４０７】  Ｐｒｏｃｅｅｄｉｎｇｓ  ｆｒｏｍ  ｔｈｅ  ２００３  Ｎａｔｉｏｎａｌ  Ｖ．Ａ．Ｃ．(r)  Ｅｄｕｃａｔｉｏｎ  Ｃｏｎｆｅｒｅｎｃｅ，  ｓｕｐｐｌｅｍｅｎｔ  ｔｏ  ｔｈｅ  Ａｐｒｉｌ  ２００４  ＷＯＵＮＤＳ，  ４０  ｐａｇｅｓ．  ＮＰＬ−３３５
【非特許文献４０８】  ＤＩＥＵ，  Ｔ．，  ｅｔ  ａｌ．，  "Ｔｏｏ  Ｍｕｃｈ  Ｖａｃｕｕｍ−Ａｓｓｉｓｔｅｄ  Ｃｌｏｓｕｒｅ"，  ＡＮＺ  Ｊ．  Ｓｕｒｇ．  ２００３；  ７３：  １０５７−１０６０  ＮＰＬ−１１７
【非特許文献４０９】  ＣＨＥＳＴＥＲ，  Ｄ．，  ｅｔ  ａｌ．，  "Ａｄｖｅｒｓｅ  Ａｌｔｅｒａｔｉｏｎ  ｏｆ  Ｗｏｕｎｄ  Ｆｌｏｒａ  ｗｉｔｈ  Ｔｏｐｉｃａｌ  Ｎｅｇａｔｉｖｅ−Ｐｒｅｓｓｕｒｅ  Ｔｈｅｒａｐｙ：  "Ａ  Ｃａｓｅ  Ｒｅｐｏｒｔ"，  Ｂｒｉｔｉｓｈ  Ｊｏｕｒｎａｌ  ｏｆ  Ｐｌａｓｔｉｃ  Ｓｕｒｇｅｒｙ，  ２００２，  ｐｐ．  ５１０−５１１．  ＮＰＬ−０８２
【非特許文献４１０】  ＡＬＶＡＲＥＺ，  Ａ．，  ｅｔ  ａｌ．，  "Ｖａｃｕｕｍ−Ａｓｓｉｓｔｅｄ  Ｃｌｏｓｕｒｅ  ｆｏｒ  Ｃｕｔａｎｅｏｕｓ  Ｇａｓｔｒｏｉｎｔｅｓｔｉｎａｌ  Ｆｉｓｔｕｌａ  Ｍａｎａｇｅｍｅｎｔ"，  Ｇｙｎｅｃｏｌｏｇｉｃ  Ｏｎｃｏｌｏｇｙ，  ８０，  ４１３−４１６  （２００１）．  ＮＰＬ−０１５
【非特許文献４１２】  ＮＩＥＮＨＵＩＪＳ，  Ｓ．Ｗ．，  ｅｔ  ａｌ．，  "Ｃａｎ  Ｔｏｐｉｃａｌ  Ｎｅｇａｔｉｖｅ  Ｐｒｅｓｓｕｒｅ  Ｂｅ  Ｕｓｅｄ  Ｔｏ  Ｃｏｎｔｒｏｌ  Ｃｏｍｐｌｅｘ  Ｅｎｔｅｒｏｃｕｔａｎｅｏｕｓ  Ｆｉｓｔｕｌａｅ？"，  Ｊｏｕｒｎａｌ  ｏｆ  Ｗｏｕｎｄ  Ｃａｒｅ，  Ｖ．  １２，  Ｎｏ．  ９，  Ｏｃｔｏｂｅｒ  ２００３，  ｐｐ．  ３４３−３４５．  ＮＰＬ−３１３
【非特許文献４１３】  ＥＲＤＭＡＮＮ，  Ｄ．，  ｅｔ  ａｌ．，  "Ａｂｄｏｍｉｎａｌ  Ｗａｌｌ  Ｄｅｆｅｃｔ  ａｎｄ  Ｅｎｔｅｒｏｃｕｔａｎｅｏｕｓ  Ｆｉｓｔｕｌａ  Ｔｒｅａｔｍｅｎｔ  ｗｉｔｈ  ｔｈｅ  Ｖａｃｕｕｍ−Ａｓｓｉｓｔｅｄ  Ｃｌｏｓｕｒｅ  （Ｖ．Ａ．Ｃ．）  Ｓｙｓｔｅｍ"，  Ｐｌａｓｔｉｃ  ａｎｄ  Ｒｅｃｏｎｓｔｒｕｃｔｉｖｅ  Ｓｕｒｇｅｒｙ，  Ｖｏｌ．  １０８，  Ｎｏ．  ７，  ｐｐ．  ２０６６−２０６８  （Ｄｅｃｅｍｂｅｒ  ２００１）．  ＮＰＬ−１４１
【非特許文献４１４】  ＬＯＨＭＡＮ，  Ｒ．，  ｅｔ  ａｌ．，  "ＤＩＳＣＵＳＳＩＯＮ：  Ｖａｃｕｕｍ  Ａｓｓｉｓｔｅｄ  Ｃｌｏｓｕｒｅ：  Ｍｉｃｒｏｄｅｆｏｒｍａｔｉｏｎｓ  ｏｆ  Ｗｏｕｎｄｓ  ａｎｄ  Ｃｅｌｌ  Ｐｒｏｌｉｆｅｒａｔｉｏｎ"，  Ｐｌａｓｔｉｃ  ａｎｄ  Ｒｅｃｏｎｓｔｒｕｃｔｉｖｅ  Ｓｕｒｇｅｒｙ，  Ｏｃｔｏｂｅｒ  ２００４，  ｐｐ．  １０９７−１０９８．  ＮＰＬ−２５７
【非特許文献４１５】  ＤＥＦＲＡＮＺＯ，  Ａ．Ｊ．，  ｅｔ  ａｌ．，  "１０９：  Ｕｓｅ  ｏｆ  Ｓｕｂ−Ａｔｍｏｓｐｈｅｒｉｃ  Ｐｒｅｓｓｕｒｅ  ｆｏｒ  Ｔｒｅａｔｍｅｎｔ  ｏｆ  Ｇｕｎｓｈｏｔ  Ｉｎｊｕｒｉｅｓ"，  Ｐｌａｓｔｉｃ  Ｓｕｒｇｉｃａｌ  Ｆｏｒｕｍ，  Ｖ．  ＸＸＩＩＩ，  Ｌｏｓ  Ａｎｇｅｌｅｓ，  ＣＡ，  Ｏｃｔｏｂｅｒ  １４−１８，  ２０００，  ｐｐ．  １８０−１８１．  ＷＦＵ−０５
【非特許文献４１６】  ＭＡＲＫＳ，  Ｍ．，  ｅｔ  ａｌ．，  "Ｍａｎａｇｅｍｅｎｔ  ｏｆ  Ｃｏｍｐｌｅｘ  Ｓｏｆｔ  Ｔｉｓｓｕｅ  Ｄｅｆｅｃｔｓ  ｉｎ  Ｐｅｄｉａｔｒｉｃ  Ｐａｔｉｅｎｔｓ  Ｕｓｉｎｇ  ｔｈｅ  Ｖ．Ａ．Ｃ．  Ｗｏｕｎｄ  Ｃｌｏｓｕｒｅ"，  Ｐｌａｓｔｉｃ  Ｓｕｒｇｉｃａｌ  Ｆｏｒｕｍ，  Ｖ．  ＸＸＩ，  Ｂｏｓｔｏｎ，  ＭＡ，  Ｏｃｔｏｂｅｒ  ３−７，  １９９８，  ｐｐ．  ２１５−２１６．  ＷＦＵ−０９
【非特許文献４１７】  ＭＯＲＹＫＷＡＳ，  Ｍ．  ａｎｄ  ＡＲＧＥＮＴＡ，  Ｌ．，  "Ｕｓｅ  ｏｆ  Ｎｅｇａｔｉｖｅ  Ｐｒｅｓｓｕｒｅ  ｔｏ  Ｐｒｅｖｅｎｔ  Ｐｒｏｇｒｅｓｓｉｏｎ  ｏｆ  Ｐａｒｔｉａｌ  Ｔｈｉｃｋｎｅｓｓ  Ｂｕｒｎｓ"，  Ａｍｅｒｉｃａｎ  Ｂｕｒｎ  Ａｓｓｏｃｉａｔｉｏｎ，  Ｖ．  ２６，  ２６ｔｈ  Ａｎｎｕａｌ  Ｍｅｅｔｉｎｇ，  Ａｐｒｉｌ  ２０−２３，  １９９４，  Ｏｒｌａｎｄｏ，  Ｆｌｏｒｉｄａ，  ｐｐ．  １５７．  ＷＦＵ−１４
【非特許文献４１８】  ＭＯＲＹＫＷＡＳ，  Ｍ．  ａｎｄ  ＡＲＧＥＮＴＡ，  Ｌ．，  "Ｖａｃｕｕｍ  Ａｓｓｉｓｔｅｄ  Ｃｌｏｓｕｒｅ  （ＶＡＣ  Ｔｈｅｒａｐｙ）  ｆｏｒ  Ｓｅｃｏｎｄａｒｙ  Ｃｌｏｓｕｒｅ  ｏｆ  Ｄｅｈｉｓｃｅｄ  ａｎｄ  Ｉｎｆｅｃｔｅｄ  Ｗｏｕｎｄｓ"，  Ｗｏｕｎｄ  Ｒｅｐａｉｒ  ａｎｄ  Ｒｅｇｅｎｅｒａｔｉｏｎ，  Ｊｕｌｙ−Ｓｅｐｔｅｍｂｅｒ，  １９９５，  ｐｐ．  ３６１．  ＷＦＵ−１１
【非特許文献４１９】  ＭＯＲＹＫＷＡＳ，  Ｍ．  ａｎｄ  ＡＲＧＥＮＴＡ，  Ｌ．，  "Ｔｒｅａｔｍｅｎｔ  ｏｆ  Ｂｕｒｎｅｄ  Ｅｘｔｒｅｍｉｔｉｅｓ  Ｕｓｉｎｇ  Ｖａｃｕｕｍ  Ｔｈｅｒａｐｙ  （Ｔｈｅ  Ｖ．Ａ．Ｃ．）"，  Ｗｏｕｎｄ  Ｒｅｐａｉｒ  ａｎｄ  Ｒｅｇｅｎｅｒａｔｉｏｎ，  Ｖ．  ３，  Ｎ．  ３，  Ｊｕｌｙ  −  Ｓｅｐｔｅｍｂｅｒ，  １９９５，  ｐｐ．  ３６７．  ＷＦＵ−１５
【非特許文献４２０】  ＷＥＢＢ，  Ｌ．  ａｎｄ  ＭＯＲＹＫＷＡＳ，  Ｍ．，  ｅｔ  ａｌ．，  "Ｔｈｅ  Ｕｓｅ  ｏｆ  Ｖａｃｕｕｍ−Ａｓｓｉｓｔｅｄ  Ｃｌｏｓｕｒｅ  ｉｎ  Ｃｏｍｐｏｓｉｔｅ  Ｗｏｕｎｄ  Ｍａｎａｇｅｍｅｎｔ"，  Ｔｈｅ  Ｔｈｉｒｄ  Ｒｉｖａ  Ｃｏｎｇｒｅｓｓ，  Ｃｕｒｒｅｎｔ  Ｐｅｒｓｐｅｃｔｉｖｅｓ  ｉｎ  Ｆｒａｃｔｕｒｅ  Ｍａｎａｇｅｍｅｎｔ  ａｎｄ  Ｏｒｔｈｏｐａｅｄｉｃ  Ｒｅｃｏｎｓｔｒｕｃｔｉｏｎ，  Ｍａｙ  １０−１４，  ２０００，  Ｉｔａｌｙ，  ｐｐ．  １３７．  ＷＦＵ−２０
【非特許文献４２１】  ＡＲＧＥＮＴＡ，  Ｌ．，  ｅｔ  ａｌ．，  "Ｕｓｅ  ｏｆ  Ｖ．Ａ．Ｃ．  ｆｏｒ  Ｔｒｅａｔｍｅｎｔ  ｏｆ  Ｄｅｈｉｓｃｅｄ  Ｓｔｅｒｎａｌ  Ｉｎｃｉｓｉｏｎｓ"，  Ｐｌａｓｔｉｃ  Ｓｕｒｇｉｃａｌ  Ｆｏｒｕｍ，  Ｖ．  ＸＸＩＩＩ，  Ｌｏｓ  Ａｎｇｅｌｅｓ，  ＣＡ，  Ｏｃｔ．  １４−１８，  ２０００，  ｐｐ．  １７２−１７４．  ＷＦＵ−０６
【非特許文献４２２】  ＭＯＲＹＫＷＡＳ，  Ｍ．，  ｅｔ  ａｌ．，  "Ｉｓｏｌａｔｅｄ  Ｍｕｓｃｌｅ  Ｆｌａｐ  Ｓｕｒｖｉｖａｌ  ｗｉｔｈ  Ｃｏｍｐｌｅｔｅ  Ｖｅｎｏｕｓ  Ｏｃｃｌｕｓｉｏｎ：  Ｖａｒｙｉｎｇ  Ｄｅｌａｙ  ｉｎ  Ｅｘｔｅｒｎａｌ  Ａｐｐｌｉｃａｔｉｏｎ  ｏｆ  Ｓｕｂ−ａｔｍｏｓｐｈｅｒｉｃ  Ｐｒｅｓｓｕｒｅ"，  Ｐｌａｓｔｉｃ  Ｓｕｒｇｉｃａｌ  Ｆｏｒｕｍ，  Ｖ．  ＸＸＩ，  Ｂｏｓｔｏｎ，  ＭＡ，  Ｏｃｔ．  ３−７，  １９９８，  ｐｐ．  ２３７．  ＷＦＵ−１６
【非特許文献４２３】  ＭＯＲＹＫＷＡＳ，  Ｍ．  ａｎｄ  ＡＲＧＥＮＴＡ，  Ｌ．，  "Ｖ．Ａ．Ｃ．  Ｅｘｐｅｒｉｅｎｃｅ  ａｎｄ  Ｄｉｆｆｉｃｕｌｔ  Ｗｏｕｎｄｓ"，  ｄｅｓ  Ｊｏｕｒｎｅｅｓ  Ｒｅｇｉｏｎａｌｅｓ  ｄｅｓ  Ｐｌａｉｅｓ  ｅｔ  Ｃｉｃａｔｒｉｓａｔｉｏｎｓ"，  Ｓｅｐｔ．  ２２−２３，  １９９７，  ｐｐ．  ７６−９０．  ＷＦＵ−０１
【非特許文献４２４】  ＭＯＲＹＫＷＡＳ，  Ｍ．  ａｎｄ  ＡＲＧＥＮＴＡ，  Ｌ．，  "Ｕｓｅ  ｏｆ  ｔｈｅ  Ｖ．Ａ．Ｃ．ＴＭ  Ｆｏｒ  Ｔｒｅａｔｍｅｎｔ  ｏｆ  ａ  Ｔｒａｕｍａｔｉｃ  Ｌｅｆｔ  Ｈｉｐ  Ｄｉｓａｒｔｉｃｕｌａｔｉｏｎ"，ＡＣＡ−Ａｃｔａ  Ｃｈｉｒ．  Ａｕｓｔｒｉａｃａ，  Ｓｕｐｐｌｅｍｅｎｔ  Ｎｒ．  １５０，  １９９８，  ｐｐ．  ２４−２５  ａｎｄ  ｃｏｖｅｒ  ｓｈｅｅｔ．  ＷＦＵ−１２
【非特許文献４２５】  ＢＡＮＷＥＬＬ，  Ｐ．，  ｅｔ  ａｌ．，  "Ａｐｐｌｉｃａｔｉｏｎ  ｏｆ  Ｔｏｐｉｃａｌ  Ｓｕｂ−Ａｔｍｏｓｐｈｅｒｉｃ  Ｐｒｅｓｓｕｒｅ  Ｍｏｄｕｌａｔｅｓ  Ｉｎｆｌａｍｍａｔｏｒｙ  Ｃｅｌｌ  Ｅｘｔｒａｖａｓａｔｉｏｎ  ｉｎ  Ｅｘｐｅｒｉｍｅｎｔａｌ  Ｐａｒｔｉａｌ  Ｔｈｉｃｋｎｅｓｓ  Ｂｕｒｎｓ"，  Ｗｏｕｎｄ  Ｒｅｐａｉｒ  ａｎｄ  Ｒｅｇｅｎｅｒａｔｉｏｎ，  Ｊｕｌｙ／Ａｕｇｕｓｔ，  １９９９，  Ｖ．  ７，  Ｎ．  ４，  ｐｐ．  Ａ２８６−２８７．  ＷＦＵ−０８
【非特許文献４２６】  ＢＡＮＷＥＬＬ，  Ｐ．，  ｅｔ  ａｌ．，  "Ｄｅｒｍａｌ  Ｐｅｒｆｕｓｉｏｎ  ｉｎ  Ｅｘｐｅｒｉｍｅｎｔａｌ  Ｐａｒｔｉａｌ  Ｔｈｉｃｋｎｅｓｓ  Ｂｕｒｎｓ：  Ｔｈｅ  Ｅｆｆｅｃｔ  ｏｆ  Ｔｏｐｉｃａｌ  Ｓｕｂａｔｍｏｓｐｈｅｒｉｃ  Ｐｒｅｓｓｕｒｅ"，  Ｊａｎ／Ｆｅｂ  ２０００，  Ｖ．  ２１，  Ｎ．  １，  Ｐａｒｔ  ２，  Ｂｕｒｎ  Ｃａｒｅ  &  Ｒｅｈａｂｉｌｉｔａｔｉｏｎ．  ＷＦＵ−０７
【非特許文献４２７】  ＭＯＲＹＫＷＡＳ，  Ｍ．，  ｅｔ  ａｌ．，  "Ｔｈｅ  Ｅｆｆｅｃｔ  ｏｆ  Ｅｘｔｅｒｎａｌｌｙ  Ａｐｐｌｉｅｄ  Ｓｕｂａｔｍｏｓｐｈｅｒｉｃ  Ｐｒｅｓｓｕｒｅ  ｏｎ  Ｓｅｒｕｍ  Ｍｙｏｇｌｏｂｉｎ  Ｌｅｖｅｌｓ  Ａｆｔｅｒ  ａ  Ｐｒｏｌｏｎｇｅｄ  Ｃｒｕｓｅｄ／Ｉｓｃｈｅｍｉａ  Ｉｎｊｕｒｙ"，  Ｔｈｅ  Ｊｏｕｒｎａｌ  ｏｆ  ＴＲＡＵＭＡ  Ｉｎｊｕｒｙ，  Ｉｎｆｅｃｔｉｏｎ  ａｎｄ  Ｃｒｉｔｉｃａｌ  Ｃａｒｅ，  Ｓｅｐｔ．  ２００２，  Ｖ．  ５３，  Ｎ．３，  ｐｐ．  ５３７−５４０．  ＷＦＵ−１９
【非特許文献４２８】  ＭＯＬＮＡＲ，  Ｊ．，  ｅｔ  ａｌ．，  "Ａｃｃｅｌｅｒａｔｉｏｎ  ｏｆ  Ｉｎｔｅｇｒａ  Ｉｎｃｏｒｐｏｒａｔｉｏｎ  ｉｎ  Ｃｏｍｐｌｅｘ  Ｔｉｓｓｕｅ  Ｄｅｆｅｃｔｓ  ｗｉｔｈ  Ｓｕｂａｔｍｏｓｐｈｅｒｉｃ  Ｐｒｅｓｓｕｒｅ"，  Ｐｌａｓｔｉｃ  ａｎｄ  Ｒｅｃｏｎｓｔｒｕｃｔｉｖｅ  Ｓｕｒｇｅｒｙ，  Ａｐｒｉｌ  １５，  ２００４，  ｐｐ．  １３３９−１３４６．  ＷＦＵ−１０
【非特許文献４２９】  ＤＥＦＲＡＮＺＯ，  Ａ．Ｊ．，  ｅｔ  ａｌ．，  "Ｔｈｅ  Ｕｓｅ  ｏｆ  Ｖａｃｕｕｍ−Ａｓｓｉｓｔｅｄ  Ｃｌｏｓｕｒｅ  Ｔｈｅｒａｐｙ  ｆｏｒ  ｔｈｅ  Ｔｒｅａｔｍｅｎｔ  ｏｆ  Ｌｏｗｅｒ−Ｅｘｔｒｅｍｉｔｙ  Ｗｏｕｎｄｓ  ｗｉｔｈ  Ｅｘｐｏｓｅｄ  Ｂｏｎｅ"，  Ｐｌａｓｔｉｃ  ａｎｄ  Ｒｅｃｏｎｓｔｒｕｃｔｉｖｅ  Ｓｕｒｇｅｒｙ，  Ｏｃｔｏｂｅｒ，  ２００１，  Ｖ．  １０８，  Ｎ．  ５，  ｐｐ．  １１８４−１１９１．  ＷＦＵ−２５
【非特許文献４３０】  ＭＯＲＹＫＷＡＳ，  Ｍ．，  "Ｔｈｅ  Ｕｓｅ  ｏｆ  Ｔｈｅ  Ｖ．Ａ．Ｃ．  Ｗｏｕｎｄ  Ｔｒｅａｔｍｅｎｔ  Ｓｙｓｔｅｍ  ｆｏｒ  Ａｃｕｔｅ  ａｎｄ  Ｓｕｂａｃｕｔｅ  Ｗｏｕｎｄｓ"，  Ｐｌａｉｅｓ  &  Ｃｉｃａｔｒｉｃｅｓ，  Ｗｏｕｌｄ  Ｃｌｏｓｕｒｅ  Ｈｅａｌｉｎｇ，  Ａｐｒｉｌ  ２１，  ２２  ａｎｄ  ２３，  １９９９．  ＷＦＵ−１７
【非特許文献４３１】  ＷＥＢＢ，  Ｌ．，  ｅｔ  ａｌ．，  "Ｎｅｇａｔｉｖｅ  Ｐｒｅｓｓｕｒｅ  Ｗｏｕｎｄ  Ｔｈｅｒａｐｙ  ｉｎ  ｔｈｅ  Ｍａｎａｇｅｍｅｎｔ  ｏｆ  Ｏｒｔｈｏｐｅｄｉｃ  Ｗｏｕｎｄｓ"，  Ｏｓｔｏｍｙ  Ｗｏｕｎｄ  Ｍａｎａｇｅｍｅｎｔ，  Ａｐｒｉｌ  ２００４，  Ｖ．  ５０，  Ｉｓｓｕｅ  ４Ａ  （Ｓｕｐｐｌ），  ｐｐ．  ２６−２７  ａｎｄ  ｃｏｖｅｒ  ｓｈｅｅｔ．  ＷＦＵ−２２
【非特許文献４３２】  ＷＥＢＢ，  Ｌ．，  ｅｔ  ａｌ．，  "Ｗｏｕｎｄ  Ｍａｎａｇｅｍｅｎｔ  Ｗｉｔｈ  Ｖａｃｕｕｍ  Ｔｈｅｒａｐｙ"，  Ｅｎｇｌｉｓｈ  ａｂｓｔｒａｃｔ  ｆｒｏｍ  ｗｅｂｓｉｔｅ  ｐｒｉｎｔｏｕｔ  ａｎｄ  Ｇｅｒｍａｎ  ａｒｔｉｃｌｅ，  ｈｔｔｐ：／／ｗｗｗ．ｎｃｂｉ．ｎｌｍ．ｌｉｉｈ．ｅｏｖｉｅｎｔｒｅｚ／ｑｕｅｒｙｌｃａｉ？ｃｍｄ＝Ｒｅｔｒｉｅｖｅ１２／２／２００４，  ２  ｐａｇｅｓ  ｗｅｂｓｉｔｅ  ｐｒｉｎｔｏｕｔ，  Ｇｅｒｍａｎ  ａｒｔｉｃｌｅ，  Ｏｃｔｏｂｅｒ  ２００１，  ｐｐ．  ９１８−９２６．  ＷＦＵ−２３
【非特許文献４３３】  ＭＯＲＹＫＷＡＳ，  Ｍ．  ａｎｄ  ＡＲＧＥＮＴＡ，  Ｌ．，  "Ｓｕｂ−Ａｔｍｏｓｐｈｅｒｉｃ  Ｐｒｅｓｓｕｒｅ  Ｗｏｕｎｄ  Ｔｒｅａｔｍｅｎｔ  ａｎｄ  Ｃｕｌｔｕｒｅｄ  Ｋｅｒａｔｉｎｏｃｙｔｅ  Ａｌｌｏｇｒａｆｔｓ"，  Ｃｕｌｔｕｒｅｄ  Ｈｕｍａｎ  Ｋｅｒａｔｉｎｏｃｙｔｅｓ  ａｎｄ  Ｔｉｓｓｕｅ  Ｅｎｇｉｎｅｅｒｅｄ  Ｓｋｉｎ  Ｓｕｂｓｔｉｔｕｔｅｓ"，  ０２００１  Ｇｅｏｒｇ  Ｔｈｉｅｍｅ  Ｖｅｒｌａｇ，  ｐｐ．  ３４３−３４６．  ＷＦＵ−２７
【非特許文献４３４】  ＭＯＬＮＡＲ，  Ｊ．，  ｅｔ  ａｌ．，  "Ｓｉｎｇｌｅ−Ｓｔａｇｅ  Ａｐｐｒｏａｃｈ  ｔｏ  Ｓｋｉｎ  Ｇｒａｆｔｉｎｇ  ｔｈｅ  Ｅｘｐｏｓｅｄ  Ｓｋｕｌｌ"，  Ｐｌａｓｔｉｃ  ａｎｄ  Ｒｅｃｏｎｓｔｒｕｃｔｉｖｅ  Ｓｕｒｇｅｒｙ，  Ｊａｎ．  ２０００，  Ｖ．  １０５，  Ｎ．  １，  １７４−１７７．  ＷＦＵ−３２
【非特許文献４３５】  ＳＣＨＥＲＥＲ，  Ｌ，  ｅｔ  ａｌ．，  "Ｔｈｅ  Ｖａｃｕｕｍ  Ａｓｓｉｓｔｅｄ  Ｃｌｏｓｕｒｅ  Ｄｅｖｉｃｅ：  Ａ  Ｍｅｔｈｏｄ  ｏｆ  Ｓｅｃｕｒｉｎｇ  Ｓｋｉｎ  Ｇｒａｆｔｓ  ａｎｄ  Ｉｍｐｒｏｖｉｎｇ  Ｇｒａｆｔ  Ｓｕｒｉｖａｌ"，  Ａｒｃｈ．  Ｓｕｒｇ．，  Ｖ．  １３７，  Ａｕｇ．  ２００２，  ｐｐ．  ９３０−９３４．  ＮＰＬ−３５９
【非特許文献４３６】  ＭＩＬＬＥＲ，  Ｐ．，  ｅｔ  ａｌ．，  "Ｌａｔｅ  Ｆａｓｃｉａｌ  Ｃｌｏｓｕｒｅ  ｉｎ  Ｌｉｅｕ  ｏｆ  Ｖｅｎｔｒａｌ  Ｈｅｒｎｉａ：  Ｔｈｅ  Ｎｅｘｔ  Ｓｔｅｐ  ｉｎ  Ｏｐｅｎ  Ａｂｄｏｍｅｎ  Ｍａｎａｇｅｍｅｎｔ"，  ｔｈｅ  Ｊｏｕｒｎａｌ  ｏｆ  ＴＲＡＵＭＡ  Ｉｎｊｕｒｙ，  Ｉｎｆｅｃｔｉｏｎ  ａｎｄ  Ｃｒｉｔｉｃａｌ  Ｃａｒｅ，  Ｎｏｖ．  ２００２，  Ｖ．  ５３，  Ｎ．  ５，  ｐｐ．  ８４３−  ８４９．  ＮＰＬ−２８８
【非特許文献４３７】  ＢＥＴＡＮＣＯＵＲＴ，  Ｓ．，  "Ａ  Ｍｅｔｈｏｄ  ｏｆ  Ｃｏｌｌｅｃｔｉｎｇ  ｔｈｅ  Ｅｆｆｌｕｅｎｔ  Ｆｒｏｍ  Ｃｏｍｐｌｉｃａｔｅｄ  Ｆｉｓｔｕｌａ  ｏｆ  ｔｈｅ  Ｓｍａｌｌ  Ｉｎｔｅｓｔｉｎｅ"，  １９８６，  ｐ．  ３７５．  ＮＰＬ−０４５
【非特許文献４３８】  ＤＯＲＬＡＮＤＳ  Ｉｌｌｕｓｔｒａｔｅｄ  Ｍｅｄｉｃａｌ  Ｄｉｃｔｉｏｎａｒｙ  ，  Ｔｗｅｎｔｙ−Ｆｉｆｔｈ  Ｅｄｉｔｉｏｎ，  １９７４，  ｐｐ．  １１１２．  ＮＰＬ−１２０
【非特許文献４３９】  ＨＯＰＦ，  Ｈ．，  ｅｔ  ａｌ．，  "Ａｄｊｕｎｃｔｓ  ｔｏ  ｐｒｅｐａｒｉｎｇ  ｗｏｕｎｄｓ  ｆｏｒ  ｃｌｏｓｕｒｅ  Ｈｙｐｅｒｂａｒｉｃ  ｏｘｙｇｅｎ，  ｇｒｏｗｔｈ  ｆａｃｔｏｒｓ，  ｓｋｉｎ  ｓｕｂｓｔｉｔｕｔｅｓ，  ｎｅｇａｔｉｖｅ  ｐｒｅｓｓｕｒｅ  ｗｏｕｎｄ  ｔｈｅｒａｐｙ  （ｖａｃｕｕｍ−ａｓｓｉｓｔｅｄ  ｃｌｏｓｕｒｅ）"，  Ｆｏｏｔ  Ａｎｋｌｅ  Ｃｌｉｎ  Ｎ  Ａｍ  ６，  ２００１，  ｐｐ．  ６６１−６８２．  ＮＰＬ−２１１
【非特許文献４４０】  ＣＨＡＲＩＫＥＲ−ＪＥＴＥＲ(r)  Ｗｏｕｎｄ  Ｄｒａｉｎａｇｅ  Ｋｉｔ，  ＢｌｕｅＳｋｙ  Ｍｅｄｉｃａｌ，  ２  ｐａｇｅ  ａｄｖｅｒｔｉｓｅｍｅｎｔ  ｗｉｔｈ  ｃｏｐｙ  ｏｆ  ｂｕｓｉｎｅｓｓ  ｃａｒｄ  ｆｒｏｍ  Ｑｕａｌｉｔｙ  Ｍｅｄｉｃａｌ  Ｓｕｐｐｌｙ．  ＮＰＬ−０７７
【非特許文献４４１】  ＣＨＡＲＩＫＥＲ−ＪＥＴＥＲ(r)  Ｗｏｕｎｄ  Ｄｒａｉｎａｇｅ  Ｋｉｔ  Ｉｎｓｔｒｕｃｔｉｏｎｓ，  Ｉｔｅｍ  ＃５００．７７７７，  ＢｌｕｅＳｋｙ  Ｍｅｄｉｃａｌ，  ２  ｐａｇｅｓ．  ＮＰＬ０７６
【非特許文献４４２】  ＷＯＯＤＩＮＧ−ＳＣＯＴＴ(r)  Ｗｏｕｎｄ  Ｄｒａｉｎａｇｅ  Ｋｉｔ  Ｃｏｎｔｅｎｔｓ，  Ｉｔｅｍ  ＃５００．８８８８，  １  ｐａｇｅ．  ＮＰＬ−４４５
【非特許文献４４３】  ＭＯＮＴＧＯＭＥＲＹ，  Ｂ．，  "Ｅａｓｙ  Ｄｒｅｓｓｉｎｇ  ｏｆ  Ｌａｒｇｅ，  Ｄｒａｉｎｉｎｇ  Ａｂｄｏｍｉｎａｌ  Ｗｏｕｎｄｓ  Ｕｓｉｎｇ  Ｍｏｉｓｔｕｒｅ  Ｖａｐｏｒ−Ｐｅｒｍｅａｂｌｅ  Ｆｉｌｍ"，  ｐｐ．  ４１７−４１８，  Ｔｅｃｈｎｉｑｕｅｓ  ｆｏｒ  Ｓｕｒｇｅｏｎｓ，  Ｗｉｌｅｙ  Ｍｅｄｉｃａｌ  Ｐｕｂｌｉｃａｔｉｏｎ，  (c)１９８５．  ＮＰＬ−２９７
【非特許文献４４４】  ＨＥＲＲＭＡＮＮ，  Ｌ．，  ｅｔ  ａｌ．，  "Ｔｈｅ  Ｐａｖａｅｘ  （Ｐａｓｓｉｖｅ  Ｖａｓｃｕｌａｒ  Ｅｘｅｒｃｉｓｅ）  Ｔｒｅａｔｍｅｎｔ  ｏｆ  Ｏｂｌｉｔｅｒａｔｉｖｅ  Ａｒｔｅｒｉａｌ  Ｄｉｓｅａｓｅｓ  ｏｆ  ｔｈｅ  Ｅｘｔｒｅｍｅｔｉｅｓ"，  Ｔｈｅ  Ｊｏｕｒｎａｌ  ｏｆ  Ｍｅｄｉｃｉｎｅ，  Ｄｅｃｅｍｂｅｒ  １９３３，  ｐｐ．  ５２４−５２９．  ＮＰＬ−２００
【非特許文献４４５】  ＨＥＲＲＭＡＮＮ，  Ｌ．，  ｅｔ  ａｌ．，  "Ｐａｓｓｉｖｅ  Ｖａｓｃｕｌａｒ  Ｅｘｅｒｃｉｓｅｓ：  Ｔｒｅａｔｍｅｎｔ  ｏｆ  Ｐｅｒｉｐｈｅｒａｌ  Ｏｂｌｉｔｅｒａｔｉｖｅ  Ａｒｔｅｒｉａｌ  Ｄｉｓｅａｓｅｓ  ｂｙ  Ｒｈｙｔｈｍｉｃ  Ａｌｔｅｒｎａｔｉｏｎ  ｏｆ  Ｅｎｖｉｒｏｎｍｅｎｔａｌ  Ｐｒｅｓｓｕｒｅ"，  Ａｒｃｈｉｖｅｓ  ｏｆ  Ｓｕｒｇｅｒｙ，  ｖ．  ２９，  ｎ．  ５，  Ｎｏｖｅｍｂｅｒ  １９３４，  ｐｐ．  ６９７−７０４．  ＮＰＬ−１９８
【非特許文献４４６】  ＳＴＵＲＲ，  Ｒ．，  "Ｅｖａｌｕａｔｉｏｎ  ｏｆ  Ｔｒｅａｔｍｅｎｔ  ｏｆ  Ｐｅｒｉｐｈｅｒａｌ  Ｖａｓｃｕｌａｒ  Ｄｉｓｅａｓｅ  ｂｙ  Ａｌｔｅｒｎａｔｉｎｇ  Ｐｏｓｉｔｉｖｅ  ａｎｄ  Ｎｅｇａｔｉｖｅ  Ｐｒｅｓｓｕｒｅ，  Ｐｈｉｌａｄｅｌｐｈｉａ，  Ａｒｃｈｉｖｅｓ  ｏｆ  Ｐｈｙｓｉｃａｌ  Ｔｈｅｒａｐｙ，  Ｓｅｐｔ．  １９３８，  ｐｐ．  ５３９−５４３．  ＮＰＬ−３９２
【非特許文献４４７】  ＢＡＬＩＮ，  Ａ．，  ｅｔ  ａｌ．，  "Ｏｘｙｇｅｎ  Ｍｏｄｕｌａｔｅｓ  Ｇｒｏｗｔｈ  ｏｆ  Ｈｕｍａｎ  Ｃｅｌｌｓ  ａｔ  Ｐｈｙｓｉｏｌｏｇｉｃ  Ｐａｒｔｉａｌ  Ｐｒｅｓｓｕｒｅｓ"，  Ｌａｂｏｒａｔｏｒｙ  ｆｏｒ  Ｉｎｖｅｓｔｉｇａｔｉｖｅ  Ｄｅｒｍａｔｏｌｏｇｙ，  Ｊ．  Ｅｘｐ．  Ｍｅｄ．(c)，  ｔｈｅ  Ｒｏｃｋｅｆｅｌｌｅｒ  Ｕｎｉｖｅｒｓｉｔｙ  Ｐｒｅｓｓ，  ｖ．  １６０，  Ｊｕｌｙ  １９８４，  ｐｐ．  １５２１６６．  ＮＰＬ−０２９
【非特許文献４４８】  ＳＡＲＡＮ  ＲＥＳＩＮＳ  ＡＮＤ  ＦＩＬＭＳ，  "Ｆｒｅｓｈ  Ｔｈｉｎｋｉｎｇ"．  ｗｅｂｓｉｔｅ  ｐｒｉｎｔｏｕｔ，  ６  ｐａｇｅｓ，  Ｊａｎｕａｒｙ  ２０，  ２００４．  ＮＰＬ−３５４
【非特許文献４４９】  ＢＬＵＥＳＫＹ  ＭＥＤＩＣＡＬ，  "Ａ  Ｌｅａｄｅｒ  ｉｎ  Ｓｕｃｔｉｏｎ  Ｔｅｃｈｎｏｌｏｇｙ  −  Ｗｏｕｎｄ  Ｄｒａｉｎａｇｅ  Ｅｘｐｅｒｔｓ"，  ｐｒｉｎｔｏｕｔ  ｏｆ  ｗｅｂｓｉｔｅ，  ５５  ｐａｇｅｓ，  Ａｐｒｉｌ  ８，  ２００３，  ｗｗｗ．ｂｌｕｅｓｋｖｍｅｄｉｃａｌ．ｃｏｍ．  ＮＰＬ−０５２
【非特許文献４５０】  ＤＡＶＹＤＯＶ，  ｅｔ  ａｌ．，  "Ｗｏｕｌｄ  Ｈｅａｌｉｎｇ  Ｕｎｄｅｒ  ｔｈｅ  Ｃｏｎｄｉｔｉｏｎｓ  ｏｆ  Ｖａｃｕｕｍ  Ｄｒａｉｎｉｎｇ"，  Ｋｈｉｒｕｒｇｉｉａ  （Ｍｏｓｋ）．  １９９２，  （７８）：  ２１−６  （ｗｉｔｈ  Ｅｎｇｌｉｓｈ  ｔｒａｎｓｌａｔｉｏｎ  ｂｙ  Ｓｃｉｅｎｔｉｆｉｃ  Ｔｒａｎｓｌａｔｉｏｎ  Ｓｅｒｖｉｃｅｓ）．  ＤＶ１４
【非特許文献４５１】  ＣＯＹＬＥ，  Ｍ．，  ｅｔ  ａｌ．，  "Ａ  ＣＡＳＥ  ＳＴＵＤＹ：  Ｐｏｓｉｔｉｖｅ  Ｏｕｔｃｏｍｅｓ  ｔｏ  Ｎｅｇａｔｉｖｅ  Ｐｒｅｓｓｕｒｅ  Ｗｏｕｎｄ  Ｔｈｅｒａｐｙ  −  Ａ  ｃｏｌｌａｂｏｒａｔｉｖｅ  ａｓｓｅｓｓｍｅｎｔ"，  Ｈｏｓｐｉｔａｌ  ｏｆ  Ｓａｉｎｔ  Ｒａｐｈａｅｌ，  １  ｐａｇｅ  ｃｈａｒｔ．  ＮＰＬ−１０２
【非特許文献４５２】  ＮＥＭＯＴＯ，  Ｈ．，  ｅｔ  ａｌ．，  "Ｓｔｏｒｉｅｓ  Ｆｒｏｍ  ｔｈｅ  Ｂｅｄｓｉｄｅ：  Ｐｕｒｐｌｅ  Ｕｒｉｎｅ  Ｂａｇｅ  Ｓｙｎｄｒｏｍｅ  Ｄｅｖｅｌｏｐｍｅｎｔ  ｉｎ  Ｉｌｅａｌ  Ｃｏｎｄｕｉｔ"，  ＷＣＥＴ，  Ｊｏｕｒｎａｌ  ２３（２），  ｐｐ．  ３１−３４．  ＮＰＬ−３１０
【非特許文献４５３】  ＢＡＫＥＲ，  Ｂ．，  "Ｎｅｇａｔｉｖｅ−Ｐｒｅｓｓｕｒｅ  Ｔｈｅｒａｐｙ  Ｌｏｏｋｓ  Ｐｒｏｍｉｓｉｎｇ"，  Ｓｋｉｎ  &  Ａｌｌｅｒｇｙ  Ｎｅｗｓ，  Ｆｅｂｒｕａｒｙ  ２０００，  ｐ．  １４．  ＮＰＬ−０２８
【非特許文献４５４】  ＭｃＣＡＬＬＯＮ，  Ｓ．，  ｅｔ  ａｌ．，  "Ｖａｃｕｕｍ−Ａｓｓｉｓｔｅｄ  Ｃｌｏｓｕｒｅ  ｖｅｒｓｕｓ  Ｓａｌｉｎｅ−Ｍｏｉｓｔｅｎｅｄ  Ｇａｕｚｅ  ｉｎ  ｔｈｅ  Ｈｅａｌｉｎｇ  ｏｆ  Ｐｏｓｔｏｐｅｒａｔｉｖｅ  Ｄｉａｂｅｔｉｃ  Ｆｏｏｔ  Ｗｏｕｎｄｓ"，  Ｏｓｔｏｍｙ  Ｗｏｕｎｄ  Ｍａｎａｇｅｍｅｎｔ，  Ａｕｇｕｓｔ  ２０００，  ｖ．４６，  Ｉｓｓｕｅ  ８．ｐｐ．  ２８−２９，  ３１−３２，  ３４．  ＮＰＬ−２６９
【非特許文献４５５】  Ｍｕｒｒａｙ，  Ｊ．，  ｅｔ  ａｌ．，  "Ｏｎ  ｔｈｅ  Ｌｏｃａｌ  ａｎｄ  Ｇｅｎｅｒａｌ  Ｉｎｆｌｕｅｎｃｅ  ｏｎ  ｔｈｅ  Ｂｏｄｙ  ｉｆ  Ｉｎｃｒｅａｓｅｄ  ａｎｄ  Ｄｉｍｉｎｉｓｈｅｄ  Ａｔｍｏｓｐｈｅｒｉｃ  Ｐｒｅｓｓｕｒｅ"，  Ｔｈｅ  Ｌａｎｃｅｔ，  Ｖ．  １，  １８３４−１８３５，  ｐｐ．  ９０９−９１７．  ＮＰＬ−３０３
【非特許文献４５６】  ＨＥＲＲＭＡＮＮ，  Ｌ．，  ｅｔ  ａｌ．，  "Ｔｈｅ  Ｃｏｎｓｅｒｖａｔｉｖｅ  Ｔｒｅａｔｍｅｎｔ  ｏｆ  Ａｒｔｅｒｉｏｓｃｌｅｒｏｔｉｃ  Ｐｅｒｉｐｈｅｒａｌ  Ｖａｓｃｕｌａｒ  Ｄｉｓｅａｓｅｓ"，  ｐｐ．  ７５０−７６０  （Ｏｃｔｏｂｅｒ  １９３４）．  ＮＰＬ−１９９
【非特許文献４５７】  Ｖｅｒｓａｔｉｌｅ  １  Ｗｏｕｎｄ  Ｖａｃｕｕｍ  ＳｙｓｔｅｍＴＭ  ｆｏｒ  Ｔｈｅ  Ｐｒｏｍｏｔｉｏｎ  ｏｆ  Ｗｏｕｎｄ  Ｈｅａｌｉｎｇ，  Ｗｏｕｎｄ  Ａｐｐｌｉｃａｔｉｏｎ  ｉｎｓｔｒｕｃｔｉｏｎｓ，  １  ｐａｇｅ  ａｄｖｅｒｔｉｓｅｍｅｎｔ．  ＮＰＬ−４１８
【非特許文献４５８】  Ｂｌｕｅｓｋｙ  Ｍｅｄｉｃａｌ  "Ｔｈｅ  Ｖｅｒｓａｔｉｌｅ  Ｏｎｅ！ＴＭ"，  Ｗｏｕｎｄ  Ｄｒａｉｎａｇｅ  ａｎｄ  Ｍｏｒｅ，  １  ｐａｇｅ  ａｄｖｅｒｔｉｓｅｍｅｎｔ．  （Ｌａｂｅｌｅｄ  Ｓｐｒｉｎｇ  ２００３）．  ＮＰＬ−０５０
【非特許文献４５９】  ＣＨＡＲＩＫＥＲ−ＪＥＴＥＲ０  Ｗｏｕｎｄ  Ｓｅａｌｉｎｇ  Ｋｉｔ  Ｗｏｕｌｄ  Ａｐｐｌｉｃａｔｉｏｎ  Ｉｎｓｔｒｕｃｔｉｏｎｓ，  １  ｐａｇｅ  ａｄｖｅｒｔｉｓｅｍｅｎｔ  ＮＰＬ−０７８
【非特許文献４６０】  ＤＡＶＩＥＳ  ，  Ｊ．Ｗ．Ｌ，  "Ｓｙｎｔｈｅｔｉｃ  ｍａｔｅｒｉａｌｓ  ｆｏｒ  ｃｏｖｅｒｉｎｇ  ｂｕｒｎ  ｗｏｕｎｄｓ：  Ｐｒｏｇｒｅｓｓ  ｔｏｗａｒｄｓ  ｐｅｒｆｅｃｔｉｏｎ．  Ｐａｒｔ  Ｉ．  Ｓｈｏｒｔ  ｔｅｒｍ  ｄｒｅｓｓｉｎｇ  ｍａｔｅｒｉａｌｓ"，  Ｂｕｒｎｓ，  １９８３，  Ｎｏｖ；１０（２），  ９４−１０３．  ＮＰＬ−１０７ ４
【非特許文献４６１】  ＬＡＭＫＥ，  Ｌ．Ｏ．，  ｅｔ  ａｌ．，  "Ｔｈｅ  ｅｖａｐｏｒａｔｉｖｅ  ｗａｔｅｒ  ｌｏｓｓ  ｆｒｏｍ  ｂｕｒｎｓ  ａｎｄ  ｔｈｅ  ｗａｔｅｒ−ｖａｐｏｕｒ  ｐｅｒｍｅａｂｉｌｉｔｙ  ｏｆ  ｇｒａｆｔｓ  ａｎｄ  ａｒｔｉｆｉｃｉａｌ  ｍｅｍｂｒａｎｅｓ  ｕｓｅｄ  ｉｎ  ｔｈｅ  ｔｒｅａｔｍｅｎｔ  ｏｆ  ｂｕｒｎｓ"，  Ｂｕｒｎｓ，  ３，  １５９−１６５，  １９７７．  ＮＰＬ−２４７
【非特許文献４６２】  ＢＡＲＮＥＴＴ，  Ａ．，  ｅｔ  ａｌ．，  "Ｃｏｍｐａｒｉｓｏｎ  ｏｆ  Ｓｙｎｔｈｅｔｉｃ  Ａｄｈｅｓｉｖｅ  Ｍｏｉｓｔｕｒｅ  Ｖａｐｏｒ  Ｐｅｒｍｅａｂｌｅ  ａｎｄ  Ｆｉｎｅ  Ｍｅｓｈ  Ｇａｕｚｅ  Ｄｒｅｓｓｉｎｇｓ  ｆｏｒ  Ｓｐｌｉｔ−Ｔｈｉｃｋｎｅｓｓ  Ｓｋｉｎ  Ｇｒａｆｔ  Ｄｏｎｏｒ  Ｓｉｔｅｓ"，  Ｔｈｅ  Ａｍｅｒｉｃａｎ  Ｊｏｕｒｎａｌ  ｏｆ  Ｓｕｒｇｅｒｙ，  Ｖｏｌ．  １４５，  Ｍａｒｃｈ  １９８３，  ｐｐ．  ３７９−３８１．  ＮＰＬ−０３８
【非特許文献４６３】  ＡＬＰＥＲ，  Ｊ．，  ｅｔ．  ａｌ．，  "Ｍｏｉｓｔ  ｗｏｕｎｄ  ｈｅａｌｉｎｇ  ｕｎｄｅｒ  ａ  ｖａｐｏｒ  ｐｅｒｍｅａｂｌｅ  ｍｅｍｂｒａｎｅ"，  Ｊｏｕｒｎａｌ  ｏｆ  ｔｈｅ  Ａｍｅｒｉｃａｎ  Ａｃａｄｅｍｙ  ｏｆ  Ｄｅｒｍａｔｏｌｏｇｙ，  Ｖｏｌ．  ８，  Ｎｏ．  ３，  Ｍａｒｃｈ，  １９８３，  ｐｐ．  ３４７−３５３．  ＮＰＬ−０１２
【非特許文献４６４】  ＪＡＭＥＳ，  Ｊ．Ｈ．，  ｅｔ．  ａｌ．，  "Ｔｈｅ  ｕｓｅ  ｏｆ  Ｏｐｓｉｔｅ，  Ａ  Ｖａｐｏｕｒ  Ｐｅｒｍｅａｂｌｅ  Ｄｒｅｓｓｉｎｇ，  ｏｎ  Ｓｋｉｎ  Ｄｏｎｏｒ  Ｓｉｔｅｓ"，  Ｂｒｉｔｉｓｈ  Ｊｏｕｒｎａｌ  ｏｆ  Ｐｌａｓｔｉｃ  Ｓｕｒｇｅｒｙ  （１９７５），  ２８，  １０７−１１０．  ＮＰＬ−２２２
【非特許文献４６５】  ＮＡＨＡＳ，  Ｌ．Ｆ．，  ｅｔ  ａｌ．，  "Ｕｓｅ  ｏｆ  Ｓｅｍｉｐｅｒｍｅａｂｌｅ  Ｐｏｌｙｕｒｅｔｈａｎｅ  Ｍｅｍｂｒａｎｅ  ｆｏｒ  Ｓｋｉｎ  Ｇｒａｆｔ  Ｄｒｅｓｓｉｎｇｓ"，  Ｐｌａｓｔｉｃ  ａｎｄ  Ｒｅｃｏｎｓｔｒｕｃｔｉｖｅ  Ｓｕｒｇｅｒｙ，  Ｊｕｎｅ  １９８１，  ｐｐ．  ７９１−７９２．  ＮＰＬ−３０６
【非特許文献４６６】  Ｅｄｌｉｃｈ，  Ｒ．Ｆ．，  ｅｔ  ａｌ．，  "Ｓｕｒｇｉｃａｌ  Ｄｅｖｉｃｅｓ  ｉｎ  Ｗｏｕｎｄ  Ｈｅａｌｉｎｇ  Ｍａｎａｇｅｍｅｎｔ"，  Ｗｏｕｎｄ  Ｈｅａｌｉｎｇ  Ｂｉｏｃｈｅｍｉｃａｌ  &  Ｃｌｉｎｉｃａｌ  Ａｓｐｅｃｔｓ，  Ｗ．Ｂ．  Ｓａｕｎｄｅｒｓ  Ｃｏｍｐａｎｙ，  (c)  １９９２，  ｐｐ．  ５８１−５９９．  ＮＰＬ−１３１
【非特許文献４６７】  ＯＲＲ，  ＲＫ，  ｅｔ  ａｌ．，  "Ｅａｒｌｙ  Ｄｉｓｃｈａｒｇｅ  Ａｆｔｅｒ  Ｍａｓｔｅｃｔｏｍｙ．  Ａ  Ｓａｆｅ  Ｗａｙ  ｏｆ  Ｄｉｍｉｎｉｓｈｉｎｇ  Ｈｏｓｐｉｔａｌ  Ｃｏｓｔ"，  Ａｍ  Ｓｕｒｇ．  １９８７  Ｍａｒｃｈ；  ５３（３）  Ａｂｓｔｒａｃｔ．  ＮＰＬ−３２２
【非特許文献４６８】  ＯＴＯＬＡＲＹＮＧＯＬＯＧＹ，  Ｈｅａｄ  ａｎｄ  Ｎｅｃｋ  Ｓｕｒｇｅｒｙ，  Ｔｈｅ  Ｃ．Ｖ．  Ｍｏｓｂｙ  Ｃｏｍｐａｎｙ，  (c)  １９８６，  ｐｐ．１７１６，  １７２４  ａｎｄ  ２５２１．  ＮＰＬ−３２４
【非特許文献４６０】  ＯＴＯＬＡＲＹＮＧＯＬＯＧＹ，  Ｖｏｌｕｍｅ  ＩＩＩ，  Ｈｅａｄ  ａｎｄ  Ｎｅｃｋ，  Ｗ．Ｂ．  Ｓａｕｎｄｅｒｓ  Ｃｏｍｐａｎｙ，  (c)１９８０，  ｐｐ．  ２９６３．  ＮＰＬ−３２５
【非特許文献４７０】  ＬＯＲＥ，  ＪＲ．，  Ｊ．Ｍ．，  "Ａｎ  Ａｔｌａｓ  ｏｆ  Ｈｅａｄ  ａｎｄ  Ｎｅｃｋ  Ｓｕｒｇｅｒｙ"，  Ｓｅｃｏｎｄ  Ｅｄｉｔｉｏｎ，  Ｖｏｌｕｍｅ  ＩＩ，  Ｗ．Ｂ．  Ｓａｕｎｄｅｒｓ  Ｃｏｍｐａｎｙ，  ０  １９７３．  ＮＰＬ−２５８
【非特許文献４７１】  Ｊｏｈｎｓｏｎ，  Ｆｒａｎｋ  Ｅ．，  "Ａｎ  Ｉｍｐｒｏｖｅｄ  Ｔｅｃｈｎｉｑｕｅ  ｆｏｒ  Ｓｋｉｎ  Ｇｒａｆｔ  Ｐｌａｃｅｍｅｎｔ  Ｕｓｉｎｇ  Ａ  Ｓｕｃｔｉｏｎ  Ｄｒａｉｎ"，  ｐｐ．  ５８５−５８６  （Ｄｅｃｅｍｂｅｒ  １９８４）．  ＮＰＬ−２２６
【非特許文献４７２】  Ｄｅｗａｎ，  Ｐ．Ａ．，  ｅｔ  ａｌ．，  "Ａｎ  Ａｌｔｅｒｎａｔｉｖｅ  Ａｐｐｒｏａｃｈ  Ｔｏ  Ｓｋｉｎ  Ｇｒａｆｔ  Ｄｏｎｏｒ  Ｓｉｔｅ  Ｄｒｅｓｓｉｎｇ"，  Ａｕｓｔ．  Ｎ．Ｚ．  Ｊ．  Ｓｕｒｇ．  １９８６，  ５６，  ５０９−５１０．  ＮＰＬ−１１６
【非特許文献４７３】  Ｋｉｎｅｔｉｃ  Ｃｏｎｃｅｐｔｓ，  Ｉｎｃ．，  ｅｔ  ａｌ．，  ｖ．  Ｂｌｕｅｓｋｙ  Ｍｅｄｉｃａｌ  Ｃｏｒｐｏｒａｔｉｏｎ，  ｅｔ  ａｌ．，  Ｃｉｖｉｌ  Ａｃｔｉｏｎ  Ｎｏ．  ＳＡ−０３−ＣＡ−０８３２−ＲＦ，  Ｕ．Ｓ．  Ｄｉｓｔｒｉｃｔ  Ｃｏｕｒｔ，  Ｗ．  Ｄｉｓｔ．  ｏｆ  Ｔｅｘａｓ  Ｓａｎ  Ａｎｔｏｎｉｏ  Ｄｉｖ．，  Ｐｒｏｍｏｔｉｏｎａｌ  Ｓｌｉｄｅ  Ｐｒｅｓｅｎｔａｔｉｏｎ  ＢｌｕｅＳｋｙ  Ｍｅｄｉｃａｌ  Ｎｅｇａｔｉｖｅ  Ｐｒｅｓｓｕｒｅ  Ｗｏｕｎｄ  Ｃａｒｅ  ｗｉｔｈ  Ｖｅｒｓａｔｉｌｅ  １  Ｐｒｅｓｅｎｔａｔｉｏｎ  Ｐｒｅｓｅｎｔｅｄ  ｂｙ  Ｐｅｎｎｙ  Ｃａｍｐｂｅｌｌ  ａｎｄ  Ｓｈｅｌｌｙ  Ｂｕｒｄｅｔｔｅ−Ｔａｙｌｏｒ  ２７  ｐａｇｅｓ  （ｄａｔｅｄ  Ｏｃｔｏｂｅｒ  １４，  ２００５）．  ＮＰＬ−０６７
【非特許文献４７４】  Ｂａｒｉｌｌｏ，  Ｄ．，  ｅｔ  ａｌ．，  "Ｍａｎａｇｅｍｅｎｔ  ｏｆ  Ｂｕｒｎｓ  ｔｏ  ｔｈｅ  Ｈａｎｄ"，  Ｗｏｕｎｄｓ  １５，（１）：４−９，  ２００３  Ｈｅａｌｔｈ  Ｍａｎａｇｅｍｅｎｔ  Ｐｕｂｌｉｃａｔｉｏｎｓ，  Ｉｎｃ．，  Ｐｏｓｔｅｄ  ０２／１２／２００３．  ＮＰＬ−０３７
【非特許文献４７５】  Ｍｅｄｉｃａｌ  Ｔｅｃｈｎｏｌｏｇｙ  &  Ｉｎｎｏｖａｔｉｏｎ，  "Ｍｅｄｉｃａｌ  Ｔｅｃｈｎｏｌｏｇｙ  ｉｓ  Ｅｘｔｅｎｄｉｎｇ  Ｌｉｆｅ，  Ｒｅｄｕｃｉｎｇ  Ｃｏｓｔｓ"，  Ｖｏｌ  １，  Ｉｓｓｕｅ  ４６，  Ｄｅｃｅｍｂｅｒ  ４，  ２０００．  ＮＰＬ−２７５
【非特許文献４７６】  Ｗｕ，  Ｌｉｓａ  Ｃ．，  ｅｔ  ａｌ．，  "Ｖａｃｕｕｍ−Ａｓｓｉｓｔｅｄ  Ｃｌｏｓｕｒｅ  ｆｏｒ  ｔｈｅ  Ｔｒｅａｔｍｅｎｔ  ｏｆ  Ｓｔｅｒｎａｌ  Ｗｏｕｎｄｓ：  Ｔｈｅ  Ｂｒｉｄｇｅ  Ｂｅｔｗｅｅｎ  Ｄｅｂｒｉｄｅｍｅｎｔ  ａｎｄ  Ｄｅｆｍｉｔｉｖｅ  Ｃｌｏｓｕｒｅ"，  ｐｒｉｎｔｏｕｔ  ｆｒｏｍ  ｗｗｗ．ｐｌａｓｔｉｃｓｕｒｇｅｒｖ．ｏｒｇ．，  ３  ｐａｇｅｓ  （ｐｒｉｎｔｏｕｔ  ｄａｔｅｄ  Ａｐｒｉｌ２０，  ２００５）．  ＮＰＬ−４４８
【非特許文献４７７】  Ｂｅｒｔｏｎ，  Ａ．，  "Ｍａｎａｇｅｍｅｎｔ  ｏｆ  Ｅｘｕｂｅｒａｎｔ  Ｇｒａｎｕｌａｔｉｏｎ  Ｔｉｓｓｕｅ"，  Ｗｏｕｎｄ  Ｍａｎａｇｅｍｅｎｔ，  ｐｐ．  ５５１−５６２  （Ｄｅｃｅｍｂｅｒ  １９８９）．  ＮＰＬ−０４３
【非特許文献４７８】  Ｔａｂｅｒｓ  Ｃｙｃｌｏｐｅｄｉｃ  Ｍｅｄｉｃａｌ  Ｄｉｃｔｉｏｎａｒｙ，  Ｅｄｉｔｉｏｎ  １８，  ｐｐｓ，  ９３７，  ９４２  ａｎｄ  １３７５．  ＮＰＬ−３９４
【非特許文献４７９】  Ｈａｒｒｉｓ，  Ａｎｎ，  ｅｔ  ａｌ．，  "Ｈｙｐｅｒｇｒａｎｕｌａｔｉｏｎ  Ｔｉｓｓｕｅ：  ａ  Ｎｏｎｔｒａｕｍａｔｉｃ  Ｍｅｔｈｏｄ  ｏｆ  Ｍａｎａｇｅｍｅｎｔ"，  Ｏｓｔｏｍｙ／Ｗｏｕｌｄ  Ｍａｎａｇｅｍｅｎｔ，  Ｖｏｌ．４０，  Ｎｏ．  ５，  Ｊｕｎｅ  １９９４．  ＮＰＬ−１９３
【非特許文献４８０】  Ｗｅｂｓｔｅｒｓ  Ｎｅｗ  Ｕｎｉｖｅｒｓａｌ  Ｕｎａｂｒｉｄｇｅｄ  Ｄｉｃｔｉｏｎａｒｙ  Ｄｅｌｕｘｅ  Ｓｅｃｏｎｄ  Ｅｄｉｔｉｏｎ，  ｐａｇｅ  ６３１．  ＮＰＬ−４３１
【非特許文献４８１】  Ｃｈａｒｉｋｅｒ−Ｊｅｔｅｒ  Ｔｅｃｈｎｉｑｕｅ  Ｔｕｔｏｒｉａｌ  ｂｙ  Ｐｅｎｎｙ  Ｅ．  Ｃａｍｐｂｅｌｌ，  Ｗｏｕｎｄ  Ｃａｒｅ  Ｓｏｌｕｔｉｏｎｓ，  １  ｐａｇｅ  ｔｕｔｏｒｉａｌ  ｃｈａｒｔ．  ＮＰＬ０７５
【非特許文献４８２】  Ｂｌｕｅｓｋｙ  Ｍｅｄｉｃａｌ，  Ｎｅｇａｔｉｖｅ  Ｐｒｅｓｓｕｒｅ  Ｗｏｕｎｄ  Ｔｈｅｒａｐｙ，  Ｐｒｏｄｕｃｔ  Ｃａｔａｌｏｇ  Ｆａｌｌ  ２００５，  "Ｆｉｎａｌｌｙ  ａ  ｃｈｏｉｃｅ．．．"  ８  ｐａｇｅｓ．  ＮＰＬ−０５３
【非特許文献４８３】  Ｃｈａｒｉｋｅｒ−Ｊｅｔｅｒ  Ｓｔａｔｕｓ  Ｌｉｎｋ  ｆｒｏｍ  ｔｈｅ  ｗｅｂｓｉｔｅ  ｗｗｗ．ｔｒａｄｅｍａｒｋ．ｃｏｍ／ｃｂｉ−ｂｉｎ／ｔｍｌｉｓｔ．  Ｏｃｔｏｂｅｒ  １４，  ２００５，  １  ｐａｇｅ．ＮＰＬ−０７４
【非特許文献４８４】  Ｂｌｕｅｓｋｙ  Ｍｅｄｉｃａｌ  Ｓｕｐｐｏｒｔ，  ｐｒｉｎｔｏｕｔ  ｏｆ  ｗｅｂｐａｇｅｓ  ｗｗｗ．ｗｏｕｎｄｖａｃｕｕｍ．ｃｏｍ／Ｓｔａｎｄａｒｄ％２０Ｐａｇｅｓ／ｓｕｎｖｏｒｔ．ｈｔｍ，Ｏｃｔｏｂｅｒ  １１，  ２００５，  ｐａｇｅｓ  １−３．  ＮＰＬ−０５１
【非特許文献４８５】  Ｈｅａｌｉｎｇ  ｏｆ  Ｆｕｌｌ  Ｔｈｉｃｋｎｅｓｓ  Ｄｅｆｅｃｔｓ  ｉｎ  Ｓｗｉｎｅ  ＮＰＬ−１９７
【非特許文献４８６】  Ｗｅｂｓｔｅｒ，  Ｊ．Ｇ．，  "Ｐｒｅｖｅｎｔｉｏｎ  ｏｆ  Ｐｒｅｓｓｕｒｅ  Ｓｏｒｅｓ"，  ０１０Ｐ  Ｐｕｂｌｉｓｈｉｎｇ  Ｌｔｄ  １９９１，  Ｔｈｅ  Ａｄａｍ  Ｈｉｌｇｅｒ  Ｓｅｒｉｅｓ  ｏｎ  Ｂｉｏｍｅｄｉｃａｌ  Ｅｎｇｉｎｅｅｒｉｎｇ，  ｐｐ．  １９９−２２３．  ＮＰＬ−４３０
【非特許文献４８７】  Ｇａｒｃｉａ−Ｖｅｌａｓｃｏ，  Ｍ．，  ｅｔ  ａｌ．，  "Ｃｏｍｐｒｅｓｓｉｏｎ  Ｔｒｅａｔｍｅｎｔ  ｏｆ  Ｈｙｐｅｒｔｒｏｐｈｉｃ  Ｓｃａｒｓ  ｉｎ  Ｂｕｒｎｅｄ  Ｃｈｉｌｄｒｅｎ"，  Ｔｈｅ  Ｃａｎａｄｉａｎ  Ｊｏｕｒｎａｌ  ｏｆ  Ｓｕｒｇｅｒｙ，  Ｖ．２１，  Ｎｏ．  ５，  Ｓｅｐｔｅｍｂｅｒ  １９７８，  ｐｐ．  ４５０−４５２．  ＮＰＬ−１７０
【非特許文献４８８】  Ｒｏｓｅ，  Ｍ．Ｐ．，  ｅｔ  ａｌ．，  "Ｔｈｅ  Ｃｌｉｎｉｃａｌ  Ｕｓｅ  Ｏｆ  Ａ  Ｔｕｂｕｌａｒ  Ｃｏｍｐｒｅｓｓｉｏｎ  Ｂａｎｄａｇｅ，  Ｔｕｂｉｇｒｉｐ，  ｆｏｒ  Ｂｕｍ−Ｓｃａｒ  Ｔｈｅｒａｐｙ：  Ａ  Ｃｒｉｔｉｃａｌ  Ａｎａｙｌｉｓ"，  Ｂｕｒｎｓ  （１９８５）  １２，  ５８−６４．  ＮＰＬ−３４７
【非特許文献４８９】  Ｍｕｒｒａｙ，  Ｙ．，  "Ｔｒａｄｉｔｉｏｎ  Ｒａｔｈｅｒ  Ｔｈａｎ  Ｃｕｒｅ"，  Ｗｏｕｎｄ  Ｃａｒｅ，  Ｎｕｒｓｉｎｇ  Ｔｉｍｅｓ，  Ｓｅｐｔｅｍｂｅｒ  ２１，  Ｖｏｌ．  ８４，  Ｎｏ．  ３８，  １９８８．  ＮＰＬ−３０４
【非特許文献４９０】  ＳＰＵＲＬＯＣＫ，  Ｇａｒｅｔｈ，  "Ｔｈｅ  Ｍａｎａｇｅｍｅｎｔ  ｏｆ  Ｏｐｅｎ  Ｊｏｉｎｔ  Ｉｎｊｕｒｉｅｓ"，  Ｗｏｕｎｄ  Ｍａｎａｇｅｍｅｎｔ，  Ｖｅｔｅｒｉｎａｒｙ  Ｃｌｉｎｉｃｓ  ｏｆ  Ｎｏｒｔｈ  Ａｍｅｒｉｃａｎ  Ｅｑｕｉｎａ  Ｐｒａｃｔｉｃｅ，  Ｖｏｌ．  ５，  Ｎｏ．  ３，  Ｄｅｃｅｍｂｅｒ  １９８９．  ＮＰＬ−３８６
【非特許文献４９１】  ＴＩＴＴＥＬ，  Ｋ．，  ｅｔ  ａｔ．，  "ＶａｒｉＤｙｎｅ  -  ｎｅｗ  ｓｔａｎｄａｒｄｓ  ｉｎ  ｐｏｓｔｏｐｅｒａｔｉｖｅ  ｗｏｕｎｄ  ｄｒａｉｎｇｅ"，  Ｊａｈｒｇａｎｇ  １４  （１９８８），  Ｎｒ．  ２，  Ａｐｒｉｌ，  ｖｏｌ．  １４  （１９８８），  Ｎｏ．  ２，  Ａｐｒｉｌ，  ｐｐ．  １０４−１０７．  ＮＰＬ−４０３
【非特許文献４９２】  ＱＵＥＥＮ，  Ｄ．，  ｅｔ  ａｌ．，  "Ｔｈｅ  ｐｒｅｃｌｉｎｉｃａｌ  ｅｖａｌｕａｔｉｏｎ  ｏｆ  ｔｈｅ  Ｗａｔｅｒ  Ｖａｐｏｕｒ  Ｔｒａｎｓｍｉｓｓｉｏｎ  Ｒａｔｅ  Ｔｈｒｏｕｇｈ  Ｂｕｒｎ  Ｗｏｕｎｄ  Ｄｒｅｓｓｉｎｇｓ"，  Ｂｉｏｍａｔｅｒｉａｌｓ  １９８７  Ｖｏｌ．  ８，  Ｓｅｐｔｅｍｂｅｒ，  ｐｐ．  ３６７−３７１．  ＮＰＬ−３３７
【非特許文献４９３】  ＷＯＯＤ，  Ｒ．Ａ．Ｂ．，  ｅｔ  ａｌ．，  "Ｆｏａｍ  Ｅｌａｓｔｏｍｅｒ  Ｄｒｅｓｓｉｎｇ  ｉｎ  ｔｈｅ  Ｍａｎａｇｅｍｅｎｔ  ｏｆ  Ｏｐｅｎ  Ｇｒａｎｕｌａｔｉｎｇ  Ｗｏｕｎｄｓ：  Ｅｘｐｅｒｉｅｎｃｅ  ｗｉｔｈ  ２５０  Ｐａｔｉｅｎｔｓ"，  Ｂｒ．  Ｊ．  Ｓｕｒｇ．，  Ｖｏｌ．  ６４  （１９７７）  ，  ｐｐ  ５５４−５５７．  ＮＰＬ−４４３
【非特許文献４９４】  ＷＡＹＭＡＣＫ，  Ｊ．Ｐ．，  ｅｔ  ａｌ．，  "Ａｎ  Ｅｖａｕｌａｔｉｏｎ  ｏｆ  Ａｑｕａｐｈｏｒ  Ｇａｕｚｅ  Ｄｒｅｓｓｉｎｇ  ｉｎ  Ｂｕｒｎｅｄ  Ｃｈｉｌｄｒｅｎ"，  Ｂｕｒｎｓ  （１９８６）  １２，  ４４３−４４８．  ＮＰＬ−４２８
【非特許文献４９５】  ＷＩＮＴＥＲ，  Ｇｅｏｒｇｅ  Ｄ．，  "Ｅｐｉｄｅｒｍａｌ  Ｗｏｕｎｄ  Ｈｅａｌｉｎｇ  Ｕｎｄｅｒ  ａ  Ｎｅｗ  Ｐｏｌｙｕｒｅｔｈａｎｅ  Ｆｏａｍ  Ｄｒｅｓｓｉｎｇ  （Ｌｙｏｆｏａｍ）"，
Ｐｌａｓｔｉｃ  &  Ｒｅｃｏｎｓｔｒｕｃｔｉｖｅ  Ｓｕｒｇｅｒｙ，  Ｎｏｖｅｍｂｅｒ  １９７５，  Ｖｏ．  ５６，  Ｎｏ．  ５，  ｐｐ．  ５３１−５３７．  ＮＰＬ−４３８
【非特許文献４９６】  ＴＨＯＭＡＳ，  Ｓ．，  ｅｔ  ａｌ．，  "Ｃｏｍｐａｒａｔｉｖｅ  Ｒｅｖｉｅｗ  ｏｆ  ｔｈｅ  Ｐｒｏｐｅｒｔｉｅｓ  ｏｆ  Ｓｉｘ  Ｓｅｍｉｐｅｒｍｅａｂｌｅ  Ｆｉｌｍ  Ｄｒｅｓｓｉｎｇｓ"，  Ｔｈｅ  Ｐｈａｒｍａｃｅｕｔｉｃａｌ  Ｊｏｕｒｎａｌ，  Ｊｕｎｅ  １８，  １９８８，  ｐｐ．  ７８５−７８９．  ＮＰＬ−４０２
【非特許文献４９７】  ＢＡＫＥＲ，  Ｂ．，  "Ａｂｕｎｄａｎｃｅ  ｏｆ  Ｗｅｂ  Ｓｉｔｅｓ  ｏｎ  Ｗｏｕｎｄ  Ｃａｒｅ  Ｍａｎａｇｅｍｅｎｔ"，  Ｆａｍｉｌｙ  Ｐｒａｃｔｉｃｅ  Ｎｅｗｓ，  Ｍａｒｃｈ  １，  ２０００，  ｐｐ．  ５２． ＮＰＬ−０２７
【非特許文献４９８】  ＣＯＳＫＥＲ，  Ｔ．，  ｅｔ  ａｌ．，  "Ｃｈｏｉｃｅ  ｏｆ  Ｄｒｅｓｓｉｎｇ  Ｈａｓ  ａ  Ｍａｊｏｒ  Ｉｍｐａｃｔ  ｏｎ  Ｂｌｉｓｔｅｒｉｎｇ  ａｎｄ  Ｈｅａｌｉｎｇ  Ｏｕｔｃｏｍｅｓ  ｉｎ  Ｏｒｔｈｏｐａｅｄｉｃ  Ｐａｔｉｅｎｔｓ"，  Ｊｏｕｒｎａｌ  ｏｆ  Ｗｏｕｎｄ  Ｃａｒｅ，  Ｖｏ．  １４，  Ｎｏ．  １，  Ｊａｎｕａｒｙ  ２００５，  ｐｐ．  ２７−２９．  ＮＰＬ−１０１
【非特許文献４９９】  ＴＯＷＮＳＥＮＤ，  Ｐ．Ｌ．Ｇ．，  "Ｔｈｅ  Ｑｕｅｓｔ  Ｆｏｒ  Ａ  Ｃｈｅａｐ  ａｎｄ  Ｐａｉｎｌｅｓｓ  Ｄｏｎｏｒ−Ｓｉｔｅ  Ｄｒｅｓｓｉｎｇ"，  Ｂｕｒｎｓ，  ２，  ｐｐ．  ８２−８５  （Ｊａｎｕａｒｙ  １９７６）．  ＮＰＬ−４０４
【非特許文献５００】  ＬＡＮＧＷＯＲＴＨＹ，  Ｍ．，  ｅｔ  ａｌ．，  "Ｔｒｅａｔｍｅｎｔ  ｏｆ  ｔｈｅ  Ｍａｎｇｌｅｄ  Ｌｏｗｅｒ  Ｅｘｔｒｅｍｉｔｙ  Ａｆｔｅｒ  ａ  Ｔｅｒｒｏｒｉｓｔ  Ｂｌａｓｔ  Ｉｎｊｕｒｙ"，  Ｃｌｉｎｉｃａｌ  Ｏｒｔｈｏｐａｅｄｉｃｓ  ａｎｄ  Ｒｅｌａｔｅｄ  Ｒｅｓｅａｒｃｈ，  Ｎｕｍｂｅｒ  ４２２，  ｐｐ．  ８８−９６  （Ｍａｙ  ２００４）．  ＮＰＬ−２５１
【非特許文献５０１】  ＰＡＲＫ，  Ｇ．Ｂ．，  ｅｔ  ａｌ．，  "Ｔｈｅ  Ｄｅｓｉｇｎ  ａｎｄ  Ｅｖａｌｕａｔｉｏｎ  ｏｆ  ａ  Ｂｕｒｎ  Ｗｏｕｎｄ  Ｃｏｖｅｒｉｎｇ"，  Ｓｕｐｐｌｉｅｄ  ｂｙ  Ｔｈｅ  Ｂｒｉｔｉｓｈ  Ｌｉｂｒａｒｙ  −"Ｔｈｅ  Ｗｏｒｄｓ  Ｋｎｏｗｌｅｄｇｅ"，  ｐｐ．  １１−１５  （１９７８）．  ＮＰＬ−３２７
【非特許文献５０２】  ＡＣＵ−ｄｅｒｍ(r)  Ｔｒａｎｓｐａｒｅｎｔ  Ｍｏｉｓｔｕｒｅ  Ｖａｐｏｒ  Ｐｅｒｍｅａｂｌｅ  Ｐｏｌｙｕｒｅｔｈａｎｅ  Ｄｒｅｓｓｉｎｇ，  ｐｐ．  １−１３  ａｎｄ  ｃｏｖｅｒ  ｓｈｅｅｔ．  ＮＰＬ００３
【非特許文献５０３】  ３Ｍ  ｌｏｂａｎ  ２，  Ｂｒｅａｔｈａｂｉｌｉｔｙ，  Ｃｏｎｆｏｒｍａｂｉｌｉｔｙ  ａｎｄ  Ｓｔｒｅｎｇｔｈ，  Ｂｒｅａｔｈａｂｉｌｉｔｙ  −  Ｍｏｉｓｔｕｒｅ  Ｖａｐｏｒ  Ｔｒａｎｓｍｉｓｓｉｏｎ  Ｒａｔｅ  ａｎｄ  Ｃｏｎｆｏｒｍａｂｉｌｉｔｙ  ａｎｄ  Ｓｔｒｅｎｇｔｈ  −  Ｔｅｎｓｉｌｅ  Ｓｔｒｅｎｇｔｈ，  Ｅｌｏｎｇａｔｉｏｎ  ａｎｄ  Ｆｎ  Ｍｏｄｕｌｕｓ  Ｔｅｓｔ  （１  ｐａｇｅ）．  ＮＰＬ−００１
【非特許文献５０４】  ＳＶＥＤＭＡＮ，  Ｐ．，  "Ａ  ｄｒｅｓｓｉｎｇ  ａｌｌｏｗｉｎｇ  ｃｏｎｔｉｎｕｏｕｓ  ｔｒｅａｔｍｅｎｔ  ｏｆ  ａ  ｂｉｏｓｕｒｆａｃｅ，"  ＩＲＣＳ  Ｍｅｄｉｃａｌ  Ｓｃｉｅｎｃｅ：  Ｂｉｏｍｅｄｉｃａｌ  Ｔｅｃｈｎｏｌｏｇｙ；  Ｃｌｉｎｉｃａｌ  Ｍｅｄｉｃｉｎｅ；  Ｓｕｒｇｅｒｙ  ａｎｄ  Ｔｒａｎｓｐｌａｎｔａｔｉｏｎ，  ７：２２１  （１９７９）．  （Ｅｘｈｉｂｉｔ  Ｄ−４０７）．  ＮＰＬ−３８７
【非特許文献５０５】  ＤＡＶＹＤＯＶ，  Ｙ．，  ｅｔ  ａｌ．，  "Ｂａｃｔｅｒｉｏｌｏｇｉｃａｌ  ａｎｄ  Ｃｙｔｏｌｏｇｉｃａｌ  Ａｓｓｅｓｓｍｅｎｔ  ｏｆ  Ｖａｃｕｕｍ  Ｔｈｅｒａｐｙ  ｏｆ  Ｐｕｒｕｌｅｎｔ  Ｗｏｕｎｄｓ，"  Ｖｅｓｔｎ．  Ｋｈｉｒ．，  ４８−５２，  Ｅｎｇｌｉｓｈ  ｔｒａｎｓｌａｔｉｏｎ  ｂｙ  ＩＲＣ，  （Ｏｃｔ．  １９８８）．  （Ｅｘｈｉｂｉｔ  Ｄ−２９０）．  ＮＰＬ−６１６
【非特許文献５０６】  ＤＡＶＹＤＯＶ，  Ｙ．，  ｅｔ  ａｌ．，  "Ｖａｃｕｕｍ  Ｔｈｅｒａｐｙ  ｉｎ  ｔｈｅ  Ｔｒｅａｔｍｅｎｔ  ｏｆ  Ｐｕｒｕｌｅｎｔ  Ｌａｃｔａｔｉｏｎ  Ｍａｓｔｉｔｉｓ，"  Ｖｅｓｔｎ．  Ｋｈｉｒ．  Ｐ．  ６６−７０，  Ｅｎｇｌｉｓｈ  ｔｒａｎｓｌａｔｉｏｎ  ｂｙ  ＩＲＣ，  （Ｓｅｐｔ．  １９８６），  （Ｅｘｈｉｂｉｔ  Ｄ−２９２）．  ＮＰＬ−６１７
【非特許文献５０７】  ＭＥＹＥＲ，  Ｗ．，  ｅｔ  ａｌ．，  "Ｂｉｅｒｓ  Ｈｙｐｅｒｅｍｉｃ  Ｔｒｅａｔｍｅｎｔ，"  Ｗ．Ｂ．  Ｓａｕｎｄｅｒｓ  &  Ｃｏ．，  １９０８  （Ｅｘｈｉｂｉｔ  Ｄ２４６）  ＮＰＬ−２８３
【非特許文献５０８】  Ｃｈａｒｉｋｅｒ／Ｊｅｔｅｒ／Ｔｉｎｔｌｅ  Ｓｌｉｄｅｓ  "Ｃｌｏｓｅｄ  Ｗｏｕｎｄ  Ｓｕｃｔｉｏｎ"  ｂｙ  Ｄｒ．  Ｍａｒｋ  Ｃｈａｒｉｋｅｒ  ｅｔ  ａｌ．，  ４１  ｓｈｅｅｔｓ，  ｐａｇｅｓ  １−１０，  １９，  ５５−８４  （０−０４１）  （ａｌｌｅｇｅｄｌｙ  ｄａｔｅｄ  １９８５  ａｎｄ  １９８６）  ＮＰＬ−０７９
【非特許文献５０９】  Ｊｅｔｅｒ，  Ｋ．，  ｌｉｓｔ  ｏｆ  ｐｕｂｌｉｃａｔｉｏｎｓ，  ４  ｓｈｅｅｔｓ，  （Ｄ−１６１）  ＮＰＬ−２２５
【非特許文献５１０】  ＡＬＥＸＡＮＤＥＲ，  Ｊ．Ｗ．，  ｅｔ  ａｌ．，  "Ｃｌｉｎｉｃａｌ  ｅｖａｌｕａｔｉｏｎ  ｏｆ  ｅｐｉｇａｒｄ，  ａ  ｎｅｗ  ｓｙｎｔｈｅｔｉｃ  ｓｕｂｓｔｉｔｕｔｅ  ｆｏｒ  ｈｏｍｏｇｒａｆｔ  ａｎｄ  ｈｅｔｅｒｏｇｒａｆｔ  ｓｋｉｎ，"  Ｊ．  ｏｆ  Ｔｒａｕｍａ，  １３：３７４−３８３，  （１９７３）  ＮＰＬ−０１０
【非特許文献５１１】  Ａｎｏｎ．，  "Ｓｔａｎｄａｒｄ  Ｔｅｓｔ  Ｍｅｔｈｏｄｓ  ｆｏｒ  Ｗａｔｅｒ  Ｖａｐｏｒ  Ｔｒａｎｓｍｉｓｓｉｏｎ  ｏｆ  Ｍａｔｅｒｉａｌｓ，"  ＡＳＴＭ，  Ｄｅｓｉｇｎａｔｉｏｎ：  Ｅ  ９６／Ｅ  ９６Ｍ  -  ０５，  Ｐｕｂｌｉｓｈｅｄ  Ｊｕｎｅ  ２００５，  １１  ｓｈｅｅｔｓ，  （Ｅｘｈｉｂｉｔ  Ｄ−１８４）  ＮＰＬ−０１７
【非特許文献５１２】  ＢＹＥＲＳ，  Ｒ．Ｍ．，  "Ｃｌｉｎｉｃａｌ  ｅｆｆｅｃｔｓ  ｏｆ  ｃｌｏｓｅｄ  ｓｕｃｔｉｏｎ  ｄｒａｉｎａｇｅ  ｏｎ  ｗｏｕｎｄ  ｈｅａｌｉｎｇ  ｉｎ  ｐａｔｉｅｎｔｓ  ｗｉｔｈ  ｈｅａｄ  ａｎｄ  ｎｅｃｋ  ｃａｎｃｅｒ，"  Ａｒｃｈ．  Ｏｔｏｌａｒｙｎｇｏｌ．，  ｖｏｌ．  １０８：７２３−６，  （Ｎｏｖｅｍｂｅｒ  １９８２）．  ＮＰＬ−０６６
【非特許文献５１３】  ＣＥＳＡＮＹ，  Ｐ．，  "Ｓｕｃｔｉｏｎ  ｉｎ  ｔｈｅ  Ｔｒｅａｔｍｅｎｔ  ｏｆ  Ｔｏｒｐｉｄ  Ｕｌｃｅｒａｔｉｏｎｓ，"  Ｒｏｚｈｌｅｄｙ  ｖ  ｃｈｉｒｕｒｇｉｉ，  ４８−９，  ＭＩＮＣＯ２２８９４−ＭＩＮＣＯ２２８９８，  ｃｏｖｅｒ  ｓｈｅｅｔ  ａｎｄ  ｐａｇｅｓ  ４０６−４０９  Ｅｎｇｌｉｓｈ  ａｂｓｔｒａｃｔ  ｏｎ  ｐａｇｅ  ４０９  （１  ｓｈｅｅｔ  ｐｒｉｎｔｏｕｔ  ｆｒｏｍ  ＰｕｂＭｅｄ）  （Ｓｅｐｔｅｍｂｅｒ  １９６９）．  ＮＰＬ−０７２
【非特許文献５１４】  ＣＨＩＮＮ，  Ｓ．Ｄ．，  "Ｃｌｏｓｅｄ  ｗｏｕｎｄ  ｓｕｃｔｉｏｎ  ｄｒａｉｎａｇｅ，"  Ｊ．  Ｆｏｏｔ  Ｓｕｒｇ．，  ｖｏｌ．  ２４：  ７６−８１，  （Ｊａｎ−Ｆｅｂ  １９８５）．  ＮＰＬ−０８３
【非特許文献５１５】  Ｅｍａｉｌ  ｄａｔｅｄ  Ｊａｎｕａｒｙ  １４，  ２００２  ｗｉｔｈ  ａｔｔａｃｈｍｅｎｔｓ，  ｉｎｃｌｕｄｉｎｇ  "Ｒｅｐｏｒｔ  ｏｆ  Ｍｅｅｔｉｎｇ  ｗｉｔｈ  ＤＧ  Ｃｏｎｓｕｌｔｉｎｇ"  ｄａｔｅｄ  Ｊａｎｕａｒｙ  １０，  ２００２，  ５  ｓｈｅｅｔｓ，  （Ｅｘｈｉｂｉｔ  Ｄ−１５７）．  ＮＰＬ−１３７
【非特許文献５１６】  ＷＥＳＴＡＢＹ，  Ｓ．，  "Ｔｒｅａｔｍｅｎｔ  ｏｆ  ｐｕｒｕｌｅｎｔ  ｗｏｕｎｄｓ  ａｎｄ  ｆｉｓｔｕｌａｅ  ｗｉｔｈ  ａｎ  ａｄｈｅｓｉｖｅ  ｗｏｕｎｄ  ｉｒｒｉｇａｔｉｏｎ  ｄｅｖｉｃｅ，"  Ａｎｎａｌｓ  ｏｆ  ｔｈｅ  Ｒｏｙａｌ  Ｃｏｌｌｅｇｅ  ｏｆ  Ｓｕｒｇｅｏｎｓ，  ｖｏｌ．  ６３：  ３５３−６  （１９８１）．  ＮＰＬ−１４５
【非特許文献５１７】  ＨＡＲＴＺ，  Ｒ．Ｒ．，  ｅｔ  ａｌ．，  "Ｈｅａｌｉｎｇ  ｏｆ  ｔｈｅ  Ｐｅｒｉｎｅａ！  Ｗｏｕｎｄ，"  Ａｒｃｈ．  Ｓｕｒｇ．，  ｖｏｌ．  １１５，  ４７１−４７４，  （１９８０），  （Ｅｘｈｉｂｉｔ  Ｄ−３９５）．  ＮＰＬ−１９６
【非特許文献５１８】  ＭＩＺＵＮＯ，  Ｋ．，  "Ｓｕｃｔｉｏｎｉｎｇ  Ｓｐｏｎｇｅ，"  Ａｒｃｈ．  Ｏｐｔｈａｌｍｏｌ．，  ｖｏｌ．  １０１：２９４，  （Ｆｅｂ．  １９８３）．  ＮＰＬ−２９４
【非特許文献５１９】  Ｍｏｒｙｋｗａｓ，  Ｌａｂｏｒａｔｏｒｙ  Ｎｏｔｅｂｏｏｋ  ｐａｇｅｓ  ａｎｄ  ｃｈａｒｔｓ；  ３８  ｐａｇｅｓ  （Ｅｘｈｉｂｉｔ  Ｄ−４６）  ｄａｔｅｄ  ｐｒｉｏｒ  ｔｏ  Ｍａｒｃｈ  １９９３  ＷＦＵ−４５
【非特許文献５２０】  Ｍｏｒｙｋｗａｓ，  Ｌａｂｏｒａｔｏｒｙ  ｎｏｔｅｂｏｏｋ  ｐａｇｅｓ  ａｎｄ  ｃｈａｒｔｓ，  １６  ｓｈｅｅｔｓ，  （Ｅｘｈｉｂｉｔ  Ｄ−２８６）  ｄａｔｅｄ  ｐｒｉｏｒ  ｔｏ  Ｍａｒｃｈ  １９９３  ＷＦＵ−４６
【非特許文献５２１】  Ｍｏｒｙｋｗａｓ，  Ｌａｂｏｒａｔｏｒｙ  ｎｏｔｅｂｏｏｋ  ｐａｇｅｓ  ａｎｄ  ｃｈａｒｔｓ，  １７  ｓｈｅｅｔｓ，  （Ｅｘｈｉｂｉｔ  Ｄ−２３３）  ｄａｔｅｄ  ｐｒｉｏｒ  ｔｏ  Ｎｏｖｅｍｂｅｒ  １９９１  ＷＦＵ−４７
【非特許文献５２２】  ＮＩＫＯＬＯＶ，  Ａ．，  "Ｍｅｔｈｏｄ  ｏｆ  ｔｒｅａｔｍｅｎｔ  ｏｆ  ｐｏｓｔｐｈｌｅｂｉｔｉｃ  ａｎｄ  ｖａｒｉｃｏｓｅ  ｔｒｏｐｈｉｃ  ｕｌｃｅｒｓ  ｏｎ  ｔｈｅ  ｌｏｗｅｒ  ｅｘｔｒｅｍｉｔｉｅｓ  ｂｙ  ｖａｃｕｕｍ  ［Ｖａｃｕｕｍ  ｔｒｅａｔｍｅｎｔ  ｍｅｔｈｏｄ  ｉｎ  ｐｏｓｔｐｈｌｅｂｉｔｉｃ  ａｎｄ  ｖａｒｉｃｏｓｅ  ｔｒｏｐｈｉｃ  ｕｌｃｅｒｓ  ｏｆ  ｔｈｅ  ｌｏｗｅｒ  ｅｘｔｒｅｍｉｔｉｅｓ］，"  Ｋｈｉｒｕｒｇｉｉａ，  ｐａｇｅｓ  ３６８−３７４，  （Ｅｎｇｌｉｓｈ  ａｂｓｔｒａｃｔ  ｏｎ  ｐａｇｅ  ３７１  ａｎｄ  １  ｓｈｅｅｔ  ｐｒｉｎｔｏｕｔ  ｆｒｏｍ  ＰｕｂＭｅｄ）  （１９８１）  ＮＰＬ−３１４
【非特許文献５２３】  ＳＭＩＴＨ，  Ｓ．Ｒ．Ｇ．，  "Ｓｕｒｇｉｃａｌ  ｄｒａｉｎａｇｅ"，  Ｂｒ．  Ｊ．  Ｈｏｓｐ．  Ｍｅｄ．，  ３３（６）：３０８−３１５  （Ｊｕｎｅ  １９８５）．  ＮＰＬ−３７９
【非特許文献５２４】  ＳＶＥＤＭＡＮ，  "Ａ  ｄｒｅｓｓｉｎｇ  ｓｙｓｔｅｍ  ｐｒｏｖｉｄｉｎｇ  ｆｌｕｉｄ  ｓｕｐｐｌｙ  ａｎｄ  ｓｕｃｔｉｏｎ  ｄｒａｉｎａｇｅ  ｕｓｅｄ  ｆｏｒ  ｃｏｎｔｉｎｕｏｕｓ  ｏｒ  ｉｎｔｅｒｍｉｔｔｅｎｔ  ｉｒｒｉｇａｔｉｏｎ，"  Ａｎｎ．  Ｐｌａｓｔ．  Ｓｕｒｇ．，  ｖｏｌ．  １７，  ９  ｐａｇｅｓ，  （Ａｕｇｕｓｔ  １９８６）．  ＮＰＬ−３８９
【非特許文献５２５】  ＳＶＥＤＭＡＮ，  "Ｉｒｒｉｇａｔｉｏｎ  ｔｒｅａｔｍｅｎｔ  ｉｎ  ｓｐｌｉｔ  ｔｈｉｃｋｎｅｓｓ  ｓｋｉｎ  ｇｒａｆｔｉｎｇ  ｏｆ  ｉｎｔｒａｃｔａｂｌｅ  ｌｅｇ  ｕｌｃｅｒｓ，"  Ｓｃａｎｄ．  Ｊ．  Ｐｌａｓｔ．  Ｒｅｃｏｎｓｔｒ．  Ｓｕｒｇ．，  ｖｏｌ．  １９：２１１−２１３，  （１９８５）．  ＮＰＬ−３９０
【非特許文献５２６】  Ｍｏｒｙｋｗａｓ，  Ｌａｂｏｒａｔｏｒｙ  Ｎｏｔｅｂｏｏｋ  ｐａｇｅｓ  ａｎｄ  ｃｈａｒｔｓ；  （Ｄ−４６）  ｄａｔｅｄ  ｐｒｉｏｒ  ｔｏ  Ｎｏｖｅｍｂｅｒ  １９９１  ＷＦＵ−４９
【非特許文献５２７】  Ｍｏｒｙｋｗａｓ，  Ｌａｂｏｒａｔｏｒｙ  Ｎｏｔｅｂｏｏｋ  ｐａｇｅｓ  ａｎｄ  ｃｈａｒｔｓ；  （Ｄ−２８６）  ｄａｔｅｄ  ｐｒｉｏｒ  ｔｏ  Ｎｏｖｅｍｂｅｒ  １９９１  ＷＦＵ−５０
【非特許文献５２８】  ＳＰＡＨＮ，  Ｊ．Ｇ．，  "Ｓｏｆｔ  ｔｉｓｓｕｅ  ｃｈａｌｌｅｎｇｅｓ  ｉｎ  ｔｈｅ  ｈｅａｄ  ａｎｄ  ｎｅｃｋ  ｒｅｇｉｏｎ，"Ｃｌｉｎｉｃａｌ  Ｓｅｍｉｎａｒ  Ｈａｎｄｏｕｔ，  ＥＨＯＢ，  （４６  ｐａｇｅｓ）  ＮＰＬ−６２１
【非特許文献５２９】  ＭＥＮＤＥＺ−ＥＡＳＴＭＡＮ，  Ｓ．，  "Ｇｕｉｄｅｌｉｎｅｓ  ｆｏｒ  ｕｓｉｎｇ  ｎｅｇａｔｉｖｅ  ｐｒｅｓｓｕｒｅ  ｗｏｕｎｄ  ｔｈｅｒａｐｙ"，  Ａｄｖ．  Ｓｋｉｎ  Ｗｏｕｎｄ  Ｃａｒｅ，  １４  （６）：３１４−３２３．  （１６  ｐｐ．）  （Ｎｏｖｅｍｂｅｒ  −  Ｄｅｃｅｍｂｅｒ  ２００１）．  ＮＰＬ−２７８
【非特許文献５３０】  Ａｄｄｉｔｉｏｎ  ｔｏ  ｔｈｅ  "Ｕｓｅｒｓ  Ｍａｎｕａｌ  Ｃｏｎｃｅｒｎｉｎｇ  Ｏｖｅｒｆｌｏｗ  Ｐｒｏｔｅｃｔｉｏｎ−Ｃｏｎｃｅｒｎｓ  ａｌｌ  Ｅｇｎｅｌｌ  Ｐｕｍｐｓ"，  ｄａｔｅｄ  Ｆｅｂｒｕａｒｙ  ３，  １９８３，  １  ｐａｇｅ  Ｓｗｅｄｉｓｈ，  ［１  ｐａｇｅ  Ｅｎｇｌｉｓｈ］．  ＮＰＬ−６８０
【非特許文献５３１】  Ａｅｒｏｓ，  "Ｍｏｂｌｖａｃ，""ｉｎｔｒｏｄｕｃｉｎｇ  ｔｈｅ  ｏｆｆ  ｔｈｅ  ｗａｌｌ  ｖａｃｕｕｍ  ｓｙｓｔｅｍ，"Ａｅｒｏｓ  Ｉｎｓｔｒｕｍｅｎｔｓ，  Ｌｉｆｅ  Ｓｕｐｐｏｒｔ  Ｎｕｒｓｉｎｇ，  ３（１）：３４−３７，  Ｂａｒｌｉｎ  Ｐｕｂｌｉｓｈｉｎｇ  Ｌｔｄ．  （Ｊａｎｕａｒｙ  −  Ｆｅｂｒｕａｒｙ  １９８０）．  ＮＰＬ−００７
【非特許文献５３２】  Ａｒｔｉｃｌｅ  ｉｎ  Ｒｕｓｓｉａｎ，  ｐｐ．  ８４−８５；  ＮＰＬ−６１９
【非特許文献５３３】  ＡＵＳＴＡＤ，  Ｅ．Ｄ．，  ｅｔ  ａｌ．，  "Ｔｉｓｓｕｅ  ｅｘｐａｎｓｉｏｎ：  ｄｉｖｉｄｅｎｄ  ｏｒ  ｌｏａｎ？"Ｐｌａｓｔ．  Ｒｅｃｏｎｓｔｒ．  Ｓｕｒｇ．，７８（１）：６３−６７  （Ｊｕｌｙ  １９８６）．  ＮＰＬ−０２３
【非特許文献５３４】  ＢｌｕｅＳｋｙ  Ｍｅｄｉｃａｌ，  ２  ｓｈｅｅｔｓ  ｏｆ  ａｄｖｅｒｔｉｓｅｍｅｎｔ，  "Ｉｎｔｒｏｄｕｃｉｎｇ  ｔｈｅ  Ｃｈａｒｉｋｅｒ−Ｊｅｔｅｒ  ｗｏｕｎｄ  ｄｒａｉｎａｇｅ  ｋｉｔ"  ａｎｄ  "Ｉｎｔｒｏｄｕｃｉｎｇ  ｔｈｅ  Ｋｒｅｍｌｉｎ  (r)  ｗｏｕｎｄ  ｄｒａｉｎａｇｅ  ｋｉｔ"  ＮＰＬ−６２０
【非特許文献５３５】  Ｅｇｎｅｌｌ  Ｍｉｎｏｒ，  Ｉｎｓｔｒｕｃｔｉｏｎ  Ｂｏｏｋ，  Ｆｉｒｓｔ  Ａｄｄｉｔｉｏｎ  ［Ｅｄｉｔｉｏｎ］，  ａｌｌｅｇｅｄｌｙ  ｄａｔｅｄ  Ｆｅｂｒｕａｒｙ  １９８７，  ２１  ｐａｇｅｓ  Ｓｗｅｄｉｓｈ，  ３  ｐａｇｅｓ  Ｅｎｇｌｉｓｈ．  ＮＰＬ−６８１
【非特許文献５３６】  ＦＥＩＥＲＡＢＥＮＤ，  Ｔ．Ｃ．，  ｅｔ  ａｌ．，  "Ｉｎｊｕｒｉｅｓ  ｃａｕｓｉｎｇ  ｍａｊｏｒ  ｌｏｓｓ  ｏｆ  ｓｃａｌｐ"，  Ｐｌａｓｔ．  Ｒｅｃｏｎｓｔｒ．  Ｓｕｒｇ．，  ［Ａｂｓｔｒａｃｔ  ｏｎｌｙ  −  １  ｐｐ．  ｐｒｉｎｔｏｕｔ  ｆｒｏｍ  ＰｕｂＭｅｄ］，  ７６（２）：１８９−１９４  （Ａｕｇｕｓｔ  １９８５）．  ＮＰＬ−６２３
【非特許文献５３７】  ＧＥＲＯＮＥＭＵＳ，  Ｒ．Ｇ．，  ｅｔ  ａｌ．，  "Ｔｈｅ  ｅｆｆｅｃｔ  ｏｆ  ｔｗｏ  ｎｅｗ  ｄｒｅｓｓｉｎｇｓ  ｏｎ  ｅｐｉｄｅｒｍａｌ  ｗｏｕｎｄ  ｈｅａｌｉｎｇ"，  Ｊ．  Ｄｅｒｍａｔｏｌ．  Ｓｕｒｇ．  Ｏｎｃｏｌ．，  ８（１０）：８５０−８５２  （Ｏｃｔｏｂｅｒ  １９８２）．  ＮＰＬ−６０６
【非特許文献５３８】  ＭＩＬＬＥＲ，  Ｓ．Ｈ．，  ｅｔ  ａｌ．，  "Ａｎ  ｉｎｅｘｐｅｎｓｉｖｅ  ｗｏｕｎｄ  ｓｕｃｔｉｏｎ  ｄｅｖｉｃｅ"，  Ｓｕｒｇ．  Ｇｙｅｎｃｏｌ．  Ｏｂｓｔｅｔ．，  １４１（５）：７６８  （Ｎｏｖｅｍｂｅｒ  １９７５）．  ＮＰＬ−６０７
【非特許文献５３９】  ＭＩＬＬＥＲ，  Ｓ．Ｊ．，  "Ｓｕｒｇｉｃａｌ  ｗｏｕｎｄ  ｄｒａｉｎａｇｅ  ｓｙｓｔｅｍ  ｕｓｉｎｇ  ｓｉｌｉｃｏｎｅ  ｔｕｂｉｎｇ"，  Ｊ．  Ａｍ．  Ｐｏｄｉａｔｒｙ  Ａｓｓｎ．，  ７１（６）：  ｐｐ．  ２８７−２９６，  （Ｊｕｎｅ  １９８１）．  ＮＰＬ−６０５
【非特許文献５４０】  ＮＥＬＳＯＮ，  Ｒ．Ｐ．，  ｅｔ  ａｌ．，  "Ｕｓｅ  ｏｆ  ｎｅｇａｔｉｖｅ  ｐｒｅｓｓｕｒｅ  ｓｕｃｔｉｏｎ  ｉｎ  ｕｒｏｌｏｇｙ"，  Ｕｒｏｌｏｇｙ，  ４（５）：５７４−５７６，  （Ｎｏｖｅｍｂｅｒ  １９７４）．  ＮＰＬ−４９４
【非特許文献５４１】  ＳＶＥＤＭＡＮ，  "Ｉｒｒｉｇａｔｉｏｎ  Ｔｒｅａｔｍｅｎｔ  ｏｆ  Ｌｅｇ  Ｕｌｃｅｒｓ"，  Ｔｈｅ  Ｌａｎｃｅｔ，  Ｓｅｐｔｅｍｂｅｒ  ３，  １９８３，  ｐｐ．  ５３２−５３４．  ＮＰＬ−６７９
【非特許文献５４２】  ＳＴＥＷＡＲＴ，  Ａ．，  ｅｔ  ａｌ．，  "Ｃｌｅａｎｉｎｇ  ｖ．  ｈｅａｌｉｎｇ，"  Ｃｏｍｍｕｎｉｔｙ  Ｏｕｔｌｏｏｋ，  ｐｐ．  ２２，  ２４  &  ２６  （Ａｕｇｕｓｔ  １４，  １９８５）．  ＮＰＬ−６０１
【非特許文献５４３】  ＴＲＡＭＭＥＬＬ，  Ｔ．Ｒ．，  ｅｔ  ａｌ．，  "Ｃｌｏｓｅｄ−ｗｏｕｎｄ  ｄｒａｉｎａｇｅ  ｓｙｓｔｅｍｓ：  ｔｈｅ  Ｓｏｌｃｏｔｒａｎｓ  Ｐｌｕｓ  ｖｅｒｓｕｓ  ｔｈｅ  Ｓｔｒｙｋｅｒ−ＣＢＣ  ＣｏｎｓｔａＶＡＣ"，  Ｏｒｔｈｏｐａｅｄｉｃ  Ｒｅｖｉｅｗ，  ２０（６）：５３６−５４２  （Ｊｕｎｅ  １９９１）．  ＮＰＬ−６０８
【非特許文献５４４】  ＶＶＯＯＤＬＥＹ，  Ｄ．Ｔ．，  ｅｔ  ａｌ．，  "Ａ  ｄｏｕｂｌｅ−ｂｌｉｎｄ  ｃｏｍｐａｒｉｓｏｎ  ｏｆ  ａｄｈｅｓｉｖｅ  ｂａｎｄａｇｅｓ  ｗｉｔｈ  ｔｈｅ  ｕｓｅ  ｏｆ  ｕｎｉｆｏｒｍ  ｓｕｃｔｉｏｎ  ｂｌｉｓｔｅｒ  ｗｏｕｎｄｓ"，  Ａｒｃｈ．  Ｄｅｒｍａｔｏｌ．，  １２８（１０）：１３５４，  １３５７  （Ｏｃｔｏｂｅｒ  １９９２）．  ＮＰＬ−６０９
【非特許文献５４５】  ＺＥＬＫＯ，  Ｊ．Ｒ．，  ｅｔ  ａｌ．，  "Ｐｒｉｍａｒｙ  ｃｌｏｓｕｒｅ  ｏｆ  ｔｈｅ  ｃｏｎｔａｍｉｎａｔｅｄ  ｗｏｕｎｄ；  ｃｌｏｓｅｄ  ｓｕｃｔｉｏｎ  ｗｏｕｎｄ  ｃａｔｈｅｔｅｒ"，  Ａｍ．  Ｊ．  Ｓｕｒｇｅｒｙ，  １４２：７０４−７０６，  （Ｄｅｃｅｍｂｅｒ  １９８１）．  ＮＰＬ−６０４
【非特許文献５４６】  ＴＨＯＭＡＳ，  Ｓ．，  "Ｗｏｕｎｄ  ｍａｎａｇｅｍｅｎｔ  ａｎｄ  ｄｒｅｓｓｉｎｇｓ，"  ｃｏｖｅｒ  ｓｈｅｅｔ，  ｐｒｅｆａｃｅ，  ｓｈｅｅｔ  ｌａｂｅｌｅｄ  "Ｃｈａｐｔｅｒ  ５"  ａｎｄ  ｐｐ．  ３６−３９  （１９９０）．  ＭｏｌｎｌｙｃｋｅＤＥＶＶＨ１−００３
【非特許文献５４７】  "Ｐｒｅｓｓｕｒｅ  ｅｑｕｉｖａｌｅｎｔｓ，"  ＭｃＧｒａｗ−Ｈｉｌｌ  Ｅｎｃｙｃｌｏｐｅｄｉａ  ｏｆ  Ｓｃｉｅｎｃｅ  &  Ｔｅｃｈｎｏｌｏｇｙ，  ６ｔｈ  ｅｄ．，  Ｎｅｗ  Ｙｏｒｋ，  ｐｐ．  ２４９，  （１９８７）．ＮＰＬ−６８７ｂｗ
【非特許文献５４８】  ＢＡＧＡＵＴＤＩＮＯＶ，  Ｎ．Ａ．，  "Ａｌｔｅｒｎａｔｉｖｅ  ｍｅｔｈｏｄ  ｏｆ  ｅｘｔｅｒｎａｌ  ｖａｃｕｕｍ  ａｓｐｉｒａｔｉｏｎ  ｉｎ  ｔｈｅ  ｔｒｅａｔｍｅｎｔ  ｏｆ  ｐｕｒｕｌｅｎｔ  ｓｏｆｔ  ｔｉｓｓｕｅ  ｄｉｓｅａｓｅ，"  Ｃｕｒｒ．  Ｐｒｏｂｌｅｍｓ  Ｃｏｎｔｅｍｐｏｒａｒｙ  Ｃｌｉｎ．  Ｓｕｒｇ．：  Ｉｎｔｅｒｓｃｈｏｌａｓｔｉｃ  Ｃｏｌｌｅｃｔｉｏｎ，  ｐｐ．  ９４−９６，  （６  ｓｈｅｅｔｓ  ｏｆ  Ｅｎｇｌｉｓｈ  ｔｒａｎｓｌａｔｉｏｎ  ａｎｄ  ｃｅｒｔｉｆｉｃａｔｉｏｎ  ｄａｔｅｄ  Ｍａｙ  ３０，  ２００８；  ｆｏｕｒ  ｓｈｅｅｔｓ  ｏｆ  Ｅｎｇｌｉｓｈ  ｔｒａｎｓｌａｔｉｏｎ，  ６  ｓｈｅｅｔｓ  ｉｎ  Ｒｕｓｓｉａｎ，  ａｎｄ  ｃｅｒｔｉｆｉｃａｔｉｏｎ  ｄａｔｅｄ  Ｍａｙ  ９，  ２００８；  １  ｓｈｅｅｔ  ｏｆ  Ｅｎｇｌｉｓｈ  ｔｒａｎｓｌａｔｉｏｎ  ｏｆ  ａｌｌｅｇｅｄ  ｌｉｂｒａｒｙ  ｉｎｄｅｘ  ｃａｒｄ，  １  ｓｈｅｅｔ  ｉｎ  Ｒｕｓｓｉａｎ，  ａｎｄ  ｃｅｒｔｉｆｉｃａｔｉｏｎ  ｄａｔｅｄ  Ｍａｙ，  ７，  ２００８）；  Ｉ．Ｎ．  Ｕｌｉａｎｏｖ  Ｃｈｕｖａｓｈ  Ｓｔａｔｅ  Ｕｎｉｖｅｒｓｉｔｙ，  Ｃｈｅｂｏｋｓａｒｙ，  （１９８６）．  ＮＰＬ−６９０
【非特許文献５４９】  ＺＩＶＡＤＩＮＯＶＩＣ，  Ｇ．，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ｐｅｒｉｐｈｅｒａｌ  ｂｌｏｏｄ  ｖｅｓｓｅｌｓ，"  Ｃｏｎｆｅｒｅｎｃｅ  Ｐａｐｅｒｓ  ｏｆ  ｔｈｅ  ５ｔｈ  Ｔｉｍｏｋ  Ｍｅｄｉｃａｌ  Ｄａｙｓ，  Ｍａｊｄａｎｐｅｋ，  Ｎｏ．  ３−４，  ｐｐ．  １６１−１６４，  （５  ｓｈｅｅｔｓ  Ｅｎｇｌｉｓｈ  ｔｒａｎｓｌａｔｉｏｎ；  ５  ｓｈｅｅｔｓ  ｉｎ  Ｓｅｒｂｉａｎ，  ｃｅｒｔｉｆｉｃａｔｉｏｎ  ｄａｔｅｄ  Ｍａｙ  ９，  ２００８）  （１９８６）．  ＮＰＬ−６９１
【非特許文献５５０】  ＪＯＨＮＳＯＮ，  Ｆ．Ｅ．，  "Ａｎ  ｉｍｐｒｏｖｅｄ  ｔｅｃｈｎｉｑｕｅ  ｆｏｒ  ｓｋｉｎ  ｇｒａｆｔ  ｐｌａｃｅｍｅｎｔ  ｕｓｉｎｇ  ａ  ｓｕｃｔｉｏｎ  ｄｒａｉｎ"，  Ｓｕｒｇ．  Ｇｙｎｅｃｏｌ．  Ｏｂｓｔｅｔ．，  １５９  （６）：５８４−５８５  （Ｄｅｃｅｍｂｅｒ  １９８４）． ＮＰＬ−２２６＿
【非特許文献５５１】  ＳＡＦＲＯＮＯＶ，  Ａ．Ａ．，  Ｄｉｓｓｅｒｔａｔｉｏｎ  Ａｂｓｔｒａｃｔ，  "Ｖａｃｕｕｍ  ｔｈｅｒａｐｙ  ｏｆ  ｔｒｏｐｈｉｃ  ｕｌｃｅｒｓ  ｏｆ  ｔｈｅ  ｌｏｗｅｒ  ｌｅｇ  ｗｉｔｈ  ｓｉｍｕｌｔａｎｅｏｕｓ
ａｕｔｏｐｌａｓｔｙ  ｏｆ  ｔｈｅ  ｓｋｉｎ，"  （Ｃｅｎｔｒａｌ  Ｓｃｉｅｎｔｉｆｉｃ  Ｒｅｓｅａｒｃｈ  Ｉｎｓｔｉｔｕｔｅ  ｏｆ  Ｔｒａｕｍｏｔｏｌｏｇｙ  ａｎｄ  Ｏｒｔｈｏｐｅｄｉｃｓ，  Ｍｏｓｃｏｗ，  Ｕ．Ｓ．Ｓ．Ｒ．）  （２３  ｓｈｅｅｔｓ  Ｅｎｇｌｉｓｈ  ｔｒａｎｓｌａｔｉｏｎ；  ２３  ｓｈｅｅｔｓ  ｉｎ  Ｒｕｓｓｉａｎ；  ｃｅｒｔｉｆｉｃａｔｉｏｎ  ｄａｔｅｄ  Ｍａｙ  ８，  ２００８；  ａｌｌｅｇｅｄ  ｉｎｄｅｘ  ｃａｒｄ（Ｅｎｇｌｉｓｈ  ｔｒａｎｓｌａｔｉｏｎ；  １  ｓｈｅｅｔ  Ｒｕｓｓｉａｎ；  ｃｅｒｔｉｆｉｃａｔｉｏｎ  ｄａｔｅｄ  Ｍａｙ  １４，  ２００８），  （１９６７）．  ＮＰＬ−６９２
【非特許文献５５２】  ＴＲＩＢＢＬＥ，  Ｄ．Ｅ．，  "Ａｎ  ｉｍｐｒｏｖｅｄ  ｓｕｍｐ  ｄｒａｉｎ−ｉｒｒｉｇａｔｉｏｎ  ｄｅｖｉｃｅ  ｏｆ  ｓｉｍｐｌｅ  ｃｏｎｓｔｒｕｃｔｉｏｎ，"  Ａｒｃｈ．  Ｓｕｒｇ．，  １０５：５１１−５１３，  （Ｓｅｐ．  １９７２）．  ＮＰＬ−６９３
【非特許文献５５３】  ＴＥＮＮＡＮＴ，  Ｃ．Ｅ．，  "Ｔｈｅ  ｕｓｅ  ｏｆ  ｈｙｐｅｒｅｍｉａ  ｉｎ  ｔｈｅ  ｐｏｓｔｏｐｅｒａｔｉｖｅ  ｔｒｅａｔｍｅｎｔ  ｏｆ  ｌｅｓｉｏｎｓ  ｏｆ  ｔｈｅ  ｅｘｔｒｅｍｉｔｉｅｓ  ａｎｄ  ｔｈｏｒａｘ，"  Ｊｏｕｒ．  Ａ．Ｍ．Ａ．，  ６４（１９）：１５４８−１５４９，  （Ｍａｙ  ８，  １９１５）．  ＮＰＬ−６９４
【非特許文献５５４】  ＯＲＧＩＬＬ，  Ｄ．Ｐ．，  ｅｔ  ａｌ．，  "Ｍｉｃｒｏｄｅｆｏｒｍａｔｉｏｎａｌ  ｗｏｕｎｄ  ｔｈｅｒａｐｙ  −−  ａ  ｎｅｗ  ｅｒａ  ｉｎ  ｗｏｕｎｄ  ｈｅａｌｉｎｇ，"  Ｂｕｓｉｎｅｓｓ  Ｂｒｉｅｆｉｎｇ：  Ｇｌｏｂａｌ  Ｓｕｒｇｅｒｙ  −  Ｆｕｔｕｒｅ  Ｄｉｒｅｃｔｉｏｎｓ，  ｐｐ．  ２２，  ２４−２５  （２００５）．  ＮＰＬ−６９５
【非特許文献５５５】  "Ｖ．Ａ．Ｃ．(r)  Ｔｈｅｒａｐｙ  Ｃｌｉｎｉｃａｌ  Ｇｕｉｄｅｌｉｎｅｓ：  Ａ  ｒｅｆｅｒｅｎｃｅ  ｓｏｕｒｃｅ  ｆｏｒ  ｃｌｉｎｉｃｉａｎｓ，"  ＫＣＩ，  Ｔｈｅ  Ｃｌｉｎｉｃａｌ  Ａｄｖａｎｔａｇｅ  (r)  （Ｊｕｌｙ  ２００７）．  ＮＰＬ−６９６
【非特許文献５５６】  ＢＡＧＡＵＴＤＩＮＯＶ，  Ｎ．Ａ．，  "Ｖａｒｉａｎｔ  ｏｆ  ｅｘｔｅｒｎａｌ  ｖａｃｕｕｍ  ａｓｐｉｒａｔｉｏｎ  ｉｎ  ｔｈｅ  ｔｒｅａｔｍｅｎｔ  ｏｆ  ｐｕｒｕｌｅｎｔ  ｄｉｓｅａｓｅｓ  ｏｆ  ｓｏｆｔ  ｔｉｓｓｕｅｓ，"  Ｃｕｒｒｅｎｔ  Ｐｒｏｂｌｅｍｓ  ｉｎ  Ｍｏｄｅｒｎ  Ｃｌｉｎｉｃａｌ  Ｓｕｒｇｅｒｙ，  Ｉｎｔｅｒｄｅｐａｒｔｍｅｎｔａｌ  Ｃｏｌｌｅｃｔｉｏｎ，  Ｃｈｅｂｏｋｓａｒｙ，  （４  ｐａｇｅｓ  ｏｆ  Ｅｎｇｌｉｓｈ  ｔｒａｎｓｌａｔｉｏｎ，  ６  ｓｈｅｅｔｓ  ｉｎ  Ｒｕｓｓｉａｎ，  ｃｅｒｔｉｆｉｃａｔｉｏｎ  ｄａｔｅｄ  Ｍａｙ  ２２，  ２００８，  Ｅｎｇｌｉｓｈ  ｔｒａｎｓｌａｔｉｏｎ  ｏｆ  ｉｎｄｅｘ  ｃａｒｄ，  １  ｓｈｅｅｔ  Ｒｕｓｓｉａｎ，  ｃｅｒｔｉｆｉｃａｔｉｏｎ  ｄａｔｅｄ  Ｍａｙ  ７，  ２００８）  （１９８６）．  ＮＰＬ−６９７
【非特許文献５５７】  ＣＨＡＲＤＡＫ，  Ｗ．Ｍ．，  ｅｔ  ａｌ．，  "Ｅｘｐｅｒｉｍｅｎｔａｌ  ｓｔｕｄｉｅｓ  ｏｎ  ｓｙｎｔｈｅｔｉｃ  ｓｕｂｓｔｉｔｕｔｅｓ  ｆｏｒ  ｓｋｉｎ  ａｎｄ  ｔｈｅｉｒ  ｕｓｅ  ｉｎ  ｔｈｅ  ｔｒｅａｔｍｅｎｔ  ｏｆ  ｂｕｒｎｓ，"  Ａｎｎ．  Ｓｕｒｇ．，  １５５（１）：１２７−１３９，  （Ｊａｎ．  １９６２）．  ＮＰＬ−６９８
【非特許文献５５８】  ＦＵＪＩＭＯＲＩ，  Ｒ．，  ｅｔ  ａｌ．，  "Ｓｐｏｎｇｅ  ｆｉｘａｔｉｏｎ  ｍｅｔｈｏｄ  ｆｏｒ  ｔｒｅａｔｍｅｎｔ  ｏｆ  ｅａｒｌｙ  ｓｃａｒｓ，"  Ｐｌａｓｔ．  &  Ｒｅｃｏｎｓｔ．  Ｓｕｒｇ．，  ４２（４）：３２２−３２６，  （Ｏｃｔ．  １９６８）．  ＮＰＬ−６９９
【非特許文献５５９】  ＫＩＲＫ−ＯＴＨＭＥＲ，  Ｅｎｃｙｃｌｏｐｅｄｉａ  ｏｆ  Ｃｈｅｍｉｃａｌ  Ｔｅｃｈｎｏｌｏｇｙ，  ２ｎｄ  ｃｏｍｐｌｅｔｅｌｙ  ｒｅｖｉｓｅｄ  ｅｄｉｔｉｏｎ，  ｖｏｌ．  １４，  ｐｐ．  ２２７，  Ｊｏｈｎ  Ｗｉｌｅｙ  &  Ｓｏｎｓ，  Ｉｎｃ．，  （１９６７）．  ＮＰＬ−７００
【非特許文献５６０】  ＭＥＹＥＲ，  Ｗ．，  ｅｔ  ａｌ．，  ｅｘｃｅｒｐｔｓ  ｆｒｏｍ  "Ｂｉｅｒｓ  Ｈｙｐｅｒｅｍｉｃ  Ｔｒｅａｔｍｅｎｔ"，  Ｗ．Ｂ．  Ｓａｕｎｄｅｒｓ  ａｎｄ  Ｃｏ．，  （４７  ｓｈｅｅｔｓ）  （１９０８）．  ＮＰＬ−７０２
【非特許文献５６１】  ＺＩＶＡＤＩＮＯＶＩＣ，  Ｇ．，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ｐｅｒｉｐｈｅｒａｌ  ｂｌｏｏｄ  ｖｅｓｓｅｌｓ，"  Ｔｉｍｏｋ  Ｍｅｄｉｃａｌ  Ｊｏｕｒｎａｌ，  Ａｂｓｔｒａｃｔ  ｂｏｏｋ  ｏｆ  ｔｈｅ  ５ｔｈ  Ｔｉｍｏｋ  Ｍｅｄｉｃａｌ  Ｄａｙｓ，  Ｍａｊｄａｎｐｅｋ，  ６  ｓｈｅｅｔｓ  ｏｆ  Ｅｎｇｌｉｓｈ  ｔｒａｎｓｌａｔｉｏｎ，  （１９８６）．  ＮＰＬ−７０３
【非特許文献５６２】  ＳＡＦＲＯＮＯＶ，  Ａ．Ａ．，  "Ｖａｃｕｕｍ  ｔｈｅｒａｐｙ  ｆｏｒ  ｔｒｏｐｈｉｃ  ｕｌｃｅｒｓ  ｏｆ  ｔｈｅ  ｔｉｂｉａ  ｗｉｔｈ  ｃｏｎｃｕｒｒｅｎｔ  ｓｋｉｎ  ａｕｔｏｐｌａｓｔｙ，"  Ｄｉｓｓｅｒｔａｔｉｏｎ  ａｂｓｔｒａｃｔ，  ａｄｄｉｔｉｏｎａｌ  ａｂｓｔｒａｃｔ，  Ｍｏｓｃｏｗ，  ２０  ｓｈｅｅｔｓ  ｏｆ  Ｅｎｇｌｉｓｈ  ｔｒａｎｓｌａｔｉｏｎ，  （１９６７）．  ＮＰＬ−７０４
【非特許文献５６３】  ＳＡＦＲＯＮＯＶ，  Ａ．Ａ．，  Ａｂｓｔｒａｃｔ  ｏｆ  Ｉｎｖｅｎｔｉｏｎ  Ｎｏ．  ２４０１８８，  "Ｄｅｖｉｃｅ  ｆｏｒ  ｗｏｕｎｄ  ｏｒ  ｕｌｃｅｒ  ｔｒｅａｔｍｅｎｔ，"  （２  ｓｈｅｅｔｓ  Ｅｎｇｌｉｓｈ  ｔｒａｎｓｌａｔｉｏｎ  ａｎｄ  ２  ｓｈｅｅｔｓ  ｉｎ  Ｒｕｓｓｉａｎ）  （１９６９）．  ＮＰＬ−７０５
【非特許文献５６４】  ＣＯＮＱＵＥＳＴ，  Ａ．Ｍ．，  ｅｔ  ａｌ．，  "Ｈｅｍｏｄｙｎａｍｉｃ  ｅｆｆｅｃｔｓ  ｏｆ  ｔｈｅ  ｖａｃｕｕｍ−ａｓｓｉｓｔｅｄ  ｃｌｏｓｕｒｅ  ｄｅｖｉｃｅ  ｏｎ  ｏｐｅｎ  ｍｅｄｉａｓｔｉｎａｌ  ｗｏｕｎｄｓ，"Ｊ．  Ｓｕｒｇ．  Ｒｅｓ．，  １１５（２）：２０９−１３  （Ｄｅｃｅｍｂｅｒ  ２００３）．  ＮＰＬ−０９３
【非特許文献５６５】  ＣＯＰＳＯＮ，  Ｄ．，  "Ｔｏｐｉｃａｌ  ｎｅｇａｔｉｖｅ  ｐｒｅｓｓｕｒｅ  ａｎｄ  ｎｅｃｒｏｔｉｓｉｎｇ  ｆａｓｃｉｉｔｉｓ"，  Ｎｕｒｓ．  Ｓｔａｎｄ．，  １８（６）：７１−２，  ７４，  ７６，  ７８，  ８０  （Ｏｃｔｏｂｅｒ  ２２，  ２００３）．  ＮＰＬ−１００
【非特許文献５６６】  ＤＥＭＡＲＩＡ，  Ｒ．Ｇ．，  ｅｔ  ａｌ．，  "Ｔｏｐｉｃａｌ  ｎｅｇａｔｉｖｅ  ｐｒｅｓｓｕｒｅ  ｔｈｅｒａｐｙ．  Ａ  ｖｅｒｙ  ｕｓｅｆｕｌ  ｎｅｗ  ｍｅｔｈｏｄ  ｔｏ  ｔｒｅａｔ  ｓｅｖｅｒｅ  ｉｎｆｅｃｔｅｄ  ｖａｓｃｕｌａｒ  ａｐｐｒｏａｃｈｅｓ  ｉｎ  ｔｈｅ  ｇｒｏｉｎ，"Ｊ．  Ｃａｒｄｉｏｖａｓｃｕｌａｒ  Ｓｕｒｇ．，  ４４（６）：７５７−６１  （Ｄｅｃｅｍｂｅｒ  ２００３）．  ＮＰＬ−１１２
【非特許文献５６７】  ＤＥ  ＶＯＯＧＨＴ，  Ａ．，  ｅｔ  ａｌ．，  "Ｖａｃｕｕｍ−ａｓｓｉｓｔｅｄ  ｃｌｏｓｕｒｅ  ｆｏｒ  ａｂｄｏｍｉｎａｌ  ｗｏｕｎｄ  ｄｅｈｉｓｃｅｎｃｅ  ｗｉｔｈ  ｐｒｏｓｔｈｅｓｉｓ  ｅｘｐｏｓｕｒｅ  ｉｎ  ｈｅｒｎｉａ  ｓｕｒｇｅｒｙ，"Ｐｌａｓｔ．  Ｒｅｃｏｎｔｒ．  Ｓｕｒｇ．，  １１２（４）：１１８８−９  （Ｓｅｐｔｅｍｂｅｒ  １５，  ２００３）．  ＮＰＬ−１１５
【非特許文献５６８】  ＤＵＸＢＵＲＹ，  Ｍ．Ｓ．，  ｅｔ  ａｌ．，  "Ｕｓｅ  ｏｆ  ａ  ｖａｃｕｕｍ  ａｓｓｉｓｔｅｄ  ｃｌｏｓｕｒｅ  ｄｅｖｉｃｅ  ｉｎ  ｐｉｌｏｎｉｄａｌ  ｄｉｓｅａｓｅ，"Ｊ．  Ｗｏｕｎｄ  Ｃａｒｅ，  １２（９）：３５５  （Ｏｃｔｏｂｅｒ  ２００３）．  ＮＰＬ−１２７
【非特許文献５６９】  ＥＬＤＡＤ，  Ａ．，  ｅｔ  ａｌ．，  Ｖａｃｕｕｍ−−  Ａ  ｎｏｖｅｌ  ｍｅｔｈｏｄ  ｆｏｒ  ｔｒｅａｔｉｎｇ  ｃｈｒｏｎｉｃ  ｗｏｕｎｄｓ"，  Ｈａｒｅｆｕａｈ，  （Ｅｎｇｌｉｓｈ  ａｂｓｔｒａｃｔ  ｏｎ  ｌａｓｔ  ２  ｐｐ．  ａｎｄ  １  ｓｈｅｅｔ  ｐｒｉｎｔｏｕｔ  ｆｒｏｍ  ＰｕｂＭｅｄ）；  １４２（１２）：８３４−６，  ８７８，  ８７７  （Ｄｅｃｅｍｂｅｒ  ２００３）．  ＮＰＬ−１３５
【非特許文献５７０】  ＥＶＡＮＳ，  Ｄ．，  ｅｔ  ａｌ．，  "Ｔｏｐｉｃａｌ  ｎｅｇａｔｉｖｅ  ｐｒｅｓｓｕｒｅ  ｆｏｒ  ｔｒｅａｔｉｎｇ  ｃｈｒｏｎｉｃ  ｗｏｕｎｄｓ"，  Ｃｏｃｈｒａｎｅ  Ｄａｔａｂａｓｅ  Ｓｙｓｔ．  Ｒｅｖ．，  ｖｏｌ．  （３），  ａｃｃｅｓｓｉｏｎ  ｎｏ．  ０００７５３２０−１００００００００−０１３０９  （２００５）．  ＮＰＬ−１４３
【非特許文献５７１】  ＦＵＣＨＳ，  Ｕ．，  ｅｔ  ａｌ．，  "Ｃｌｉｎｉｃａｌ  ｏｕｔｃｏｍｅ  ｏｆ  ｐａｔｉｅｎｔｓ  ｗｉｔｈ  ｄｅｅｐ  ｓｔｅｒｎａｌ  ｗｏｕｎｄ  ｉｎｆｅｃｔｉｏｎ  ｍａｎａｇｅｄ  ｂｙ  ｖａｃｕｕｍ−ａｓｓｉｓｔｅｄ  ｃｌｏｓｕｒｅ  ｃｏｍｐａｒｅｄ  ｔｏ  ｃｏｎｖｅｎｔｉｏｎａｌ  ｔｈｅｒａｐｙ  ｗｉｔｈ  ｏｐｅｎ  ｐａｃｋａｇｉｎｇ：  ａ  ｒｅｔｒｏｓｐｅｃｔｉｖｅ  ａｎａｌｙｓｉｓ"，  Ａｎｎ．  Ｔｈｏｒａｃ．  Ｓｕｒｇ．，  ７９：５２６−３１  （２００５）．  ＮＰＬ−１６８
【非特許文献５７２】  ＧＵＳＴＡＦＳＳＯＮ，  Ｒ．Ｉ．，  ｅｔ  ａｌ．，  "Ｄｅｅｐ  ｓｔｅｒｎａｌ  ｗｏｕｎｄ  ｉｎｆｅｃｔｉｏｎ：  ａ  ｓｔｅｒｎａｌ−ｓｐａｒｉｎｇ  ｔｅｃｈｎｉｑｕｅ  ｗｉｔｈ  ｖａｃｕｕｍ−ａｓｓｉｓｔｅｄ  ｃｌｏｓｕｒｅ  ｔｈｅｒａｐｙ"Ａｎｎ．  Ｔｈｏｒａｃ．  Ｓｕｒｇ．，  ７６（６）：２０４８−５３  （Ｄｅｃｅｍｂｅｒ  ２００３）．  ＮＰＬ−１８２
【非特許文献５７３】  ＨＥＲＳＣＯＶＩＣＩ  Ｊｒ．，  Ｄ．，  ｅｔ  ａｌ．，  "Ｖａｃｕｕｍ−ａｓｓｉｓｔｅｄ  ｗｏｕｎｄ  ｃｌｏｓｕｒｅ  （ＶＡＣ  ｔｈｅｒａｐｙ）  ｆｏｒ  ｔｈｅ  ｍａｎａｇｅｍｅｎｔ  ｏｆ  ｐａｔｉｅｎｔｓ  ｗｉｔｈ  ｈｉｇｈ−ｅｎｅｒｇｙ  ｓｏｆｔ  ｔｉｓｓｕｅ  ｉｎｊｕｒｉｅｓ"，  Ｊ．  Ｏｒｔｈｏｐ．  Ｔｒａｕｍａ，  １７（１０）：６８３−８  （Ｎｏｖｅｍｂｅｒ  −  Ｄｅｃｅｍｂｅｒ  ２００３）．  ＮＰＬ−２０１
【非特許文献５７４】  ＨＵＡＮＧ，  Ｊ．，  ｅｔ  ａｌ．，  "Ｔｒｅａｔｍｅｎｔ  ｏｆ  ｏｐｅｎ  ｆｒａｃｔｕｒｅ  ｂｙ  ｖａｃｕｕｍ  ｓｅａｌｉｎｇ  ｔｅｃｈｎｉｑｕｅ  ａｎｄ  ｉｎｔｅｒｎａｌ  ｆｉｘａｔｉｏｎ"，  Ｚｈｏｎｇｇｕｏ  Ｘｉｕ  Ｆｕ  Ｃｈｏｎｇ  Ｊｉａｎ  Ｗａｉ  Ｋｅ  Ｚａ  Ｚｈｉ，  （Ｅｎｇｌｉｓｈ  ａｂｓｔｒａｃｔ  ｏｎ  ｆｉｒｓｔ  ｐａｇｅ  ａｎｄ  ２  ｓｈｅｅｔｓ  ｐｒｉｎｔｏｕｔ  ｆｒｏｍ  ＰｕｂＭｅｄ）；  １７（６）：４５６−８  （Ｎｏｖｅｍｂｅｒ  ２００３）．  ＮＰＬ−２１３
【非特許文献５７５】  ＪＯＮＥＳ，  Ｅ．Ｇ．，  ｅｔ  ａｌ．，  "Ｍａｎａｇｅｍｅｎｔ  ｏｆ  ａｎ  ｉｌｅｏｓｔｏｍｙ  ａｎｄ  ｍｕｃｏｕｓ  ｆｉｓｔｕｌａ  ｌｏｃａｔｅｄ  ｉｎ  ａ  ｄｅｈｉｓｃｅｄ  ｗｏｕｎｄ  ｉｎ  ａ  ｐａｔｉｅｎｔ  ｗｉｔｈ  ｍｏｒｂｉｄ  ｏｂｅｓｉｔｙ"，  Ｊ．  Ｗｏｕｎｄ  Ｏｓｔｏｍｙ  Ｃｏｎｔｉｎｅｎｃｅ  Ｎｕｒｓ．，  ３０（６）：３５１−３５６  （Ｎｏｖｅｍｂｅｒ  ２００３）．  ＮＰＬ−２２７
【非特許文献５７６】  ＬＡＮＧＬＥＹ−ＨＡＷＴＨＯＲＮＥ，  Ｃ．，  "Ｅｃｏｎｏｍｉｃｓ  ｏｆ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５０（４Ａ  ｓｕｐｐｌ）：３５，  ３６，  Ｃ３  （Ａｐｒｉｌ  ２００４）．  ＮＰＬ−２５０
【非特許文献５７７】  ＮＥＵＢＡＵＥＲ，  Ｇ．，  ｅｔ  ａｌ．，  "Ｔｈｅ  ｃｏｓｔ−ｅｆｆｅｃｔｉｖｅｎｅｓｓ  ｏｆ  ｔｏｐｉｃａｌ  ｎｅｇａｔｉｖｅ  ｐｒｅｓｓｕｒｅ  ｖｅｒｓｕｓ  ｏｔｈｅｒ  ｗｏｕｎｄ−ｈｅａｌｉｎｇ  ｔｈｅｒａｐｉｅｓ"，  Ｊ．  Ｗｏｕｎｄ  Ｃａｒｅ，  １２（１０）：３９２−３  （Ｎｏｖｅｍｂｅｒ  ２００３）．  ＮＰＬ−３１２
【非特許文献５７８】  ＯＲＧＩＬＬ，  Ｄ．Ｐ．，  ｅｔ  ａｌ．，  "Ｆｕｎｃｔｉｏｎａｌ  ｒｅｃｏｎｓｔｒｕｃｔｉｏｎ  ｆｏｌｌｏｗｉｎｇ  ｅｌｅｃｔｒｉｃａｌ  ｉｎｊｕｒｙ"，  Ａｎｎ．  Ｎ．Ｙ．  Ａｃａｄ．  Ｓｃｉ．，  ８８８：９６−１０４  （Ｏｃｔｏｂｅｒ  ３０，  １９９９）．  ＮＰＬ−３２１
【非特許文献５７９】  ＳＡＬＡＭＥＨ，  Ｊ．Ｒ．，  ｅｔ  ａｌ．，  "Ｌａｐａｒｏｓｃｏｐｉｃ  ｈａｒｖｅｓｔ  ｏｆ  ｏｍｅｎｔａｌ  ｆｌａｐｓ  ｆｏｒ  ｒｅｃｏｎｓｔｒｕｃｔｉｏｎ  ｏｆ  ｃｏｍｐｌｅｘ  ｍｅｄｉａｓｔｉｎａｌ  ｗｏｕｎｄｓ"，  ＪＳＬＳ，  ７（４）：３１７−２２  （Ｏｃｔｏｂｅｒ  −  Ｄｅｃｅｍｂｅｒ  ２００３）．  ＮＰＬ−３５２
【非特許文献５８０】  ＳＨＯＵＦＡＮＩ，  Ａ．，  ｅｔ  ａｌ．，  "Ｖａｃｕｕｍ  ａｓｓｉｓｔｅｄ  ｃｌｏｓｕｒｅ-  ａ  ｎｅｗ  ｍｅｔｈｏｄ  ｆｏｒ  ｗｏｕｎｄ  ｃｏｎｔｒｏｌ  ａｎｄ  ｔｒｅａｔｍｅｎｔ"，  Ｈａｒｅｆｕａｈ，  （Ｅｎｇｌｉｓｈ  ａｂｓｔｒａｃｔ  ｏｎ  ｌａｓｔ  ｐａｇｅ；  １  ｓｈｅｅｔ  ｐｒｉｎｔｏｕｔ  ｆｒｏｍ  ＰｕｂＭｅｄ）；  １４２（１２）：８３７−４０，  ８７７  （Ｄｅｃｅｍｂｅｒ  ２００３）．  ＮＰＬ−３６７
【非特許文献５８１】  ＳＨＶＡＲＴＳＭＡＮ，  Ｈ．Ｓ．，  ｅｔ  ａｌ．，  "Ｕｓｅ  ｏｆ  ｖａｃｕｕｍ−ａｓｓｉｓｔｅｄ  ｃｌｏｓｕｒｅ  ｄｅｖｉｃｅ  ｉｎ  ｔｈｅ  ｔｒｅａｔｍｅｎｔ  ｏｆ  ｒｅｃｕｒｒｅｎｔ  Ｐａｇｅｔｓ  ｄｉｓｅａｓｅ  ｏｆ  ｔｈｅ  ｖｕｌｖａ"，  Ｏｂｓｔｅｔ．  Ｇｙｎｅｃｏｌ．，  Ｓｕｐｐｌｅｍｅｎｔ，  １０２（５，  ｐａｒｔ  ２）：１１６３−６  （Ｎｏｖｅｍｂｅｒ  ２００３）．  ＮＰＬ−３６８
【非特許文献５８２】  ＳＩＢＢＡＬＤ，  Ｒ．Ｇ．，  ｅｔ  ａｌ．，  "Ａ  ｃｏｎｓｅｎｓｕｓ  ｒｅｐｏｒｔ  ｏｎ  ｔｈｅ  ｕｓｅ  ｏｆ  ｖａｃｕｕｍ−ａｓｓｉｓｔｅｄ  ｃｌｏｓｕｒｅ  ｉｎ  ｃｈｒｏｎｉｃ，  ｄｉｆｆｉｃｕｌｔ−ｔｏ−ｈｅａｌ  ｗｏｕｎｄｓ"，  Ｏｓｔｏｍｙ  Ｗｏｕｎｄ  Ｍａｎａｇｅ．，  ４９（１１）：５２−６６  （Ｎｏｖｅｍｂｅｒ  ２００３）．  ＮＰＬ−３６９
【非特許文献５８３】  ＷＡＧＮＥＲ，  Ｓ．，  ｅｔ  ａｌ．，  "Ｃｏｍｐａｒｉｓｏｎ  ｏｆ  ｉｎｆｌａｍｍａｔｏｒｙ  ａｎｄ  ｓｙｓｔｅｍｉｃ  ｓｏｕｒｃｅｓ  ｏｆ  ｇｒｏｗｔｈ  ｆａｃｔｏｒｓ  ｉｎ  ａｃｕｔｅ  ａｎｄ  ｃｈｒｏｎｉｃ  ｈｕｍａｎ  ｗｏｕｎｄｓ"，  Ｗｏｕｎｄ  Ｒｅｐ．  Ｒｅｇ．，  １１：２５３−２６０  （Ｊｕｌｙ  −  Ａｕｇｕｓｔ  ２００３）．  ＮＰＬ−４２６
【非特許文献５８４】  ＷＩＬＤ，  Ｔ．，  "Ｃｏｎｓｅｎｓｕｓ  ｏｆ  ｔｈｅ  Ｇｅｒｍａｎ  ａｎｄ  Ａｕｓｔｒｉａｎ  Ｓｏｃｉｅｔｉｅｓ  ｆｏｒ  ｗｏｕｎｄ  ｈｅａｌｉｎｇ  ａｎｄ  ｗｏｕｎｄ  ｍａｎａｇｅｍｅｎｔ  ｏｎ  ｖａｃｕｕｍ  ｃｌｏｓｕｒｅ  ａｎｄ  ｔｈｅ  ＶＡＣ  ｔｒｅａｔｍｅｎｔ  ｕｎｉｔ"，  ＭＭＷ  Ｆｏｒｔｓｃｈｒ．  Ｍｅｄ．，  （Ｅｎｇｌｉｓｈ  ａｂｓｔｒａｃｔ  ｏｎ  ｐａｇｅ  １００；  １  ｓｈｅｅｔ  ｐｒｉｎｔｏｕｔ  ｆｒｏｍ  ＰｕｂＭｅｄ）；  １４５  Ｓｕｐｐｌ．  ３：９７−１０１  （Ｏｃｔｏｂｅｒ  ９，  ２００３）．  ＮＰＬ−４３５
【非特許文献５８５】  ＣＨＥＮ，  Ｓ．Ｚ．，  ｅｔ  ａｌ．，  "Ｅｆｆｅｃｔ  ｏｆ  ｖａｃｕｕｍ−ａｓｓｉｓｔｅｄ  ｃｌｏｓｕｒｅ  ｏｎ  ｔｈｅ  ｅｘｐｒｅｓｓｉｏｎ  ｏｆ  ｐｒｏｔｏ−ｏｎｃｏｇｅｎｅｓ  ａｎｄ  ｉｔｓ  ｓｉｇｎｉｆｉｃａｎｃｅ  ｄｕｒｉｎｇ  ｗｏｕｎｄ  ｈｅａｌｉｎｇ"，  Ｚｈｏｎｇｈｕａ  Ｚｈｅｎｇ  Ｘｉｎｇ  Ｗａｉ  Ｋｅ  Ｚａ  Ｚｈｉ，  （Ｅｎｇｌｉｓｈ  ａｂｓｔｒａｃｔ  ｏｎ  ｆｉｒｓｔ  ｐａｇｅ，  ２  ｓｈｅｅｔｓ  ｐｒｉｎｔｏｕｔ  ｆｒｏｍ  ＰｕｂＭｅｄ）；  ２１：１９７−２００  （Ｍａｙ  ２００５）．  ＮＰＬ−４５６
【非特許文献５８６】  ＩＭＭＥＲ，  Ｆ．Ｆ．，  ｅｔ  ａｌ．，  "Ｄｅｅｐ  ｓｔｅｒｎａｌ  ｗｏｕｎｄ  ｉｎｆｅｃｔｉｏｎ  ａｆｔｅｒ  ｃａｒｄｉａｃ  ｓｕｒｇｅｒｙ：  ｍｏｄａｌｉｔｙ  ｏｆ  ｔｒｅａｔｍｅｎｔ  ａｎｄ  ｏｕｔｃｏｍｅ"，  Ａｎｎ．  Ｔｈｏｒａｃ．  Ｓｕｒｇ．，  ８０（３）：９５７−６１  （Ｓｅｐｔｅｍｂｅｒ  ２００５；  ａｖａｉｌａｂｌｅ  ｏｎｌｉｎｅ  Ａｕｇｕｓｔ  ２３，  ２００５）．  ＮＰＬ−４５７
【非特許文献５８７】  ＳＡＬＴＺＭＡＮ，  Ｃ．Ｌ．，  "Ｓａｌｖａｇｅ  ｏｆ  ｄｉｆｆｕｓｅ  ａｎｋｌｅ  ｏｓｔｅｏｍｙｅｌｉｔｉｓ  ｂｙ  ｓｉｎｇｌｅ−ｓｔａｇｅ  ｒｅｓｅｃｔｉｏｎ  ａｎｄ  ｃｉｒｃｕｍｆｅｒｅｎｔｉａｌ  ｆｒａｍｅ  ｃｏｍｐｒｅｓｓｉｏｎ  ａｒｔｈｒｏｄｅｓｉｓ"，  Ｉｏｗａ  Ｏｒｔｈｏｐ．  Ｊ．，  ２５：４７−５２  （２００５）．  ＮＰＬ−４５８
【非特許文献５８８】  ＢＯＧＡＲＴ，  Ｌ．，  "Ａ  ｓｕｍｍａｒｙ  ｏｆ  ｐｏｓｔｅｒｓ  ｐｒｅｓｅｎｔｅｄ  ａｔ  ｔｈｅ  ｓｙｍｐｏｓｉｕｍ  ｏｎ  Ａｄｖａｎｃｅｄ  Ｗｏｕｎｄ  Ｃａｒｅ：  ２００３  ａｎｄ  ２００４"，  ｒｙ
Ｏｓｔｏｍｙ  Ｗｏｕｎｄ  Ｍａｎａｇｅ．，  ５１（４）：８８−９１  （Ａｐｒｉｌ  ２００５）．  ＮＰＬ−４５９
【非特許文献５８９】  ＣＨＥＮ，  Ｓ．Ｚ．，  ｅｔ  ａｌ．，  "Ｅｆｆｅｃｔｓ  ｏｆ  ｖａｃｕｕｍ−ａｓｓｉｓｔｅｄ  ｃｌｏｓｕｒｅ  ｏｎ  ｗｏｕｎｄ  ｍｉｃｒｏｃｉｒｃｕｌａｔｉｏｎ：  ａｎ  ｅｘｐｅｒｉｍｅｎｔａｌ  ｓｔｕｄｙ"，  Ａｓｉａｎ  Ｊ．  Ｓｕｒｇ．，  ２８（３）：２１１−７  （Ｊｕｌｙ  ２００５）．  ＮＰＬ−４６０
【非特許文献５９０】  ＰＡＵＬ，  Ｊ．Ｃ．，  "Ｖａｃｕｕｍ  ａｓｓｉｓｔｅｄ  ｃｌｏｓｕｒｅ  ｔｈｅｒａｐｙ：  Ａ  ｍｕｓｔ  ｉｎ  ｐｌａｓｔｉｃ  ｓｕｒｇｅｒｙ"，  Ｐｌａｓｔｉｃ  Ｓｕｒｇ．  Ｎｕｒｓ．，  ２５（２）：６１−５  （Ａｐｒｉｌ  −  Ｊｕｎｅ  ２００５）．  ＮＰＬ−４６２
【非特許文献５９１】  ＷＩＮＴＥＲ，  Ｄ．，  "Ｐｅｒｓｐｅｃｔｉｖｅｓ  ｏｎ  ｖａｃｕｕｍ−ａｓｓｉｓｔｅｄ  ｃｌｏｓｕｒｅ  ｔｈｅｒａｐｙ  ｉｎ  ｐｉｌｏｎｉｄａｌ  ｓｉｎｕｓ  ｓｕｒｇｅｒｙ"，  Ｄｉｓ．  Ｃｏｌｏｎ  Ｒｅｃｔｕｍ，  ４８  （９）：１８２９−３０，  （Ｓｅｐｔｅｍｂｅｒ  ２００５）．  ＮＰＬ−４６３
【非特許文献５９２】  ＡＲＣＡ，  Ｍ．Ｊ．，  ｅｔ  ａｌ．，  "Ｕｓｅ  ｏｆ  ｖａｃｕｕｍ−ａｓｓｉｓｔｅｄ  ｃｌｏｓｕｒｅ  ｓｙｓｔｅｍ  ｉｎ  ｔｈｅ  ｍａｎａｇｅｍｅｎｔ  ｏｆ  ｃｏｍｐｌｅｘ  ｗｏｕｎｄｓ  ｉｎ  ｔｈｅ  ｎｅｏｎａｔｅ"，  Ｐｅｄｉａｔｒ．  Ｓｕｒｇ．  Ｉｎｔ．，  ２１（７）：５３２−５，  ８  ｓｈｅｅｔｓ，  （ｐｕｂｌｉｓｈｅｄ  ｏｎｌｉｎｅ  Ｊｕｎｅ  １７，  ２００５）．  ＮＰＬ−４６４
【非特許文献５９３】  ＡＤＡＭＫＯＶＡ，  Ｍ．，  ｅｔ  ａｌ．，  "Ｆｉｒｓｔ  ｅｘｐｅｒｉｅｎｃｅ  ｗｉｔｈ  ｔｈｅ  ｕｓｅ  ｏｆ  ｖａｃｕｕｍ  ａｓｓｉｓｔｅｄ  ｃｌｏｓｕｒｅ  ｉｎ  ｔｈｅ  ｔｒｅａｔｍｅｎｔ  ｏｆ  ｓｋｉｎ  ｄｅｆｅｃｔｓ  ａｔ  ｔｈｅ  ｂｕｍ  ｃｅｎｔｅｒ"，  Ａｃｔａ．  Ｃｈｉｒ．  Ｐｌａｓｔ．，  ４７（１）：２４−７  （２００５）．  ＮＰＬ−４６５
【非特許文献５９４】  ＶＥＮＴＵＲＩ，  Ｍ．Ｌ．，  ｅｔ  ａｌ．，  "Ｍｅｃｈａｎｉｓｍｓ  ａｎｄ  ｃｌｉｎｉｃａｌ  ａｐｐｌｉｃａｔｉｏｎｓ  ｏｆ  ｔｈｅ  ｖａｃｕｕｍ−ａｓｓｉｓｔｅｄ  ｃｌｏｓｕｒｅ  （ＶＡＣ）  ｄｅｖｉｃｅ：  ａ  ｒｅｖｉｅｗ"，  Ａｍ．  Ｊ．  Ｃｌｉｎ．  Ｄｅｒｍａｔｏｌ．，  ６（３）：１８５−９４  （２００５）．  ＮＰＬ−４６６
【非特許文献５９５】  ＮＯＥＬ，  Ｂ．，  "Ｍａｎａｇｅｍｅｎｔ  ｏｆ  ｖｅｎｏｕｓ  ｌｅｇ  ｕｌｃｅｒｓ"，  Ｒｅｖ．  Ｍｅｄ．  Ｓｕｉｓｓｅ，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １（１６）：１０６２−６，  １０６８  （Ａｐｒｉｌ  ２０，  ２００５）．  ＮＰＬ−４６７
【非特許文献５９６】  ＲＩＣＣＩＯ，  Ｍ．，  ｅｔ  ａｌ．，  "Ｄｅｌａｙｅｄ  ｍｉｃｒｏｓｕｒｇｉｃａｌ  ｒｅｃｏｎｓｔｒｕｃｔｉｏｎ  ｏｆ  ｔｈｅ  ｅｘｔｒｅｍｉｔｉｅｓ  ｆｏｒ  ｃｏｍｐｌｅｘ  ｓｏｆｔ−ｔｉｓｓｕｅ  ｉｎｊｕｒｉｅｓ"，  Ｍｉｃｒｏｓｕｒｇｅｒｙ，  ２５：２７２−８３  （２００５）．  ＮＰＬ−４６８
【非特許文献５９７】  ＳＪＯＧＲＥＮ，  Ｊ．，  ｅｔ  ａｌ．，  "Ｃｌｉｎｉｃａｌ  ｏｕｔｃｏｍｅ  ａｆｔｅｒ  ｐｏｓｔｓｔｅｒｎｏｔｏｍｙ  ｍｅｄｉａｓｔｉｎｉｔｉｓ：  ｖａｃｕｕｍ−ａｓｓｉｓｔｅｄ  ｃｌｏｓｕｒｅ  ｖｅｒｓｕｓ  ｃｏｎｖｅｎｔｉｏｎａｌ  ｔｒｅａｔｍｅｎｔ"，  Ａｎｎ．  Ｔｈｏｒａｃ．  Ｓｕｒｇ．，  ７９（６）：２０４９−５５  （Ｊｕｎｅ  ２００５）．  ＮＰＬ−４６９
【非特許文献５９８】  ＤＡＩＮＴＹ，  Ｌ．Ａ．，  ｅｔ  ａｌ．，  "Ｎｏｖｅｌ  ｔｅｃｈｎｉｑｕｅｓ  ｔｏ  ｉｍｐｒｏｖｅ  ｓｐｌｉｔ−ｔｈｉｃｋｎｅｓｓ  ｓｋｉｎ  ｇｒａｆｔ  ｖｉａｂｉｌｉｔｙ  ｄｕｒｉｎｇ  ｖｕｌｖｏ−ｖａｇｉｎａｌ  ｒｅｃｏｎｓｔｒｕｃｔｉｏｎ"，  Ｇｙｎｅｃｏｌ．  Ｏｎｃｏｌ．，  ９７（３）：９４９−５２  （Ｊｕｎｅ  ２００５）．  ＮＰＬ−４７０
【非特許文献５９９】  ＣＬＵＢＬＥＹ，  Ｌ．，  ｅｔ  ａｌ．，  "Ｕｓｉｎｇ  ｎｅｇａｔｉｖｅ  ｐｒｅｓｓｕｒｅ  ｔｈｅｒａｐｙ  ｆｏｒ  ｈｅａｌｉｎｇ  ｏｆ  ａ  ｓｔｅｒｎａｌ  ｗｏｕｎｄ"，  Ｎｕｒｓ．  Ｔｉｍｅｓ，  １０１（１６）：４４−６  （Ａｐｒｉｌ  １９，  ２００５）．  ＮＰＬ−４７１
【非特許文献６００】  ＣＡＮＩＡＮＯ，  Ｄ．Ａ．，  ｅｔ  ａｌ．，  "Ｗｏｕｎｄ  ｍａｎａｇｅｍｅｎｔ  ｗｉｔｈ  ｖａｃｕｕｍ−ａｓｓｉｓｔｅｄ  ｃｌｏｓｕｒｅ：  ｅｘｐｅｒｉｅｎｃｅ  ｉｎ  ５１  ｐｅｄｉａｔｒｉｃ  ｐａｔｉｅｎｔｓ"，  Ｊ．  Ｐｅｄｉａｔｒ．  Ｓｕｒｇ．，  ４０（１）：１２８−３２  （Ｊａｎｕａｒｙ  ２００５）．  ＮＰＬ−４７２
【非特許文献６０１】  ＳＴＥＥＮＶＯＯＲＤＥ，  Ｐ．，  ｅｔ  ａｌ．，  "Ｄｅｅｐ  ｉｎｆｅｃｔｉｏｎ  ａｆｔｅｒ  ｉｌｉｏｉｎｇｕｉｎａｌ  ｎｏｄｅ  ｄｉｓｓｅｃｔｉｏｎ：  ｖａｃｕｕｍ−ａｓｓｉｓｔｅｄ  ｃｌｏｓｕｒｅ  ｔｈｅｒａｐｙ？"Ｌｏｗ．  Ｅｘｔｒｅｍ．  Ｗｏｕｎｄｓ，  ３（４）：２２３−２２６  （Ｄｅｃｅｍｂｅｒ  ２００４）．  ＮＰＬ−４７３
【非特許文献６０２】  ＲＹＡＮ，  Ｔ．Ｊ．，  "Ｅｖａｎｓ  （１９６６）  ｅｘｃｈａｎｇｅ  ａｎｄ  ｔｈｅ  ｓｋｉｎ  ｉｎ  ｔｈｅ  ｌｉｇｈｔ  ｏｆ  ｖａｃｕｕｍ−ａｓｓｉｓｔｅｄ  ｄｏｓｕｒｅ，  ｙｏｇａ，  ａｎｄ  ｍａｇｇｏｔｓ"，  Ｌｏｗ．  Ｅｘｔｒｅｍ．  Ｗｏｕｎｄｓ，  ３（３）：１２１−２  （Ｓｅｐｔｅｍｂｅｒ  ２００４）．  ＮＰＬ−４７４
【非特許文献６０３】  ＡＲＭＳＴＲＯＮＧ，  Ｄ．Ｇ．，  ｅｔ  ａｌ．，  "Ｄｅｃｒｅａｓｉｎｇ  ｆｏｏｔ  ｐｒｅｓｓｕｒｅｓ  ｗｈｉｌｅ  ｉｍｐｌｅｍｅｎｔｉｎｇ  ｔｏｐｉｃａｌ  ｎｅｇａｔｉｖｅ  ｐｒｅｓｓｕｒｅ  （ｖａｃｕｕｍ−ａｓｓｉｓｔｅｄ  ｃｌｏｓｕｒｅ）  ｔｈｅｒａｐｙ"，  Ｌｏｗ．  Ｅｘｔｒｅｍ．  Ｗｏｕｎｄｓ，  ３（１）：１２−１５  （Ｍａｒｃｈ  ２００４）．  ＮＰＬ−４７５
【非特許文献６０４】  ＷＡＣＫＥＮＦＯＲＳ，  Ａ．，  ｅｔ  ａｌ．，  "Ｂｌｏｏｄ  ｆｌｏｗ  ｒｅｓｐｏｎｓｅｓ  ｉｎ  ｔｈｅ  ｐｅｒｉｓｔｅｒｎａｌ  ｔｈｏｒａｃｉｃ  ｗａｌｌ  ｄｕｒｉｎｇ  ｖａｃｕｕｍ−ａｓｓｉｓｔｅｄ  ｃｌｏｓｕｒｅ  ｔｈｅｒａｐｙ"，  Ａｎｎ．  Ｔｈｏｒａｃ．  Ｓｕｒｇ．，  ７９（５）：１７２４−３１  （Ｍａｙ  ２００５）．  ＮＰＬ−４７６
【非特許文献６０５】  ＯＣＯＮＮＯＲ，  Ｊ．，  ｅｔ  ａｌ．，  "Ｖａｃｕｕｍ−ａｓｓｉｓｔｅｄ  ｃｌｏｓｕｒｅ  ｆｏｒ  ｔｈｅ  ｔｒｅａｔｍｅｎｔ  ｏｆ  ｃｏｍｐｌｅｘ  ｃｈｅｓｔ  ｗｏｕｎｄｓ"，  Ａｎｎ．  Ｔｈｏｒａｃ．  Ｓｕｒｇ．，  ７９  （４）：１１９６−２００  （Ａｐｒｉｌ  ２００５）．  ＮＰＬ−４７８
【非特許文献６０６】  ＮＵＧＥＮＴ，  Ｎ．，  ｅｔ  ａｌ．，  "Ｖａｃｕｕｍ−ａｓｓｉｓｔｅｄ  ｃｌｏｓｕｒｅ  −  Ａ  ｍａｎａｇｅｍｅｎｔ  ｏｐｔｉｏｎ  ｆｏｒ  ｔｈｅ  ｂｕｒｎｓ  ｐａｔｉｅｎｔｓ  ｗｉｔｈ  ｅｘｐｏｓｅｄ  ｂｏｎｅ"，  Ｂｕｒｎｓ，  ３１（３）：３９０−３９３  （Ｍａｙ  ２００５）  （Ｅｐｕｂ  Ｊａｎｕａｒｙ  ２２，  ２００５）．  ＮＰＬ−４７９
【非特許文献６０７】  ＬＡＭＢＥＲＴ，  Ｋ．Ｖ．，  ｅｔ  ａｌ．，  "Ｖａｃｕｕｍ  ａｓｓｉｓｔｅｄ  ｃｌｏｓｕｒｅ：  ａ  ｒｅｖｉｅｗ  ｏｆ  ｄｅｖｅｌｏｐｍｅｎｔ  ａｎｄ  ｃｕｒｒｅｎｔ  ａｐｐｌｉｃａｔｉｏｎｓ"，  Ｅｕｒ．  Ｊ．  Ｖａｓｃ．  Ｅｎｄｏｖａｓｃ．  Ｓｕｒｇ．，  ２９（３）：２１９−２２６  （Ｍａｒｃｈ  ２００５）．  ＮＰＬ−４８０
【非特許文献６０８】  ＳＭＩＴＨ，  Ｎ．，  "Ｔｈｅ  ｂｅｎｅｆｉｔｓ  ｏｆ  ＶＡＣ  Ｔｈｅｒａｐｙ  ｉｎ  ｔｈｅ  ｍａｎａｇｅｍｅｎｔ  ｏｆ  ｐｒｅｓｓｕｒｅ  ｕｌｃｅｒｓ"，  Ｂｒ．  Ｊ．  Ｎｕｒｓ．，  １３（２２）：１３５９−６０，  １３６２，  １３６４−６５  （Ｄｅｃｅｍｂｅｒ  ９，  ２００４  −  Ｊａｎｕａｒｙ  １２，  ２００５）．  ＮＰＬ−４８１
【非特許文献６０９】  ＷＨＩＴＥ，  Ｒ．Ａ．，  ｅｔ  ａｌ．，  "Ｖａｃｕｕｍ−ａｓｓｉｓｔｅｄ  ｃｌｏｓｕｒｅ  ｃｏｍｐｌｉｃａｔｅｄ  ｂｙ  ｅｒｏｓｉｏｎ  ａｎｄ  ｈｅｍｏｒｒｈａｇｅ  ｏｆ  ｔｈｅ  ａｎｔｅｒｉｏｒ  ｔｉｂｉａｌ  ａｒｔｅｒｙ"，  Ｊ．  Ｏｒｔｈｏｐ．  Ｔｒａｕｍａ，  １９（１）：５６−５９  （Ｊａｎｕａｒｙ  ２００５）．  ＮＰＬ−４８２
【非特許文献６１０】  ＤＥ  ＧＥＵＳ，  Ｈ．Ｒ．Ｈ．，  ｅｔ  ａｌ．，  "Ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ｌａｒｇｅ  ｓｋｉｎ  ｄｅｆｅｃｔｓ  ｄｕｅ  ｔｏ  ｎｅｃｒｏｔｉｚｉｎｇ  ｆａｓｃｉｉｔｉｓ"，  Ｉｎｔｅｎｓｉｖｅ  Ｃａｒｅ  Ｍｅｄ．，  ３１（４）：  ６０１  （１  ｐａｇｅ）  （Ａｐｒｉｌ  ２００５）  （Ｅｐｕｂ  Ｊａｎｕａｒｙ  ２２，  ２００５）．  ＮＰＬ−４８３
【非特許文献６１１】  ＳＡＭＳＯＮ，  Ｄ．，  ｅｔ  ａｌ．，  "Ｗｏｕｎｄ−ｈｅａｌｉｎｇ  ｔｅｃｈｎｏｌｏｇｉｅｓ：  ｌｏｗ  ｌｅｖｅｌ  ｌａｓｅｒ  ａｎｄ  ｖａｃｕｕｍ−ａｓｓｉｓｔｅｄ  ｃｌｏｓｕｒｅ"，  Ｅｖｉｄ．  Ｒｅｐ．  Ｔｅｃｈｎｏｌ．  Ａｓｓｅｓｓ．  （Ｓｕｍｍ．），（１１１）：１−６，  （Ｄｅｃｅｍｂｅｒ  ２００４）． ＮＰＬ−４８４
【非特許文献６１２】  ＧＩＢＳＯＮ，  Ｋ．，  "Ｖａｃｕｕｍ−ａｓｓｉｓｔｅｄ  ｃｌｏｓｕｒｅ"，  Ａｍ．  Ｊ．  Ｎｕｒｓ．，  １０４（１２）：１６  （１  ｐａｇｅ）  （Ｄｅｃｅｍｂｅｒ  ２００４）．  ＮＰＬ−４８５
【非特許文献６１３】  ＰＯＬＬＹ  ＪＲ．，  Ｄ．Ｗ．，  ｅｔ  ａｌ．，  "Ａｄｖａｎｃｅｄ  ｍｅｄｉｃａｌ  ｃａｒｅ  ｆｏｒ  ｓｏｌｄｉｅｒｓ  ｉｎｊｕｒｅｄ  ｉｎ  Ｉｒａｑ  ａｎｄ  Ａｆｇｈａｎｉｓｔａｎ"，  Ｍｉｎｎ．  Ｍｅｄ．，  ８７（１１）：４２−４  （Ｎｏｖｅｍｂｅｒ  ２００４）．  ＮＰＬ−４８６
【非特許文献６１４】  ＳＴＯＮＥ，  Ｐ．Ａ．，  ｅｔ  ａｌ．，  "Ｖａｃｕｕｍ−ａｓｓｉｓｔｅｄ  ｆａｓｃｉａ！  ｃｌｏｓｕｒｅ  ｆｏｒ  ｐａｔｉｅｎｔｓ  ｗｉｔｈ  ａｂｄｏｍｉｎａｌ  ｔｒａｕｍａ"，  Ｊ．  Ｔｒａｕｍａ，  ５７：１０８２−６  （Ｎｏｖｅｍｂｅｒ  ２００４）．  ＮＰＬ−４８７
【非特許文献６１５】  ＣＯＮＮＯＬＬＹ，  Ｔ．Ｐ．，  "Ｎｅｃｒｏｔｉｚｉｎｇ  ｓｕｒｇｉｃａｌ  ｓｉｔｅ  ｉｎｆｅｃｔｉｏｎ  ａｆｔｅｒ  ｔｅｎｓｉｏｎ−ｆｒｅｅ  ｖａｇｉｎａｌ  ｔａｐｅ"，  Ｏｂｓｔｅｔ．  Ｇｙｎｅｃｏｌ．，  １０４（６）：１２７５−６  （４  ｐａｇｅｓ）  （Ｄｅｃｅｍｂｅｒ  ２００４）．  ＮＰＬ−４８８
【非特許文献６１６】  ＷＡＣＫＥＮＦＯＲＳ，  Ａ．，  ｅｔ  ａｌ．，  "Ｅｆｆｅｃｔｓ  ｏｆ  ｖａｃｕｕｍ−ａｓｓｉｓｔｅｄ  ｃｌｏｓｕｒｅ  ｔｈｅｒａｐｙ  ｏｎ  ｉｎｇｕｉｎａｌ  ｗｏｕｎｄ  ｅｄｇｅ  ｍｉｃｒｏｖａｓｃｕｌａｒ  ｂｌｏｏｄ  ｆｌｏｗ"，  Ｗｏｕｎｄ  Ｒｅｐ．  Ｒｅｇｅｎ．，  １２（６）：６００−６  （Ｎｏｖｅｍｂｅｒ  −  Ｄｅｃｅｍｂｅｒ  ２００４）．  ＮＰＬ−４８９
【非特許文献６１７】  ＳＣＨＡＦＦＺＩＮ，  Ｄ．Ｍ．，  ｅｔ  ａｌ．，  "Ｖａｃｕｕｍ−ａｓｓｉｓｔｅｄ  ｃｌｏｓｕｒｅ  ｏｆ  ｃｏｍｐｌｅｘ  ｐｅｒｉｎｅａ！  ｗｏｕｎｄｓ"，  Ｄｉｓ．  Ｃｏｌｏｎ  Ｒｅｃｔｕｍ，  ４７：１７４５−８  （Ｏｃｔｏｂｅｒ  ２００４）  （Ｐｕｂｌｉｓｈｅｄ  ｏｎｌｉｎｅ  Ａｕｇｕｓｔ  ２４，  ２００４）．  ＮＰＬ−４９０
【非特許文献６１８】  ＹＯＵＳＡＦ，  Ｍ．，  ｅｔ  ａｌ．，  "Ｕｓｅ  ｏｆ  ｖａｃｕｕｍ−ａｓｓｉｓｔｅｄ  ｃｌｏｓｕｒｅ  ｆｏｒ  ｈｅａｌｉｎｇ  ｏｆ  ａ  ｐｅｒｓｉｓｔｅｎｔ  ｐｅｒｉｎｅａｌ  ｓｉｎｕｓ  ｆｏｌｌｏｗｉｎｇ  ｐａｎｐｒｏｃｔｏｃｏｌｅｃｔｏｍｙ：  ｒｅｐｏｒｔ  ｏｆ  ａ  ｃａｓｅ"，  Ｄｉｓ．  Ｃｏｌｏｎ  Ｒｅｃｔｕｍ，  ４７（８）：１４０３−８  （Ａｕｇｕｓｔ  ２００４）  （Ｐｕｂｌｉｓｈｅｄ  ｏｎｌｉｎｅ  Ａｕｇｕｓｔ  １２，  ２００４）．  ＮＰＬ−４９１
【非特許文献６１９】  ＦＯＸ，  Ａ．，  ｅｔ  ａｌ．，  "Ａｎ  ｕｎｕｓｕａｌ  ｃｏｍｐｌｉｃａｔｉｏｎ  ｏｆ  ｖａｃｕｕｍ  ａｓｓｉｓｔｅｄ  ｃｌｏｓｕｒｅ  ｉｎ  ｔｈｅ  ｔｒｅａｔｍｅｎｔ  ｏｆ  ａ  ｐｒｅｓｓｕｒｅ  ｕｌｃｅｒ"，  Ｊ．  Ｗｏｕｎｄ  Ｃａｒｅ，  １３（８）：３４４−５  （Ｓｅｐｔｅｍｂｅｒ  ２００４）．  ＮＰＬ−４９２
【非特許文献６２０】  ＳＡＸＥＮＡ，  Ｖ．，  ｅｔ  ａｌ．，  "Ｖａｃｕｕｍ−ａｓｓｉｓｔｅｄ  ｃｌｏｓｕｒｅ：  ｍｉｃｒｏｄｅｆｏｒｍａｔｉｏｎｓ  ｏｆ  ｗｏｕｎｄｓ  ａｎｄ  ｃｅｌｌ  ｐｒｏｌｉｆｅｒａｔｉｏｎ"，  Ｐｌａｓｔ．  Ｒｅｃｏｎｓｔｒｕｃｔ．  Ｓｕｒｇ．，  １１４（５）：１０８６−９６  （Ｏｃｔｏｂｅｒ  ２００４）．  ＮＰＬ−４９３
【非特許文献６２１】  ＳＣＨＯＬＬ，  Ｌ．，  ｅｔ  ａｌ．，  "Ｓｔｅｒｎａｌ  ｏｓｔｅｏｍｙｅｌｉｔｉｓ：  ｕｓｅ  ｏｆ  ｖａｃｕｕｍ−ａｓｓｉｓｔｅｄ  ｃｌｏｓｕｒｅ  ｄｅｖｉｃｅ  ａｓ  ａｎ  ａｄｊｕｎｃｔ  ｔｏ  ｄｅｆｉｎｉｔｉｖｅ  ｃｌｏｓｕｒｅ  ｗｉｔｈ  ｓｔｅｍｅｃｔｏｍｙ  ａｎｄ  ｍｕｓｃｌｅ  ｆｌａｐ  ｒｅｃｏｎｓｔｒｕｃｔｉｏｎ"，  Ｊ．  Ｃａｒｄ．  Ｓｕｒｇ．，  １９（５）：４５３−６１  （Ｓｅｐｔｅｍｂｅｒ  −  Ｏｃｔｏｂｅｒ  ２００４）．  ＮＰＬ−４９５
【非特許文献６２２】  ＯＨＹＥ，  Ｒ．Ｇ．，  ｅｔ  ａｌ．  "Ｐｒｉｍａｒｙ  ｃｌｏｓｕｒｅ  ｆｏｒ  ｐｏｓｔｏｐｅｒａｔｉｖｅ  ｍｅｄｉａｓｔｉｎｉｔｉｓ  ｉｎ  ｃｈｉｌｄｒｅｎ"，  Ｊ．  Ｔｈｏｒａｃ．  Ｃａｒｄｉｏｖａｓｃ．  Ｓｕｒｇ．，  １２８  （３）：４８０−６  （Ｓｅｐｔｅｍｂｅｒ  ２００４）．  ＮＰＬ−４９６
【非特許文献６２３】  ＴＡＮＧ，  Ｓ．Ｙ．，  ｅｔ  ａｌ．，  "Ｉｎｆｌｕｅｎｃｅ  ｏｆ  ｖａｃｕｕｍ−ａｓｓｉｓｔｅｄ  ｃｌｏｓｕｒｅ  ｔｅｃｈｎｉｑｕｅ  ｏｎ  ｅｘｐｒｅｓｓｉｏｎ  ｏｆ  ＢｃＩ−２  ａｎｄ  ＮＧＦ／ＮＧＦｍＲＮＡ  ｄｕｒｉｎｇ  ｗｏｕｎｄ  ｈｅａｌｉｎｇ"，  Ｚｈｏｎｇｈｕａ  Ｚｈｅｎｇ  Ｘｉｎｇ  Ｗａｉ  Ｋｅ  Ｚａ  Ｚｈｉ，  （Ｅｎｇｌｉｓｈ  ａｂｓｔｒａｃｔ  ｏｎ  ｆｉｒｓｔ  ｐａｇｅ  １  ｓｈｅｅｔ  ｐｒｉｎｔｏｕｔ  ｆｒｏｍ  ＰｕｂＭｅｄ）；  ２０（２）：１３９−４２  （Ｍａｒｃｈ  ２００４）．  ＮＰＬ−４９７
【非特許文献６２４】  ＡＲＭＳＴＲＯＮＧ，  Ｄ．Ｇ．，  ｅｔ  ａｌ．，  "Ｇｕｉｄｅｌｉｎｅｓ  ｒｅｇａｒｄｉｎｇ  ｎｅｇａｔｉｖｅ  ｗｏｕｎｄ  ｔｈｅｒａｐｙ  （ＮＰＷＴ）  ｉｎ  ｔｈｅ  ｄｉａｂｅｔｉｃ  ｆｏｏｔ"，  Ｏｓｔｏｍｙ  Ｗｏｕｎｄ  Ｍａｎａｇｅ．，  ５０（４Ｂ  Ｓｕｐｐｌ．）：３Ｓ−２７Ｓ  （Ａｐｒｉｌ  ２００４）．  ＮＰＬ−４９８
【非特許文献６２５】  ＳＨＩＬＴ，  Ｊ．Ｓ．，  ｅｔ  ａｌ．，  "Ｒｏｌｅ  ｏｆ  ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ｐｅｄｉａｔｒｉｃ  ｌａｗｎｍｏｗｅｒ  ｉｎｊｕｒｉｅｓ"，  Ｊ．  Ｐｅｄｉａｔｒ．  Ｏｒｔｈｏｐ．，  ２４（５）：４８２−７  （Ｓｅｐｔｅｍｂｅｒ  −  Ｏｃｔｏｂｅｒ  ２００４）．  ＮＰＬ−４９９
【非特許文献６２６】  ＡＮＴＯＮＹ，  Ｓ．，  ｅｔ  ａｌ．，  "Ａ  ｒｅｔｒｏｓｐｅｃｔｉｖｅ  ｓｔｕｄｙ：  ｃｌｉｎｉｃａｌ  ｅｘｐｅｒｉｅｎｃｅ  ｕｓｉｎｇ  ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ｗｏｕｎｄｓ"，  Ｊ．  Ｎａｔｌ．  Ｍｅｄ．  Ａｓｓｏｃ．，  ９６（８）：１０７３−７  （Ａｕｇｕｓｔ  ２００４）．  ＮＰＬ−５００
【非特許文献６２７】  ＳＴＥＥＮＶＯＯＲＤＥ，  Ｐ．，  ｅｔ  ａｌ．，  "Ｖａｃｕｕｍ−ａｓｓｉｓｔｅｄ  ｃｌｏｓｕｒｅ  ｔｈｅｒａｐｙ  ａｎｄ  ｏｒａｌ  ａｎｔｉｃｏａｇｕｌａｔｉｏｎ  ｔｈｅｒａｐｙ"，  Ｐｌａｓｔ．  Ｒｅｃｏｎｓｔｒｕｃｔ．  Ｓｕｒｇ．，  １１３（７）：２２２０−１  （Ｊｕｎｅ  ２００４）．  ＮＰＬ−５０１
【非特許文献６２８】  ＯＣＺＥＮＳＫＩ，  Ｗ．，  ｅｔ  ａｌ．，  "Ｖａｃｕｕｍ−ａｓｓｉｓｔｅｄ  ｃｌｏｓｕｒｅ  ｆｏｒ  ｔｈｅ  ｔｒｅａｔｍｅｎｔ  ｏｆ  ｃｅｒｖｉｃａｌ  ａｎｄ  ｍｅｄｉａｓｔｉｎａｌ  ｎｅｃｒｏｔｉｚｉｎｇ  ｆａｓｃｉｉｔｉｓ"，  Ｊ．  Ｃａｒｄｉｏｔｈｏｒａｃ．  Ｖａｓｃ．  Ａｎｅｓｔｈ．，  １８（３）：３３６−８  （Ｊｕｎｅ  ２００４）．  ＮＰＬ−５０２
【非特許文献６２９】  ＣＡＲＳＯＮ，  Ｓ．Ｎ．，  ｅｔ  ａｌ．，  "Ｖａｃｕｕｍ−ａｓｓｉｓｔｅｄ  ｃｌｏｓｕｒｅ  ｕｓｅｄ  ｆｏｒ  ｈｅａｌｉｎｇ  ｃｈｒｏｎｉｃ  ｗｏｕｎｄｓ  ａｎｄ  ｓｋｉｎ  ｇｒａｆｔｓ  ｉｎ  ｔｈｅ  ｌｏｗｅｒ  ｅｘｔｒｅｍｉｔｉｅｓ"，  Ｏｓｔｏｍｙ  Ｗｏｕｎｄ  Ｍａｎａｇｅ．，  ５０（３）：５２−８  （９  ｓｈｅｅｔｓ）  （Ｍａｒｃｈ  ２００４）．  ＮＰＬ−５０３
【非特許文献６３０】  ＭＡＲＡＴＨＥ，  Ｕ．Ｓ．，  ｅｔ  ａｌ．，  "Ｕｓｅ  ｏｆ  ｔｈｅ  ｖａｃｕｕｍ−ａｓｓｉｓｔｅｄ  ｃｌｏｓｕｒｅ  ｄｅｖｉｃｅ  ｉｎ  ｅｎｈａｎｃｉｎｇ  ｃｌｏｓｕｒｅ  ｏｆ  ａ  ｍａｓｓｉｖｅ  ｓｋｕｌｌ  ｄｅｆｅｃｔ"，  Ｌａｒｙｎｇｏｓｃｏｐｅ，  １１４（６）：９６１−４  （８  ｓｈｅｅｔｓ）  （Ｊｕｎｅ  ２００４）．  ＮＰＬ−５０４
【非特許文献６３１】  ＳＣＨＩＮＴＬＥＲ，  Ｍ．Ｖ．，  ｅｔ  ａｌ．，  "Ｔｈｅ  ｉｍｐａｃｔ  ｏｆ  ｔｈｅ  ＶＡＣ−ｔｒｅａｔｍｅｎｔ  ｆｏｒ  ｌｏｃａｌｌｙ  ａｄｖａｎｃｅｄ  ｍａｌｉｇｎａｎｃｙ  ｏｆ  ｔｈｅ  ｓｃａｌｐ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ：  １：Ｓ１４１−Ｓ１４６  （Ｍａｙ  ２００４）．  ＮＰＬ−５０５
【非特許文献６３２】  ＱＵＥＲＩＮＧＳ，  Ｋ．，  ｅｔ  ａｌ．，  "Ｒｅｖｉｔａｌｉｚａｔｉｏｎ  ｏｆ  ａ  ｇｌｕｔｅａｌ  ａｂｓｃｅｓｓｅｓ  ｗｉｔｈ  Ｖ．Ａ．Ｃ．  ｔｈｅｒａｐｙ  （ｖａｃｕｕｍ  ａｓｓｉｓｔｅｄ  ｄｏｓｕｒｅ）"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ１３８−Ｓ１４０  （Ｍａｙ  ２００４）．  ＮＰＬ−５０６
【非特許文献６３３】  ＫＡＬＬ，  Ｓ．，  ｅｔ  ａｌ．，  "Ｉｎｆｌｕｅｎｃｅ  ｏｆ  ｆｏａｍ−  ａｎｄ  ｔｕｂｉｎｇ  ｍａｔｅｒｉａｌ  ｏｆ  ｔｈｅ  ｖａｃｕｕｍ  ａｓｓｉｓｔｅｄ  ｃｌｏｓｕｒｅ  ｄｅｖｉｃｅ  （Ｖ．Ａ．Ｃ．）  ｏｎ  ｔｈｅ  ｃｏｎｃｅｎｔｒａｔｉｏｎ  ｏｆ  ｔｒａｎｓｆｏｒｍｉｎｇ  ｇｒｏｗｔｈ  ｆａｃｔｏｒ  ｂｅｔａ  １  ｉｎ  ｗｏｕｎｄ  ｆｌｕｉｄ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  ２  ｓｈｅｅｔｓ  ｐｒｉｎｔｏｕｔ  ｆｒｏｍ  ＰｕｂＭｅｄ）；  １２９  Ｓｕｐｐｌ  １：  Ｓ１１３−Ｓ１１５  （Ｍａｙ  ２００４）．  ＮＰＬ−５０７
【非特許文献６３４】  ＭＡＮＧ，  Ｒ．，  ｅｔ  ａｌ．，  "Ｖａｃｕｕｍ  ｔｈｅｒａｐｙ  ｉｎ  ａ  ｐｒｅ−  ａｎｄ  ｐｏｓｔｓｕｒｇｉｃａｌ  ｕｌｃｅｒａ  ｃｒｕｒｕｍ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ１０１−Ｓ１０３  （Ｍａｙ  ２００４）．  ＮＰＬ−５０８
【非特許文献６３５】  ＳＴＥＩＥＲＴ，  Ａ．Ｅ．，  ｅｔ  ａｌ．，  "Ｔｈｅ  Ｖ．Ａ．Ｃ．  ｓｙｓｔｅｍ  （ｖａｃｕｕｍ  ａｓｓｉｓｔｅｄ  ｃｌｏｓｕｒｅ）  ａｓ  ｂｒｉｄｇｉｎｇ  ｂｅｔｗｅｅｎ  ｐｒｉｍａｒｙ  ｏｓｔｅｏｓｙｎｔｈｅｓｉｓ  ｉｎ  ｃｏｎｊｕｎｃｔｉｏｎ  ｗｉｔｈ  ｆｕｎｃｔｉｏｎａｌ  ｒｅｃｏｎｓｔｒｕｃｔｅｄ  ｏｆ  ｓｏｆｔ  ｔｉｓｓｕｅ  −  ｏｐｅｎ  ｆｒａｃｔｕｒｅｓ  ｔｙｐｅ  ２  ａｎｄ  ｔｙｐｅ  ３"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  ２  ｓｈｅｅｔｓ  ｐｒｉｎｔｏｕｔ  ｆｒｏｍ  ＰｕｂＭｅｄ）；  １２９  Ｓｕｐｐｌ  １：Ｓ９８−１００  （Ｍａｙ  ２００４）．  ＮＰＬ−５０９
【非特許文献６３６】  ＫＡＲＬ，  Ｔ．，  ｅｔ  ａｌ．，  "Ｉｎｄｉｃａｔｉｏｎｓ  ａｎｄ  ｒｅｓｕｌｔｓ  ｏｆ  Ｖ．Ａ．Ｃ．  ｔｈｅｒａｐｙ  ｔｒｅａｔｍｅｎｔｓ  ｉｎ  ｖａｓｃｕｌａｒ  ｓｕｒｇｅｒｙ  −  ｓｔａｔｅ  ｏｆ  ｔｈｅ  ａｒｔ  ｉｎ  ｔｈｅ  ｔｒｅａｔｍｅｎｔ  ｏｆ  ｃｈｒｏｎｉｃ  ｗｏｕｎｄｓ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ７４−Ｓ７９  （Ｍａｙ  ２００４）． ＮＰＬ−５１０
【非特許文献６３７】  ＦＥＲＢＥＲＴ，  Ｔ．，  ｅｔ  ａｌ．，  "Ｔｒｅａｔｍｅｎｔ  ｏｆ  ｓｏｆｔ  ｔｉｓｓｕｅ  ｄｅｆｅｃｔｓ  ｏｎ  ｈａｎｄ  ａｎｄ  ｆｏｒｅａｒｍ  ｗｉｔｈ  ｖａｃｕｕｍ  ａｓｓｉｓｔｅｄ  ｃｌｏｓｕｒｅ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ５７−Ｓ５８  （Ｍａｙ  ２００４）．  ＮＰＬ−５１１
【非特許文献６３８】  ＨＡＬＡＭＡ，  Ｄ．，  ｅｔ  ａｌ．，  "Ｉｎｔｒａｏｒａｌ  ａｐｐｌｉｃａｔｉｏｎ  ｏｆ  ｖａｃｕｕｍ−ａｓｓｉｓｔｅｄ  ｃｌｏｓｕｒｅ  ｉｎ  ｔｈｅ  ｔｒｅａｔｍｅｎｔ  ｏｆ  ａｎ  ｅｘｔｅｎｄｅｄ  ｍａｎｄｉｂｕｌａｒ  ｋｅｒａｔｏｃｙｓｔ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ５３−Ｓ５６  （Ｍａｙ  ２００４）．  ＮＰＬ−５１２
【非特許文献６３９】  ＦＬＥＣＫ，  Ｔ．，  ｅｔ  ａｌ．，  "Ｅａｒｌｙ  ｔｒｅａｔｍｅｎｔ  ｏｆ  ｓｔｅｒｎａｌ  ｗｏｕｎｄ  ｉｎｆｅｃｔｉｏｎｓ  ｗｉｔｈ  ｖａｃｕｕｍ  ａｓｓｉｓｔｅｄ  ｃｌｏｓｕｒｅ  ｔｈｅｒａｐｙ  ｒｅｄｕｃｅｓ  ｉｎｖｏｌｖｅｍｅｎｔ  ｏｆ  ｔｈｅ  ｍｅｄｉａｓｔｉｎｕｍ  ａｎｄ  ｆｕｒｔｈｅｒ  ｄｉｍｉｎｉｓｈｅｓ  ｔｈｅ  ｎｅｅｄ  ｏｆ  ｐｌａｓｔｉｃ  ｒｅｃｏｎｓｔｒｕｃｔｉｖｅ  ｓｕｒｇｅｒｙ"，  Ｚｅｎｔｒａｌｂｌ．  Ｃｈｉｒ．，  （１  ｓｈｅｅｔ  ｐｒｉｎｔｏｕｔ  ｆｒｏｍ  ＰｕｂＭｅｄ）；  １２９  Ｓｕｐｐｌ  １：Ｓ３５−Ｓ３７  （Ｍａｙ  ２００４）．  ＮＰＬ−５１３
【非特許文献６４０】  ＫＵＴＳＣＨＫＡ，  Ｉ．，  ｅｔ  ａｌ．，  "Ｖａｃｕｕｍ  ａｓｓｉｓｔｅｄ  ｃｌｏｓｕｒｅ  ｔｈｅｒａｐｙ  ｉｍｐｒｏｖｅｓ  ｅａｒｌｙ  ｐｏｓｔｏｐｅｒａｔｉｖｅ  ｌｕｎｇ  ｆｕｎｃｔｉｏｎ  ｉｎ  ｐａｔｉｅｎｔｓ  ｗｉｔｈ  ｌａｒｇｅ  ｓｔｅｒｎａｌ  ｗｏｕｎｄｓ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：  Ｓ３３−Ｓ３４  （Ｍａｙ  ２００４）．  ＮＰＬ−５１４
【非特許文献６４１】  ＬＡＢＬＥＲ，  Ｌ．，  ｅｔ  ａｌ．，  "Ｎｅｗ  ａｐｐｌｉｃａｔｉｏｎ  ｏｆ  Ｖ．Ａ．Ｃ．  （ｖａｃｕｕｍ  ａｓｓｉｓｔｅｄ  ｃｌｏｓｕｒｅ）  ｉｎ  ｔｈｅ  ａｂｄｏｍｉｎａｌ  ｃａｖｉｔｙ  ｉｎ  ｃａｓｅ  ｏｆ  ｏｐｅｎ  ａｂｄｏｍｅｎ  ｔｈｅｒａｐｙ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  ２  ｓｈｅｅｔｓ  ｐｒｉｎｔｏｕｔ  ｆｒｏｍ  ＰｕｂＭｅｄ）；  １２９  Ｓｕｐｐｌ  １：Ｓ１４−  Ｓ１９  （Ｍａｙ  ２００４）．  ＮＰＬ−５１５
【非特許文献６４２】  ＷＩＬＤ，  Ｔ．，  ｅｔ  ａｌ．，  "Ｃｏｎｓｅｎｓｕｓ  ｏｆ  ｔｈｅ  Ｇｅｒｍａｎ  ａｎｄ  Ａｕｓｔｒｉａｎ  Ｓｏｃｉｅｔｉｅｓ  ｆｏｒ  Ｗｏｕｎｄ  Ｈｅａｌｉｎｇ  ａｎｄ  Ｗｏｕｎｄ  Ｍａｎａｇｅｍｅｎｔ  ｏｎ  ｖａｃｕｕｍ  ｃｌｏｓｕｒｅ  ａｎｄ  ｔｈｅ  Ｖ．Ａ．Ｃ．  ｔｒｅａｔｍｅｎｔ  ｕｎｉｔ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  ２  ｓｈｅｅｔ  ｐｒｉｎｔｏｕｔ  ｆｒｏｍ  ＰｕｂＭｅｄ  ａｎｄ  １  ｓｈｅｅｔ  ｏｆ  ｅｒｒａｔｕｍ）；  １２９  Ｓｕｐｐｌ  １：Ｓ７−Ｓ１１  （Ｍａｙ  ２００４）．  ＮＰＬ−５１６
【非特許文献６４３】  ＷＥＥＤ，  Ｔ．，  ｅｔ  ａｌ．，  "Ｑｕａｎｔｉｆｙｉｎｇ  ｂａｃｔｅｒｉａｌ  ｂｉｏｂｕｒｄｅｎ  ｄｕｒｉｎｇ  ｎｅｇａｔｉｖｅ  ｐｒｅｓｓｕｒｅ  ｗｏｕｎｄ  ｔｈｅｒａｐｙ．  Ｄｏｅｓ  ｔｈｅ  ｗｏｕｎｄ  ＶＡＣ  ｅｎｈａｎｃｅ  ｂａｃｔｅｒｉａｌ  ｄｅａｒａｎｃｅ？"Ａｎｎ．  Ｐｌａｓｔ．  Ｓｕｒｇ．，  ５２（３）：２７６−８０  （Ｍａｒｃｈ  ２００４）．  ＮＰＬ−５１７
【非特許文献６４４】  ＭＵＳＴＯＥ，  Ｔ．，  "Ｕｎｄｅｒｓｔａｎｄｉｎｇ  ｃｈｒｏｎｉｃ  ｗｏｕｎｄｓ：  ａ  ｕｎｉｆｙｉｎｇ  ｈｙｐｏｔｈｅｓｉｓ  ｏｎ  ｔｈｅｉｒ  ｐａｔｈｏｇｅｎｅｓｉｓ  ａｎｄ  ｉｍｐｌｉｃａｔｉｏｎｓ  ｆｏｒ  ｔｈｅｒａｐｙ"，  Ａｍ．  Ｊ．  Ｓｕｒｇ．，  １８７（５Ａ）：６５Ｓ−７０Ｓ  （Ｍａｙ  ２００４）．  ＮＰＬ−５１８
【非特許文献６４５】  ＴＺＥＮＧ，  Ｙ．Ｊ．，  ｅｔ  ａｌ．，  "Ｕｓｉｎｇ  ｖａｃｕｕｍ−ａｓｓｉｓｔｅｄ  ｃｌｏｓｕｒｅ  （ＶＡＣ）  ｉｎ  ｗｏｕｎｄ  ｍａｎａｇｅｍｅｎｔ"，  Ｈｕ  Ｌｉ  Ｚａ  Ｚｈｉ，  （Ｅｎｇｌｉｓｈ  ａｂｓｔｒａｃｔ  ｏｎ  ｌａｓｔ  ｐａｇｅ，  １  ｓｈｅｅｔ  ｐｒｉｎｔｏｕｔ  ｆｒｏｍ  ＰｕｂＭｅｄ）；  ５１（２）：７９−８３  （Ａｐｒｉｌ  ２００４）．  ＮＰＬ−５１９
【非特許文献６４６】  ＱＵＡＨ，  Ｈ．Ｍ．，  ｅｔ  ａｌ．，  "Ｖａｃｕｕｍ−ａｓｓｉｓｔｅｄ  ｄｏｓｕｒｅ  ｉｎ  ｔｈｅ  ｍａｎａｇｅｍｅｎｔ  ｏｆ  ｔｈｅ  ｏｐｅｎ  ａｂｄｏｍｅｎ：  ａ  ｒｅｐｏｒｔ  ｏｆ  ａ  ｃａｓｅ  ａｎｄ  ｉｎｉｔｉａｌ  ｅｘｐｅｒｉｅｎｃｅｓ"，  Ｊ．  Ｔｉｓｓｕｅ  Ｖｉａｂｉｌｉｔｙ，  １４（２）：５９−６２  （Ａｐｒｉｌ  ２００４）．  ＮＰＬ−５２１
【非特許文献６４７】  ＥＭＯＨＡＲＥ，  ０．，  ｅｔ  ａｌ．，  "Ｖａｃｕｕｍ−ａｓｓｉｓｔｅｄ  ｃｌｏｓｕｒｅ  ｕｓｅ  ｉｎ  ｃａｌｃｉｐｈｙｌａｘｉｓ"，  Ｊ．  Ｂｕｒｎ  Ｃａｒｅ  Ｒｅｈａｂｉｌ．，  ２５（２）：１６１−４  （Ｍａｒｃｈ  −  Ａｐｒｉｌ  ２００４）．  ＮＰＬ−５２２
【非特許文献６４８】  ＷＡＣＫＥＮＦＯＲＳ，  Ａ．，  ｅｔ  ａｌ．，  "Ｔｈｅ  ｅｆｆｅｃｔ  ｏｆ  ｖａｃｕｕｍ−ａｓｓｉｓｔｅｄ  ｃｌｏｓｕｒｅ  ｔｈｅｒａｐｙ  ｏｎ  ｔｈｅ  ｐｉｇ  ｆｅｍｏｒａｌ  ａｒｔｅｒｙ  ｖａｓｏｍｏｔｏｒ  ｒｅｓｐｏｎｓｅｓ"，  Ｗｏｕｎｄ  Ｒｅｐａｉｒ  Ｒｅｇｅｎ．，  １２（２）：２４４−５１  （Ｍａｒｃｈ  −  Ａｐｒｉｌ  ２００４）．  ＮＰＬ−５２３
【非特許文献６４９】  ＳＪＯＧＲＥＮ，  Ｊ．，  ｅｔ  ａｌ．，  "Ｖａｃｕｕｍ−ａｓｓｉｓｔｅｄ  ｃｌｏｓｕｒｅ  ｔｈｅｒａｐｙ  ｉｎ  ｍｅｄｉａｓｔｉｎｉｔｉｓ  ａｆｔｅｒ  ｈｅａｒｔ  ｔｒａｎｓｐｌａｎｔａｔｉｏｎ"，  Ｊ．  Ｈｅａｒｔ  Ｌｕｎｇ  Ｔｒａｎｓｐｌａｎｔ．，  ２３（４）：５０６−７  （Ａｐｒｉｌ  ２００４）．  ＮＰＬ−５２４
【非特許文献６５０】  ＭＩＬＬＥＲ，  Ｑ．，  ｅｔ  ａｌ．，  "Ｅｆｆｅｃｔ  ｏｆ  ｓｕｂａｔｍｏｓｐｈｅｒｉｃ  ｐｒｅｓｓｕｒｅ  ｏｎ  ｔｈｅ  ａｃｕｔｅ  ｈｅａｌｉｎｇ  ｗｏｕｎｄ"，  Ｃｕｒｒ．  Ｓｕｒｇ．，  ６１（２）：２０５−８  （Ｍａｒｃｈ  −  Ａｐｒｉｌ  ２００４）．  ＮＰＬ−５２５
【非特許文献６５１】  ＰＥＮＮ，  Ｅ．，  ｅｔ  ａｌ．，  "Ｍａｎａｇｅｍｅｎｔ  ｏｆ  ａ  ｄｅｈｉｓｃｅｄ  ａｂｄｏｍｉｎａｌ  ｗｏｕｎｄ  ｗｉｔｈ  ＶＡＣ  ｔｈｅｒａｐｙ"，  Ｂｒ．  Ｊ．  Ｎｕｒｓ．，  １３（４）：１９４，  １９６，  １９８−２０１  （Ｆｅｂｒｕａｒｙ  ２６  −  Ｍａｒｃｈ  １０，  ２００４）．  ＮＰＬ−５２６
【非特許文献６５２】  ＭＯＵＥＳ，  Ｃ．Ｍ．，  ｅｔ  ａｌ．，  "Ｂａｃｔｅｒｉａｌ  ｌｏａｄ  ｉｎ  ｒｅｌａｔｉｏｎ  ｔｏ  ｖａｃｕｕｍ−ａｓｓｉｓｔｅｄ  ｃｌｏｓｕｒｅ  ｗｏｕｎｄ  ｔｈｅｒａｐｙ：  ａ  ｐｒｏｓｐｅｃｔｉｖｅ  ｒａｎｄｏｍｉｚｅｄ  ｔｒｉａｌ"，  Ｗｏｕｎｄ  Ｒｅｐａｉｒ  Ｒｅｇｅｎ．，  １２（１）：１１−７  （Ｊａｎｕａｒｙ  −  Ｆｅｂｒｕａｒｙ  ２００４）．  ＮＰＬ−５２７
【非特許文献６５３】  ＳＣＨＩＭＰ，  Ｖ．Ｌ．，  ｅｔ  ａｌ．，  "Ｖａｃｕｕｍ−ａｓｓｉｓｔｅｄ  ｄｏｓｕｒｅ  ｉｎ  ｔｈｅ  ｔｒｅａｔｍｅｎｔ  ｏｆ  ｇｙｎｅｃｏｌｏｇｉｃ  ｏｎｃｏｌｏｇｙ  ｗｏｕｎｄ  ｆａｉｌｕｒｅｓ"，  Ｇｙｎｅｃｏｌ．  Ｏｎｃｏｌ．，  ９２（２）：５８６−９１  （Ｆｅｂｒｕａｒｙ  ２００４）．  ＮＰＬ−５２８
【非特許文献６５４】  ＡＲＵ，  Ｇ．Ｍ．，  ｅｔ  ａｌ．，  "Ｌｉｍｉｔａｔｉｏｎｓ  ｏｎ  ｔｈｅ  ｒｏｌｅ  ｏｆ  ｖａｃｕｕｍ−ａｓｓｉｓｔｅｄ  ｃｌｏｓｕｒｅ  ｉｎ  ｃａｒｄｉａｃ  ｓｕｒｇｅｒｙ"，  Ｊ．  Ｔｈｏｒａｃ．  Ｃａｒｄｉｏｖａｓｃ．  Ｓｕｒｇ．，  １２７（２）：６０４−５  （Ｆｅｂｒｕａｒｙ  ２００４）．  ＮＰＬ−５２９
【非特許文献６５５】  ＢＩＨＡＲＩＥＳＩＮＧＨ，  Ｖ．Ｊ．，  ｅｔ  ａｌ．，  "Ｐｌａｓｔｉｃ  ｓｏｌｕｔｉｏｎｓ  ｆｏｒ  ｏｒｔｈｏｐａｅｄｉｃ  ｐｒｏｂｌｅｍｓ"，  Ａｒｃｈ．  Ｏｒｔｈｏｐ．  Ｔｒａｕｍａ．  Ｓｕｒｇ．，  １２４（２）：７３−６  （Ｍａｒｃｈ  ２００４）  （Ｅｐｕｂ  Ｊａｎｕａｒｙ  １７，  ２００４）．  ＮＰＬ−５３０
【非特許文献６５６】  ＫＡＰＬＡＮ，  Ｍ．，  "Ｍａｎａｇｉｎｇ  ｔｈｅ  ｏｐｅｎ  ａｂｄｏｍｅｎ"，  Ｏｓｔｏｍｙ  Ｗｏｕｎｄ  Ｍａｎａｇｅ．，  ５０（１Ａ  ｓｕｐｐｌ）：Ｃ２，  １−８，  ａｎｄ  １  ｓｈｅｅｔ  ｏｆ  ｑｕｉｚ  （Ｊａｎｕａｒｙ  ２００４）． ＮＰＬ−５３１
【非特許文献６５７】  ＣＯＬＷＥＬＬ，  Ａ．Ｓ．，  ｅｔ  ａｌ．，  "Ｍａｎａｇｅｍｅｎｔ  ｏｆ  ｅａｒｌｙ  ｇｒｏｉｎ  ｖａｓｃｕｌａｒ  ｂｙｐａｓｓ  ｇｒａｆｔ  ｉｎｆｅｃｔｉｏｎｓ  ｗｉｔｈ  ｓａｒｔｏｒｉｕｓ  ａｎｄ  ｒｅｃｔｕｓ  ｆｅｍｏｒｉｓ  ｆｌａｐｓ"，  Ａｎｎ．  Ｐｌａｓｔ．  Ｓｕｒｇ．，  ５２（１）：４９−５３  （Ｊａｎｕａｒｙ  ２００４）．  ＮＰＬ−５３２
【非特許文献６５８】  Ｅｖｉｄｅｎｃｅ  Ｒｅｐｏｒｔ／Ｔｅｃｈｎｏｌｏｇｙ  Ａｓｓｅｓｓｍｅｎｔ，  Ｎｏ．  １１１，  "Ｗｏｕｎｄ  ｈｅａｌｉｎｇ  ｔｅｃｈｎｏｌｏｇｉｅｓ：  ｌｏｗ−ｌｅｖｅｌ  ｌａｓｅｒ  ａｎｄ  ｖａｃｕｕｍ−ａｓｓｉｓｔｅｄ  ｃｌｏｓｕｒｅ"，  ｐｒｅｐａｒｅｄ  ｆｏｒ  Ａｇｅｎｃｙ  ｆｏｒ  Ｈｅａｌｔｈｃａｒｅ  Ｒｅｓｅａｒｃｈ  ａｎｄ  Ｑｕａｌｉｔｙ  ｂｙ  ｔｈｅ  Ｂｌｕｅ  Ｃｒｏｓｓ  ａｎｄ  Ｂｌｕｅ  Ｓｈｉｅｌｄ  Ａｓｓｏｃｉａｔｉｏｎ  Ｔｅｃｈｎｏｌｏｇｙ  Ｅｖａｌｕａｔｉｏｎ  Ｃｅｎｔｅｒ  Ｅｖｉｄｅｎｃｅ−ｂａｓｅｄ  Ｐｒａｃｔｉｃｅ  Ｃｅｎｔｅｒ，  ｕｎｄｅｒ  Ｃｏｎｔｒａｃｔ  Ｎｏ．  ２９０−０２−００２６，  ＡＨＲＱ  Ｐｕｂｌｉｃａｔｉｏｎｓ  Ｃｌｅａｒｉｎｇｈｏｕｓｅ，  Ａｖａｉｌａｂｌｅ  Ｄｅｃｅｍｂｅｒ  ２００４．  ＮＰＬ−５３３
【非特許文献６５９】  ＷＯＬＶＯＳ，  Ｔ．，  "Ｗｏｕｎｄ  ｉｎｓｔｉｌｌａｔｉｏｎ-  ｔｈｅ  ｎｅｘｔ  ｓｔｅｐ  ｉｎ  ｎｅｇａｔｉｖｅ  ｐｒｅｓｓｕｒｅ  ｗｏｕｎｄ  ｔｈｅｒａｐｙ．  Ｌｅｓｓｏｎｓ  ｌｅａｒｎｅｄ  ｆｒｏｍ  ｉｎｉｔｉａｌ  ｅｘｐｅｒｉｅｎｃｅｓ"，  Ｏｓｔｏｍｙ  Ｗｏｕｎｄ  Ｍａｎａｇｅ．，  ５０（１１）：５６−５８，  ６０−６６  （Ｎｏｖｅｍｂｅｒ  ２００４）．  ＮＰＬ−５３４
【非特許文献６６０】  ＢＬＵＭＡＮ，  Ｅ．Ｍ．，  ｅｔ  ａｌ．，  "Ｓｕｂａｔｍｏｓｐｈｅｒｉｃ  ｐｒｅｓｓｕｒｅ−ｉｎｄｕｃｅｄ  ｃｏｍｐａｒｔｍｅｎｔ  ｓｙｎｄｒｏｍｅ  ｏｆ  ｔｈｅ  ｅｎｔｉｒｅ  ｕｐｐｅｒ  ｅｘｔｒｅｍｉｔｙ．  Ａ  ｃａｓｅ  ｒｅｐｏｒｔ"，  Ｊ．  Ｂｏｎｅ  Ｊｏｉｎｔ  Ｓｕｒｇ．  （Ａｍ．），  ８６−Ａ（９）：２０４１−４  （Ｓｅｐｔｅｍｂｅｒ  ２００４）．  ＮＰＬ−５３５
【非特許文献６６１】  ＫＡＭＯＬＺ，  Ｌ．Ｐ．，  ｅｔ  ａｌ．，  "Ｕｓｅ  ｏｆ  ｓｕｂａｔｍｏｓｐｈｅｒｉｃ  ｐｒｅｓｓｕｒｅ  ｔｈｅｒａｐｙ  ｔｏ  ｐｒｅｖｅｎｔ  ｂｕｒｎ  ｗｏｕｎｄ  ｐｒｏｇｒｅｓｓｉｏｎ  ｉｎ  ｈｕｍａｎ：  ｆｉｒｓｔ  ｅｘｐｅｒｉｅｎｃｅｓ"，  Ｂｕｒｎｓ，  ３０（３）：２５３−８  （Ｍａｙ  ２００４）  （Ａｖａｉｌａｂｌｅ  ｏｎｌｉｎｅ  Ｍａｒｃｈ  １６，  ２００４）．  ＮＰＬ−５３６
【非特許文献６６２】  ＪＯＮＥＳ，  Ｓ．Ｍ．，  ｅｔ  ａｌ．，  "Ａｄｖａｎｃｅｓ  ｉｎ  ｗｏｕｎｄ  ｈｅａｌｉｎｇ：  ｔｏｐｉｃａｌ  ｎｅｇａｔｉｖｅ  ｐｒｅｓｓｕｒｅ  ｔｈｅｒａｐｙ"，  Ｐｏｓｔｇｒａｄ．  Ｍｅｄ．  Ｊ．，  ８１  （９５６）：３５３−７  （Ｊｕｎｅ  ２００５）．  ＮＰＬ−５３７
【非特許文献６６３】  ＭＯＵＥＳ，  Ｃ．Ｍ．，  ｅｔ  ａｌ．，  "Ａｎ  ｅｃｏｎｏｍｉｃ  ｅｖａｌｕａｔｉｏｎ  ｏｆ  ｔｈｅ  ｕｓｅ  ｏｆ  ＴＮＰ  ｏｎ  ｆｕｌｌ−ｔｈｉｃｋｎｅｓｓ  ｗｏｕｎｄｓ"，  Ｊ．  Ｗｏｕｎｄ  Ｃａｒｅ，  １４  （５）：２２４−７  （Ｍａｙ  ２００５）． ＮＰＬ−５３８
【非特許文献６６４】  ＬＥＥ，  Ｓ．Ｓ．，  ｅｔ  ａｌ．，  "Ｍａｎａｇｅｍｅｎｔ  ｏｆ  ｉｎｔｒａｃｔａｂｌｅ  ｓｔｅｒｎａｌ  ｗｏｕｎｄ  ｉｎｆｅｃｔｉｏｎｓ  ｗｉｔｈ  ｔｏｐｉｃａｌ  ｎｅｇａｔｉｖｅ  ｐｒｅｓｓｕｒｅ  ｄｒｅｓｓｉｎｇ"，  Ｊ．  Ｃａｒｄ．  Ｓｕｒｇ．，  ２０（３）：２１８−２２  （Ｍａｙ  −  Ｊｕｎｅ  ２００５）．  ＮＰＬ−５３９
【非特許文献６６５】  ＪＥＴＨＷＡ，  Ｐ．，  ｅｔ  ａｌ．，  "Ｕｓｉｎｇ  ｔｏｐｉｃａｌ  ｎｅｇａｔｉｖｅ  ｐｒｅｓｓｕｒｅ  ｔｈｅｒａｐｙ  ｔｏ  ｒｅｓｏｌｖｅ  ｗｏｕｎｄ  ｆａｉｌｕｒｅ  ｆｏｌｌｏｗｉｎｇ  ｐｅｒｉｎｅａ！  ｒｅｓｅｃｔｉｏｎ"，  Ｊ．  Ｗｏｕｎｄ  Ｃａｒｅ，  １４（４）：１６６−７  （Ａｐｒｉｌ  ２００５）． ＮＰＬ−５４０
【非特許文献６６６】  ＢＡＮＷＥＬＬ，  Ｐ．Ｅ．，  ｅｔ  ａｌ．，  "Ｔｏｐｉｃａｌ  ｎｅｇａｔｉｖｅ  ｐｒｅｓｓｕｒｅ  ｔｈｅｒａｐｙ：  ｍｅｃｈａｎｉｓｍｓ  ａｎｄ  ｉｎｄｉｃａｔｉｏｎｓ"，  Ｉｎｔ．  Ｗｏｕｎｄ  Ｊ．，  １（２）：９５  （１５  ｐａｇｅｓ）  （Ｊｕｎｅ  ２００４）．  ＮＰＬ−５４１
【非特許文献６６７】  ＭＥＬＡＮＯ，  Ｅ．，  ｅｔ  ａｌ．，  "Ｔｈｅ  ｅｆｆｅｃｔｓ  ｏｆ  Ｐａｎａｆｉｌ  ｗｈｅｎ  ｕｓｉｎｇ  ｔｏｐｉｃａｌ  ｎｅｇａｔｉｖｅ  ｐｒｅｓｓｕｒｅ  ｔｏ  ｈｅａｌ  ａｎ  ｉｎｆｅｃｔｅｄ  ｓｔｅｒｎａｌ  ｗｏｕｎｄ，"Ｊ．  Ｗｏｕｎｄ  Ｃａｒｅ，  １３（１０）：４２５−６  （Ｎｏｖｅｍｂｅｒ  ２００４）． ＮＰＬ−５４２
【非特許文献６６８】  ＭＯＲＴＯＮ，  Ｎ．，  "Ｕｓｅ  ｏｆ  ｔｏｐｉｃａｌ  ｎｅｇａｔｉｖｅ  ｐｒｅｓｓｕｒｅ  ｔｈｅｒａｐｙ  ｉｎ  ｐｏｓｔｏｐｅｒａｔｉｖｅ  ｄｅｈｉｓｃｅｄ  ｏｒ  ｉｎｆｅｃｔｅｄ  ｗｏｕｎｄｓ"，  Ｊ．  Ｗｏｕｎｄ  Ｃａｒｅ，  １３（８）：３４６−８  （Ｓｅｐｔｅｍｂｅｒ  ２００４）．  ＮＰＬ−５４３
【非特許文献６６９】  ＭＯＩＳＩＤＩＳ，  Ｅ．，  ｅｔ  ａｌ．，  "Ａ  ｐｒｏｓｐｅｃｔｉｖｅ，  ｂｌｉｎｄｅｄ，  ｒａｎｄｏｍｉｚｅｄ，  ｃｏｎｔｒｏｌｌｅｄ  ｃｌｉｎｉｃａｌ  ｔｒｉａｌ  ｏｆ  ｔｏｐｉｃａｌ  ｎｅｇａｔｉｖｅ  ｐｒｅｓｓｕｒｅ  ｕｓｅ  ｉｎ  ｓｋｉｎ  ｇｒａｆｔｉｎｇ"，  Ｐｌａｓｔ．  Ｒｅｃｏｎｓｔｒ．  Ｓｕｒｇ．，  １１４（４）：９１７−２２  （７  ｓｈｅｅｔｓ）  （Ｓｅｐｔｅｍｂｅｒ  １５，  ２００４）．  ＮＰＬ−５４４
【非特許文献６７０】  ＴＡＣＨＩ，  Ｍ．，  ｅｔ  ａｌ．，  "Ｔｏｐｉｃａｌ  ｎｅｇａｔｉｖｅ  ｐｒｅｓｓｕｒｅ  ｕｓｉｎｇ  ａ  ｄｒａｉｎａｇｅ  ｐｏｕｃｈ  ｗｉｔｈｏｕｔ  ｆｏａｍ  ｄｒｅｓｓｉｎｇ  ｆｏｒ  ｔｈｅ  ｔｒｅａｔｍｅｎｔ  ｏｆ  ｕｎｄｅｔｅｒｍｉｎｅｄ  ｐｒｅｓｓｕｒｅ  ｕｌｃｅｒｓ"，  Ａｎｎ．  Ｐｌａｓｔ．  Ｓｕｒｇ．，  ５３（４）：３３８−４２  （７  ｓｈｅｅｔｓ）  （Ｏｃｔｏｂｅｒ  ２００４）．  ＮＰＬ−５４５
【非特許文献６７１】  ＪＯＮＥＳ，  Ｓ．Ｍ．，  ｅｔ  ａｌ．，  "Ｃｏｍｐｌｉｃａｔｉｏｎｓ  ｏｆ  ｔｏｐｉｃａｌ  ｎｅｇａｔｉｖｅ  ｐｒｅｓｓｕｒｅ  ｔｈｅｒａｐｙ  ｉｎ  ｓｍａｌｌ−ｄｉａｍｅｔｅｒ  ｗｏｕｎｄｓ"，  Ｐｌａｓｔ．  Ｒｅｃｏｎｓｔｒ．  Ｓｕｒｇ．，  １１４（３）：８１５−８１７  （５  ｓｈｅｅｔｓ）  （Ｓｅｐｔｅｍｂｅｒ  １，  ２００４）．  ＮＰＬ−５４６
【非特許文献６７２】  ＬＯＲＥＥ，  Ｓ．，  ｅｔ  ａｌ．，  "Ｉｓ  ｖａｃｕｕｍ  ａｓｓｉｓｔｅｄ  ｃｌｏｓｕｒｅ  ａ  ｖａｌｉｄ  ｔｅｃｈｎｉｑｕｅ  ｆｏｒ  ｄｅｂｒｉｄｉｎｇ  ｃｈｒｏｎｉｃ  ｌｅｇ  ｕｌｃｅｒｓ？"Ｊ．  Ｗｏｕｎｄ  Ｃａｒｅ，  １３  （６）：２４９−５２  （Ｊｕｎｅ  ２００４）．  ＮＰＬ−５４７
【非特許文献６７３】  ＶＯＧＴ，  Ｐ．Ｍ．，  ｅｔ  ａｌ．，  "Ｓｅｖｅｒａｌ  ａｓｐｅｃｔｓ  ｏｆ  ｆｏａｍ  ｍａｔｅｒｉａｌｓ  ａｎｄ  ｔｈｅｉｒ  ｐｏｓｓｉｂｌｅ  ｉｎｔｅｒａｃｔｉｏｎｓ  ｗｉｔｈ  ｔｈｅ  ｗｏｕｎｄ  ｓｕｒｆａｃｅ  ｉｎ  ｔｈｅ  ｖａｃｕｕｍ  ｔｈｅｒａｐｙ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  １２９  Ｓｕｐｐｌ  １：Ｓ９２−Ｓ９４  （Ｍａｙ  ２００４）．  ＮＰＬ−５４８
【非特許文献６７４】  ＨＡＳＬＩＫ，  Ｗ．，  ｅｔ  ａｌ．，  "Ｔｈｅ  ｕｓｅ  ｏｆ  ｓｕｂａｔｍｏｓｐｈｅｒｉｃ  ｐｒｅｓｓｕｒｅ  ｔｏ  ｐｒｅｖｅｎｔ  ｂｕｒｎ  ｗｏｕｎｄ  ｐｒｏｇｒｅｓｓｉｏｎ：  ｆｉｒｓｔ  ｅｘｐｅｒｉｅｎｃｅｓ  ｉｎ  ｂｕｍ  ｗｏｕｎｄ  ｔｒｅａｔｍｅｎｔ"，  Ｚｅｎｔｒａｌｂｌ．  Ｃｈｉｒ．，  （Ｅｎｇｌｉｓｈ  ａｂｓｔｒａｃｔ  ｏｎ  ｆｉｒｓｔ  ｐａｇｅ，  ａｎｄ  １  ｓｈｅｅｔ  ｐｒｉｎｔｏｕｔ  ｆｒｏｍ  ＰｕｂＭｅｄ）；  １２９  Ｓｕｐｐｌ．  １：  Ｓ６２−６３  （Ｍａｙ  ２００４）．  ＮＰＬ−５４９
【非特許文献６７５】  ＳＴＥＥＮＶＯＯＲＤＥ，  Ｐ．，  ｅｔ  ａｌ．，  "Ｃｏｍｂｉｎｉｎｇ  ｔｏｐｉｃａｌ  ｎｅｇａｔｉｖｅ  ｐｒｅｓｓｕｒｅ  ａｎｄ  ａ  Ｂｏｇｏｔａ  ｂａｇ  ｆｏｒ  ｍａｎａｇｉｎｇ  ａ  ｄｉｆｆｉｃｕｌｔ  ｌａｐａｒｏｓｔｏｍｙ"，  Ｊ．  Ｗｏｕｎｄ  Ｃａｒｅ，  １３（４）：１４２−３  （Ａｐｒｉｌ  ２００４）．  ＮＰＬ−５５０
【非特許文献６７６】  ＰＵＬＬＥＮ，  Ｒ．，  "Ｔｒｅａｔｍｅｎｔ  ｏｆ  ｐｒｅｓｓｕｒｅ  ｓｏｒｅｓ  ｉｎ  ｅｌｄｅｒｌｙ  ｐａｔｉｅｎｔｓ"，  Ｚ．  Ｇｅｎｒｏｎｔｏｌ．  Ｇｅｒｉａｔｒ．，  （Ｅｎｇｌｉｓｈ  ａｂｓｔｒａｃｔ  ｏｎ  ｆｉｒｓｔ  ｐａｇｅ，  １  ｓｈｅｅｔ  ｐｒｉｎｔｏｕｔ  ｆｒｏｍ  ＰｕｂＭｅｄ）；  ３７（２）：９２−９  （Ａｐｒｉｌ  ２００４）．  ＮＰＬ−５５１
【非特許文献６７７】  ＧＯＴＴＲＵＰ，  Ｆ．，  "Ｏｐｔｉｍｉｚｉｎｇ  ｗｏｕｎｄ  ｔｒｅａｔｍｅｎｔ  ｔｈｒｏｕｇｈ  ｈｅａｌｔｈ  ｃａｒｅ  ｓｔｒｕｃｔｕｒｉｎｇ  ａｎｄ  ｐｒｏｆｅｓｓｉｏｎａｌ  ｅｄｕｃａｔｉｏｎ"，  Ｗｏｕｎｄ  Ｒｅｐａｉｒ  Ｒｅｇｅｎ．，  １２（２）：１２９−３３  （Ｍａｒｃｈ  −  Ａｐｒｉｌ  ２００４）．  ＮＰＬ−５５２
【非特許文献６７８】  （Ａｎｏｎ．）  "Ｎｅｗ  ｂｅｓｔ  ｐｒａｃｔｉｃｅ  ｇｕｉｄｅｌｉｎｅｓ  ｆｏｒ  ｍａｎａｇｉｎｇ  ｐｒｅｓｓｕｒｅ  ｕｌｃｅｒｓ  ｗｉｔｈ  ｎｅｇａｔｉｖｅ  ｐｒｅｓｓｕｒｅ  ｗｏｕｎｄ  ｔｈｅｒａｐｙ  ｐｕｂｌｉｓｈｅｄ"，  Ｈｏｍｅ  Ｈｅａｌｔｈｃａｒｅ  Ｎｕｒｓｅ，  ２３（７）：４６９  （ｏｎｅ  ｓｈｅｅｔ）  （Ｊｕｌｙ  ２００５）．  ＮＰＬ−５５３
【非特許文献６７９】  ＳＴＥＣＨＭＩＬＬＥＲ，  Ｊ．Ｋ．，  ｅｔ  ａｌ．，  "Ｅｆｆｅｃｔ  ｏｆ  ｎｅｇａｔｉｖｅ  ｐｒｅｓｓｕｒｅ  ｗｏｕｎｄ  ｔｈｅｒａｐｙ  ｏｎ  ｔｈｅ  ｅｘｐｒｅｓｓｉｏｎ  ｏｆ  ＴＮＦ−ａｌｐｈａ，  ＩＬ−１ｂｅｔａ，  ＭＭＰ−２，  ＭＭＰ−３，  ａｎｄ  ＴＩＭＰ−１  ｉｎ  ｗｏｕｎｄ  ｆｌｕｉｄｓ  ｏｆ  ａｄｕｌｔｓ  ｗｉｔｈ  ｐｒｅｓｓｕｒｅ  ｕｌｃｅｒｓ"，  Ｗｏｕｎｄ  Ｒｅｐａｉｒ  Ｒｅｇｅｎ．，  １３（２）：Ａ１６  （Ｍａｒｃｈ  −  Ａｐｒｉｌ  ２００５）．  ＮＰＬ−５５４
【非特許文献６８０】  ＳＮＹＤＥＲ，  Ｒ．Ｊ．，  "Ｎｅｇａｔｉｖｅ  ｐｒｅｓｓｕｒｅ  ｗｏｕｎｄ  ｔｈｅｒａｐｙ  （ＮＰＷＴ）／  ｖａｃｕｕｍ−ａｓｓｉｓｔｅｄ  ｃｌｏｓｕｒｅ(r)  （ＶＡＣ(r)）  ａｓ  ａｎ  ａｄｊｕｎｃｔ  ｉｎ  ｔｈｅ  ｔｒｅａｔｍｅｎｔ  ｏｆ  ｐｙｏｄｅｒｍａ  ｇａｎｇｒｅｎｏｓｕｍ"，  Ｗｏｕｎｄ  ｒｅｐａｉｒ  ａｎｄ  ｒｅｇｅｎｅｒａｔｉｏｎ，  １３：Ａ２９  （Ｍａｒｃｈ  ２００５）．  ＮＰＬ−５５５
【非特許文献６８１】  ＡＲＭＳＴＲＯＮＧ，  Ｄ．Ｇ．，  ｅｔ  ａｌ．，  "Ｎｅｇａｔｉｖｅ  ｐｒｅｓｓｕｒｅ  ｗｏｕｎｄ  ｔｈｅｒａｐｙ  ｉｎ  ｔｒｅａｔｍｅｎｔ  ｏｆ  ｄｉａｂｅｔｉｃ  ｆｏｏｔ  ｗｏｕｎｄｓ：  ａ  ｍａｒｒｉａｇｅ  ｏｆ  ｍｏｄａｌｉｔｉｅｓ"，  Ｏｓｔｏｍｙ  Ｗｏｕｎｄ  Ｍａｎａｇｅ．，  ５０（４Ａ  ｓｕｐｐｌ）：９−１２  （Ａｐｒｉｌ  ２００４）．  ＮＰＬ−５５６
【非特許文献６８２】  ＡＲＭＳＴＲＯＮＧ，  Ｄ．Ｇ．，  ｅｔ  ａｌ．，  "Ｐｌａｎｔａｒ  ｐｒｅｓｓｕｒｅ  ｃｈａｎｇｅｓ  ｕｓｉｎｇ  ｎｏｖｅｌ  ｎｅｇａｔｉｖｅ  ｐｒｅｓｓｕｒｅ  ｗｏｕｎｄ  ｔｈｅｒａｐｙ  ｔｅｃｈｎｉｑｕｅ"，  Ｊ．  Ａｍ．  Ｐｏｄｉａｔｒ．  Ｍｅｄ．  Ａｓｓｏｃ．，  ９４（５）：４５６−６０  （Ｓｅｐｔｅｍｂｅｒ  −  Ｏｃｔｏｂｅｒ  ２００４）．  ＮＰＬ−５５７
【非特許文献６８３】  ＢＡＨＡＲＥＳＴＡＮＩ，  Ｍ．Ｍ．，  "Ｎｅｇａｔｉｖｅ  ｐｒｅｓｓｕｒｅ  ｗｏｕｎｄ  ｔｈｅｒａｐｙ：  Ａｎ  ｅｘａｍｉｎａｔｉｏｎ  ｏｆ  ｃｏｓｔ−ｅｆｆｅｃｔｉｖｅｎｅｓｓ"，  Ｏｓｔｏｍｙ  Ｗｏｕｎｄ  Ｍａｎａｇｅ．，  ５０（１１Ａ  ｓｕｐｐｌ）：２９Ｓ−３３Ｓ  （Ｎｏｖｅｍｂｅｒ  ２００４）．  ＮＰＬ−５５８
【非特許文献６８４】  ＢＥＲＮＳＴＥＩＮ，  Ｂ．Ｈ．，  ｅｔ  ａｌ．，  "Ｃｏｍｂｉｎａｔｉｏｎ  ｏｆ  ｓｕｂａｔｍｏｓｐｈｅｒｉｃ  ｐｒｅｓｓｕｒｅ  ｄｒｅｓｓｉｎｇ  ａｎｄ  ｇｒａｖｉｔｙ  ｆｅｅｄ  ａｎｔｉｂｉｏｔｉｃ  ｉｎｓｔｉｌｌａｔｉｏｎ  ｉｎ  ｔｈｅ  ｔｒｅａｔｍｅｎｔ  ｏｆ  ｐｏｓｔ−ｓｕｒｇｉｃａｌ  ｄｉａｂｅｔｉｃ  ｆｏｏｔ  ｗｏｕｎｄｓ：  ａ  ｃａｓｅ  ｓｅｒｉｅｓ，"ｐａｒｔｓ  １  ａｎｄ  ２，  Ｗｏｕｎｄｓ，  １７（２）：３７−４８  （２３  ｓｈｅｅｔｓ）  （Ｆｅｂｒｕａｒｙ  ２００５）．  ＮＰＬ−５５９
【非特許文献６８５】  ＤＡＴＩＡＳＨＶＩＬＩ，  Ｒ．Ｏ．，  ｅｔ  ａｌ．，  "Ｎｅｇａｔｉｖｅ  ｐｒｅｓｓｕｒｅ  ｄｒｅｓｓｉｎｇｓ：  Ａｎ  ａｌｔｅｒｎａｔｉｖｅ  ｔｏ  ｆｒｅｅ  ｔｉｓｓｕｅ  ｔｒａｎｓｆｅｒｓ？"Ｗｏｕｎｄｓ，  １７  （８）：２０６−２１２  （Ａｕｇｕｓｔ  ２００５）．  ＮＰＬ−５６０
【非特許文献６８６】  ＤＥ  ＬＥＯＮ，  Ｊ．，  "Ｎｅｇａｔｉｖｅ  ｐｒｅｓｓｕｒｅ  ｗｏｕｎｄ  ｔｈｅｒａｐｙ  ｉｎ  ｐｒｅｓｓｕｒｅ  ｕｌｃｅｒ  ｍａｎａｇｅｍｅｎｔ"，  Ｏｓｔｏｍｙ  Ｗｏｕｎｄ  Ｍａｎａｇｅ．，  ５１（２Ａ  ｓｕｐｐｌ）：３Ｓ−８Ｓ  （Ｆｅｂｒｕａｒｙ  ２００５）．  ＮＰＬ−５６１
【非特許文献６８７】  ＤＯＢＫＥ，  Ｍ．Ｋ．，  ｅｔ  ａｌ．，  "Ａ  ｎｏｖｅｌ  ａｐｐｒｏａｃｈ  ｔｏ  ａｃｕｔｅ  ｉｎｆｅｃｔｉｏｎ  ｏｆ  ｔｈｅ  ｇｌｅｎｏｈｕｍｅｒａｌ  ｊｏｉｎｔ  ｆｏｌｌｏｗｉｎｇ  ｒｏｔａｔｏｒ  ｃｕｆｆ  ｒｅｐａｉｒ  −  ａ  ｃａｓｅ  ｓｅｒｉｅｓ"，  Ｗｏｕｎｄｓ，  １７（６）：１３７−４０  （６  ｓｈｅｅｔｓ）  （Ｊｕｎｅ  ２００５）．  ＮＰＬ−５６２
【非特許文献６８８】  ＤＵＮＢＡＲ，  Ａ．，  ｅｔ  ａｌ．，  "Ａｄｄｒｅｓｓｉｎｇ  ｔｈｅ  ｐａｉｎ：  Ｓｉｌｉｃｏｎｅ  ｎｅｔ  ｄｒｅｓｓｉｎｇｓ  ａｓ  ａｎ  ａｄｊｕｎｃｔ  ｗｉｔｈ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５１（４）：１８−２０  （４  ｓｈｅｅｔｓ）  （Ａｐｒｉｌ  ２００５）．  ＮＰＬ−５６３
【非特許文献６８９】  ＥＴＯＺ，  Ａ．，  ｅｔ  ａｌ．，  "Ｔｈｅ  ｕｓｅ  ｏｆ  ｎｅｇａｔｉｖｅ  ｐｒｅｓｓｕｒｅ  ｗｏｕｎｄ  ｔｈｅｒａｐｙ  ｏｎ  ｄｉａｂｅｔｉｃ  ｆｏｏｔ  ｕｌｃｅｒｓ：  Ａ  ｐｒｅｌｉｍｉｎａｒｙ  ｃｏｎｔｒｏｌｌｅｄ  ｔｒｉａｌ"，  Ｗｏｕｎｄｓ，  １６（８）：２６４−９  （Ａｕｇｕｓｔ  ２００４）．  ＮＰＬ−５６４
【非特許文献６９０】  ＦＩＦＥ，  Ｃ．Ｅ．，  ｅｔ  ａｌ，  "Ｈｅａｌｉｎｇ  ｄｅｈｉｓｃｅｄ  ｓｕｒｇｉｃａｌ  ｗｏｕｎｄｓ  ｗｉｔｈ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５０（４Ａ  ｓｕｐｐｌ）：２８−３１  （Ａｐｒｉｌ  ２００４）．  ＮＰＬ−５６５
【非特許文献６９１】  ＧＥＬＬＥＲ，  Ｓ．Ｍ．，  ｅｔ  ａｌ．，  "Ｕｌｃｅｒａｔｉｏｎ  ｏｆ  ｐｙｏｄｅｒｍａ  ｇａｎｇｒｅｎｏｓｕｍ  ｔｒｅａｔｅｄ  ｗｉｔｈ  ｎｅｇａｔｉｖｅ  ｐｒｅｓｓｕｒｅ  ｗｏｕｎｄ  ｔｈｅｒａｐｙ"，  Ｊ．  Ａｍ．  Ｐｏｄｉａｔｒ．  Ｍｅｄ．  Ａｓｓｏｃ．，  ９５（２）：１７１−４  （Ｍａｒｃｈ  −  Ａｐｒｉｌ  ２００５）．  ＮＰＬ−５６６
【非特許文献６９２】  ＧＲＡＹ，  Ｍ．，  ｅｔ  ａｌ．，  "Ｉｓ  ｎｅｇａｔｉｖｅ  ｐｒｅｓｓｕｒｅ  ｗｏｕｎｄ  ｔｈｅｒａｐｙ  ｅｆｆｅｃｔｉｖｅ  ｆｏｒ  ｔｈｅ  ｍａｎａｇｅｍｅｎｔ  ｏｆ  ｃｈｒｏｎｉｃ  ｗｏｕｎｄｓ？"Ｊ．  Ｗｏｕｎｄ  Ｏｓｔｏｍｙ  Ｃｏｎｔｉｎｅｎｃｅ  Ｎｕｒｓ．，  ３１（３）：１０１−５  （Ｍａｙ  −  Ｊｕｎｅ  ２００４）．  ＮＰＬ−５６７
【非特許文献６９３】  ＧＵＰＴＡ，  Ｓ．，  ｅｔ  ａｌ．，  "Ａ  ｌｉｔｅｒａｔｕｒｅ  ｒｅｖｉｅｗ  ｏｆ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５０（１１Ａ  ｓｕｐｐｌ）：２Ｓ−４Ｓ  （Ｎｏｖｅｍｂｅｒ  ２００４）．  ＮＰＬ−５６８
【非特許文献６９４】  ＧＵＰＴＡ，  Ｓ．，  ｅｔ  ａｌ．，  Ｔｈｅ  ｐｅｒｉｏｐｅｒａｔｉｖｅ  ｕｓｅ  ｏｆ  ｎｅｇａｔｉｖｅ  ｐｒｅｓｓｕｒｅ  ｗｏｕｎｄ  ｔｈｅｒａｐｙ  ｉｎ  ｓｋｉｎ  ｇｒａｆｔｉｎｇ"，  Ｏｓｔｏｍｙ  Ｗｏｕｎｄ  Ｍａｎｇａｇｅ．，  ５０（４Ａ  ｓｕｐｐｌ）：３２−４  （Ａｐｒｉｌ  ２００４）．  ＮＰＬ−５６９
【非特許文献６９５】  ＧＵＰＴＡ，  Ｓ．，  ｅｔ  ａｌ．，  "Ｇｕｉｄｅｌｉｎｅｓ  ｆｏｒ  ｍａｎａｇｉｎｇ  ｐｒｅｓｓｕｒｅ  ｕｌｃｅｒｓ  ｗｉｔｈ  ｎｅｇａｔｉｖｅ  ｐｒｅｓｓｕｒｅ  ｗｏｕｎｄ  ｔｈｅｒａｐｙ"，  Ａｄｖ．  Ｓｋｉｎ  Ｗｏｕｎｄ  Ｃａｒｅ，  １７（Ｓｕｐｐｌ  ２）：１−１６  （Ｎｏｖｅｍｂｅｒ  −  Ｄｅｃｅｍｂｅｒ  ２００４）．  ＮＰＬ−５７０
【非特許文献６９６】  ＨＵＬＪＥＶ，  Ｄ．，  ｅｔ  ａｌ．，  "Ｎｅｃｒｏｔｉｚｉｎｇ  ｆａｓｃｉｉｔｉｓ  ｏｆ  ｔｈｅ  ａｂｄｏｍｉｎａｌ  ｗａｌｌ  ａｓ  ａ  ｐｏｓｔ−ｓｕｒｇｉｃａｌ  ｃｏｍｐｌｉｃａｔｉｏｎ：  ａ  ｃａｓｅ  ｒｅｐｏｒｔ"，  Ｗｏｕｎｄｓ，  １７（７）：１６９−７７  （１０  ｓｈｅｅｔｓ）  （２００５）  （Ｐｏｓｔｅｄ  Ａｕｇｕｓｔ  １１，  ２００５）．  ＮＰＬ−５７１
【非特許文献６９７】  ＫＡＰＬＡＮ，  Ｍ．，  "Ｎｅｇａｔｉｖｅ  ｐｒｅｓｓｕｒｅ  ｗｏｕｎｄ  ｔｈｅｒａｐｙ  ｉｎ  ｔｈｅ  ｍａｎａｇｅｍｅｎｔ  ｏｆ  ａｂｄｏｍｉｎａｌ  ｃｏｍｐａｒｔｍｅｎｔ  ｓｙｎｄｒｏｍｅ"，  Ｏｓｔｏｍｙ  Ｗｏｕｎｄ  Ｍａｎａｇｅ．，  ５１（２Ａ  ｓｕｐｐｌ）：２９Ｓ−３５Ｓ  （Ｆｅｂｒｕａｒｙ  ２００５）．  ＮＰＬ−５７２
【非特許文献６９８】  ＭＥＮＤＥＺ−ＥＡＳＴＭＡＮ，  Ｓ．，  "Ｄｅｔｅｒｍｉｎｉｎｇ  ｔｈｅ  ａｐｐｒｏｐｒｉａｔｅｎｅｓｓ  ｏｆ  ｎｅｇａｔｉｖｅ  ｐｒｅｓｓｕｒｅ  ｗｏｕｎｄ  ｔｈｅｒａｐｙ  ｆｏｒ  ｐｒｅｓｓｕｒｅ  ｕｌｃｅｒｓ"，  Ｏｓｔｏｍｙ  Ｗｏｕｎｄ  Ｍａｎａｇｅ．，  ５０（４Ａ  ｓｕｐｐｌ）：１３−１６  （Ａｐｒｉｌ  ２００４）．  ＮＰＬ−５７３
【非特許文献６９９】  ＭＥＮＤＥＺ−ＥＡＳＴＭＡＮ，  Ｓ．，  "Ｕｓｉｎｇ  ｎｅｇａｔｉｖｅ−ｐｒｅｓｓｕｒｅ  ｆｏｒ  ｐｏｓｉｔｉｖｅ  ｒｅｓｕｌｔｓ"，  Ｎｕｒｓｉｎｇ，  ３５（５）：４８−５０  （Ｍａｙ  ２００５）．  ＮＰＬ−５７４
【非特許文献７００】  ＭＩＬＬＥＲ，  Ｍ．Ｓ．，  ｅｔ  ａｌ．，  "Ｎｅｇａｔｉｖｅ  ｐｒｅｓｓｕｒｅ  ｗｏｕｎｄ  ｔｈｅｒａｐｙ：  ａ  ｒｏｓｅ  ｂｙ  ａｎｙ  ｏｔｈｅｒ  ｎａｍｅ"，  Ｏｓｔｏｍｙ  Ｗｏｕｎｄ  Ｍａｎａｇｅ．，  ５１  （３）：４４−９  （１１  ｓｈｅｅｔｓ）  （Ｍａｒｃｈ  ２００５）．  ＮＰＬ−５７５
【非特許文献７０１】  ＮＩＥＺＧＯＤＡ，  Ｊ．Ａ．，  ｅｔ  ａｌ．，  "Ｔｈｅ  ｅｃｏｎｏｍｉｃ  ｖａｌｕｅ  ｏｆ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５１  （２Ａ  ｓｕｐｐｌ）：４４Ｓ−４７Ｓ  （Ｆｅｂｒｕａｒｙ  ２００５）．  ＮＰＬ−５７６
【非特許文献７０２】  ＮＩＥＺＧＯＤＡ，  Ｊ．Ａ．，  "Ｃｏｍｂｉｎｉｎｇ  ｎｅｇａｔｉｖｅ  ｐｒｅｓｓｕｒｅ  ｗｏｕｎｄ  ｔｈｅｒａｐｙ  ｗｉｔｈ  ｏｔｈｅｒ  ｗｏｕｎｄ  ｍａｎａｇｅｍｅｎｔ  ｍｏｄａｌｉｔｉｅｓ"，  Ｏｓｔｏｍｙ  Ｗｏｕｎｄ  Ｍａｎａｇｅ．，  ５１（２Ａ  ｓｕｐｐｌ）：Ｓ３６−８  （Ｆｅｂｒｕａｒｙ  ２００５）．  ＮＰＬ−５７７
【非特許文献７０３】  ＯＲＧＩＬＬ，  Ｄ．Ｐ．，  ｅｔ  ａｌ．，  "Ｇｕｉｄｅｌｉｎｅｓ  ｆｏｒ  ｔｒｅａｔｍｅｎｔ  ｏｆ  ｃｏｍｐｌｅｘ  ｃｈｅｓｔ  ｗｏｕｎｄｓ  ｗｉｔｈ  ｎｅｇａｔｉｖｅ  ｐｒｅｓｓｕｒｅ  ｗｏｕｎｄ  ｔｈｅｒａｐｙ"，  Ｓｕｐｐｌｅｍｅｎｔ  Ｂ  ｔｏ  Ｗｏｕｎｄｓ：  Ａ  Ｃｏｍｐｅｎｄｉｕｍ  ｏｆ  Ｃｌｉｎｉｃａｌ  Ｒｅｓｅａｒｃｈ  ａｎｄ  Ｐｒａｃｔｉｃｅ，  （２４  ｓｈｅｅｔｓ）  （Ｄｅｃｅｍｂｅｒ  ２００４）．  ＮＰＬ−５７８
【非特許文献７０４】  ＯＲＧＩＬＬ，  Ｄ．Ｐ．，  "Ｕｔｉｌｉｚｉｎｇ  ｎｅｇａｔｉｖｅ  ｐｒｅｓｓｕｒｅ  ｗｏｕｎｄ  ｔｈｅｒａｐｙ  ｏｎ  ｏｐｅｎ  ｃｈｅｓｔ／ｓｔｅｒｎｏｔｏｍｙ  ｗｏｕｎｄｓ"，  Ｏｓｔｏｍｙ  Ｗｏｕｎｄ  Ｍａｎａｇｅ．，  ５０（１１Ａ  ｓｕｐｐｌ）：１５Ｓ−１７Ｓ  （Ｎｏｖｅｍｂｅｒ  ２００４）．  ＮＰＬ−５７９
【非特許文献７０５】  ＯＲＧＩＬＬ，  Ｄ．Ｐ．，  "Ａｄｖａｎｃｉｎｇ  ｔｈｅ  ｔｒｅａｔｍｅｎｔ  ｏｐｔｉｏｎｓ  ｏｆ  ｃｈｅｓｔ  ｗｏｕｎｄｓ  ｗｉｔｈ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５１（２Ａ  ｓｕｐｐｌ）：３９Ｓ−４３Ｓ  （Ｆｅｂｒｕａｒｙ  ２００５）．  ＮＰＬ−５８０
【非特許文献７０６】  ＰＡＧＥ，  Ｊ．Ｃ．，  ｅｔ  ａｌ．，  "Ｒｅｔｒｏｓｐｅｃｔｉｖｅ  ａｎａｌｙｓｉｓ  ｏｆ  ｎｅｇａｔｉｖｅ  ｐｒｅｓｓｕｒｅ  ｗｏｕｎｄ  ｔｈｅｒａｐｙ  ｉｎ  ｏｐｅｎ  ｆｏｏｔ  ｗｏｕｎｄｓ  ｗｉｔｈ  ｓｉｇｎｉｆｉｃａｎｔ  ｓｏｆｔ  ｔｉｓｓｕｅ  ｄｅｆｅｃｔｓ"，  Ａｄｖ．  Ｓｋｉｎ  Ｗｏｕｎｄ  Ｃａｒｅ，  １７（７）：３５４，  ３５６，  ３５８−６０，  ３６２−６４  （Ｓｅｐｔｅｍｂｅｒ  ２００４）．  ＮＰＬ−５８１
【非特許文献７０７】  ＰＡＧＥ，  Ｊ．Ｃ．，  ｅｔ  ａｌ．，  "Ｎｅｇａｔｉｖｅ  ｐｒｅｓｓｕｒｅ  ｗｏｕｎｄ  ｔｈｅｒａｐｙ  ｉｎ  ｏｐｅｎ  ｆｏｏｔ  ｗｏｕｎｄｓ  ｗｉｔｈ  ｓｉｇｎｉｆｉｃａｎｔ  ｓｏｆｔ  ｔｉｓｓｕｅ  ｄｅｆｅｃｔｓ"，  Ｏｓｔｏｍｙ  Ｗｏｕｎｄ  Ｍａｎａｇｅ．，  ５１（２Ａ  ｓｕｐｐｌ）：９Ｓ−１４Ｓ  （Ｆｅｂｒｕａｒｙ  ２００５）；  ｅｘｃｅｒｐｔｅｄ  ｆｒｏｍ  Ｐａｇｅ，  Ｊ．Ｃ．，  ｅｔ  ａｌ．，  "Ｒｅｔｒｏｓｐｅｃｔｉｖｅ  ａｎａｌｙｓｉｓ  ｏｆ  ｎｅｇａｔｉｖｅ  ｐｒｅｓｓｕｒｅ  ｗｏｕｎｄ  ｔｈｅｒａｐｙ  ｉｎ  ｏｐｅｎ  ｆｏｏｔ  ｗｏｕｎｄｓ  ｗｉｔｈ  ｓｉｇｎｉｆｉｃａｎｔ  ｓｏｆｔ  ｔｉｓｓｕｅ  ｄｅｆｅｃｔｓ"，  Ａｄｖ．  Ｓｋｉｎ  &  Ｗｏｕｎｄ  Ｃａｒｅ，  １７（７）：３５４−３６４，  （２００４）．  ＮＰＬ−５８２
【非特許文献７０８】  ＰＡＴＴＩＳＯＮ，  Ｐ．Ｓ．，  ｅｔ  ａｌ．，  "Ｃａｓｅ  ｒｅｐｏｒｔ：  Ｕｓｉｎｇ  ｄｕａｌ  ｔｈｅｒａｐｉｅｓ-Ｎｅｇａｔｉｖｅ  ｐｒｅｓｓｕｒｅ  ｗｏｕｎｄ  ｔｈｅｒａｐｙ  ａｎｄ  ｍｏｄｉｆｉｅｄ  ｓｉｌｉｃｏｎｅ  ｇｅｌ  ｌｉｎｅｒ−−ｔｏ  ｔｒｅａｔ  ａ  ｌｉｍｂ  ｐｏｓｔａｍｐｕｔａｔｉｏｎ  ａｎｄ  ｄｅｈｉｓｃｅｎｃｅ"，  Ｗｏｕｎｄｓ，  １７（８）：２３３−４０  （１１  ｓｈｅｅｔｓ）  （Ａｕｇｕｓｔ  ２００５）．  ＮＰＬ−５８３
【非特許文献７０９】  ＲＡＴＬＩＦＦ，  Ｃ．Ｒ．，  "Ｎｅｇａｔｉｖｅ−ｐｒｅｓｓｕｒｅ  ｗｏｕｎｄ  ｔｈｅｒａｐｙ．  Ａｄｊｕｎｃｔ  ｒｅｌｉｅｆ  ｆｏｒ  ｃｈｒｏｎｉｃ  ｗｏｕｎｄｓ"，  Ａｄｖ．  Ｎｕｒｓ．  Ｐｒａｃｔ．，  １２（７）：４７−９  （３  ｓｈｅｅｔｓ）  （Ｊｕｌｙ  ２００４）  （Ｉｓｓｕｅ  ｄａｔｅ：  Ｊｕｌｙ  １，  ２００４）．  ＮＰＬ−５８４
【非特許文献７１０】  ＳＡＲＳＡＭ，  Ｓ．Ｅ．，  ｅｔ  ａｌ．，  "Ｍａｎａｇｅｍｅｎｔ  ｏｆ  ｗｏｕｎｄ  ｃｏｍｐｌｉｃａｔｉｏｎｓ  ｆｒｏｍ  ｃｅｓａｒｅａｎ  ｄｅｌｉｖｅｒｙ，"Ｏｂｓｔｅｔ．  Ｇｙｎｅｃｏｌ．  Ｓｕｒｖ．，  ６０  （７）：４６２−７３  （Ｊｕｌｙ  ２００５）．  ＮＰＬ−５８５
【非特許文献７１１】  ＳＣＨＡＵＭ，  Ｋ．Ｄ．，  "Ｐａｙｍｅｎｔ  ｐｅｒｓｐｅｃｔｉｖｅ：  Ｎｅｇａｔｉｖｅ  ｐｒｅｓｓｕｒｅ  ｗｏｕｎｄ  ｔｈｅｒａｐｙ  ｐｕｍｐｓ  ａｎｄ  ｏｓｔｏｍｙ  ｓｕｐｐｌｉｅｓ"，  Ｏｓｔｏｍｙ  Ｗｏｕｎｄ  Ｍａｎａｇｅ．，  ５１（３）：２０−２２  （２  ｓｈｅｅｔｓ）  （Ｍａｒｃｈ  ２００５）．  ＮＰＬ−５８６
【非特許文献７１２】  ＳＩＭＭＡＮ，  Ｒ．，  ｅｔ  ａｌ．，  "Ａ  ｃｏｍｐａｒａｔｉｖｅ  ｈｉｓｔｏｌｏｇｉｃａｌ  ｓｔｕｄｙ  ｏｆ  ｓｋｉｎ  ｇｒａｆｔ  ｔａｋｅ  ｗｉｔｈ  ｔｉｅ−ｏｖｅｒ  ｂｏｌｓｔｅｒ  ｄｒｅｓｓｉｎｇ  ｖｅｒｓｕｓ  ｎｅｇａｔｉｖｅ  ｐｒｅｓｓｕｒｅ  ｗｏｕｎｄ  ｔｈｅｒａｐｙ  ｉｎ  ａ  ｐｉｇ  ｍｏｄｅｌ：  ａ  ｐｒｅｌｉｍｉｎａｒｙ  ｓｔｕｄｙ  ［ｂｒｉｅｆ  ｃｏｍｍｕｎｉｃａｔｉｏｎ］"，  Ｗｏｕｎｄｓ，  １６（２）：７６−８０  （７  ｓｈｅｅｔｓ）  （Ｆｅｂｒｕａｒｙ  ２００４）．  ＮＰＬ−５８７
【非特許文献７１３】  ＳＴＯＮＥ，  Ｐ．，  ｅｔ  ａｌ．，  "Ｂｏｌｓｔｅｒ  ｖｅｒｓｕｓ  ｎｅｇａｔｉｖｅ  ｐｒｅｓｓｕｒｅ  ｗｏｕｎｄ  ｔｈｅｒａｐｙ  ｆｏｒ  ｓｅｃｕｒｉｎｇ  ｓｐｌｉｔ−ｔｈｉｃｋｎｅｓｓ  ｓｋｉｎ  ｇｒａｆｔｓ  ｉｎ  ｔｒａｕｍａ  ｐａｔｉｅｎｔｓ"，  Ｗｏｕｎｄｓ，  １６（７）：２１９−２３  （５  ｓｈｅｅｔｓ）  （２００４）  （Ｐｏｓｔｅｄ  Ａｕｇｕｓｔ  ４，  ２００４）．  ＮＰＬ−５８９
【非特許文献７１４】  ＷＯＬＶＯＳ，  Ｔ．，  "Ｗｏｕｎｄ  ｉｎｓｔｉｌｌａｔｉｏｎ  ｗｉｔｈ  ｎｅｇａｔｉｖｅ  ｐｒｅｓｓｕｒｅ  ｗｏｕｎｄ  ｔｈｅｒａｐｙ"，  Ｏｓｔｏｍｙ  Ｗｏｕｎｄ  Ｍａｎａｇｅ．，  ５１（２Ａ  ｓｕｐｐｌ）：２１Ｓ−２６Ｓ  （Ｆｅｂｒｕａｒｙ  ２００５）  ＮＰＬ−５９０
【非特許文献７１５】  ＪＥＴＥＲ，  Ｋ．，  "Ｃｌｏｓｅｄ  ｓｕｃｔｉｏｎ  ｗｏｕｎｄ  ｄｒａｉｎａｇｅ  ｓｙｓｔｅｍ"，  ＪＷＯＣＮ，  ３１（２）：５１  （１  ｓｈｅｅｔ）  （Ｍａｒｃｈ  −  Ａｐｒｉｌ  ２００４）．  ＮＰＬ−５９１
【非特許文献７１６】  ＡＧＡＲＷＡＬ，  Ｊ．Ｐ．，  ｅｔ  ａｌ．，  "Ｖａｃｕｕｍ−ａｓｓｉｓｔｅｄ  ｃｌｏｓｕｒｅ  ｆｏｒ  ｓｔｅｒｎａｌ  ｗｏｕｎｄｓ：  ａ  ｆｉｒｓｔ−ｌｉｎｅ  ｔｈｅｒａｐｅｕｔｉｃ  ｍａｎａｇｅｍｅｎｔ  ａｐｐｒｏａｃｈ"，  Ｐｌａｓｔ．  Ｒｅｃｏｎｓｔｒ．  Ｓｕｒｇ．，  １１６（４）：１０３５−１０４０  （Ｓｅｐｔｅｍｂｅｒ  １５，  ２００５）．  ＮＰＬ−５９２
【非特許文献７１７】  ＳＪＯＧＲＥＮ，  Ｊ．，  ｅｔ  ａｌ．，  "Ｔｈｅ  ｉｍｐａｃｔ  ｏｆ  ｖａｃｕｕｍ−ａｓｓｉｓｔｅｄ  ｃｌｏｓｕｒｅ  ｏｎ  ｌｏｎｇ−ｔｅｒｍ  ｓｕｒｖｉｖａｌ  ａｆｔｅｒ  ｐｏｓｔ−ｓｔｅｒｎｏｔｏｍｙ  ｍｅｄｉａｓｔｉｎｉｔｉｓ"，  Ａｎｎ．  Ｔｈｏｒａｃ．  Ｓｕｒｇ．，  ８０（４）：１２７０−５，  （Ｏｃｔｏｂｅｒ  ２００５）．  ＮＰＬ−５９３
【非特許文献７１８】  ＭＥＮＤＥＺ−ＥＡＳＴＭＡＮ，  Ｓ．，  "Ｎｅｗ  ａｄｖａｎｃｅｓ  ｉｎ  ｗｏｕｎｄ  ｔｈｅｒａｐｙ"，  ｐｒｉｎｔｏｕｔ  ｆｒｏｍ  Ｗｏｕｎｄｓｌ．ｃｏｍ；  ７  ｓｈｅｅｔｓ  （Ａｐｒｉｌ  １５，  ２００５）．  ＮＰＬ−５９４
【非特許文献７１９】  "Ｐｒｏｍｏｔｉｎｇ  ｗｏｕｎｄ  ｈｅａｌｉｎｇ"，  Ｎｕｒｓｅｓ−Ｄｉｇｅｓｔ，  ２（３），  ６  ｓｈｅｅｔｓ，  Ｍａｒｃｈ  ２００５．  ＮＰＬ−５９５
【非特許文献７２０】  ＲＯＹＬＡＮＣＥ，  Ｌ．，  "Ｎａｎｃｙ  Ｓｕｊｅｔａ，  Ａｍａｎｄａ  Ｃｌａｒｋ，"ＤＯＭＥ，  ｖｏｌｕｍｅ  ５５，  Ｍａｒｃｈ  ２００４，  ２  ｓｈｅｅｔｓ  ｏｆ  ｗｅｂｓｉｔｅ  ｐｒｉｎｔｏｕｔ  ｗｗｗ．  ｈｏｐｋｉｎｓｍｅｄｉｃｉｎｅ．ｏｒｇ／ｄｏｍｅ／０４０５／ｆｅａｔｕｒｅ４．ｃｆｍ．  ＮＰＬ−５９６
【非特許文献７２１】  ＡＧＡＲＷＡＬ，  Ｊ．Ｐ．，  ｅｔ  ａｌ．，  "Ｖａｃｕｕｍ  ａｓｓｉｓｔｅｄ  ｃｌｏｓｕｒｅ  ＴＭ  ｆｏｒ  ｓｔｅｒｎａｌ  ｗｏｕｎｄｓ：  ａ  ｆｉｒｓｔ  ｌｉｎｅ  ｔｈｅｒａｐｅｕｔｉｃ  ｍａｎａｇｅｍｅｎｔ"，  ＡＳＰＳ，  Ｐｌａｓｔｉｃ  Ｓｕｒｇｅｒｙ  ２００４，  Ｐｈｉｌａｄｅｌｐｈｉａ，  ＰＡ，  ａｂｓｔｒａｃｔ  （２  ｓｈｅｅｔｓ）  （Ｗｅｄｎｅｓｄａｙ  Ｏｃｔｏｂｅｒ  １３，  ２００４）．  ＮＰＬ−５９７
【非特許文献７２２】  ＧＯＭＯＬＬ，  Ａ．Ｈ．，  ｅｔ  ａｌ．，  "Ｉｎｃｉｓｉｏｎａｌ  ｖａｃｕｕｍ−ａｓｓｉｓｔｅｄ  ｃｌｏｓｕｒｅ  ｔｈｅｒａｐｙ"，  Ｊ．  Ｏｒｔｈｏｐ．  Ｔｒａｕｍａ，  ２０（１０）：７０５−７０９，  （Ｎｏｖｅｍｂｅｒ  −  Ｄｅｃｅｍｂｅｒ  ２００６）．  ＮＰＬ−５９９
【非特許文献７２３】  ＬＥＩＮＩＮＧＥＲ，  Ｂ．Ｅ．，  ｅｔ  ａｌ．，  "Ｅｘｐｅｒｉｅｎｃｅ  ｗｉｔｈ  ｗｏｕｎｄ  ＶＡＣ  ａｎｄ  ｄｅｌａｙｅｄ  ｐｒｉｍａｒｙ  ｃｌｏｓｕｒｅ  ｏｆ  ｃｏｎｔａｍｉｎａｔｅｄ  ｓｏｆｔ  ｔｉｓｓｕｅ  ｉｎｊｕｒｉｅｓ  ｉｎ  Ｉｒａｑ"，  Ｊ．  Ｔｒａｕｍａ，  ６１（５）：１２０７−１２１１  （Ｎｏｖｅｍｂｅｒ  ２００６）．  ＮＰＬ−６００
【非特許文献７２４】  ＧＵＰＴＡ，  Ｓ．，  ｅｄ．，  "Ｄｉｆｆｅｒｅｎｔｉａｔｉｎｇ  ｎｅｇａｔｉｖｅ  ｐｒｅｓｓｕｒｅ  ｗｏｕｎｄ  ｔｈｅｒａｐｙ  ｄｅｖｉｃｅｓ：  ａｎ  ｉｌｌｕｓｔｒａｔｉｖｅ  ｃａｓｅ  ｓｅｒｉｅｓ"，  Ｗｏｕｎｄｓ，  １９（１  ｓｕｐｐｌ）：１−９，  （Ｊａｎｕａｒｙ  ２００７）．  ＮＰＬ−６０３
【非特許文献７２５】  ＫＯＲＡＳＩＥＷＩＣＺ，  Ｌ．Ｍ．，  "Ａｂｄｏｍｉｎａｌ  Ｗｏｕｎｄ  Ｗｉｔｈ  ａ  Ｆｉｓｔｕｌａ  ａｎｄ  Ｌａｒｇｅ  Ａｍｏｕｎｔ  ｏｆ  Ｄｒａｉｎａｇｅ  Ｓｔａｔｕｓ  Ａｆｔｅｒ  Ｉｎｃａｒｃｅｒａｔｅｄ  Ｈｅｒｎｉａ  Ｒｅｐａｉｒ"，  Ｊｏｕｒｎａｌ  ｏｆ  Ｗｏｕｎｄ，  Ｏｓｔｏｍｙ  &  Ｃｏｎｔｉｎｅｎｃｅ  Ｎｕｒｓｉｎｇ．  ３１（３）：１５０−１５３，  （Ｍａｙ  −  Ｊｕｎｅ  ２００４）．  ＮＰＬ−６１０
【非特許文献７２６】  ＧＵＮＴＩＮＡＳ−ＬＩＣＨＩＵＳ，  ０．，  ｅｔ  ａｌ．，  "Ｔｈｅ  ｒｏｌｅ  ｏｆ  ｇｒｏｗｔｈ  ｆａｃｔｏｒｓ  ｆｏｒ  ｄｉｓｅａｓｅ  ａｎｄ  ｔｈｅｒａｐｙ  ｉｎ  ｄｉｓｅａｓｅｓ  ｏｆ  ｔｈｅ  ｈｅａｄ  ａｎｄ  ｎｅｃｋ"，  ＤＮＡ  ａｎｄ  Ｃｅｌｌ  Ｂｉｏｌ．，  ２２（９）：５９３−６０６，  （Ｓｅｐｔｅｍｂｅｒ  ２００３）．  ＮＰＬ−６１１
【非特許文献７２７】  ＧＯＬＤＭＡＮ，  Ｒ．，  "Ｇｒｏｗｔｈ  ｆａｃｔｏｒｓ  ａｎｄ  ｃｈｒｏｎｉｃ  ｗｏｕｎｄ  ｈｅａｌｉｎｇ：  ｐａｓｔ，  ｐｒｅｓｅｎｔ，  ａｎｄ  ｆｕｔｕｒｅ"，  Ａｄｖ．  Ｓｋｉｎ  Ｗｏｕｎｄ  Ｃａｒｅ，  １７  （１）：２４−３５，  （Ｊａｎｕａｒｙ  −  Ｆｅｂｒｕａｒｙ  ２００４）．  ＮＰＬ−６１８
【非特許文献７２８】  ＭＡＬＬＩ，  Ｓ．，  "Ｋｅｅｐ  ａ  ｃｌｏｓｅ  ｅｙｅ  ｏｎ  ｖａｃｕｕｍ−ａｓｓｉｓｔｅｄ  ｗｏｕｎｄ  ｃｌｏｓｕｒｅ"，  Ｎｕｒｓｉｎｇ，  ３５（７）：２５  （Ｊｕｌｙ  ２００５）．  ＮＰＬ−６２２
【非特許文献７２９】  ＬＹＮＣＨ，  Ｊ．Ｂ．，  ｅｔ  ａｌ．，  "Ｖａｃｕｕｍ−ａｓｓｉｓｔｅｄ  ｃｌｏｓｕｒｅ  ｔｈｅｒａｐｙ：  ａ  ｎｅｗ  ｔｒｅａｔｍｅｎｔ  ｏｐｔｉｏｎ  ｆｏｒ  ｒｅｃｕｒｒｅｎｔ  ｐｉｌｏｎｉｄａｌ  ｓｉｎｕｓ  ｄｉｓｅａｓｅ．  Ｒｅｐｏｒｔ  ｏｆ  ｔｈｒｅｅ  ｃａｓｅｓ"，  Ｄｉｓ．  Ｃｏｌｏｎ  Ｒｅｃｔｕｍ，  ４７（６）：９２９−３２  （Ｊｕｎｅ  ２００４）  （Ｐｕｂｌｉｓｈｅｄ  ｏｎｌｉｎｅ  Ｍａｙ  ４，  ２００４）．  ＮＰＬ−５２０
【非特許文献７３０】  ＭＸ：  Ｂｕｓｉｎｅｓｓ  Ｓｔｒａｔｅｇｉｅｓ  ｆｏｒ  Ｍｅｄｉｃａｌ  Ｔｅｃｈｎｏｌｏｇｙ  Ｅｘｅｃｕｔｉｖｅｓ，  （Ｍａｒｃｈ／  Ａｐｒｉｌ  ２００５）．  ＮＰＬ−６２４
【非特許文献７３１】  ＮＩＥＺＧＯＤＡ，  Ｊ．Ａ．，  "Ｉｎｃｏｒｐｏｒａｔｉｎｇ  ｎｅｇａｔｉｖｅ  ｐｒｅｓｓｕｒｅ  ｔｈｅｒａｐｙ  ｉｎｔｏ  ｔｈｅ  ｍａｎａｇｅｍｅｎｔ  ｓｔｒａｔｅｇｙ  ｆｏｒ  ｐｒｅｓｓｕｒｅ  ｕｌｃｅｒｓ"，  Ｏｓｔｏｍｙ  Ｗｏｕｎｄ  Ｍａｎａｇｅ．，  ５０（１１Ａ  ｓｕｐｐｌ．）：５Ｓ−８Ｓ，  （Ｎｏｖｅｍｂｅｒ  ２００４）．  ＮＰＬ−６２５
【非特許文献７３２】  ＢＡＮＷＥＬＬ，  Ｐ．Ｅ．，  Ｔｏｐｉｃａｌ  ｎｅｇａｔｉｖｅ  ｐｒｅｓｓｕｒｅ  ｔｈｅｒａｐｙ：  ａｄｖａｎｃｅｓ  ｉｎ  ｂｕｒｎ  ｗｏｕｎｄ  ｍａｎａｇｅｍｅｎｔ"，  Ｏｓｔｏｍｙ  Ｗｏｕｎｄ  Ｍａｎａｇｅ．，  ５０（１１Ａ  ｓｕｐｐｌ．）：９Ｓ−１４Ｓ，  （Ｎｏｖｅｍｂｅｒ  ２００４）．  ＮＰＬ−６３０
【非特許文献７３３】  ＫＡＰＬＡＮ，  Ｍ．，  "Ｎｅｇａｔｉｖｅ  ｐｒｅｓｓｕｒｅ  ｗｏｕｎｄ  ｔｈｅｒａｐｙ  ｉｎ  ｔｈｅ  ｍａｎａｇｅｍｅｎｔ  ｏｆ  ａｂｄｏｍｉｎａｌ  ｃｏｍｐａｒｔｍｅｎｔ  ｓｙｎｄｒｏｍｅ"，  Ｏｓｔｏｍｙ  Ｗｏｕｎｄ  Ｍａｎａｇｅ．，  ５０（１１Ａ  ｓｕｐｐｌ）：２０Ｓ−２５Ｓ，  （Ｎｏｖｅｍｂｅｒ  ２００４）．  ＮＰＬ−６２６
【非特許文献７３４】  ＧＵＰＴＡ，  Ｓ．，  ｅｔ  ａｌ．，  "Ｔｈｅ  ｐｅｒｉｏｐｅｒａｔｉｖｅ  ｕｓｅ  ｏｆ  ｎｅｇａｔｉｖｅ  ｐｒｅｓｓｕｒｅ  ｗｏｕｎｄ  ｔｈｅｒａｐｙ  ｉｎ  ｓｋｉｎ  ｇｒａｆｔｉｎｇ"，  Ｏｓｔｏｍｙ  Ｗｏｕｎｄ  Ｍａｎａｇｅ．，  ５０（１１Ａ  ｓｕｐｐｌ．）：２６Ｓ−２８Ｓ，  （Ｎｏｖｅｍｂｅｒ  ２００４）．  ＮＰＬ−６２７
【非特許文献７３５】  ＳＣＨＯＥＭＡＮＮ，  Ｍ．Ｂ．，  ｅｔ  ａｌ．，  "Ｔｒｅａｔｉｎｇ  ｓｕｒｇｉｃａｌ  ｗｏｕｎｄ  ｄｅｈｉｓｃｅｎｃｅ  ｗｉｔｈ  ｎｅｇａｔｉｖｅ  ｐｒｅｓｓｕｒｅ  ｄｒｅｓｓｉｎｇｓ"，  Ｏｓｔｏｍｙ  Ｗｏｕｎｄ  Ｍａｎａｇｅ．，  ５１（２Ａ  ｓｕｐｐｌ．）：１５Ｓ−２０Ｓ，  （Ｆｅｂｒｕａｒｙ  ２００５）．  ＮＰＬ−６２８
【非特許文献７３６】  ＢＯＯＫＯＵＴ，  Ｋ．，  ｅｔ  ａｌ．，  "Ｃａｓｅ  ｓｔｕｄｉｅｓ  ｏｆ  ａｎ  ｉｎｆａｎｔ，  ａ  ｔｏｄｄｌｅｒ，  ａｎｄ  ａｎ  ａｄｏｌｅｓｃｅｎｔ  ｔｒｅａｔｅｄ  ｗｉｔｈ  ａ  ｎｅｇａｔｉｖｅ  ｒｐｅｓｓｕｒｅ  ｗｏｕｎｄ  ｔｒｅａｔｍｅｎｔ  ｓｙｓｔｅｍ"，  Ｊ．  Ｗｏｕｎｄ  ＯｓｔｏｍｙＣｏｎｔｉｎｅｎｃｅ  Ｎｕｒｓ．，  ３１（４）：１８４−１９２，  （８  ｐｐ．）  （Ｊｕｌｙ  ／  Ａｕｇｕｓｔ  ２００４）．  ＮＰＬ−６２９
【非特許文献７３７】  ＢＯＲＫＯＷＳＫＩ，  Ｓ．，  "Ｇ  ｔｕｂｅ  ｃａｒｅ：  ｍａｎａｇｉｎｇ  ｈｙｐｅｒｇｒａｎｕｌａｔｉｏｎ  ｔｉｓｓｕｅ"，  Ｎｕｒｓｉｎｇ，  ３５（８）：２４  （Ａｕｇｕｓｔ  ２００５）．  ＮＰＬ−６３９
【非特許文献７３８】  ＭＡＣＨＥＮ，  Ｍ．  Ｓ．，  "Ｍａｎａｇｅｍｅｎｔ  ｏｆ  ｔｒａｕｍａｔｉｃ  ｗａｒ  ｗｏｕｎｄｓ  ｕｓｉｎｇ  ｖａｃｕｕｍ−ａｓｓｉｓｔｅｄ  ｃｌｏｓｕｒｅ  ｄｒｅｓｓｉｎｇｓ  ｉｎ  ａｎ  ａｕｓｔｅｒｅ  ｅｎｖｉｒｏｎｍｅｎｔ，"  Ａｒｍｙ  Ｍｅｄｉｃａｌ  Ｄｅｐａｒｔｍｅｎｔ  Ｊ．，  ｐｐ．  １７−２３，  （Ｊａｎ．  −  Ｍａｒ．  ２００７）．  ＮＰＬ−６８８
【非特許文献７３９】  ＰＥＣＫ，  Ｍ．Ａ．，  ｅｔ  ａｌ．，  "Ｔｈｅ  ｃｏｍｐｌｅｔｅ  ｍａｎａｇｅｍｅｎｔ  ｏｆ  ｅｘｔｒｅｍｉｔｙ  ｖａｓｃｕｌａｒ  ｉｎｊｕｒｙ  ｉｎ  ａ  ｌｏｃａｌ  ｐｏｐｕｌａｔｉｏｎ：  ａ  ｗａｒｔｉｍｅ  ｒｅｐｏｒｔ  ｆｒｏｍ  ｔｈｅ  ３３２ｎｄ  Ｅｘｐｅｄｉｔｉｏｎａｒｙ  Ｍｅｄｉｃａｌ  Ｇｒｏｕｐ／Ａｉｒ  Ｆｏｒｃｅ  Ｔｈｅａｔｅｒ  Ｈｏｓｐｉｔａｌ，  Ｂａｌａｄ  Ａｉｒ  Ｂａｓｅ，  Ｉｒａｑ，"  Ｊ．  Ｖａｓｃ．  Ｓｕｒｇ．，  ｐｐ．  １−９，  （２００７），  （Ｐｒｅｓｅｎｔｅｄ  ａｔ  ｔｈｅ  Ｐｌｅｎａｒｙ  Ｓｅｓｓｉｏｎ  ｏｆ  ｔｈｅ  Ｅａｓｔｅｒｎ  Ｖａｓｃｕｌａｒ  Ｓｏｃｉｅｔｙｓ  Ｔｗｅｎｔｉｅｔｈ  Ａｎｎｕａｌ  Ｍｅｅｔｉｎｇ，  Ｗａｓｈｉｎｇｔｏｎ  Ｄ．  Ｃ．，  Ｓｅｐ．  ３０，  ２００６）．  ＮＰＬ−６８９
【非特許文献７４０】  ＧＩＯＶＡＮＮＩＮＩ，  Ｕ．Ｍ．，  ｅｔ  ａｌ．，  "Ｔｏｐｉｃａｌ  ｎｅｇａｔｉｖｅ  ｔｈｅｒａｐｙ  ａｎｄ  ｖａｃｕｕｍ  ａｓｓｉｓｔｅｄ  ｃｌｏｓｕｒｅ．  Ｎｅｗ  ｓｔｒａｔｅｇｉｅｓ  ａｎｄ  ｄｅｖｉｃｅｓ  ｉｎ  ｓｕｒｇｉｃａｌ  ｒｅｃｏｎｓｔｒｕｃｔｉｏｎ"，  Ｍｉｎｅｒｖａ  Ｃｈｉｒ．，  ６０（３）：１９１−４  （Ｊｕｎｅ  ２００５）．  ＮＰＬ−４６１
【非特許文献７４１】  ＰＣＴ／ＵＳ０８／７９３６４  −  Ｗｒｉｔｔｅｎ  Ｏｐｉｎｉｏｎ  ａｎｄ  Ｉｎｔｅｒｎａｔｉｏｎａｌ  Ｓｅａｒｃｈ  Ｒｅｐｏｒｔ  Ｐ０４２６３Ｗ００−ＩＳＲ  （Ｄｅｃ．  １６，  ２００８）
【非特許文献７４２】  ＢＡＧＡＵＴＤＩＮＯＶ，  Ｎ．Ａ．，  "Ｖａｒｉａｎｔ  ｏｆ  ｅｘｔｅｒｎａｌ  ｖａｃｕｕｍ  ａｓｐｉｒａｔｉｏｎ  ｉｎ  ｔｈｅ  ｔｒｅａｔｍｅｎｔ  ｏｆ  ｐｕｒｕｌｅｎｔ  ｄｉｓｅａｓｅ  ｏｆ  ｓｏｆｔ  ｔｉｓｓｕｅ，"  ｐｐ．  ９４−９６  ａｎｄ  Ｉｎｔｒｏｄｕｃｔｉｏｎ  ｂｙ  Ｖ．Ｅ．  Ｖｏｌｋｏｖ  ａｎｄ  ａｎ  ｏｐｉｎｉｏｎ  ｂｙ  Ｖ．  Ｖ．  Ｓｈｕｔｏｖａ  ｄａｔｅｄ  Ｆｅｂ．  ４，  ２００９，  ｉｎ  Ｒｕｓｓｉａｎ  ｗｉｔｈ  Ｅｎｇｌｉｓｈ  ｔｒａｎｓｌａｔｉｏｎ，  ｗｉｔｈ  ａｌｌｅｇｅｄ  ｃａｒｄ  ｃａｔａｌｏｇｕｅ  ｃａｒｄ  ｗｉｔｈ  Ｅｎｇｌｉｓｈ  ｔｒａｎｓｌａｔｉｏｎ，  ａｎｄ  ｃｅｒｔｉｆｉｃａｔｉｏｎ  ｏｆ  ｔｒａｎｓｌａｔｉｏｎ  ｄａｔｅｄ  Ｆｅｂ．  １９，  ２００９，  Ｃｕｒｒｅｎｔ  Ｐｒｏｂｌｅｍｓ  ｉｎ  Ｍｏｄｅｒｎ  Ｃｌｉｎｉｃａｌ  Ｓｕｒｇｅｒｙ，  （１９８６）．  ＮＰＬ−７２４
【非特許文献７４３】  ＫＵＺＮＥＴＳＯＶ，  Ｖ．Ａ．，  "Ｖａｃｕｕｍ  ａｎｄ  ｖａｃｕｕｍ−ｓｏｒｐｔｉｏｎ  ｔｒｅａｔｍｅｎｔ  ｏｆ  ｏｐｅｎ  ｓｅｐｔｉｃ  ｗｏｕｎｄｓ，"  ｉｎ  ＩＩ  Ａｌｌ−ｕｎｉｏｎ  ｃｏｎｆｅｒｅｎｃｅ  "Ｗｏｕｎｄｓ  ａｎｄ  ｗｏｕｎｄ  ｉｎｆｅｃｔｉｏｎ"  "（Ａｂｓｔｒａｃｔｓ  ｏｆ  ｐｒｅｓｅｎｔａｔｉｏｎｓ）"  ｉｎ  Ｒｕｓｓｉａｎ  ｗｉｔｈ  Ｅｎｇｌｉｓｈ  ｔｒａｎｓｌａｔｉｏｎ，  ａｎｄ  ｃａｒｄ  ｗｉｔｈ  Ｅｎｇｌｉｓｈ  ｔｒａｎｓｌａｔｉｏｎ，  Ｍｏｓｃｏｗ，  Ｏｃｔ．  ２８−２９，  １９８６．  ＮＰＬ−７２５  （ＢＡＧＡＵＴＤＩＮＯＶ  ＩＩ）
【非特許文献７４４】  ＲＯＢＳＯＮ，  Ｍ．Ｃ．，  ｅｔ  ａｌ．，  Ｃｈａｐｔｅｒ  １０  "Ｗｏｕｎｄｓ  ａｎｄ  ｗｏｕｎｄ  ｈｅａｌｉｎｇ，"  ｐ．  １０７−１１４  ｉｎ  Ｅｓｓｅｎｔｉａｌｓ  ｏｆ  Ｇｅｎｅｒａｌ  Ｓｕｒｇｅｒｙ，  Ｐ．Ｆ．  Ｌａｗｒｅｎｃｅ  ｅｄ．，  Ｗｉｌｌｉａｍｓ  &  Ｗｉｌｋｉｎｓ，  （１９８８）．  ＮＰＬ−７１４
【非特許文献７４５】  ＳＭＩＴＨ，  Ｄ．Ｊ．  Ｊｒ．，  ｅｔ  ａｌ．，  Ｃｈａｐｔｅｒ  ７  "Ｗｏｕｎｄｓ  ａｎｄ  ｗｏｕｎｄ  ｈｅａｌｉｎｇ，"  ｐ．  １１３−１２２  ｉｎ  Ｅｓｓｅｎｔｉａｌｓ  ｏｆ  Ｇｅｎｅｒａｌ  Ｓｕｒｇｅｒｙ，  ３ｄ  ｅｄｉｔｉｏｎ，  Ｐ．Ｆ．  Ｌａｗｒｅｎｃｅ  ｅｄ．，  Ｌｉｐｐｉｎｃｏｔｔ  Ｗｉｌｌｉａｍｓ  &  Ｗｉｌｋｉｎｓ，  （２０００）．  ＮＰＬ−７１６
【非特許文献７４６】  ＴＡＬＢＯＹ，  Ｇ．Ｅ．，  ｅｔ  ａｌ．，  "Ｃｈａｐｔｅｒ  ８：  Ｗｏｕｎｄｓ  ａｎｄ  ｗｏｕｎｄ  ｈｅａｌｉｎｇ，"  ｐ．  １４７−１６１  ｉｎ  Ｅｓｓｅｎｔｉａｌｓ  ｏｆ  Ｇｅｎｅｒａｌ  Ｓｕｒｇｅｒｙ，  Ｂ．  Ｓｕｎ  ｅｄ．，  Ｌｉｐｐｉｎｃｏｔｔ  Ｗｉｌｌｉａｍｓ  &  Ｗｉｌｋｉｎｓ，  （２００６）．  ＮＰＬ−７１７
【非特許文献７４７】  ＧＡＲＲＩＳＯＮ，  Ｒ．Ｎ．，  ｅｔ  ａｌ．，  "Ｃｈａｐｔｅｒ  ９：  Ｓｕｒｇｉｃａｌ  ｉｎｆｅｃｔｉｏｎｓ，"  ｐ．  １６３−１７９  ｉｎ  Ｅｓｓｅｎｔｉａｌｓ  ｏｆ  Ｇｅｎｅｒａｌ  Ｓｕｒｇｅｒｙ，  Ｂ．  Ｓｕｎ  ｅｄ．，  Ｌｉｐｐｉｎｃｏｔｔ  Ｗｉｌｌｉａｍｓ  &  Ｗｉｌｋｉｎｓ，  （２００６）．  ＮＰＬ−７１８
【非特許文献７４８】  ＳＵＭＰＩＯ，  Ｂ．Ｅ．，  ｅｔ  ａｌ．，  "Ｒｏｌｅ  ｏｆ  ｎｅｇａｔｉｖｅ  ｐｒｅｓｓｕｒｅ  ｗｏｕｎｄ  ｔｈｅｒａｐｙ  ｉｎ  ｔｒｅａｔｉｎｇ  ｐｅｒｉｐｈｅｒａｌ  ｖａｓｃｕｌａｒ  ｇｒａｆｔ  ｉｎｆｅｃｔｉｏｎｓ，"  Ｖａｓｃｕｌａｒ，  １６（４）：１９４−２００，  （２００８）．  ＮＰＬ−７１９
【非特許文献７４９】  ＴＡＢＥＲＳ  Ｃｙｃｌｏｐｅｄｉｃ  Ｍｅｄｉｃａｌ  Ｄｉｃｔｉｏｎａｒｙ，  Ｅｄｉｔｉｏｎ  ２０，  ｐｐｓ：  ３０６−３０９，  ７２８−７２９，  ７６５，  １７２６，  ａｎｄ  ２００６−２００９．  （２００５）．  ＮＰＬ−７２０
【非特許文献７５０】  ＭＩＬＬＳ，  Ｎ．，  Ｐｏｌｙｍｅｒ  Ｆｏａｍｓ  Ｈａｎｄｂｏｏｋ：  ｅｎｇｉｎｅｅｒｉｎｇ  ａｎｄ  ｂｉｏｍｅｃｈａｎｉｃｓ  ａｐｐｌｉｃａｔｉｏｎｓ  ａｎｄ  ｄｅｓｉｇｎ  ｇｕｉｄｅ，  ｐｐ．  ２−３，  （２００７）．  ＮＰＬ−７２２
【非特許文献７５１】  ＢＵＣＫＮＡＬＬ，  Ｔ．Ｅ．，  ｅｔ  ａｌ．．  ｅｄｓ．，  "Ｓｕｔｕｒｅｓ  ａｎｄ  ｄｒｅｓｓｉｎｇｓ，"  ｐ．  ８８−９３  ｉｎ  Ｗｏｕｎｄ  Ｈｅａｌｉｎｇ  ｆｏｒ  Ｓｕｒｇｅｏｎｓ，  （１９８４）．  ＮＰＬ−７２３
【非特許文献７５２】  ＰＡＲＫＥＲ，  Ｓ．Ｐ．，  ｅｄ．，  ＭｃＧｒａｗ−Ｈｉｌｌ  Ｄｉｃｔｉｏｎａｒｙ  ｏｆ  Ｓｃｉｅｎｔｉｆｉｃ  ａｎｄ  Ｔｅｃｈｎｉｃａｌ  Ｔｅｒｍｓ，  ５ｔｈ  ｅｄ．，  ｐｐ．  １３９，  ５３３，  ７７２，  ａｎｄ  １６７２  （１９９４）．  ＮＰＬ−７２６
【非特許文献７５３】  ＡＬＧＥＲ，  Ｍ．Ｓ．Ｍ．，  Ｐｏｌｙｍｅｒ  Ｓｃｉｅｎｃｅ  Ｄｉｃｔｉｏｎａｒｙ，  （４  ｓｈｅｅｔｓ），  Ｅｌｓｅｖｉｅｒ  Ｓｃｉｅｎｃｅ  Ｐｕｂｌｉｓｈｅｒｓ  Ｌｔｄ．  （１９８９）．  ＮＰＬ−７２９
【非特許文献７５４】  Ｓｔｅｄｍａｎｓ  Ｍｅｄｉｃａｌ  Ｄｉｃｔｉｏｎａｒｙ，  ２５ｔｈ  ｅｄ．，  ｐｐ．  ５５４，  ６６７−６６８，  ａｎｄ  １６０３−１６０４，  Ｗｉｌｌｉａｍｓ  &  Ｗｉｌｋｉｎｓ，  （１９９０）．  ＮＰＬ−７３０
【非特許文献７５５】  Ｗｅｂｓｔｅｒｓ  Ｎｅｗ  Ｗｏｒｌｄ  Ｄｉｃｔｉｏｎａｒｙ  ｏｆ  ｔｈｅ  Ａｍｅｒｉｃａｎ  Ｌａｎｇｕａｇｅ，  ｐｐ．  １１０５，  Ｓｉｍｏｎ  &  Ｓｃｈｕｓｔｅｒ，  Ｉｎｃ．，  （１９８４）．  ＮＰＬ−７３１
【非特許文献７５６】  Ｔｒａｎｓｅａｌ  ｔｒａｎｓｐａｒｅｎｔ  ｗｏｕｎｄ  ｄｒｅｓｓｉｎｇ，  ＤｅＲｏｙａｌ，  ４  ｓｈｅｅｔｓ  （２００３）．  ＮＰＬ−７３３
【非特許文献７５７】  ＫＵＺＮＥＴＳＯＶ，  Ｖ．Ａ．，  "Ｖａｃｕｕｍ  ａｎｄ  ｖａｃｕｕｍ−ｓｏｒｐｔｉｏｎ  ｔｒｅａｔｍｅｎｔ  ｏｆ  ｏｐｅｎ  ｓｅｐｔｉｃ  ｗｏｕｎｄｓ，"  ｉｎ  ＩＩ  Ａｌｌ−ｕｎｉｏｎ  ｃｏｎｆｅｒｅｎｃｅ  "Ｗｏｕｎｄｓ  ａｎｄ  ｗｏｕｎｄ  ｉｎｆｅｃｔｉｏｎｓ"  "（Ｐｒｅｓｅｎｔａｔｉｏｎ  ａｂｓｔｒａｃｔｓ）"  ｉｎ  Ｒｕｓｓｉａｎ  ｗｉｔｈ  Ｅｎｇｌｉｓｈ  ｔｒａｎｓｌａｔｉｏｎ  ｄａｔｅｄ  Ａｐｒ．  ２，  ２００９，  ｗｉｔｈ  ｔａｂｌｅ  ｏｆ  ｃｏｎｔｅｎｔｓ，  Ｍｏｓｃｏｗ，  Ｏｃｔ  ２８−２９，  １９８６．  ＮＰＬ−７３４
【非特許文献７５８】  Ｂｒｉｔｉｓｈ  Ｐｈａｒｍａｃｏｐｏｅｉａ  １９，  Ｖｏｌ．  ＩＩ，  ｐ．  ９２７  ａｎｄ  ｐ．  ５４８  ｏｆ  １９８６  ａｄｄｅｎｄｕｍ，  （Ｖｏｌ．  ＩＩ  −  １９８０，  ａｄｄｅｎｄｕｍ  −  １９８６）．  ＮＰＬ−７３８
【非特許文献７５９】  ＫＣＩ，  "Ｔｈｅ  Ｖ．Ａ．Ｃ．  ｏｐｅｒａｔｉｏｎｓ  ｓｕｍｍａｒｙ，"  ７  ｓｈｅｅｔｓ，  （１９９９）．  ＮＰＬ−７３２
【非特許文献７６０】  ＫＡＮＳＨＩＮ，  Ｎ．Ｎ．，  "Ｃｌｏｓｅｄ  ｔｒｅａｔｍｅｎｔ  ｏｆ  ｓｕｐｐｕｒａｔｉｖｅ  ｐｒｏｃｅｓｓｅｓ  ｂｙ  ｔｈｅ  ｍｅｔｈｏｄ  ｏｆ  ａｃｔｉｖｅ  ｌａｖａｇｅ  ｄｒａｉｎａｇｅ，"  Ｔｈｉｒｄ  Ｓｕｒｇｉｃａｌ  Ｃｌｉｎｉｃ  ｏｆ  ｔｈｅ  Ｎ．Ｖ．  Ｓｋｌｉｆｏｓｏｖｋｉｙ  Ｍｏｓｃｏｗ  Ｓｃｉｅｎｔｉｆｉｃ  Ｒｅｓｅａｒｃｈ  Ｉｎｓｔｉｔｕｔｅ  ｏｆ  Ｅｍｅｒｇｅｎｃｙ  Ｃａｒｅ，  ｐｐ．  １８−２３，  （６  ｓｈｅｅｔｓ  ｉｎ  Ｅｎｇｌｉｓｈ，  ６  ｓｈｅｅｔｓ  ｉｎ  Ｒｕｓｓｉａｎ  ａｎｄ  Ｅｎｇｌｉｓｈ  ａｂｓｔｒａｃｔ  ｏｎ  ｐａｇｅｓ  ２２−２３），  ａｌｌｅｇｅｄｌｙ  ｓｕｂｍｉｔｔｅｄ  １９７９．  ＮＰＬ−７１０
【非特許文献７６１】  ＬＯＫＨＶＩＴＳＫＩＩ，  Ｓ．Ｖ．，  ｅｔ  ａｌ．，  "Ｅｘｔｅｒｎａｌ  ｖａｃｕｕｍ  ａｓｐｉｒａｔｉｏｎ  ｉｎ  ｔｈｅ  ｔｒｅａｔｍｅｎｔ  ｏｆ  ｐｕｒｕｌｅｎｔ  ｄｉｓｏｒｄｅｒｓ  ｏｆ  ｔｈｅ  ｓｏｆｔ  ｔｉｓｓｕｅｓ，"  Ｉｎｐａｔｉｅｎｔ  Ｓｕｒｇｅｒｙ  Ｃｌｉｎｉｃ  ｏｆ  ｔｈｅ  Ｔｈｅｒａｐｅｕｔｉｃ  Ｄｅｐａｒｔｍｅｎｔ  ａｔ  Ｋａｒａｇａｎｄｙ  Ｍｅｄｉｃａｌ  Ｉｎｓｔｉｔｕｔｅ，  Ｍｕｎｉｃｉｐａｌ  Ｈｏｓｐｉｔａｌ  Ｎｏ．  １，  Ｔｅｍｉｒｔａｕ，  ｐｐ．  １３０−１３４  （５  ｓｈｅｅｔｓ  Ｅｎｇｌｉｓｈ，  ５  ｓｈｅｅｔｓ  Ｒｕｓｓｉａｎ），  ａｌｌｅｇｅｄｌｙ  ｓｕｂｍｉｔｔｅｄ  Ｓｅｐ．  ２２，  １９８２．  ＮＰＬ−７０９
【非特許文献７６２】  ＥＲＳＨ，  Ｚ．  Ｙａ．，  "Ｕｓｅ  ｏｆ  ｐｏｌｙｕｒｅｔｈａｎｅ  ｆｏａｍ  ｆｏｒ  ｔｒｅａｔｉｎｇ  ｐｕｒｕｌｅｎｔ  ｃａｖｉｔｉｅｓ  ａｎｄ  ｗｏｕｎｄｓ，"  Ｐｕｒｕｌｅｎｔ  Ｓｅｐｔｉｃ  Ｕｎｉｔ  ｏｆ  Ｈｏｓｐｉｔａｌ  Ｎｏ．  ３５，  （２  ｓｈｅｅｔｓ  Ｅｎｇｌｉｓｈ  ａｎｄ  ２  ｓｈｅｅｔｓ  Ｒｕｓｓｉａｎ），  ａｌｌｅｇｅｄｌｙ  ｓｕｂｍｉｔｔｅｄ  ｆｏｒ  ｐｕｂｌｉｃａｔｉｏｎ  Ｍａｒ．  ２１，  １９８４．  ＮＰＬ−７０８
【非特許文献７６３】  ３ＭＴＭ  Ｔｅｇａｄｅｒｍ  ＴＭ  Ｔｒａｎｓｐａｒｅｎｔ  ｆｉｌｍ  ｄｒｅｓｓｉｎｇｓ  −  ｗｏｕｎｄ，  Ｃｏｍｍｏｎｌｙ  ａｓｋｅｄ  ｑｕｅｓｔｉｏｎｓ，  ４  ｓｈｅｅｔｓ，  （Ｊａｎ．  ２００７）．  ＮＰＬ−７３７
【非特許文献７６４】  ＧＲＥＥＮＥ，  Ａ．Ｋ．，  ｅｔ  ａｌ．，  "Ｍｉｃｒｏｄｅｆｏｒｍａｔｉｏｎａｌ  ｗｏｕｎｄ  ｔｈｅｒａｐｙ，"  Ａｎｎ．  Ｐｌａｓｔ．  Ｓｕｒｇ．，  ５６（４）：４１８−４２２，  （２００６）．  ＮＰＬ−７１３
【非特許文献７６５】  ＢＵＩ，  Ｔ．Ｄ．，  ｅｔ  ａｌ．，  "Ｎｅｇａｔｉｖｅ  ｐｒｅｓｓｕｒｅ  ｗｏｕｎｄ  ｔｈｅｒａｐｙ  ｗｉｔｈ  ｏｆｆ−ｔｈｅ−ｓｈｅｌｆ  ｃｏｍｐｏｎｅｎｔｓ，"  Ａｍ．  Ｊ．  Ｓｕｒｇ．，  １９２：２３５−２３７，  （２００６）．  ＮＰＬ−７０６
【非特許文献７６６】  ＬＡＲＩＣＨＥＶ，  Ａ．Ｂ．，  ｅｔ  ａｌ．，  "Ｖａｃｕｕｍ−ｔｈｅｒａｐｙ  ｉｎ  ｔｈｅ  ｃｏｍｐｌｅｘ  ｏｆ  ｔｒｅａｔｍｅｎｔ  ｏｆ  ｆｅｓｔｅｒｉｎｇ  ｗｏｕｎｄｓ，"  Ｋｈｉｒｕｒｇｉｉａ  （Ｍｏｓｋ．），  ６：２２−２６，  （１３  ｓｈｅｅｔｓ  Ｅｎｇｌｉｓｈ  ｔｒａｎｓｌａｔｉｏｎ，  ５  ｓｈｅｅｔｓ  ｉｎ  Ｒｕｓｓｉａｎ，  Ｅｎｇｌｉｓｈ  ａｂｓｔｒａｃｔ  ｏｎ  ｐｐ．  ２２），  （２００８）．  ＮＰＬ−７０７
【非特許文献７６７】  ＳＣＨＥＲＥＲ，  Ｓ．Ｓ．，  ｅｔ  ａｌ．，  "Ｔｈｅ  ｍｅｃｈａｎｉｓｍ  ｏｆ  ａｃｔｉｏｎ  ｏｆ  ｔｈｅ  ｖａｃｕｕｍ−ａｓｓｉｓｔｅｄ  ｃｌｏｓｕｒｅ  ｄｅｖｉｃｅ，"  Ｐｌａｓｔ．  Ｒｅｃｏｎｓｔｒ．  Ｓｕｒｇ．，  １２２：  ７８６−７９７，  （ｐｒｅｓｅｎｔｅｄ  ａｔ  ｔｈｅ  Ｗｏｕｎｄ  Ｈｅａｌｉｎｇ  Ｓｏｃｉｅｔｙ  Ｍｅｅｔｉｎｇ  ２００７  ｉｎ  Ｔａｍｐａ，  Ｆｌｏｒｉｄａ，  Ａｐｒ．  ２８  −Ｍａｙ  １）  （２００８）．  ＮＰＬ−７１２
【非特許文献７６８】  Ｔａｂｅｒｓ  Ｃｙｃｌｏｐｅｄｉｃ  Ｍｅｄｉｃａｌ  Ｄｉｃｔｉｏｎａｒｙ，  １６ｔｈ  ｅｄｉｔｉｏｎ，  ｐｐ．  ６１３−６１４，  ６４３，  ６７９，  １４４４，  ａｎｄ  １６８６−１６８８，  （１９８９）．  ＮＰＬ−７４０
【非特許文献７６９】  ＰＡＲＫＥＲ，  Ｓ．Ｐ．，  ｅｄ．，  ＭｃＧｒａｗ−Ｈｉｌｌ  Ｄｉｃｔｉｏｎａｒｙ  ｏｆ  Ｓｃｉｅｎｔｉｆｉｃ  ａｎｄ  Ｔｅｃｈｎｉｃａｌ  Ｔｅｒｍｓ，  ４ｔｈ  ｅｄ．，  ｐｐ．  １４６２，  （１９８９）．  ＮＰＬ−７４１
【非特許文献７７０】  Ｇｏｖｅ，  Ｐ．Ｂ．，  ｅｄ．，  Ｗｅｂｓｔｅｒｓ  Ｔｈｉｒｄ  Ｎｅｗ  Ｉｎｔｅｒｎａｔｉｏｎａｌ  Ｄｉｃｔｉｏｎａｒｙ  Ｕｎａｂｒｉｄｇｅｄ，  ｐｐ．  ８６９  ａｎｄ  ２６２７  （１９８６）．  ＮＰＬ−７４２
【非特許文献７７１】  ＰＥＡＣＯＣＫ，  Ｊｒ．，  Ｅ．Ｅ．，  Ｗｏｕｎｄ  Ｒｅｐａｉｒ，  ３ｄ  ｅｄｉｔｉｏｎ，  Ｗ．Ｂ．  Ｓａｕｎｄｅｒｓ  Ｃｏｍｐａｎｙ  ｐｐ．  １２−１４，  ｐｐ．  ３８−５１，  Ｃｈａｐｔｅｒ  ６  Ｒｅｐａｉｒ  ｏｆ  ｓｋｉｎ  ｗｏｕｎｄｓ，  （１９８４）．  ＮＰＬ−７２１
【非特許文献７７２】  Ｓｐａｒｔａｎｂｕｒｇ  Ｒｅｇｉｏｎａｌ  Ｍｅｄｉｃａｌ  Ｃｅｎｔｅｒ  Ｏｐｅｒａｔｉｖｅ  ｒｅｐｏｒｔｓ，  ３５  ｓｈｅｅｔｓ，  ｄａｔｅｄ  １９８９．  ＮＰＬ−７４７
【非特許文献７７３】  ＪＯＨＮＳＯＮ，  Ｆ．Ｅ．，  "Ｅｘｐａｎｄｅｄ  ｕｓｅ  ｏｆ  ｓｕｃｔｉｏｎ  ｄｒａｉｎｓ，"  ｐｐ．  ４６９  ａｎｄ  １  ｓｈｅｅｔ  ｏｆ  ｄｒａｗｉｎｇｓ  （ａｌｌｅｇｅｄｌｙ  ｄａｔｅｄ  １９８５）．  ＮＰＬ−７４８
【非特許文献７７４】  ＢＲＯＳＳＹ，  Ｊ．−Ｊ．，  "Ｆｏａｍ  ｅｌａｓｔｏｍｅｒ  ｄｒｅｓｓｉｎｇｓ  ｉｎ  ｓｕｒｇｅｒｙ，"  ＳＡ  Ｍｅｄｉｃａｌ  Ｊｏｕｒｎａｌ，  ５９：５５９−５６０，  （Ａｐｒ．  １９８１）．  ＮＰＬ−７４９
【非特許文献７７５】  ＧＲＯＶＥＳ，  Ａ．Ｒ．，  ｅｔ  ａｌ．，  "Ｓｉｌａｓｔｉｃ  ｆｏａｍ  ｄｒｅｓｓｉｎｇ：  ａｎ  ａｐｐｒａｉｓａｌ，"  Ａｎｎａｌｓ  ｏｆ  ｔｈｅ  Ｒｏｙａｌ  Ｃｏｌｌｅｇｅ  ｏｆ  Ｓｕｒｇｅｏｎｓ  ｏｆ  Ｅｎｇｌａｎｄ，  ｖｏｌ．  ６７，  ｐｐ．  １１７−１１８  ａｎｄ  ａｄｄｉｔｉｏｎａｌ  ｐａｇｅ，  （１９８５）．  ＮＰＬ−７５０
【非特許文献７７６】  ＨＡＲＤＩＮＧ，  Ｋ．Ｇ．，  ｅｔ  ａｌ．，  "Ｓｉｌａｓｔｉｃ  ｆｏａｍ  ｄｒｅｓｓｉｎｇ  ｆｏｒ  ｓｋｉｎ  ｇｒａｆｔ  ｄｏｎｏｒ  ｓｉｔｅｓ  -  ａ  ｐｒｅｌｉｍｉｎａｒｙ  ｒｅｐｏｒｔ，"  Ｂｒ．  ４，  Ｐｌａｓｔ．  Ｓｕｒｇ．，  ３３：４１８−４２１，  （１９８０）．  ＮＰＬ−７５１
【非特許文献７７７】  ＭＡＬＯＮＥ，  Ｗ．Ｄ．，  "Ｗｏｕｎｄ  ｄｒｅｓｓｉｎｇ  ａｄｈｅｒｅｎｃｅ：  ａ  ｃｌｉｎｉｃａｌ  ｃｏｍｐａｒｉｔｉｖｅ  ｓｔｕｄｙ，"  Ａｒｃｈｉｖｅｓ  ｏｆ  Ｅｍｅｒｇｅｎｃｙ  Ｍｅｄｉｃｉｎｅ，  ４：１０１−１０５，  （１９８７）．  ＮＰＬ−７５２
【非特許文献７７８】  Ｍｏｂｌｖａｃ  ＩＩ  ａｄｖｅｒｔｉｓｉｎｇ  ｍａｔｅｒｉａｌｓ，  ４  ｓｈｅｅｔｓ，  ａｌｌｅｇｅｄｌｙ  ｄａｔｅｄ  １９８４．  ＮＰＬ−７５３
【非特許文献７７９】  ＢＵＣＫＮＡＬＬ，  Ｔ．Ｅ．  ｅｄ．，  ｅｔ  ａｌ．，  "Ｗｏｕｎｄ  ｈｅａｌｉｎｇ  ｆｏｒ  ｓｕｒｇｅｏｎｓ，"  Ｉｎｔｒｏｄｕｃｔｉｏｎ，  Ｃｈａｐｔｅｒ  １  Ｔｈｅ  ｈｅａｌｉｎｇ  ｗｏｕｎｄ，  Ｃｈａｐｔｅｒ  ２  Ｗｏｕｎｄ  ｓｔｒｅｎｇｔｈ，  Ｃｈａｐｔｅｒ  ３  Ｆａｃｔｏｒｓ  ａｆｆｅｃｔｉｎｇ  ｈｅａｌｉｎｇ，  Ｃｈａｐｔｅｒ  ４  Ｓｕｔｕｒｅｓ  ａｎｄ  ｄｒｅｓｓｉｎｇｓ，  Ｃｈａｐｔｅｒ  ５  Ｃｌｉｎｉｃａｌ  ｔｒｉａｌｓ，  Ｃｈａｐｔｅｒ  ６  Ｓｋｉｎ  ｈｅａｌｉｎｇ  ａｎｄ  ｂｕｍｓ，  ａｎｄ  Ｃｈａｐｔｅｒ  ７  Ｔｈｅ  ａｂｄｏｍｉｎａｌ  ｗａｌｌ，  （１９８４）．  ＮＰＬ−７５４
【非特許文献７８０】  ＢＲＵＢＡＣＨＥＲ，  Ｌ．Ｌ．，  "Ｔｏ  ｈｅａｌ  ａ  ｄｒａｉｎｉｎｇ  ｗｏｕｎｄ，"  ＲＮ，  ４５（３）：３０−３６  （Ｍａｒ．  １９８２）．  ＮＰＬ−７５５
【非特許文献７８１】  ＤＡＨＬＩＮ，  Ｐ．Ａ．，  ｅｔ  ａｌ．，  "Ｃｅｒｅｂｒｏｓｐｉｎａｌ  ｆｌｕｉｄ  ｌｅａｋ  ｂｅｃａｕｓｅ  ｏｆ  ｐｒｅｓｓｕｒｅ  ｓｏｒｅ  ｆｉｓｔｕｌａ  ｉｎ  ａ  ｑｕａｄｒｉｐｌｅｇｉｃ，"  Ｓｐｉｎｅ，  １２（１）：７２−７５，  （１９８７）．  ＮＰＬ−７５６
【非特許文献７８２】  ＤＯＷＮＩＥ，  Ｐ．Ａ．，  ｅｄ．，  Ｃａｓｈｓ  ｔｅｘｔｂｏｏｋ  ｏｆ  ｍｅｄｉｃａｌ  ｃｏｎｄｉｔｉｏｎｓ  ｆｏｒ  ｐｈｙｓｉｏｔｈｅｒａｐｉｓｔｓ，  Ｃｈａｐｔｅｒ  １  Ｉｎｆｌａｍｍａｔｉｏｎ  ａｎｄ  ｈｅａｌｉｎｇ，  Ｃｈａｐｔｅｒ  ２  Ｏｅｄｅｍａ，  Ｃｈａｐｔｅｒ  １９  Ｓｋｉｎ  ｃｏｎｄｉｔｉｏｎｓ，  Ｃｈａｐｔｅｒ  ２０  Ｂｕｒｎｓ，  Ｂ．  Ｌｉｐｐｉｎｃｏｔｔ  Ｃｏ．，  （１９７９）．  ＮＰＬ−７５７
【非特許文献７８３】  ＥＲＳＨ，  Ｚ．  Ｙａ．，  "Ｕｓｅ  ｏｆ  ｐｏｌｙｕｒｅｔｈａｎｅ  ｆｏａｍ  ｆｏｒ  ｃｌｅａｎｉｎｇ  ｏｆ  ｐｕｒｕｌｅｎｔ  ｃａｖｉｔｉｅｓ  ａｎｄ  ｗｏｕｎｄｓ，"Ｉ．Ｉ．  Ｇｒｅｋｏｖ  Ｊ．  ｏｆ  Ｓｕｒｇ．，  １３３  （９）：１３４−１３５  ａｎｄ  ａｄｄｉｔｉｏｎａｌ  ｓｈｅｅｔｓ  （１０  ｓｈｅｅｔｓ  ｉｎ  Ｅｎｇｌｉｓｈ  ａｎｄ  ５  ｓｈｅｅｔｓ  ｉｎ  Ｒｕｓｓｉａｎ）  （１９８４）．  ＮＰＬ−７５８
【非特許文献７８４】  ＦＡＳＯＬ，  Ｐ．，  ｅｔ  ａｌ．，  "Ｔｈｅ  ｆｏｉｌ  ｖａｃｕｕｍ  ｄｒｅｓｓｉｎｇ  ｆｏｒ  ｔｈｅ  ｔｒｅａｔｍｅｎｔ  ｏｆ  ｉｎｆｅｃｔｅｄ  ｓｋｉｎ  ｄｅｆｅｃｔｓ，"  Ａｃｔａ  Ｃｈｉｒ．  Ａｕｓｔｒｉａｃａ  １１６−１１８，  （２  ｓｈｅｅｔｓ  Ｅｎｇｌｉｓｈ  ａｎｄ  ３  ｓｈｅｅｔｓ  Ｇｅｒｍａｎ）  （１９７６）．  ＮＰＬ−７５９
【非特許文献７８５】  ＧＲＵＥＮＤＥＭＡＮＮ，  Ｂ．Ｊ．，  ｅｔ  ａｌ．，  Ａｌｅｘａｎｄｅｒｓ  Ｃａｒｅ  ｏｆ  ｔｈｅ  ｐａｔｉｅｎｔ  ｉｎ  ｓｕｒｇｅｒｙ，  ８ｔｈ  ｅｄ．，  Ｃ．Ｖ．  Ｍｏｓｂｙ  Ｃｏ．，  ｐｐ．  １３８−１３９  （１９８７）．  ＮＰＬ−７６１
【非特許文献７８６】  ＫＩＲＫ−ＯＴＨＭＥＲ  Ｅｎｃｙｃｌｏｐｅｄｉａ  ｏｆ  ｃｈｅｍｉｃａｌ  ｔｅｃｈｎｏｌｏｇｙ，  ３ｄ  ｅｄ．，  ｖｏｌ．  ８，  ｐｐ．  ２０１−２０３  （１９７９）．  ＮＰＬ−７６２
【非特許文献７８７】  ＫＯＳＴＹＵＣＨＥＮＯＫ，  Ｂ．Ｍ．，  ｅｔ  ａｌ．，  "Ｖａｃｕｕｍ  ｔｒｅａｔｍｅｎｔ  ｏｆ  ｐｕｒｕｌｅｎｔ  ｗｏｕｎｄｓ，"  Ｓｏｖｉｅｔ  Ｍｅｄｉｃｉｎｅ，  ｐｐ．  １８−２１，  （４  ｓｈｅｅｔｓ  Ｅｎｇｌｉｓｈ，  ４  ｓｈｅｅｔｓ  Ｒｕｓｓｉａｎ，  ｗｉｔｈ  Ｅｎｇｌｉｓｈ  ａｂｓｔｒａｃｔ  ｏｎ  ｌａｓｔ  ｐａｇｅ），  （１９８４）．  ＮＰＬ−７６３
【非特許文献７８８】  ＫＵＺＩＮ，  Ｍ．Ｉ．，  ｅｔ  ａｌ，  "Ｍｅｔｈｏｄ  ｏｆ  ｖａｃｕｕｍ  ｔｒｅａｔｍｅｎｔ  ｏｆ  ｗｏｕｎｄｓ，"  Ｗｏｕｎｄｓ  ａｎｄ  Ｗｏｕｎｄ  Ｉｎｆｅｃｔｉｏｎ，  ｐｐ．  ３４８−３５０，  （２  ｓｈｅｅｔｓ）  （１９８１）．  ＮＰＬ−７６４
【非特許文献７８９】  ＴＲＡＮＣＨＥＬＬ，  Ｈ．Ｇ．，  ｅｔ  ａｌ．，  Ｃｉｒｃｕｌａｔｏｒｙ  Ｕｌｃｅｒｓ  Ａ  Ｐｈｙｓｉｃｉａｌ  Ａｐｐｒｏａｃｈ，  Ｊｏｈｎ  Ｗｒｉｇｈｔ  &  Ｓｏｎｓ  Ｌｔｄ．，  Ｂｒｉｓｔｏｌ，  Ｆｏｒｅｗｏｒｄ，  Ｉ．  Ｕｌｃｅｒｓ：  ａ  ｃｏｍｐａｒｉｓｏｎ，  ＩＩ．  Ｔｈｅ  ｕｌｃｅｒ，  ｐｐ．  ４４−４７，  ａｎｄ  ５４−５５，  （１９６０）．  ＮＰＬ−７６６
【非特許文献７９０】  ＰＡＲＩＳＨ，  Ｌ．Ｃ．，  ｅｔ  ａｌ．，  "Ｔｈｅ  ｉｎｆｅｃｔｅｄ  ｄｅｃｕｂｉｔｕｓ  ｕｌｃｅｒ，"  Ｉｎｔ．  Ｊ．  Ｄｅｒｍａｔｏｌ．，  ２８：６４３−６４７  （Ｄｅｃ．  １９８９）．  ＮＰＬ−７６８
【非特許文献７９１】  ＤＡＶＹＤＯＶ，  Ｙ．Ａ．，  ｅｔ  ａｌ．，  "Ｄｅｖｉｃｅ  ａｎｄ  ｍｅｔｈｏｄ  ｆｏｒ  ｖａｃｕｕｍ  ｔｈｅｒａｐｙ  ｏｆ  ｐｕｒｕｌｅｎｔ  ｌａｃｔａｔｉｏｎ  ｍａｓｔｉｔｅｓ，"  Ｋｈｉｒｕｒｇｉｙａ，  （４）：１３１−１３２，  （Ａｐｒ．  １９８８）．  ＤＶ１５
【非特許文献７９２】  ＤＡＶＩＤＯＶ，  Ｙ．Ａ．，  ｅｔ  ａｌ．，  "Ｊｕｓｔｉｆｙｉｎｇ  ｔｈｅ  ｕｓａｇｅ  ｏｆ  ｆｏｒｃｅｄ  ｅａｒｌｙ  ｓｅｃｏｎｄａｒｙ  ｓｕｔｕｒｅｓ  ｉｎ  ｔｒｅａｔｍｅｎｔ  ｏｆ  ｐｕｒｕｌｅｎｔ  ｗｏｕｎｄｓ  ｂｙ  ｔｈｅ  ｖａｃｕｕｍ  ｔｈｅｒａｐｙ，"  Ｖｅｓｔｎｉｋ  Ｃｈｉｒｕｇｉａ  １２６−１２９，  （２  ｓｈｅｅｔｓ  ｉｎ  Ｅｎｇｌｉｓｈ  ａＤＡＶＩＤＯＶ，  Ｙ．Ａ．，  ｅｔ  ａｌ．，  "Ｊｕｓｔｉｆｙｉｎｇ  ｔｈｅ  ｕｓａｇｅ  ｏｆ  ｆｏｒｃｅｄ  ｅａｒｌｙ  ｓｅｃｏｎｄａｒｙ  ｓｕｔｕｒｅｓ  ｉｎ  ｔｒｅａｔｍｅｎｔ  ｏｆ  ｐｕｒｕｌｅｎｔ  ｗｏｕｎｄｓ  ｂｙ  ｔｈｅ  ｖａｃｕｕｍ  ｔｈｅｒａｐｙ，"  Ｖｅｓｔｎｉｋ  Ｃｈｉｒｕｇｉａ  １２６−１２９，  （２  ｓｈｅｅｔｓ  ｉｎ  Ｅｎｇｌｉｓｈ  ａｎｄ  ３  ｓｈｅｅｔｓ  ｉｎ  Ｒｕｓｓｉａｎ）  （Ｍａｒ．  １９９０）．  ＤＶ１６ｎｄ  ３  ｓｈｅｅｔｓ  ｉｎ  Ｒｕｓｓｉａｎ）  （Ｍａｒ．  １９９０）．  ＤＶ１６
【非特許文献７９３】  ＤＡＶＹＤＯＶ，  Ｙ．Ａ．，  ｅｔ  ａｌ．，  "Ｐａｔｈｏｇｅｎｉｃ  ｍｅｃｈａｎｉｓｍｓ  ｏｆ  ｔｈｅ  ｅｆｆｅｃｔ  ｏｆ  ｖａｃｕｕｍ  ｔｈｅｒａｐｙ  ｏｎ  ｔｈｅ  ｃｏｕｒｓｅ  ｏｆ  ｔｈｅ  ｗｏｕｎｄ  ｐｒｏｃｅｓｓ，"  Ｋｈｉｒｕｒｇｉｙａ，  ６：４２−４７  （７  ｓｈｅｅｔｓ  Ｅｎｇｌｉｓｈ  ａｎｄ  ８  ｓｈｅｅｔｓ  Ｒｕｓｓｉａｎ，  ｗｉｔｈ  Ｅｎｇｌｉｓｈ  ａｂｓｔｒａｃｔ  ｏｎ  ｐｐ．  ４６−４７）  （１９９０）．  ＤＶ１７
【非特許文献７９５】  ＤＡＶＹＤＯＶ，  Ｙ．Ａ．，  ｅｔ  ａｌ．，  "Ｂａｃｔｅｒｉｏｌｏｇｉｃａｌ  ａｎｄ  ｃｙｔｏｌｏｇｉｃａｌ  ｅｖａｌｕａｔｉｏｎ  ｏｆ  ｖａｃｕｕｍ  ｔｈｅｒａｐｙ  ｏｆ  ｐｕｒｕｌｅｎｔ  ｗｏｕｎｄｓ"，  Ｖｅｓｔｎｉｋ  ｋｈｉｒｕｒｇｉｉ，  １０：４８−５２，  （５  ｓｈｅｅｔｓ  Ｅｎｇｌｉｓｈ，  ５  ｓｈｅｅｔｓ  Ｒｕｓｓｉａｎ，  Ｅｎｇｌｉｓｈ  ａｂｓｔｒａｃｔ  ｏｎ  ｐｐ．  ５２）  （Ｒｅｃｅｉｖｅｄ  １９８７）．  ＤＶ１８
【非特許文献７９５】  ＤＡＶＹＤＯＶ，  Ｙ．Ａ．，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ｐｕｒｕｌｅｎｔ  ｌａｃｔａｔｉｏｎ  ｍａｓｔｉｔｉｓ，"  ｐｐ．  ６６−７０  （５  ｓｈｅｅｔｓ  Ｅｎｇｌｉｓｈ，  ５  ｓｈｅｅｔｓ  Ｒｕｓｓｉａｎ，  Ｅｎｇｌｉｓｈ  ａｂｓｔｒａｃｔ  ｏｎ  ｐｐ．  ７０）  （Ｒｅｃｅｉｖｅｄ  １９８６）．  ＤＶ１９
【非特許文献７９６】  ＤＡＶＹＤＯＶ，  Ｙ．Ａ．，  ｅｔ  ａｌ．，  "Ｖａｃｕｕｍ  ｔｈｅｒａｐｙ  ｉｎ  ｔｈｅ  ｔｒｅａｔｍｅｎｔ  ｏｆ  ａｃｕｔｅ  ｐｕｒｕｌｅｎｔ  ｄｉｓｅａｓｅｓ  ｏｆ  ｓｏｆｔ  ｔｉｓｓｕｅｓ  ａｎｄ  ｐｕｒｕｌｅｎｔ  ｗｏｕｎｄｓ"，  Ｖｅｓｔ．  Ｋｈｉｒ．  １４１（９）：４３−４６  （６  ｓｈｅｅｔｓ  Ｅｎｇｌｉｓｈ，  ６  ｓｈｅｅｔｓ  Ｒｕｓｓｉａｎ，  Ｅｎｇｌｉｓｈ  ａｂｓｔｒａｃｔ  ｏｎ  ｐｐ．  ４６）  （１９８８）．  ＤＶ２０
【非特許文献７９７】  ３Ｍ  ＴＭ  Ｉｎｚｉｓｉｏｎｓｆｏｌｉｅｎ  −  Ｐｒｏｄｕｋｔｕｂｅｒｓｉｃｈｔ，  ｂｙ  ３Ｍ  Ｍｅｄｉｃａ，  ６  ａｎｎｏｔａｔｅｄ  ｓｈｅｅｔｓ．  ＮＰＬ−７７２
【非特許文献７９８】  ＡＰＰＬＩＣＡＴＩＯＮ  ｆｏｒ  ｒａｔｉｏｎａｌｉｚａｔｉｏｎ  ｐｒｏｐｏｓａｌ，  ｐｒｏｐｏｓａｌ  ｅｎｔｉｔｌｅｄ  "Ｖａｒｉａｎｔ  ｆｏｒ  ｖａｃｕｕｍ  ｔｒｅａｔｍｅｎｔ  ｏｆ  ｐｕｒｕｌｅｎｔ  ｗｏｕｎｄｓ，"  （４  ｓｈｅｅｔｓ  ｉｎ  Ｅｎｇｌｉｓｈ，  ４  ｓｈｅｅｔｓ  ｉｎ  Ｒｕｓｓｉａｎ，  ｃｅｒｔｉｆｉｃａｔｅ  ｏｆ  ｔｒａｎｓｌａｔｉｏｎ  ｄａｔｅｄ  Ｍａｙ  ８，  ２００９），  ｐｒｏｐｏｓａｌ  ａｌｌｅｇｅｄｌｙ  ｅｘｅｃｕｔｅｄ  Ｄｅｃ．  ２５，  １９８５  （Ｂａｇａｕｔｄｉｎｏｖ  Ｉｌｌ）．  ＮＰＬ−７７３
【非特許文献７９９】  ＢＵＳＣＨＢＡＵＭ，  Ｈ．Ｊ．，  ｅｄ．，  ｅｔ  ａｌ．，  Ｓｔｒａｔｅｇｉｅｓ  ｉｎ  Ｇｙｎｅｃｏｌｏｇｉｃ  Ｓｕｒｇｅｒｙ，  ｐｐ．  ２０３，  Ｓｐｒｉｎｇｅｒ−Ｖｅｒｌａｇ，  ＮＹ，  （１９８６）．  ＮＰＬ−７７４
【非特許文献８００】  ＦＬＹＮＮ，  Ｊ−Ｂ．  ＭｃＣ．，  ｅｔ  ａｌ．，  Ｔｅｃｈｎｏｌｏｇｉｃａｌ  Ｆｏｕｎｄａｔｉｏｎｓ  ｉｎ  Ｎｕｒｓｉｎｇ，  ｐｐ．  ５０６−５０７，  Ａｐｐｌｅｔｏｎ  &  Ｌａｎｇｅ，  Ｎｏｒｗａｌｋ，  ＣＴ，  （１９９０）．  ＮＰＬ−７７５
【非特許文献８０１】  ＧＯＭＣＯ  Ｍｏｂｉｌｅ  ｃｏｎｓｔａｎｔ  ａｎｄ  ｉｎｔｅｒｍｉｔｔｅｎｔ  ｍｏｄｅｌ  ６０３０  &  ６０３１，  Ｏｐｅｒａｔｉｏｎ，  Ｍａｉｎｔｅｎａｎｃｅ  ａｎｄ  Ｓｅｒｖｉｃｅ  Ｍａｎｕａｌ，  ｗｉｔｈ  ａｎｎｏｔａｔｉｏｎｓ，  ２１  ｓｈｅｅｔｓ，  （Ｊａｎ．  １９８７）．  ＮＰＬ−７７６
【非特許文献８０２】  ＫＡＨＬＳＯＮ，  Ｇ．，  ｅｔ  ａｌ．，  "Ｗｏｕｎｄ  ｈｅａｌｉｎｇ  ａｓ  ｄｅｐｅｎｄｅｎｔ  ｏｎ  ｒａｔｅ  ｏｆ  ｈｉｓｔａｍｉｎｅ  ｆｏｒｍａｔｉｏｎ，"  Ｔｈｅ  Ｌａｎｃｅｔ，  ｐｐ．  ２３０−２３４，  （Ｊｕｌ．  ３０，  １９６０）．  ＮＰＬ−７７７
【非特許文献８０３】  ＫＡＲＥＶ，  Ｉ．Ｄ．，  ｅｔ  ａｌ．，  "Ｆｏａｍ  ｄｒａｉｎａｇｅ  ｓｙｓｔｅｍ  ｆｏｒ  ｔｒｅａｔｉｎｇ  ｐｕｒｕｌｅｎｔ  ｗｏｕｎｄｓ，"  ｐｐ．  ８７−８８，  （２  ｓｈｅｅｔｓ  Ｅｎｇｌｉｓｈ  ｔｒａｎｓｌａｔｉｏｎ，  ２  ｓｈｅｅｔｓ  Ｒｕｓｓｉａｎ  ａｎｄ  ｃｅｒｔｉｆｃａｔｉｏｎ  ｏｆ  ｔｒａｎｓｌａｔｉｏｎ  ｄａｔｅｄ  Ａｐｒ．  ６，  ２００９）  （ａｌｌｅｇｅｄｌｙ  ｄａｔｅｄ  １９８６）．  ＮＰＬ−７７８
【非特許文献８０４】  ＫＯＺＩＥＲ，  Ｂ．，  ｅｔ  ａｌ．，  Ｔｅｃｈｎｉｑｕｅｓ  ｉｎ  Ｃｌｉｎｉｃａｌ  Ｎｕｒｓｉｎｇ，  ３ｄ  ｅｄ．，  ｐｐ．  ５５９−５６０，  ｐｐ．  ６０３−６０５，  Ａｄｄｉｓｏｎ−Ｗｅｓｌｅｙ  Ｐｕｂｌｉｓｈｉｎｇ  Ｃｏｍｐａｎｙ，  Ｉｎｃ．，  Ｈｅａｌｔｈ  Ｓｃｉｅｎｃｅｓ，  Ｒｅｄｗｏｏｄ  Ｃｉｔｙ，  ＣＡ，  （１９８９）．  ＮＰＬ−７７９
【非特許文献８０５】  ＭｃＬＥＡＮ，  Ｗ．  Ｃ．，  "Ｔｈｅ  ｒｏｌｅ  ｏｆ  ｃｌｏｓｅｄ  ｗｏｕｎｄ  ｎｅｇａｔｉｖｅ  ｐｒｅｓｓｕｒｅ  ｓｕｃｔｉｏｎ  ｉｎ  ｒａｄｉａｌ  ｓｕｒｇｉｃａｌ  ｐｒｏｃｅｄｕｒｅｓ  ｏｆ  ｔｈｅ  ｈｅａｄ  ａｎｄ  ｎｅｃｋ，"  Ｔｈｅ  Ｌａｒｙｎｇｏｓｃｏｐｅ，  ７４（１）７０−９４，  （Ｊａｎ．  １９６４）．  ＮＰＬ−７８０
【非特許文献８０６】  ＮＯＲＴＯＮ，  Ｂ．Ａ．，  ｅｔ  ａｌ．，  Ｓｋｉｌｌｓ  ｆｏｒ  Ｐｒｏｆｅｓｓｉｏｎａｌ  Ｎｕｒｓｉｎｇ  Ｐｒａｃｔｉｃｅ：  ｃｏｍｍｕｎｉｃａｔｉｏｎ，  ｐｈｙｓｉｃａｌ  ａｐｐｒａｉｓａｌ，  ａｎｄ  ｃｌｉｎｉｃａｌ  ｔｅｃｈｎｉｑｕｅｓ，  ｐｐ．  ２９８−３０２，  ｐｐ．  ３２８−３２９，  Ａｐｐｌｅｔｏｎ−Ｃｅｎｔｕｒｙ−Ｃｒｏｆｔｓ，  Ｎｏｒｗａｌｋ，  ＣＴ  （１９８６）．  ＮＰＬ−７８１
【非特許文献８０７】  ＢＡＧＡＵＴＤＩＮＯＶ，  Ｎ．Ａ．，  Ｒｅｐｏｒｔ  ｏｎ  Ｐｒａｃｔｉｃａｌ  Ａｐｐｌｉｃａｔｉｏｎ  ｅｎｔｉｔｌｅｄ  "Ｖａｒｉａｎｔ  ｏｆ  ｖａｃｕｕｍ  ｔｒｅａｔｍｅｎｔ  ｏｆ  ｐｕｒｕｌｅｎｔ  ｗｏｕｎｄｓ，"  Ｋａｚａｎ  Ｍｕｎｉｃｉｐａｌ  Ｈｏｓｐｉｔａｌ  Ｎｏ．  ８，  （１  ｓｈｅｅｔ  ｉｎ  Ｅｎｇｌｉｓｈ，  １  ｓｈｅｅｔ  ｉｎ  Ｒｕｓｓｉａｎ  ａｎｄ  ｃｅｒｔｉｆｉｃａｔｅ  ｏｆ  ｔｒａｎｓｌａｔｉｏｎ  ｄａｔｅｄ  Ｍａｙ  ８，  ２００９），  （ａｌｌｅｇｅｄｌｙ  ｄａｔｅｄ  Ｄｅｃ．  ２４，  １９８５）．  （Ｐｒａｃｔｉｃａｌ  Ｒｅｐｏｒｔ  Ｉ）  ＮＰＬ−７８２
【非特許文献８０８】  ＫＵＺＮＥＴＳＯＶ，  Ｖ．Ａ．  ｅｔ  ａｌ．，  Ｒｅｐｏｒｔ  ｏｎ  Ｐｒａｃｔｉｃａｌ  Ａｐｐｌｉｃａｔｉｏｎ  ｅｎｔｉｔｌｅｄ  "Ｍｅｔｈｏｄ  ｏｆ  ｖａｃｕｕｍ−ｓｏｒｐｔｉｏｎ  ｔｒｅａｔｍｅｎｔ  ｏｆ  ｐｕｒｕｌｅｎｔ  ｗｏｕｎｄｓ，"  Ｋａｚａｎ  Ｍｕｎｉｃｉｐａｌ  Ｈｏｓｐｉｔａｌ  Ｎｏ．  ８，  （１  ｓｈｅｅｔ  ｉｎ  Ｅｎｇｌｉｓｈ，  １  ｓｈｅｅｔ  ｉｎ  Ｒｕｓｓｉａｎ  ａｎｄ  ｃｅｒｔｉｆｉｃａｔｅ  ｏｆ  ｔｒａｎｓｌａｔｉｏｎ  ｄａｔｅｄ  Ａｐｒ．  ２８，  ２００９）  （ａｌｌｅｇｅｄｌｙ  ｄａｔｅｄ  Ｍａｙ  １９，  １９８６）．  （Ｐｒａｃｔｉｃａｌ  Ｒｅｐｏｒｔ  ＩＩ）  ＮＰＬ−７８３
【非特許文献８０９】  ＢＡＧＡＵＴＤＩＮＯＶ，  Ｎ．Ａ．，  Ｒｅｐｏｒｔ  ｏｎ  Ｐｒａｃｔｉｃａｌ  Ａｐｐｌｉｃａｔｉｏｎ  ｅｎｔｉｔｌｅｄ  "Ｍｅｔｈｏｄ  ｏｆ  ｖａｃｕｕｍ  ｔｒｅａｔｍｅｎｔ  ｏｆ  ｏｐｅｎ  ｐｕｒｕｌｅｎｔ  ｗｏｕｎｄｓ，"  Ｍｅｄｉｃａｌ−Ｓａｎｉｔａｒｙ  Ｗａｒｄ  ｏｆ  ｔｈｅ  Ａｒｚａｍａｓ  Ｉｎｓｔｒｕｍｅｎｔ  Ｐｌａｎｔ，  （１  ｓｈｅｅｔ  ｉｎ  Ｅｎｇｌｉｓｈ，  １  ｓｈｅｅｔ  ｉｎ  Ｒｕｓｓｉａｎ  ａｎｄ  ｃｅｒｔｉｆｉｃａｔｅ  ｏｆ  ｔｒａｎｓｌａｔｉｏｎ  ｄａｔｅｄ  Ａｐｒ．  ２７，  ２００９）  （ａｌｌｅｇｅｄｌｙ  ｄａｔｅｄ  １９８６）．（Ｐｒａｃｔｉｃａｌ  Ｒｅｐｏｒｔ  ＩＩＩ）  ＮＰＬ−７８４
【非特許文献８１０】  ＲＯＴＨ，  Ｂ．，  ｅｔ  ａｌ．，  "Ｕｂｅｒｓｉｃｈｔｓａｒｂｅｉｔ：  Ｉｎｄｉｃａｔｉｏｎ  ｆｏｒ  ｓｕｃｔｉｏｎ−ｒｉｎｓｅ  ｄｒａｉｎａｇｅ  ａｎｄ  ｈｙｇｉｅｎｉｃ  ｃｅｒｔａｉｎｔｙ  ｉｎ  ｄｒａｉｎａｇｅｓ，"  ＧＭＳ  Ｋｒａｎｋｅｎｈａｕｓｈｙｇ．  Ｉｎｔｅｒｄｉｓｚｉｐ，  １（１）：Ｄｏｃ２７  （７  ｓｈｅｅｔｓ  ｉｎ  Ｇｅｒｍａｎ  ｗｉｔｈ  Ｅｎｇｌｉｓｈ  ａｂｓｔｒａｃｔ  ｏｎ  ｆｉｒｓｔ  ｓｈｅｅｔ）  （２００６）．  ＮＰＬ−７８５
【非特許文献８１１】  ＳＣＨＮＥＩＤＥＲ，  Ｆ．Ｒ．，  Ｈａｎｄｂｏｏｋ  ｆｏｒ  ｔｈｅ  Ｏｒｔｈｏｐａｅｄｉｃ  Ａｓｓｉｓｔａｎｔ，  ２ｎｄ  ｅｄ．，  ｐｐ．  １８５，  Ｔｈｅ  Ｃ．Ｖ．  Ｍｏｓｂｙ  Ｃｏｍｐａｎｙ，  Ｓｔ．  Ｌｏｕｉｓ，  （１９７６）．  ＮＰＬ−７８６
【非特許文献８１２】  ＴＨＯＭＡＳ，  Ｓ．，  Ｗｏｕｎｄ  Ｍａｎａｇｅｍｅｎｔ  ａｎｄ  Ｄｒｅｓｓｉｎｇｓ，  Ｃｈａｐｔｅｒ  ４：  Ｓｅｍｉｐｅｒｍｅａｂｌｅ  ｆｉｌｍ  ｄｒｅｓｓｉｎｇｓ  （ｃｏｎｔｉｎｕｅｄ  ｏｎｔｏ  ｐｐ．  ２６−３４），  Ｃｈａｐｔｅｒ  ５：  Ｆｏａｍ  ｄｒｅｓｓｉｎｇｓ  （ｃｏｎｔｉｎｕｅｄ  ｏｎｔｏ  ｐｐ．  ３６−４２），  ａｎｄ  ｐｐ．  １６６，  Ｔｈｅ  Ｐｈａｒｍａｃｅｕｔｉｃａｌ  Ｐｒｅｓｓ，  Ｌｏｎｄｏｎ，  （１９９０）．  ＮＰＬ−７８７
【非特許文献８１３】  ＷＩＴＫＯＷＳＫＩ，  Ｊ．Ａ．，  ｅｔ  ａｌ．，  "Ｓｙｎｔｈｅｔｉｃ  ｄｒｅｓｓｉｎｇｓ：  ｗｏｕｎｄ  ｈｅａｌｉｎｇ  ｉｎ  ｔｈｅ  ８０ｓ，"  （５  ｓｈｅｅｔｓ），  Ｈｏｓｐｉｔａｌ  Ｔｈｅｒａｐｙ，  （Ｎｏｖ．  １９８６）．  ＮＰＬ−７８８
【非特許文献８１４】  Ｅｘｃｅｒｐｔｓ  ｆｒｏｍ  Ｂｉｅｒｓ  Ｈｙｐｅｒｅｍｉｃ  Ｔｒｅａｔｍｅｎｔ，  ｐｐ．  １７−２５，  ４４−４６，  ９０−９６，  １６７−１７０，  ２１０−２１１  （１９０９）．  ＮＰＬ−７６７
【非特許文献８１５】  ＤＥＭＯＲＥＳＴ，  Ｒ．Ｌ．，  "Ｎｅｗ  ｓｔａｎｄａｒｄｓ  ｉｎ  ｗａｔｅｒ  ｖａｐｏｕｒ  ｐｅｒｍｅａｂｉｌｉｔｙ  ｔｅｓｔｉｎｇ，"  Ｂｒｉｔｉｓｈ  Ｐｌａｓｔｉｃｓ  &  Ｒｕｂｂｅｒ，  ３  ｓｈｅｅｔｓ，  （ｈａｎｄｗｒｉｔｔｅｎ  ｌａｂｅｌ  ｏｎ  ｆｉｒｓｔ  ｓｈｅｅｔ  ｓｈｏｗｓ  "Ｅｘｈｉｂｉｔ  ＴＴ"），  （Ｍａｙ  １９９５）．  ＮＰＬ−７８９
【非特許文献８１６】  ＫＩＲＫ−ＯＴＨＭＥＲ，  Ｅｎｃｙｃｌｏｐｅｄｉａ  ｏｆ  Ｃｈｅｍｉｃａｌ  Ｔｅｃｈｎｏｌｏｇｙ，  ２ｎｄ  ｃｏｍｐｌｅｔｅｌｙ  ｒｅｖｉｓｅｄ  ｅｄｉｔｉｏｎ，  ｖｏｌ．  ９，  ｐｐ．  ２２０−２３２，  Ｊｏｈｎ  Ｗｉｌｅｙ  &  Ｓｏｎｓ，  Ｉｎｃ．，  （１９６６）．  ＮＰＬ−７４４
【非特許文献８１７】  Ｓｔｅｄｍａｎｓ  Ｍｅｄｉｃａｌ  Ｄｉｃｔｉｏｎａｒｙ，  ２５ｔｈ  ｅｄ．，  ｐｐ．  １７３９，  Ｗｉｌｌｉａｍｓ  &  Ｗｉｌｋｉｎｓ，  （１９９０）．  ＮＰＬ−７４３
【非特許文献８１８】  Ｓｔａｎｄａｒｄ  Ｏｐｅｒａｔｉｎｇ  Ｐｒｏｃｅｄｕｒｅ，  Ｔｈｅ  ｄｅｔｅｒｍｉｎａｔｉｏｎ  ｏｆ  ｍｏｉｓｔｕｒｅ  ｖａｐｏｕｒ  ｐｅｒｍｅａｂｉｌｉｔｙ  （ＭＶＰ）  ａｎｄ  ｗａｔｅｒ  ｔｒａｎｓｍｉｓｓｉｏｎ  ｒａｔｅ  （ＷＴＲ），  ｉｍｐｌｅｍｅｎｔａｔｉｏｎ  ｄａｔｅ：  Ｓｅｐ．  １１，  ２００６  ａｎｄ  ＱＡ  Ｏｐｅｒａｔｉｏｎａｌ  Ｌａｂｏｒａｔｏｒｉｅｓ  Ａｎａｌｙｔｉｃａｌ  Ｒｅｐｏｒｔ  ｄａｔｅｄ  Ｎｏｖ．  １３，  ２００８．  ＮＰＬ−７４５
【非特許文献８１９】  Ｂｒｉｔｉｓｈ  Ｐｈａｒｍａｃｏｐｏｅｉａ  Ｓｅｌｅｃｔｉｏｎｓ：  （１９８８）  Ｖｏｌ．  ＩＩ，  ｐ．  １１２６−１１２７，  Ａ２２３−Ａ２２４；  Ａｄｄｅｎｄｕｍ  １９９２，  ｐ．  １４９４；  （１９９３）  Ｖｏｌ．  ＩＩ，  ｐ．  １２６６，  Ａ２１８−Ａ２１９．  ＮＰＬ−７４６
【非特許文献８２０】  ＳＯＬＯＶＥＶ，  Ｖ．Ａ．，  "Ｔｒｅａｔｍｅｎｔ  ａｎｄ  ｐｒｅｖｅｎｔｉｏｎ  ｏｆ  ｓｕｔｕｒｅ  ｆａｉｌｕｒｅｓ  ａｆｔｅｒ  ｇａｓｔｒｉｃ  ｒｅｓｅｃｔｉｏｎ，"  Ｄｉｓｓｅｒｔａｔｉｏｎ  ａｂｓｔｒａｃｔ，  ｗｉｔｈ  ａｌｌｅｇｅｄ  ｉｎｄｅｘ  ｃａｒｄ，  Ｓ．Ｍ．  Ｋｉｒｏｖ  Ｇｏｒｋｙ  Ｓｔａｔｅ  Ｍｅｄｉｃａｌ  Ｉｎｓｔｉｔｕｔｅ，  Ｇｏｒｋｙ，  Ｕ．Ｓ．Ｓ．Ｒ．，  （Ｅｘｈｉｂｉｔ  Ｉ  ｏｆ  Ｔｈｉｒｄ  ｐａｒｔｙ  ｃｏｍｍｅｎｔｓ）  （１９８８）．  ＮＰＬ−７６９
【非特許文献８２１】  ＳＯＬＯＶＥＶ，  Ｖ．Ａ．，  "Ｔｈｅ  ｍｅｔｈｏｄ  ｏｆ  ｔｒｅａｔｍｅｎｔ  ｏｆ  ｉｍｍａｔｕｒｅ  ｅｘｔｅｒｎａｌ  ｆｉｓｔｕｌａｓ  ｉｎ  ｔｈｅ  ｕｐｐｅｒ  ｇａｓｔｒｏｉｎｔｅｓｔｉｎａｌ  ｔｒａｃｔ，"  Ｓ．Ｍ．  Ｋｉｒｏｖ  Ｇｏｒｋｙ  Ｓｔａｔｅ  Ｍｅｄｉｃａｌ  Ｉｎｓｔｉｔｕｔｅ，  Ｇｏｒｋｙ，  Ｕ．Ｓ．Ｓ．Ｒ．，  （Ｅｘｈｉｂｉｔ  Ｊ  ｏｆ  Ｔｈｉｒｄ  ｐａｒｔｙ  ｃｏｍｍｅｎｔｓ）  （１９８７）．  ＮＰＬ−７７０
【非特許文献８２２】  ＴＨＯＭＡＳ，  Ｓ．，  "Ｗｏｕｎｄ  Ｍａｎａｇｅｍｅｎｔ  ａｎｄ  Ｄｒｅｓｓｉｎｇｓ，"  Ｔｈｅ  Ｐｈａｒｍａｃｅｕｔｉｃａｌ  Ｐｒｅｓｓ，  Ｌｏｎｄｏｎ，  ２２３  ｓｈｅｅｔｓ，  （１９９０）．  ＮＰＬ−７９３
【非特許文献８２３】  ＷＯＯＤ，  Ｒ．Ａ．Ｂ．，  ｅｔ  ａｌ．，  "Ａ  ｎｅｗ  ｍｅｔｈｏｄ  ｆｏｒ  ｔｒｅａｔｍｅｎｔ  ｏｆ  ｏｐｅｎ  ｇｒａｎｕｌａｔｉｎｇ  ｗｏｕｎｄｓ，"  Ｓｕｒｇｉｃａｌ  Ｄｒｅｓｓｉｎｇｓ  ｉｎ  ｔｈｅ  Ｈｏｓｐｉｔａｌ  Ｅｎｖｉｒｏｎｍｅｎｔ，  Ｔ．Ｄ．  Ｔｕｒｎｅｒ，  ｅｄ．，  ｅｔ  ａｌ．，  Ｓｕｒｇｉｃａｌ  Ｄｒｅｓｓｉｎｇｓ  Ｒｅｓｅａｒｃｈ  Ｕｎｉｔ，  Ｗｅｌｓｈ  Ｓｃｈｏｏｌ  ｏｆ  Ｐｈａｒｍａｃｙ，  Ｕｗｉｓｔ，  Ｃａｒｄｉｆｆ，  ８  ｓｈｅｅｔｓ，  （１９７５）．  ＮＰＬ−７９７
【非特許文献８２４】  ＴＵＲＮＥＲ，  Ｔ．Ｄ．，  ｅｄ．，  ｅｔ  ａｌ．，  Ａｄｖａｎｃｅｓ  ｉｎ  Ｗｏｕｎｄ  Ｍａｎａｇｅｍｅｎｔ，  ｉｎｃｌｕｄｉｎｇ  "Ｔｈｅ  ｒｏｌｅ  ｏｆ  ｆｏａｍ  ｄｒｅｓｓｉｎｇｓ  ｉｎ  ｗｏｕｎｄ  ｍａｎａｇｅｍｅｎｔ"  ｂｙ  Ｓ．  Ｔｈｏｍａｓ，  "Ｃｌｉｎｉｃａｌ  ａｓｐｅｃｔｓ  ｏｆ  Ｓｙｎｔｈａｄｅｒｍ(r)"  ｂｙ  Ｔ．  Ｍａｒｔｉｎ，  ｅｔ  ａｌ．，  "Ｌｙｏｆｏａｍ(r)  −  Ｕｓｅｄ  ｉｎ  ｔｈｅ  ｔｒｅａｔｍｅｎｔ  ｏｆ  ｌｅｇ  ｕｌｃｅｒｓ"  ｂｙ  Ｊ．  Ｃｒｅｅｖｙ，  ａｎｄ  "Ｃｌｉｎｉｃａｌ  ｅｘｐｅｒｉｅｎｃｅ  ｏｆ  Ｓｉｌａｓｔｉｃ(r)  ｆｏａｍ  ｄｒｅｓｓｉｎｇ，"  ｂｙ  Ｋ．Ｇ．  Ｈａｒｄｉｎｇ；  Ｊｏｈｎ  Ｗｉｌｅｙ  &  Ｓｏｎｓ，  １７  ｓｈｅｅｔｓ，  （Ｐｒｏｃｅｅｄｉｎｇｓ  ｄａｔｅｄ  Ｍａｒ．  ２０−２１，  １９８５）  （１９８６）．  ＮＰＬ−７９８
【非特許文献８２５】  ＫＵＺＮＥＴＳＯＶ，  Ｖ．Ａ．，  ｅｔ  ａｌ．，  Ｒｅｐｏｒｔ  ｏｎ  Ｐｒａｃｔｉｃａｌ  Ａｐｐｌｉｃａｔｉｏｎ  ｅｎｔｉｔｌｅｄ  "Ｍｅｔｈｏｄ  ｏｆ  ｖａｃｕｕｍ−ｓｏｒｐｔｉｏｎ  ｔｒｅａｔｍｅｎｔ  ｏｆ  ｐｕｒｕｌｅｎｔ  ｗｏｕｎｄｓ，"  Ｋａｚａｎ  Ｍｕｎｉｃｉｐａｌ  Ｈｏｓｐｉｔａｌ  Ｎｏ．  ８，  （１  ｓｈｅｅｔ  ｉｎ  Ｅｎｇｌｉｓｈ，  １  ｓｈｅｅｔ  ｉｎ  Ｒｕｓｓｉａｎ  ａｎｄ  ｃｅｒｔｉｆｉｃａｔｅ  ｏｆ  ｔｒａｎｓｌａｔｉｏｎ  ｄａｔｅｄ  Ａｐｒ．  ２８，  ２００９），  （ａｌｌｅｇｅｄｌｙ  ｄａｔｅｄ  Ｍａｙ  １９，  １９８６）．  ＮＰＬ−８００
【非特許文献８２６】  ＴＨＯＭＡＳ，  Ｓ．，  "Ｐａｉｎ  ａｎｄ  ｗｏｕｎｄ  ｍａｎａｇｅｍｅｎｔ，"  Ｃｏｍｍｕｎｉｔｙ  Ｏｕｔｌｏｏｋ，  ｐｐ．  １１−１３，  １５  ａｎｄ  ｏｎｅ  ｅｘｔｒａ  ｓｈｅｅｔ，  （Ｊｕｌ．  １９８９）．  ＮＰＬ−８０３
【非特許文献８２７】  ＬＩＶＳＨＩＴＳ，  Ｖ．Ｓ．，  "Ｐｏｌｙｍｅｒ  ｄｒｅｓｓｉｎｇｓ  ｆｏｒ  ｗｏｕｎｄｓ  ａｎｄ  ｂｕｒｎｓ  （ｒｅｖｉｅｗ），"  Ａｌｌ−Ｕｎｉｏｎ  Ｓｃｉｅｎｔｉｆｉｃ−Ｒｅｓｅａｒｃｈ  Ｉｎｓｔｉｔｕｔｅ  ｆｏｒ  Ｍｅｄｉｃａｌ  Ｐｏｌｙｍｅｒｓ，  Ｍｏｓｃｏｗ，  ｐｐ．  ５１５−５２２，  （ａｌｌｅｇｅｄｌｙ  ｐｕｂｌｉｓｈｅｄ  ｉｎ  Ｐｈａｒｍａｃｅｕｔｉｃａｌ  Ｃｈｅｍｉｃａｌ  Ｊｏｕｒｎａｌ，  ２２（７）：７９０−７９８，  ｔｒａｎｓｌａｔｅｄ  ｆｒｏｍ  Ｒｕｓｓｉａｎ  （ａｌｌｅｇｅｄｌｙ  ｄａｔｅｄ  Ｊｕｌ．  １９８８）），  Ｐｌｅｎｕｍ  Ｐｕｂｌｉｓｈｉｎｇ  Ｃｏｒｐ．，  （１９８９）．  ＮＰＬ−８０４
【非特許文献８２８】  ＣＡＬＮＥ，  Ｓ．，  ｅｄ．，  Ｐｏｓｉｔｉｏｎ  Ｄｏｃｕｍｅｎｔ：  Ｐａｉｎ  ａｔ  ｗｏｕｎｄ  ｄｒｅｓｓｉｎｇｓ  ｃｈａｎｇｅｓ，  ｐｐ．  １−１７  ａｎｄ  ３  ａｄｄｉｔｉｏｎａｌ  ｓｈｅｅｔｓ，  ｓｕｐｐｏｒｔｅｄ  ｂｙ  Ｍｏｌｎｌｙｃｋｅ  Ｈｅａｌｔｈ  Ｃａｒｅ，  （ａｌｌｅｇｅｄｌｙ  ｄａｔｅｄ  ２００２）．  ＮＰＬ−８０５
【非特許文献８２９】  ＳＫＯＶＥＲ，  Ｇ．，  ｅｔ  ａｌ．，  "４５：  Ｎｅｗ  Ｔｅｃｈｎｏｌｏｇｉｅｓ：  Ａｎ  Ｏｖｅｒｖｉｅｗ，"  Ｃｈｒｏｎｉｃ  Ｗｏｕｎｄ  Ｃａｒｅ，  ｐｐ．  ４２５−４３０  （ａｌｌｅｇｅｄｌｙ  ｄａｔｅｄ  １９９０）．  ＮＰＬ−８０６
【非特許文献８３０】  ２  ｓｈｅｅｔｓ  ｏｆ  ｄｏｃｕｍｅｎｔｓ，  ｔｈｅ  ｃｉｔａｔｉｏｎ  ｉｓ  ａｌｌｅｇｅｄ  ｔｏ  ｂｅ：  Ｄａｖｉｄ  ＪＡ，  Ｗｏｕｎｄ  Ｍａｎａｇｅｍｅｎｔ：  Ａ  Ｃｏｍｐｒｅｈｅｎｓｉｖｅ  Ｇｕｉｄｅ  ｔｏ  Ｄｒｅｓｓｉｎｇ  ａｎｄ  Ｈｅａｌｉｎｇ，  ｐｐ．  ５１−５１  （ａｌｌｅｇｅｄｌｙ  ｄａｔｅｄ  １９８６）．  ＮＰＬ−８０７
【非特許文献８３１】  ＴＨＯＭＡＳ，  Ｓ．，  "Ｓｅｌｅｃｔｉｎｇ  ｄｒｅｓｓｓｉｎｇｓ，"  Ｃｏｍｍｕｎｉｔｙ  Ｏｕｔｌｏｏｋ，  Ｖｏｌ．  ６，  ４  ｓｈｅｅｔｓ，  （Ｊｕｎ．  １９９１）．  ＮＰＬ−７９６
【非特許文献８３２】  １  ｓｈｅｅｔ  ｄｏｃｕｍｅｎｔ，  ｔｈｅ  ｃｉｔａｔｉｏｎ  ｉｓ  ａｌｌｅｇｅｄ  ｔｏ  ｂｅ：  Ｄａｖｉｄ  Ｊ．，  Ｅｘｔｒａｃｔ  ｆｒｏｍ  Ｐｒａｃｔｉｃａｌ  Ｎｕｒｓｉｎｇ  Ｈａｎｄｂｏｏｋ：  Ｗｏｕｎｄ  Ｍａｎａｇｅｍｅｎｔ：  Ａ  Ｃｏｍｐｒｅｈｅｎｓｉｖｅ  Ｇｕｉｄｅ  ｔｏ  Ｄｒｅｓｓｉｎｇ  ａｎｄ  Ｈｅａｌｉｎｇ，  ｐｐ．  １６６−１６７，  （ａｌｌｅｇｅｄｌｙ  ｄａｔｅｄ  １９８６）．  ＮＰＬ−７９９
【非特許文献８３３】  ＤＵＮＰＨＹ，  Ｊ．Ｅ．，  ｅｄ．，  ｅｔ  ａｌ．，  "Ｃｕｒｒｅｎｔ  Ｓｕｒｇｉｃａｌ  Ｄｉａｇｎｏｓｉｓ  &  Ｔｒｅａｔｍｅｎｔ"  ５ｔｈ  ｅｄ．，  ｐｐ．  ９４６−９５１，  ｗｉｔｈ  ５  ａｄｄｉｔｉｏｎａｌ  ｓｈｅｅｔｓ，  Ｌａｎｇｅ  Ｍｅｄｉｃａｌ  Ｐｕｂｌｉｃａｔｉｏｎｓ，  Ｌｏｓ  Ａｌｔｏｓ，  ＣＡ  （１９８１）．  ＮＰＬ−８０９
【非特許文献８３４】  Ｂｒｉｔｉｓｈ  Ｐｈａｒｍａｃｏｐｏｅｉａ，  Ｖｏｌ  ＩＩ，  ｐｐ．  ９０３−９４０，  Ｌｏｎｄｏｎ  （１９８０）．  ＮＰＬ−８０１
【非特許文献８３５】  Ｂｒｉｔｉｓｈ  Ｐｈａｒｍａｃｏｐｏｅｉａ  １９８０，  ｐｐ．  Ａ８１，  ５４２，  ５４６−５４９，  ｗｉｔｈ  ａｎｎｏｔａｔｉｏｎｓ，  Ｌｏｎｄｏｎ  −  Ａｄｄｅｎｄｕｍ  （１９８６）．  ＮＰＬ−８０２
【非特許文献８３６】  ＷＡＧＮＥＲ，  Ｄ．Ｒ．，  ｅｔ  ａｌ．，  "Ｃｏｍｂｉｎｅｄ  ｐａｒｅｎｔｅｒａｌ  ａｎｄ  ｅｎｔｅｒａｌ  ｎｕｔｒｉｔｉｏｎ  ｉｎ  ｓｅｖｅｒｅ  ｔｒａｕｍａ，"  Ｎｕｔｒｉｔｉｏｎ  ｉｎ  Ｃｌｉｎｉｃａｌ  Ｐｒａｃｔｉｃｅ，  ７：１１３−１１６  ｗｉｔｈ  ａｄｄｉｔｉｏｎａｌ  ｓｈｅｅｔ，  （１９９２）．  ＮＰＬ−８１０
【非特許文献８３７】  ＫＲＩＺＥＫ，  Ｔ．Ｊ．，  ｅｔ  ａｌ．，  "Ｔｈｅ  ｕｓｅ  ｏｆ  ｐｒｏｐｈｙｌａｃｔｉｃ  ａｎｔｉｂａｃｔｅｒｉａｌｓ  ｉｎ  ｐｌａｓｔｉｃ  ｓｕｒｇｅｒｙ：  Ａ  １９８０ｓ  ｕｐｄａｔｅ，"  Ｐｌａｓｔ．  Ｒｅｃｏｎｓｔｒ．  Ｓｕｒｇ．，  ７６（６）：  ９５３−９６２，  （Ｄｅｃ．  １９８５）．  ＮＰＬ−８１１
【非特許文献８３８】  ＢＡＧＡＵＴＤＩＮＯＶ，  Ｎ．Ａ．，  "Ｖａｒｉａｎｔ  ｏｆ  ｅｘｔｅｒｎａｌ  ｖａｃｕｕｍ  ａｓｐｉｒａｔｉｏｎ  ｉｎ  ｔｈｅ  ｔｒｅａｔｍｅｎｔ  ｏｆ  ｐｕｒｕｌｅｎｔ  ｄｉｓｅａｓｅｓ  ｏｆ  ｓｏｆｔ  ｔｉｓｓｕｅｓ，"  Ｃｕｒｒｅｎｔ  Ｐｒｏｂｌｅｍｓ  ｉｎ  Ｍｏｄｅｒｎ  Ｃｌｉｎｉｃａｌ  Ｓｕｒｇｅｒｙ，  Ｉｎｔｅｒｄｅｐａｒｔｍｅｎｔａｌ  Ｃｏｌｌｅｃｔｉｏｎ，  Ｃｈｅｂｏｋｓａｒｙ，  ｐｐ．  ９４−９６，  ａｎｄ  ｌｉｂｒａｒｙ  ｃａｒｄ，  ｉｎ  Ｅｎｇｌｉｓｈ  ａｎｄ  Ｒｕｓｓｉａｎ，  （ＫＣＩ＿Ｃｏｎ００２２０６４７−５９）  （１９８６）．  ＮＰＬ−８４１
【非特許文献８３９】  ＫＵＺＮＥＴＳＯＶ，  Ｖ．Ａ．，  ｅｔ  ａｌ．，  "Ｖａｃｕｕｍ  ａｎｄ  ｖａｃｕｕｍ−ｓｏｒｐｔｉｏｎ  ｔｒｅａｔｍｅｎｔ  ｏｆ  ｏｐｅｎ  ｐｕｒｕｌｅｎｔ  ｗｏｕｎｄｓ，"  ＩＩ  Ａｌｌ−Ｕｎｉｏｎ  Ｃｏｎｆｅｒｅｎｃｅ  "Ｗｏｕｎｄｓ  ａｎｄ  Ｗｏｕｎｄ  Ｉｎｆｅｃｔｉｏｎｓ"  Ｍｏｓｃｏｗ，  ｐｐ．  ９１−９２，  ｗｉｔｈ  ｌｉｂｒａｒｙ  ｃａｒｄ  ａｎｄ  ｔａｂｌｅ  ｏｆ  ｃｏｎｔｅｎｔｓ，  ｉｎ  Ｅｎｇｌｉｓｈ  ａｎｄ  Ｒｕｓｓｉａｎ，  （ＫＣＩ＿Ｃｏｎ００２２０６６０−８９）  （１９８６）．  ＮＰＬ−８４２
【非特許文献８４０】  ＷＩＬＬＩＡＭＳ，  Ｒ．Ｓ．，  "Ａ  ｓｉｍｐｌｅ  ｔｅｃｈｎｉｑｕｅ  ｆｏｒ  ｓｕｃｃｅｓｓｆｕｌ  ｐｒｉｍａｒｙ  ｃｌｏｓｕｒｅ  ａｆｔｅｒ  ｅｘｃｉｓｉｏｎ  ｏｆ  ｐｉｌｏｎｉｄａｌ  ｓｉｎｕｓ  ｄｉｓｅａｓｅ，"  Ａｎｎ．  Ｒ．  Ｃｏｌｌ．  Ｓｕｒｇ．  Ｅｎｇｌａｎｄ，  ７２：３１３−３１５，  （ｏｎｌｙ  ２  ｓｈｅｅｔｓ  ｐｒｏｖｉｄｅｄ），  （１９９０）．  ＮＰＬ−８２０
【非特許文献８４１】  ＧＲＡＹ，  Ａ．Ｊ．，  ｅｔ  ａｌ．，  "Ｓｍａｌｌ  ｂｏｗｅｌ  ｐｅｒｆｏｒａｔｉｏｎ  ｆｏｌｌｏｗｉｎｇ  ｖａｃｕｕｍ  ｓｕｃｔｉｏｎ  ｄｒａｉｎａｇｅ，"  Ｊ．  Ｒ．  Ｃｏｌｌ．  Ｓｕｒｇ．  Ｅｄｉｎｂ．  ３０（５）：３２４−５  ａｎｄ  ａｄｄｉｔｉｏｎａｌ  ｓｈｅｅｔ，  （Ｏｃｔ．  １９８５）．  ＮＰＬ−８１９
【非特許文献８４２】  ＫＵＭＡＲ，  Ａ．Ｒ．，  "Ｓｔａｎｄａｒｄ  ｗｏｕｎｄ  ｃｏｖｅｒａｇｅ  ｔｅｃｈｎｉｑｕｅｓ  ｆｏｒ  ｅｘｔｒｅｍｉｔｙ  ｗａｒ  ｉｎｊｕｒｙ，"  Ｊ．  Ａｍ．  Ａｃａｄ．  Ｏｒｔｈｏｐ．  Ｓｕｒｇ．，  １４：Ｓ６２−  Ｓ６５，  （２００６）．  ＮＰＬ−８２７
【非特許文献８４３】  ＨＥＬＧＥＳＯＮ，  Ｍ．Ｄ．，  ｅｔ  ａｌ．，  "Ｂｉｏａｒｔｉｆｉｃｉａｌ  ｄｅｒｍａｌ  ｓｕｂｓｔｉｔｕｔｅ：  Ａ  ｐｒｅｌｉｍｉｎａｒｙ  ｒｅｐｏｒｔ  ｏｎ  ｉｔｓ  ｕｓｅ  ｆｏｒ  ｔｈｅ  ｍａｎａｇｅｍｅｎｔ  ｏｆ  ｃｏｍｐｌｅｘ  ｃｏｍｂａｔ−ｒｅｌａｔｅｄ  ｓｏｆｔ  ｔｉｓｓｕｅ  ｗｏｕｎｄｓ，"  Ｊ．  Ｏｒｔｈｏｐ．  Ｔｒａｕｍａ，  ２１（６）：３９４−３９９，  （Ｊｕｌ．  ２００７）．  ＮＰＬ−８２８
【非特許文献８４４】  ＩＮＧＡＲＩ，  Ｊ．Ｖ．，  ｅｔ  ａｌ．，  "Ｃｉｖｉｌｉａｎ  ａｎｄ  ｄｅｔａｉｎｅｅ  ｏｒｔｈｏｐａｅｄｉｃ  ｓｕｒｇｉｃａｌ  ｃａｒｅ  ａｔ  ａｎ  ａｉｒ  ｆｏｒｃｅ  ｔｈｅａｔｅｒ  ｈｏｓｐｔｉａｌ，"  Ｔｅｃｈ．  Ｈａｎｄ  Ｕｐｐｅｒ  Ｅｘｔｒ．  Ｓｕｒｇ．，  １１（２）：１３０−１３４，  （２００７）．  ＮＰＬ−８２９
【非特許文献８４５】  ＣＯＶＥＹ，  Ｄ．Ｃ．，  "Ｃｏｍｂａｔ  ｏｒｔｈｏｐａｅｄｉｃｓ：  Ａ  ｖｉｅｗ  ｆｒｏｍ  ｔｈｅ  ｔｒｅｎｃｈｅｓ，"  Ｊ．  Ａｍ．  Ａｃａｄ．  Ｏｒｔｈｏｐ．  Ｓｕｒｇ．，  １４：Ｓ１０−Ｓ１７，  （２００６）．  ＮＰＬ−８３０
【非特許文献８４６】  ＡＮＤＥＲＳＥＮ，  Ｒ．Ｃ．，  ｅｔ  ａｌ．，  "Ｄｅｆｉｎｉｔｉｖｅ  ｔｒｅａｔｍｅｎｔ  ｏｆ  ｃｏｍｂａｔ  ｃａｓｕｌｔｉｅｓ  ａｔ  ｍｉｌｉｔａｒｙ  ｍｅｄｉｃａｌ  ｃｅｎｔｅｒｓ，"  Ｊ．  Ａｍ．  Ａｃａｄ．  Ｏｒｔｈｏｐ．  Ｓｕｒｇ．，  １４：Ｓ２４−Ｓ３１，  （２００６）．  ＮＰＬ−８３１
【非特許文献８４７】  ＷＡＧＮＥＲ，  Ｄ．  Ｒ．，  ｅｔ  ａｌ．，  "Ｂｉｏｅｌｅｃｔｒｉｃａｌ  ｉｍｐｅｄａｎｃｅ  ａｓ  ａ  ｄｉｓｃｒｉｍｉｎａｔｏｒ  ｏｆ  ｐｒｅｓｓｕｒｅ  ｕｌｃｅｒ  ｒｉｓｋ，"  Ａｄｖ．  Ｗｏｕｎｄ  Ｃａｒｅ，  ９  （２）：３０−３７，  （１９９６）．  ＮＰＬ−８３４
【非特許文献８４８】  ＭＵＬＤＥＲ，  Ｇ．Ｄ．，  ｅｔ  ａｌ．，  "Ｐｒｏｓｐｅｃｔｉｖｅ  ｒａｎｄｏｍｉｚｅｄ  ｓｔｕｄｙ  ｏｆ  ｔｈｅ  ｅｆｆｉｃａｃｙ  ｏｆ  ｈｙｄｒｏｇｅｌ，  ｈｙｄｒｏｃｏｌｌｏｉｄ，  ａｎｄ  ｓａｌｉｎｅ  ｓｏｌｕｔｉｏｎ−ｍｏｉｓｔｅｎｅｄ  ｄｒｅｓｓｉｎｇｓ  ｏｎ  ｔｈｅ  ｍａｎａｇｅｍｅｎｔ  ｏｆ  ｐｒｅｓｓｕｒｅ  ｕｌｃｅｒｓ，"  Ｗｏｕｎｄ  Ｒｅｐ．  Ｒｅｇ．，  １：２１３−２１８，  （１９９３）．  ＮＰＬ−８３６
【非特許文献８４９】  ＴＩＮＴＬＥ，  Ｔ．Ｅ．，  ｅｔ  ａｌ．，  "Ｅａｒｌｙ  ｅｘｐｅｒｉｅｎｃｅ  ｗｉｔｈ  ａ  ｃａｌｃｉｕｍ  ａｌｇｉｎａｔｅ  ｄｒｅｓｓｉｎｇ，"  Ｏｓｔｏｍｙ／Ｗｏｕｎｄ  Ｍａｎａｇｅｍｅｎｔ，  ｐｐ．  ７４−８１，  （Ｍａｙ／Ｊｕｎ．  １９９０）．  ＮＰＬ−８３９
【非特許文献８５０】  ＪＥＴＥＲ，  Ｋ．Ｆ．，  ｅｔ  ａｌ．，  "Ｃｏｍｐｒｅｈｅｎｓｉｖｅ  ｗｏｕｎｄ  ｍａｎａｇｅｍｅｎｔ  ｗｉｔｈ  ａ  ｓｔａｒｃｈ−ｂａｓｅｄ  ｃｏｐｏｌｙｍｅｒ  ｄｒｅｓｓｉｎｇ，"  Ｊ．  Ｅｎｔｅｒｏｓｔｏｍ．  Ｔｈｅｒ．，  １３（６）：２１７−２２５，  （Ｎｏｖ．  −  Ｄｅｃ．  １９８６）．  ＮＰＬ−８４０
【非特許文献８５１】  ＷＩＮＴＥＲ，  Ｇ．Ｄ．，  "Ｆｏｒｍａｔｉｏｎ  ｏｆ  ｔｈｅ  ｓｃａｂ  ａｎｄ  ｔｈｅ  ｒａｔｅ  ｏｆ  ｅｐｉｔｈｅｌｉｚａｔｉｏｎ  ｏｆ  ｓｕｐｅｒｆｉｃｉａｌ  ｗｏｕｎｄｓ  ｉｎ  ｔｈｅ  ｓｋｉｎ  ｏｆ  ｔｈｅ  ｙｏｕｎｇ  ｄｏｍｅｓｔｉｃ  ｐｉｇ，"  Ｎａｔｕｒｅ，  ｎｏ．  ４８１２，  ｐ．  ２９３−２９４  （Ｊａｎ．  ２０，  １９６２）．  ＮＰＬ−８１６
【非特許文献８５２】  ＲＯＢＳＯＮ，  Ｍ．Ｃ．，  ｅｔ  ａｌ．，  "Ｂａｃｔｅｒｉａｌ  ｑｕａｎｔｉｆｉｃａｔｉｏｎ  ｏｆ  ｏｐｅｎ  ｗｏｕｎｄｓ，"  Ｍｉｌｉｔａｒｙ  Ｍｅｄｉｃｉｎｅ，  ｐｐ．  １９−２４，  （Ｊａｎ．  １９６９）．  ＮＰＬ−８１７
【非特許文献８５３】  ＪＡＣＫＳＯＮ，  Ｄ．Ｍ．，  "Ｔｈｅ  ｄｉａｇｎｏｓｉｓ  ｏｆ  ｔｈｅ  ｄｅｐｔｈ  ｏｆ  ｂｕｒｎｉｎｇ，"  Ｂｒ．  Ｊ．  Ｓｕｒｇｅｒｙ，  ４０（１６４）：５８８−５９６  ａｎｄ  ７  ａｄｄｉｔｉｏｎａｌ  ｓｈｅｅｔｓ，  （Ｍａｙ  １９５３）．  ＮＰＬ−８１
【非特許文献８５４】  Ｍｏｒｙｋｗａｓ，  Ｍ．Ｊ．，  "３８：  Ｖａｃｕｕｍ−ａｓｓｉｓｔｅｄ  ｃｌｏｓｕｒｅ  ｏｆ  ｗｏｕｎｄｓ"  ｉｎ  "Ｗｏｕｎｄ  Ｈｅａｌｉｎｇ，"  Ａ．  Ｆａｌａｂｅｌｌａ  ｅｔ  ａｌ．，  ｅｄｓ．，  Ｔａｙｌｏｒ  &  Ｆｒａｎｃｉｓ，  ＮＹ，  ｐｐ．  ５０３−５１５，  （２００５）．  ＷＦＵ−７７
【非特許文献８５５】  ＤｅＦｒａｎｚｏ，  Ａ．Ｊ．，  ｅｔ  ａｌ．，  "Ｖａｃｕｕｍ  ａｓｓｉｓｔｅｄ  ｃｌｏｓｕｒｅ  ｆｏｒ  ｔｈｅ  ｔｒｅａｔｍｅｎｔ  ｏｆ  ａｂｄｏｍｉｎａｌ  ｗｏｕｎｄｓ，"  Ｃｌｉｎ．  Ｐｌａｓｔ．  Ｓｕｒｇ．  ３３（２）：  ２１３−２２４  （Ａｐｒ．  ２００６）．  ＷＦＵ−７８
【非特許文献８５６】  ＤＥＦＲＡＮＺＯ，  Ａ．Ｊ．，  ｅｔ  ａｌ．，  "Ｖａｃｕｕｍ−ａｓｓｉｓｔｅｄ  ｃｌｏｓｕｒｅ  ｆｏｒ  ｄｅｆｅｃｔｓ  ｏｆ  ｔｈｅ  ａｂｄｏｍｉｎａｌ  ｗａｌｌ，"  Ｐｌａｓｔ．  Ｒｅｃｏｎｓｔｒ．  Ｓｕｒｇ．，  １２１  （３）：８３２−８３９，  （Ｍａｒ．  ２００８）．  ＷＦＵ−７９
【非特許文献８５７】  ＰＡＲＫ，  Ｃ．Ａ．，  ｅｔ  ａｌ．，  "Ｂｒｅａｓｔ  ａｓｙｍｍｅｔｒｙ：  ｐｒｅｓｅｎｔａｔｉｏｎ  ｏｆ  ａ  ｇｉａｎｔ  ｆｉｂｒｏａｄｅｎｏｍａ，"  Ｂｒｅａｓｔ  Ｊ．，  １２（５）：４５１−４６１，  （２００６）．  ＶＶＦ  Ｕ−８０
【非特許文献８５８】  ＺＡＮＮＩＳ，  Ｊ．，  ｅｔ  ａｌ．，  "Ｃｏｍｐａｒｉｓｏｎ  ｏｆ  ｆａｓｃｉｏｔｏｍｙ  ｗｏｕｎｄ  ｃｌｏｓｕｒｅｓ  ｕｓｉｎｇ  ｔｒａｄｉｔｉｏｎａｌ  ｄｒｅｓｓｉｎｇ  ｃｈａｎｇｅｓ  ａｎｄ  ｔｈｅ  Ｖａｃｕｕｍ−Ａｓｓｉｓｔｅｄ  Ｃｌｏｓｕｒｅ  ｄｅｖｉｃｅ，"  Ａｎｎ．  Ｐｌａｓｔ．  Ｓｕｒｇ．，  ６２（４）：４０７−４０９，  （Ａｐｒ．  ２００９）．  ＷＦＵ−８１
【非特許文献８５９】  ＴＨＯＭＰＳＯＮ，  Ｊ．Ｔ．，  ｅｔ  ａｌ．，  "Ｏｕｔｃｏｍｅ  ａｎａｌｙｓｉｓ  ｏｆ  ｈｅｌｍｅｔ  ｔｈｅｒａｐｙ  ｆｏｒ  ｐｏｓｉｔｉｏｎａｌ  ｐｌａｇｉｏｃｅｐｈａｌｙ  ｕｓｉｎｇ  ａ  ｔｈｒｅｅ−ｄｉｍｅｎｓｉｏｎａｌ  ｓｕｒｆａｃｅ  ｓｃａｎｎｉｎｇ  ｌａｓｅｒ，"  Ｊ．  Ｃｒａｎｉｏｆａｓｃ．  Ｓｕｒｇ．，  ２０（２）：３６２−３６５，  （Ｍａｒ．  ２００９）．  ＷＦＵ−８２
【非特許文献８６０】  ＡＲＧＥＮＴＡ，  Ｌ．Ｃ．，  ｅｔ  ａｌ．，  "Ａｄｖａｎｃｅｓ  ｉｎ  ｈｅｍａｎｇｉｏｍａ  ｅｖａｌｕａｔｉｏｎ  ａｎｄ  ｔｒｅａｔｍｅｎｔ，"  Ｊ．  Ｃｒａｎｉｏｆａｃ．  Ｓｕｒｇ．，  １７（４）：７４８−７５５  （Ｊｕｌ．  ２００６）．  ＷＦＵ−８３
【非特許文献８６１】  ＰＬＩＫＡＩＴＩＳ，  Ｃ．Ｍ．，  ｅｔ  ａｌ，  "Ｎｅｕｒｏｃｕｔａｎｅｏｕｓ  ｍｅｌａｎｏｓｉｓ：  ｃｌｉｎｉｃａｌ  ｐｒｅｓｅｎｔａｔｉｏｎｓ，"  Ｊ．  Ｃｒａｎｉｏｆａｃ．  Ｓｕｒｇ．，  １６（５）：９２１−９２５  （Ｓｅｐ．  ２００５）．  ＷＦＵ−８４
【非特許文献８６２】  ＤＡＶＩＤ，  Ｌ．Ｒ．，  ｅｔ  ａｌ．，  "Ｐｒｏｂｏｓｃｉｓ  ｌａｔｅｒａｌｉｓ：  ａ  ｒａｒｅ  ｃｒａｎｉｏｆａｃｉａｌ  ａｎｏｍａｌｙ，  ｒｅｃｏｎｓｔｒｕｃｔｉｏｎ，  ａｎｄ  ｌｏｎｇ−ｔｅｒｍ  ｅｖａｌｕａｔｉｏｎ，"  Ｊ．  Ｃｒａｎｉｏｆａｃ．  Ｓｕｒｇ．，  １９（４）：１１０７−１１１３，  （Ｊｕｌｙ  ２００８）．  ＷＦＵ−８５
【非特許文献８６３】  ＳＡＮＧＥＲ，  Ｃ．，  ｅｔ  ａｌ．，  "Ｄｙｎａｍｉｃ  ｓｐｒｉｎｇ  ｍｅｄｉａｔｅｄ  ｃｒａｎｉｏｐｌａｓｔｙ  ｉｎ  ａｎ  ｅｘｐｅｒｉｍｅｎｔａｌ  ｍｏｄｅｌ  ｗｉｔｈ  ｒｅｓｏｒｂａｂｌｅ  ｆｏｏｔ  ｐｌａｔｅｓ，"  Ｊ．  Ｃｒａｎｉｏｆａｃ．  Ｓｕｒｇ．，  １８（１）：５４−５９，  （Ｊａｎ．  ２００７）．  ＷＦＵ−８７
【非特許文献８６４】  ＭＯＲＹＫＷＡＳ，  Ｍ．Ｊ．，  ｅｔ  ａｌ．，  "Ｖａｃｕｕｍ−ａｓｓｉｓｔｅｄ  ｃｌｏｓｕｒｅ：  ｓｔａｔｅ  ｏｆ  ｂａｓｉｃ  ｒｅｓｅａｒｃｈ  ａｎｄ  ｐｈｙｓｉｏｌｏｇｉｃ  ｆｏｕｎｄａｔｉｏｎ，"  Ｐｌａｓｔ．  Ｒｅｃｏｎｓｔｒ．  Ｓｕｒｇ．，  １１７（７）  （Ｓｕｐｐｌ）：  １２１Ｓ−１２６Ｓ，  （Ｊｕｎ．  ２００６）．  ＷＦＵ−８８
【非特許文献８６５】  ＨＩＬＬ，  Ｃ．Ａ．，  ｅｔ  ａｌ．，  "Ｓｕｐｅｒｉｏｒ  ｓｔｅｒｎａｌ  ｃｌｅｆｔ  ｒｅｐａｉｒ  ｕｓｉｎｇ  ａｕｔｏｌｏｇｏｕｓ  ｒｉｂ  ｇｒａｆｔｓ  ｉｎ  ａｎ  ｉｎｆａｎｔ  ｗｉｔｈ  ｃｏｍｐｌｅｘ  ｃｏｎｇｅｎｉｔａｌ  ｈｅａｒｔ  ｄｉｓｅａｓｅ，"  Ａｎｎ．  Ｔｈｏｒａｃ．  Ｓｕｒｇ．，  ８４：６７３−４，  （２００７）．  ＷＦＵ−８９
【非特許文献８６６】  ＭＣＧＥＥ，  Ｍ．Ｐ．，  ｅｔ  ａｌ．，  "Ｓｗｅｌｌｉｎｇ  ａｎｄ  ｐｒｅｓｓｕｒｅ−ｖｏｌｕｍｅ  ｒｅｌａｔｉｏｎｓｈｉｐｓ  ｉｎ  ｔｈｅ  ｄｅｒｍｉｓ  ｍｅａｓｕｒｅｄ  ｂｙ  ｏｓｍｏｔｉｃ−ｓｔｒｅｓｓ  ｔｅｃｈｎｉｑｕｅ，"  Ａｍ．  Ｊ．  Ｐｈｙｓｉｏｌ．  Ｒｅｇｕｌ．  Ｉｎｔｅｇｒ．  Ｃｏｍｐ．  Ｐｈｙｓｉｏｌ．，  ２９６：Ｒ１９０７−Ｒ１９１３，  （Ｍａｒ．  ２５，  ２００９）．  ＷＦＵ−９０
【非特許文献８６７】  ＭＯＲＹＫＷＡＳ，  Ｍ．，  "Ｖａｃｕｕｍ  ａｓｓｉｓｔｅｄ  ｃｌｏｓｕｒｅ，"  ９１  ｓｈｅｅｔｓ  ｏｆ  ｓｌｉｄｅｓ．  ＷＦＵ−９１
【非特許文献８６８】  ＭＯＲＹＫＷＡＳ，  Ｍ．，  ｅｔ  ａｌ．，  "Ｅｌ  ｕｓｅ  ｄｅ  ｌａ  ｐｌａｎｔｉｌｌａ  ｄｅ  ｒｅｇｅｎｅｒａｃｉｏｎ  ｉｎｔｅｇｒａ  ｅｎ  ｌａ  ｃｉｒｕｇｉａ  ｒｅｃｏｎｓｔｒｕｃｔｉｖａ，"  １２１  ｓｈｅｅｔｓ  ｏｆ  ｓｌｉｄｅｓ．  ＷＦＵ−９２
【非特許文献８６９】  ＡＲＧＥＮＴＡ，  Ａ．，  ｅｔ  ａｌ．，  "Ｄｅｆｏｒｍａｔｉｏｎ  ｏｆ  ｓｕｐｅｒｆｉｃｉａｌ  ａｎｄ  ｄｅｅｐ  ａｂｄｏｍｉｎａｌ  ｔｉｓｓｕｅｓ  ｗｉｔｈ  ａｐｐｌｉｃａｔｉｏｎ  ｏｆ  ａ  ｃｏｎｔｒｏｌｌｅｄ  ｖａｃｕｕｍ"，  １  ｓｈｅｅｔ．  ＷＦＵ−９４
【非特許文献８７０】  Ｐｒｏｔｏ，  Ｍａｓｓａｃｈｕｓｅｔｔｓ  Ｇｅｎｅｒａｌ  Ｈｏｓｐｉｔａｌ  Ｄｉｓｐａｃｈｅｓ  ｆｒｏｍ  ｔｈｅ  Ｆｒｏｎｔｉｅｒｓ  ｏｆ  Ｍｅｄｉｃｉｎｅ，  ２  ｓｈｅｅｔｓ，  （Ｗｉｎｔｅｒ  ２００６）．  ＮＰＬ−８１３
【非特許文献８７１】  ＰＯＷＥＬＬ，  Ｅ．Ｔ．，  "Ｔｈｅ  ｒｏｌｅ  ｏｆ  ｎｅｇａｔｉｖｅ  ｐｒｅｓｓｕｒｅ  ｗｏｕｎｄ  ｔｈｅｒａｐｙ  ｗｉｔｈ  ｒｅｔｉｃｕｌａｔｅｄ  ｏｐｅｎ  ｃｅｌｌ  ｆｏａｍ  ｉｎ  ｔｈｅ  ｔｒｅａｔｍｅｎｔ  ｏｆ  ｗａｒ  ｗｏｕｎｄｓ，"  Ｊ．  Ｏｒｔｈｏｐ．  Ｔｒａｕｍａ，  Ｖｏｌ．  ２２（１０）  Ｓｕｐｐ．：  Ｓ１３８−Ｓ１４１，  （Ｎｏｖ．／Ｄｅｃ．  ２００８）．  ＮＰＬ−８１４
【非特許文献８７２】  "Ｎｅｇａｔｉｖｅ  ｐｒｅｓｓｕｒｅ  ｗｏｕｎｄ  ｔｈｅｒａｐｙ  ｄｅｖｉｃｅｓ，"  Ｔｅｃｈｎｏｌｏｇｙ  ａｓｓｅｓｓｍｅｎｔ  ｒｅｐｏｒｔ；  Ａｇｅｎｃｙ  ｆｏｒ  Ｈｅａｌｔｈｃａｒｅ  Ｒｅｓｅａｒｃｈ  ａｎｄ  Ｑｕａｌｉｔｙ，  ｗｉｔｈ  ａｎｎｏｔａｔｉｏｎｓ，  ｗｅｂｓｉｔｅ  ｄａｔｅｄ  Ｍａｙ  ２６，  ２００９，  ｐｒｉｎｔｅｄ  Ｊｕｎｅ  ２６，  ２００９  ａｎｄ  Ｊｕｎｅ  ２８，  ２００９．  ＮＰＬ−８１２
【非特許文献８７３】  ＴＨＯＭＡＳ，  Ｓ．，  "Ａｔｒａｕｍａｔｉｃ  ｄｒｅｓｓｉｎｇｓ，"  Ｗｏｒｌｄ  Ｗｉｄｅ  Ｗｏｕｎｄｓ，  ｓｐｏｎｓｏｒｅｄ  ｂｙ  Ｍｏｌｎｙｌｃｋｅ  Ｈｅａｌｔｈ  Ｃａｒｅ，  １１  ｓｈｅｅｔｓ，  ｐｕｂｌｉｓｈｅｄ  Ｊａｎ．  ２００３，  ｗｅｂｓｉｔｅ  ｐｒｉｎｔｏｕｔ  ｄａｔｅｄ  Ｊｕｎ．  ２９，  ２００９．  ＮＰＬ−８０８
【非特許文献８７４】  ＯＲＧＩＬＬ，  Ｄ．Ｐ．，  ｅｔ  ａｌ．，  "Ｔｈｅ  ｍｅｃｈａｎｉｓｍｓ  ｏｆ  ａｃｔｉｏｎ  ｏｆ  ｖａｃｕｕｍ  ａｓｓｉｓｔｅｄ  ｃｌｏｓｕｒｅ：  Ｍｏｒｅ  ｔｏ  ｌｅａｒｎ，"  Ｓｕｒｇｅｒｙ，  １４６（１）：４０−５１，  （Ｊｕｌ．  ２００９）．  ＷＦＵ−９８
【非特許文献８７５】  ＤＥＦＲＡＮＺＯ，  Ａ．，  ｅｔ  ａｌ．，  "４：  Ｖａｃｕｕｍ−ａｓｓｉｓｔｅｄ  ｃｌｏｓｕｒｅ  ｉｎ  ｅｘｔｒｅｍｉｔｙ  ｔｒａｕｍａ，"  ｉｎ  Ｓｏｆｔ  Ｔｉｓｓｕｅ  Ｓｕｒｇｅｒｙ，  Ｓ．Ｌ．  Ｍｏｒａｎ  ｅｔ  ａｌ．，  ｐ．  ４９−６０  ａｎｄ  ａｄｄｉｔｉｏｎａｌ  ｓｈｅｅｔ，  Ｌｉｐｐｉｎｃｏｔｔ  Ｗｉｌｌｉａｍｓ  &  Ｗｉｌｋｉｎｓ  （Ｐｕｂ．  Ａｐｒ．  １，  ２００８）．  ＷＦＵ−９６
【非特許文献８７６】  ＳＴＯＥＣＫＥＬ，  Ｗ．Ｔ．，  ｅｔ  ａｌ．，  "３０：  Ｖａｃｕｕｍ  ａｓｓｉｓｔｅｄ  ｄｅｖｉｃｅｓ  ｆｏｒ  ｄｉｆｆｉｃｕｌｔ  ｗｏｕｎｄｓ  ｏｆ  ｔｈｅ  ｆａｃｅ  ａｎｄ  ｎｅｃｋ，"  Ｅｓｓｅｎｔｉａｌ  Ｔｉｓｓｕｅ  Ｈｅａｌｉｎｇ  ｏｆ  ｔｈｅ  Ｆａｃｅ  ａｎｄ  Ｎｅｃｋ，  ｐ．  ３９９−４０８，  ａｎｄ  ａｄｄｉｔｉｏｎａｌ  ｓｈｅｅｔ，  Ｆｌｏｍ，  ｅｔ  ａｌ．，  （Ｐｕｂ．  Ｊａｎ．  ２８，  ２００９）． ＷＦＵ−９５
【非特許文献８７７】  ＭＡＲＫＳ，  Ｍ．Ｗ．，  ｅｔ  ａｌ．，  "Ｐｒｉｎｃｉｐｌｅｓ  &  Ａｐｐｌｉｃａｔｉｏｎｓ  ｏｆ  Ｖａｃｕｕｍ  Ａｓｓｉｓｔｅｄ  Ｃｌｂｓｕｒｅ  （ＶＡＣ）"  Ｐｌａｓｔｉｃ  Ｓｕｒｇｅｒｙ  Ｓｅｃｒｅｔｓ，  ２ｎｄ  ｅｄ．，  Ｍｏｓｂｙ  Ｅｌｓｅｖｉｅｒ，  （２０１０）．  ＷＦＵ−９７
【非特許文献８７８】  ＢＯＮＮＡＭＹ，  Ｃ．，  ｅｔ  ａｌ．，  "Ｕｓｅ  ｏｆ  ｔｈｅ  ｖａｃｕｕｍ−ａｓｓｉｓｔｅｄ  ｃｌｏｓｕｒｅ  ｓｙｓｔｅｍ  ｆｏｒ  ｔｈｅ  ｔｒｅａｔｍｅｎｔ  ｏｆ  ｐｅｒｉｎｅａ！  ｇａｎｇｒｅｎｅ  ｉｎｖｏｌｖｉｎｇ  ｔｈｅ  ａｂｄｏｍｉｎａｌ  ｗａｌｌ"，  Ａｎｎ．  Ｃｈｉｒ．，  （Ｅｎｇｌｉｓｈ  ａｂｓｔｒａｃｔ  ｏｎ  ｆｉｒｓｔ  ｐａｇｅ  ａｎｄ  １  ｓｈｅｅｔ  ＰｕｂＭｅｄ  ａｂｓｔｒａｃｔ）  １２５（１０）：９８２−４  （Ｄｅｃｅｍｂｅｒ  ２０００）． ＮＰＬ−０５４
【非特許文献８７９】  ＭＥＹＥＲ，  Ｗ．，  ｅｔ  ａｌ．，  ｅｘｃｅｒｐｔｓ  ｆｒｏｍ  "Ｂｉｅｒｓ  Ｈｙｐｅｒｅｍｉｃ  Ｔｒｅａｔｍｅｎｔ"，  Ｗ．Ｂ．  Ｓａｕｎｄｅｒｓ  ａｎｄ  Ｃｏ．，  （４８  ｓｈｅｅｔｓ）  （１９０８）．  ＮＰＬ−７０２
【非特許文献８８０】  ＷＯＮＧ，  Ｓ．Ｌ．，  ｅｔ  ａｌ．，  "Ｌｏｘｏｓｃｅｌｉｓｍ  ａｎｄ  ｎｅｇａｔｉｖｅ  ｐｒｅｓｓｕｒｅ  ｗｏｕｎｄ  ｔｈｅｒａｐｙ  （Ｖａｃｕｕｍ−ａｓｓｉｓｔｅｄ  ｃｌｏｓｕｒｅ）：  ａ  ｃｌｉｎｉｃａｌ  ｃａｓｅ  ｓｅｒｉｅｓ，"  Ａｍ．  Ｓｕｒｇ．，  ７５：１１２８−１１３１，  （Ｎｏｖ．  ２００９）．  ＷＦＵ−８６
【非特許文献８８１】  ＣＯＶＥＹ，  Ｄ．Ｃ．  ｅｔ  ａｌ．，  "Ｏｒｔｈｏｐａｅｄｉｃ  ｗａｒ  ｉｎｊｕｒｉｅｓ：  Ｆｒｏｍ  ｃｏｍｂａｔ  ｃａｓｕｌｔｙ  ｃａｒｅ  ｔｏ  ｄｅｆｉｎｉｔｉｖｅ  ｔｒｅａｔｍｅｎｔ：  Ａ  ｃｕｒｒｅｎｔ  ｒｅｖｉｅｗ  ｏｆ  ｃｌｉｎｉｃａｌ  ａｄｖａｎｃｅｓ，  ｂａｓｉｃ  ｓｃｉｅｎｃｅ，  ａｎｄ  ｒｅｓｅａｒｃｈ  ｏｐｐｏｒｔｕｎｉｔｉｅｓ，"  Ｉｎｓｔｒ．  Ｃｏｕｒｓｅ  Ｌｅｃｔ．  ５７：６５−８６  （２００８）．  ＮＰＬ−８２１
【非特許文献８８２】  ＰＩＲＥＬＡ−ＣＲＵＺ，  Ｍ．Ａ．，  ｅｔ  ａｌ．，  "Ｍａｎａｇｅｍｅｎｔ  ｏｆ  ｌａｒｇｅ  ｓｏｆｔ−ｔｉｓｓｕｅ  ｗｏｕｎｄｓ  ｗｉｔｈ  ｎｅｇａｔｉｖｅ  ｐｒｅｓｓｕｒｅ  ｔｈｅｒａｐｙ  −  ｌｅｓｓｏｎｓ  ｌｅａｒｎｅｄ  ｆｒｏｍ  ｔｈｅ  ｗａｒ  ｚｏｎｅ，"  Ｊ．  Ｈａｎｄ  Ｔｈｅｒ．  ２１：１９６−２０３，  （２００８）．  ＮＰＬ−８２３
【非特許文献８８３】  ＶＥＲＴＲＥＥＳ，  Ａ．，  ｅｔ  ａｌ．，  "Ｍｏｄｅｒｎ  ｍａｎａｇｅｍｅｎｔ  ｏｆ  ｃｏｍｐｌｅｘ  ｏｐｅｎ  ａｂｄｏｍｉｎａｌ  ｗｏｕｎｄｓ  ｏｆ  ｗａｒ：  Ａ  ５−ｙｅａｒ  ｅｘｐｅｒｉｅｎｃｅ，"  Ｊ．  Ａｍ．  Ｃｏｌｌ．  Ｓｕｒｇ．，  ２０７：８０１−８０９，  （２００８）．  ＮＰＬ−８２４
【非特許文献８８４】  ＧＥＩＧＥＲ，  Ｓ．，  ｅｔ  ａｌ．，  "Ｗａｒ  ｗｏｕｎｄｓ：  Ｌｅｓｓｏｎｓ  ｌｅａｒｎｅｄ  ｆｒｏｍ  Ｏｐｅｒａｔｉｏｎ  Ｉｒａｑｉ  Ｆｒｅｅｄｏｍ，"  Ｐｌａｓｔ．  Ｒｅｃｏｎｓｔｒ．  Ｓｕｒｇ．，  １２２：１４６−１５３，  （２００８）．  ＮＰＬ−８２５
【非特許文献８８５】  ＨＯＳＰＥＮＴＨＡＬ，  Ｄ．Ｒ．，  ｅｔ  ａｌ．，  "Ｇｕｉｄｅｌｉｎｅｓ  ｆｏｒ  ｔｈｅ  ｐｒｅｖｅｎｔｉｏｎ  ｏｆ  ｉｎｆｅｃｔｉｏｎ  ａｆｔｅｒ  ｃｏｍｂａｔ−ｒｅｌａｔｅｄ  ｉｎｊｕｒｉｅｓ，"  Ｊ．  Ｔｒａｕｍａ，  ６４（３）：  Ｓ２１１−Ｓ２２０，  （２００８）．  ＮＰＬ−８３２
【非特許文献８８６】  ＭＵＲＲＡＹ，  Ｃ．Ｋ．，  ｅｔ  ａｌ．，  "Ｐｒｅｖｅｎｔｉｏｎ  ａｎｄ  ｍａｎａｇｅｍｅｎｔ  ｏｆ  ｉｎｆｅｃｔｉｏｎｓ  ａｓｓｏｃｉａｔｅｄ  ｗｉｔｈ  ｃｏｍｂａｔ−ｒｅｌａｔｅｄ  ｅｘｔｒｅｍｉｔｙ  ｉｎｊｕｒｉｅｓ，"  Ｊ．  Ｔｒａｕｍａ，  ６４（３）：Ｓ２３９−Ｓ２５１，  （２００８）．  ＮＰＬ−８３３
【非特許文献８８７】  ＣＡＭＰＢＥＬＬ，  Ｐ．Ｅ．，  ｅｔ  ａｌ．，  "Ｒｅｔｒｏｓｐｅｃｔｉｖｅ  ｃｌｉｎｉｃａｌ  ｅｖａｌｕａｔｉｏｎ  ｏｆ  ｇａｕｚｅ−ｂａｓｅｄ  ｎｅｇａｔｉｖｅ  ｐｒｅｓｓｕｒｅ  ｗｏｕｎｄ  ｔｈｅｒａｐｙ，"  Ｉｎｔ．  Ｗｏｕｎｄ  Ｊ．，  ５（２）：２８０−２８６，  （２００８）．  ＮＰＬ−８３７
【非特許文献８８８】  ＰＣＴ／ＵＳ０８／３０５８１  −  Ｗｒｉｔｔｅｎ  Ｏｐｉｎｉｏｎ  ａｎｄ  Ｉｎｔｅｒｎａｔｉｏｎａｌ  Ｓｅａｒｃｈ  Ｒｅｐｏｒｔ  Ｐ０４４８６Ｗ００  −  ＩＳＲ  （Ｆｅｂ．  ２０，  ２００９）．
【非特許文献８８９】  ＵＳ  １１／６７８，４０３  −  Ｏｆｆｉｃｉａｌ  ａｃｔｉｏｎ  Ｐ０４１９２ＵＳ０−ＯＡ−０１  （Ｎｏｖ．  ２４，  ２００８）．
【非特許文献８９０】  ＰＣＴ／ＵＳ０８／５０５８４  −  Ｗｒｉｔｔｅｎ  Ｏｐｉｎｉｏｎ  ａｎｄ  Ｉｎｔｅｒｎａｔｉｏｎａｌ  Ｓｅａｒｃｈ  Ｒｅｐｏｒｔ  Ｐ０４１６４Ｗ００−ＩＳＲ  （Ｊｕｌ．  ２５，  ２００８）．
【非特許文献８９１】  Ｖａｃｕｕｍ  Ａｓｓｉｓｔｅｄ  Ｃｌｏｓｕｒｅ  （Ｖ．Ａ．Ｃ．（Ｒ））  Ｔｈｅｒａｐｙ：  ａｎ  ｏｖｅｒｖｉｅｗ  ｏｆ  ｓｃｉｅｎｔｉｆｉｃ，  ｃｌｉｎｉｃａｌ，  ａｎｄ  ｃｏｓｔ  ｅｆｆｅｃｔｉｖｅｎｅｓｓ  ｅｖｉｄｅｎｃｅ，  （１９  ｓｈｅｅｔｓ）  ＫＣＩ  Ｌｉｃｅｎｓｉｎｇ，  Ｉｎｃ．，  ２００９．  ＮＰＬ−７１１
【非特許文献８９２】  Ｍｅｒｒｉａｍ−Ｗｅｂｓｔｅｒ  Ｏｎｌｉｎｅ，  "ｒｅｅｐｉｔｈｅｌｉａｌｉｚａｔｉｏｎ，"  ｐｒｉｎｔｏｕｔ  ｏｆ  ｗｅｂｐａｇｅ  ｄａｔｅｄ  Ａｐｒ．  １７，  ２００９．  ＮＰＬ−７２７
【非特許文献８９３】  Ｏｘｆｏｒｄ  Ｅｎｇｌｉｓｈ  Ｄｉｃｔｉｏｎａｒｙ  Ｏｎｌｉｎｅ，  "ｄｅｆｏｒｍａｂｌｅ，"  "ｄｅｆｏｒｍ，"  ａｎｄ  "ｆｌｅｘｉｂｌｅ，"  ｐｒｉｎｔｏｕｔ  ｏｆ  ｗｅｂｐａｇｅｓ  ｄａｔｅｄ  Ａｐｒ．  １７，  ２００９．  ＮＰＬ−７２８
【非特許文献８９４】  ＭＵＲＰＨＥＹ，  Ｇ．Ｃ．，  ｅｔ  ａｌ．，  "Ｄｅｐｔｈ  ｏｆ  ｐｅｎｅｔｒａｔｉｏｎ  ｏｆ  ｎｅｇａｔｉｖｅ  ｐｒｅｓｓｕｒｅ  ｗｏｕｎｄ  ｔｈｅｒａｐｙ  ｉｎｔｏ  ｕｎｄｅｒｌｙｉｎｇ  ｔｉｓｓｕｅｓ，"  Ｗｏｕｎｄ  Ｒｅｐａｉｒ  ａｎｄ  Ｒｅｇｅｎｅｒａｔｉｏｎ，  １７：１１３−１１７  （２００９）．  ＮＰＬ−７３５
【非特許文献８９５】  ＪＡＲＧＩＮ，  Ｓ．Ｖ．，  "Ｌｉｍｉｔｅｄ  ａｃｃｅｓｓ  ｔｏ  ｆｏｒｅｉｇｎ  ｍｅｄｉｃａｌ  ｌｉｔｅｒａｔｕｒｅ  ｉｎ  Ｒｕｓｓｉａ，"  Ｃｈａｒｔｅｒｅｄ  Ｉｎｓｔｉｔｕｔｅ  ｏｆ  Ｌｉｂｒａｒｙ  ａｎｄ  Ｉｎｆｏｒｍａｔｉｏｎ  Ｐｒｏｆｅｓｓｉｏｎａｌｓ  Ｈｅａｌｔｈ  Ｌｉｂｒａｒｉｅｓ  Ｇｒｏｕｐ  Ｎｅｗｓｌｅｔｔｅｒ，  ２５（４）：７−１０，  （Ｄｅｃ．  ２００８）．  ＮＰＬ−７３６
【非特許文献８９６】  Ｗｅｂｓｉｔｅ  ｐｒｉｎｔｏｕｔ  "Ｃｈｅｍｉｃａｌ  ｏｆ  ｔｈｅ  ｗｅｅｋ"  ｐｏｌｙｍｅｒｓ，  ５  ｓｈｅｅｔｓ，  ｐｒｉｎｔｏｕｔ  ｄａｔｅｄ  Ａｐｒ．  １７，  ２００９．  ＮＰＬ−７３９ｂｗ
【非特許文献８９７】  ＣＨＡＲＩＫＥＲ，  Ｍ．Ｅ．，  ｅｔ  ａｌ．，  "Ａｎ  ａｌｇｏｒｉｔｈｍｉｃ  ａｐｐｒｏａｃｈ  ｔｏ  ｔｈｅ  ｕｓｅ  ｏｆ  ｇａｕｚｅ−ｂａｓｅｄ  ｎｅｇａｔｉｖｅ−ｐｒｅｓｓｕｒｅ  ｗｏｕｎｄ  ｔｈｅｒａｐｙ  ａｓ  ａ  ｂｒｉｄｇｅ  ｔｏ  ｃｌｏｓｕｒｅ  ｉｎ  ｐｅｄｉａｔｒｉｃ  ｅｘｔｒｅｍｉｔｙ  ｔｒａｕｍａ，"  Ｐｌａｓｔ．  Ｒｅｃｏｎｓｔｒ．  Ｓｕｒｇ．，  １２３：１５１０−１５２０，  （２００９）．  ＮＰＬ−７７１
【非特許文献８９８】  ＣＯＲＮＥＬＩＵＳ，  Ｍ．，  "Ｃａｒｅ  ｉｎ  ｔｈｅ  ａｉｒ：  Ｂｒｉｎｇｉｎｇ  ｔｈｅ  ｗｏｕｎｄｅｄ  ｃｌｏｓｅｒ  ｔｏ  ｈｏｍｅ，"  Ｐｌａｓｔ．  Ｓｕｒｇ．  Ｎｕｒｓ．，  ２９（３）：１６５−１６８，  （Ｊｕｌ．  −  Ｓｅｐ．  ２００９）．  ＮＰＬ−８２２
【非特許文献８９９】  ＫＵＭＡＲ，  Ａ．Ｒ．，  ｅｔ  ａｌ．，  "Ｌｅｓｓｏｎｓ  ｆｒｏｍ  Ｏｐｅｒａｔｉｏｎ  Ｉｒａｑｉ  Ｆｒｅｅｄｏｍ：  Ｓｕｃｃｅｓｓｆｕｌ  ｓｕｂａｃｕｔｅ  ｒｅｃｏｎｓｔｒｕｃｔｉｏｎ  ｏｆ  ｃｏｍｐｌｅｘ  ｌｏｗｅｒ  ｅｘｔｒｅｍｉｔｙ  ｂａｔｔｌｅ  ｉｎｊｕｒｉｅｓ，"  Ｐｌａｓｔ．  Ｒｅｃｏｎｓｔｒ．  Ｓｕｒｇ．，  １２３：２１８−２２９，  （２００９）．  ＮＰＬ−８２６
【非特許文献９００】  ＶＡＮ  ＳＵＳＡＮＴＥ，  Ｊ．Ｌ．Ｃ．，  ｅｔ  ａｌ．，  "Ｌｉｎｋａｇｅ  ｏｆ  ｃｈｏｎｄｒｏｉｔｉｎ−ｓｕｌｆａｔｅ  ｔｏ  ｔｙｐｅ  Ｉ  ｃｏｌｌａｇｅｎ  ｓｃａｆｆｏｌｄｓ  ｓｔｉｍｕｌａｔｅｓ  ｔｈｅ  ｂｉｏａｃｔｉｖｉｔｙ  ｏｆ  ｓｅｅｄｅｄ  ｃｈｏｎｄｒｏｃｙｔｅｓ  ｉｎ  ｖｉｔｒｏ，"  Ｂｉｏｍａｔｅｒｉａｌｓ，  ２２：２３５９−２３６９  （２００１）．  ＮＰＬ−８６４
【非特許文献９０１】  ＷＡＮＧ，  Ｙ．，  ｅｔ  ａｌ．，  "Ａ  ｔｏｕｇｈ  ｂｉｏｄｅｇｒａｄａｂｌｅ  ｅｌａｓｔｏｍｅｒ，"  Ｎａｔｕｒｅ  Ｂｉｏｔｅｃｈｎｏｌｏｇｙ，  ２０：６０２−６０６  （Ｊｕｎｅ  ２００２）．  ＮＰＬ−８６５
【非特許文献９０２】  ＳＡＳＡＫＩ，  Ｎ．，  ｅｔ  ａｌ．，  "Ｓｔｒｅｓｓ−ｓｔｒａｉｎ  ｃｕｒｖｅ  ａｎｄ  Ｙｏｕｎｇｓ  Ｍｏｄｕｌｕｓ  ｏｆ  ａ  ｃｏｌｌａｇｅｎ  ｍｏｌｅｃｕｌｅ  ａｓ  ｄｅｔｅｒｍｉｎｅｄ  ｂｙ  ｔｈｅ  ｘ−ｒａｙ  ｄｉｆｆｒａｃｔｉｏｎ  ｔｅｃｈｎｉｑｕｅ，"  Ｊ．  Ｂｉｏｍｅｃｈａｎｉｃｓ，  ２９（５）：６５５−６５８  （１９９６）．  ＮＰＬ−８６６
【非特許文献９０３】  ＮＡＧＡＴＡ，  Ｍ．，  ｅｔ  ａｌ．，  "Ｓｙｎｔｈｅｓｉｓ，  ｃｈａｒａｃｔｅｒｉｚａｔｉｏｎ，  ａｎｄ  ｅｎｚｙｍａｔｉｃ  ｄｅｇｒａｄａｔｉｏｎ  ｏｆ  ｎｅｔｗｏｒｋ  ａｌｉｐｈａｔｉｃ  ｃｏｐｏｌｙｅｓｔｅｒｓ，"  Ｊｏｕｒｎａｌ  ｏｆ  Ｐｏｌｙｍｅｒ  Ｓｃｉｅｎｃｅ：  Ｐａｒｔ  Ａ：  Ｐｏｌｙｍｅｒ  Ｃｈｅｍｉｓｔｒｙ，  ３７：２００５−２０１１  （１９９９）．  ＮＰＬ−８６７
【非特許文献９０４】  ＣＡＵＳＡ，  Ｆ．，  ｅｔ  ａｌ．，  "Ａ  ｍｕｌｔｉ−ｆｕｎｃｔｉｏｎａｌ  ｓｃａｆｆｏｌｄ  ｆｏｒ  ｔｉｓｓｕｅ  ｒｅｇｅｎｅｒａｔｉｏｎ：  Ｔｈｅ  ｎｅｅｄ  ｔｏ  ｅｎｇｉｎｅｅｒ  ａ  ｔｉｓｓｕｅ  ａｎａｌｏｇｕｅ，"  Ｂｉｏｍａｔｅｒｉａｌｓ，  ２８（３４）：５０９３−５０９９  （Ｄｅｃ．  ２００７；  ａｖａｉｌａｂｌｅ  ｏｎｌｉｎｅ  Ａｕｇ．  ６，  ２００７）．  ＮＰＬ−８６８
【非特許文献９０５】  ＮＡＩＲ，  ＬＳ．，  ｅｔ  ａｌ．，  "Ｄｅｖｅｌｏｐｍｅｎｔ  ｏｆ  ｎｏｖｅｌ  ｔｉｓｓｕｅ  ｅｎｇｉｎｅｅｒｉｎｇ  ｓｃａｆｆｏｌｄｓ  ｖｉａ  ｅｌｅｃｔｒｏｓｐｉｎｎｉｎｇ，"  Ｅｘｐｅｒｔ  Ｏｐｉｎ．  Ｂｉｏｌ．  Ｔｈｅｒ．  ４  （５）：６５９−６６８  （Ｍａｙ  ２００４），  （２  ｓｈｅｅｔｓ），  ａｂｓｔｒａｃｔ．  ＮＰＬ−８７０
【非特許文献９０６】  ＶＶＥＢＢ，  Ａ．Ｒ．，  ｅｔ  ａｌ．，  "Ｂｉｏｄｅｇｒａｄａｂｌｅ  ｐｏｌｙｅｓｔｅｒ  ｅｌａｓｔｏｍｅｒｓ  ｉｎ  ｔｉｓｓｕｅ  ｅｎｇｉｎｅｅｒｉｎｇ，"  Ｅｘｐｅｒｔ  Ｏｐｉｎ．  Ｂｉｏｌ．  Ｔｈｅｒ．  ４（６）：８０１−８１２  （２００４）．  ＮＰＬ−８７１
【非特許文献９０７】  ＺＨＯＮＧ，  Ｓ．Ｐ．，  ｅｔ  ａｌ．，  "Ｄｅｖｅｌｏｐｍｅｎｔ  ｏｆ  ａ  ｎｏｖｅｌ  ｃｏｌｌａｇｅｎ−ＧＡＧ  ｎａｎｏｆｉｂｒｏｕｓ  ｓｃａｆｆｏｌｄ  ｖｉａ  ｅｌｅｃｔｒｏｓｐｉｎｎｉｎｇ，"  Ｍａｔｅｒｉａｌｓ  Ｓｃｉｅｎｃｅ  ａｎｄ  Ｅｎｇｉｎｅｅｒｉｎｇ：  Ｃ，  ２７（２）：２６２−２６６  （Ｍａｒ．  ２００７）  （ａｖａｉｌａｂｌｅ  ｏｎｌｉｎｅ  Ｊｕｎ．  ８，  ２００６）．  ＮＰＬ−８７２
【非特許文献９０８】  ＬＩ，  Ｃ．，  ｅｔ  ａｌ．，  "Ｅｌｅｃｔｒｏｓｐｕｎ  ｓｉｌｋ−ＢＭＰ−２  ｓｃａｆｆｏｌｄｓ  ｆｏｒ  ｂｏｎｅ  ｔｉｓｓｕｅ  ｅｎｇｉｎｅｅｒｉｎｇ，"  Ｂｉｏｍａｔｅｒｉａｌｓ，  ２７（１６）：３１１５−３１２４  （Ｊｕｎ．  ２００６）  （ａｖａｉｌａｂｌｅ  ｏｎｌｉｎｅ  Ｆｅｂｒｕａｒｙ  ３，  ２００６）．  ＮＰＬ−８７３
【非特許文献９０９】  ＴＥＯ，  Ｗ．Ｅ．，  ｅｔ  ａｌ．，  "Ｅｌｅｃｔｒｏｓｐｕｎ  ｓｃａｆｆｏｌｄ  ｔａｉｌｏｒｅｄ  ｆｏｒ  ｔｉｓｓｕｅ−ｓｐｅｃｉｆｉｃ  ｅｘｔｒａｃｅｌｌｕｌａｒ  ｍａｔｒｉｘ，"  Ｂｉｏｔｅｃｈｎｏｌｏｇｙ  Ｊｏｕｒｎａｌ，  １  （９）：９１８−９２９  （Ｓｅｐｔ．  ２００６）  （ｐｕｂｌｉｓｈｅｄ  ｏｎｌｉｎｅ  Ａｕｇ．  ２８，  ２００６）．  ＮＰＬ−８７４
【非特許文献９１０】  ＹＩ，  Ｆ．，  ｅｔ  ａｌ．，  "Ｐｏｌｙ（ｇｌｙｃｅｒｏｌ  ｓｅｂａｃａｔｅ）  ｎａｎｏｆｉｂｅｒ  ｓｃａｆｆｏｌｄｓ  ｂｙ  ｃｏｒｅ／ｓｈｅｌｌ  ｅｌｅｃｔｒｏｓｐｉｎｎｉｎｇ，"  Ｍａｃｒｏｍｏｌ．  Ｂｉｏｓｃｉ．  ８：８０３−８０６  （２００８）．  ＮＰＬ−８７６
【非特許文献９１１】  ＷＡＮＧ，  Ｙ．，  ｅｔ  ａｌ．，  "Ｉｎ  ｖｉｖｏ  ｄｅｇｒａｄａｔｉｏｎ  ｃｈａｒａｃｔｅｒｉｓｔｉｃｓ  ｏｆ  ｐｏｌｙ（ｇｌｙｃｅｒｏｌ  ｓｅｂａｃａｔｅ），"  Ｊ．  Ｂｉｏｍｅｄ  Ｍａｔｅｒ  Ｒｅｓ  Ａ，  ６６  （１）：１９２−１９７  （Ｊｕｌ．  １  ２００３）  （ｐｕｂｌｉｓｈｅｄ  ｏｎｌｉｎｅ  Ｊｕｎ．  １０，  ２００３）．  ＮＰＬ−８７７
【非特許文献９１２】  ＩＦＫＯＶＩＴＳ，  Ｊ．Ｌ．，  ｅｔ  ａｌ．，  "Ｂｉｏｄｅｇｒａｄａｂｌｅ  ａｎｄ  ｒａｄｉｃａｌｌｙ  ｐｏｌｙｍｅｒｉｚｅｄ  ｅｌａｓｔｏｍｅｒｓ  ｗｉｔｈ  ｅｎｈａｎｃｅｄ  ｐｒｏｃｅｓｓｉｎｇ  ｃａｐａｂｉｌｉｔｉｅｓ，"  Ｂｉｏｍｅｄ  Ｍａｔｅｒ．  ３（３）：０３４１０４  （Ｓｅｐ．  ２００８）  （ｐｕｂｌｉｓｈｅｄ  Ａｕｇ．  ８，  ２００８）．  ＮＰＬ−８８０
【非特許文献９１３】  ＶＥＮＵＧＯＰＡＬ，  Ｊ．Ｒ．，  ｅｔ  ａｌ．，  "Ｎａｎｏｂｉｏｅｎｇｉｎｅｅｒｅｄ  ｅｌｅｃｔｒｏｓｐｕｎ  ｃｏｍｐｏｓｉｔｅ  ｎａｎｏｆｉｂｅｒｓ  ａｎｄ  ｏｓｔｅｏｂｌａｓｔｓ  ｆｏｒ  ｂｏｎｅ  ｒｅｇｅｎｅｒａｔｉｏｎ，"  Ａｒｔｉｆ．  Ｏｒｇａｎｓ  ３２（５）：３８８−３９７  （２００８）．  ＮＰＬ−８８４
【非特許文献９１４】  ＨＥＹＤＡＲＫＨＡＮ−ＨＡＧＶＡＬＬ，  Ｓ．，  ｅｔ  ａｌ．，  "Ｔｈｒｅｅ−ｄｉｍｅｎｓｉｏｎａｌ  ｅｌｅｃｔｒｏｓｐｕｎ  ＥＣＭ−ｂａｓｅｄ  ｈｙｂｒｉｄ  ｓｃａｆｆｏｌｄｓ  ｆｏｒ  ｃａｒｄｉｏｖａｓｃｕｌａｒ  ｔｉｓｓｕｅ  ｅｎｇｉｎｅｅｒｉｎｇ，"  Ｂｉｏｍａｔｅｒｉａｌｓ  ２９（１９）：２９０７−２９１４  （Ｊｕｌ．  ２００８；  ａｖａｉｌａｂｌｅ  ｏｎｌｉｎｅ  Ａｐｒ．  ９，  ２００８）．  ＮＰＬ−８８６
【非特許文献９１５】  ＣＨＥＮ，  Ｄ．，  ｅｔ  ａｌ．，  "Ａｐｐｌｉｃａｔｉｏｎ  ｏｆ  ｅｌｅｃｔｒｏｓｔａｔｉｃ  ｓｐｉｎｎｉｎｇ  ｔｅｃｈｎｏｌｏｇｙ  ｉｎ  ｎａｎｏ−ｓｔｒｕｃｔｕｒｅｄ  ｐｏｌｙｍｅｒ  ｓｃａｆｆｏｌｄ，"  Ｚｈｏｎｇｇｕｏ  Ｘｉｕ  Ｆｕ  Ｃｈｏｎｇ  Ｊｉａｎ  Ｗａｉ  Ｋｅ  Ｚａ  Ｚｈｉ，  ２１（４）：４１１−４１５  （Ａｐｒ．  ２００７），  １  ｓｈｅｅｔ  ａｂｓｔｒａｃｔ．  ＮＰＬ−８８７
【非特許文献９１６】  ＱＩＵ，  Ｈ．，  ｅｔ  ａｌ．，  "Ａ  ｃｉｔｒｉｃ  ａｃｉｄ−ｂａｓｅｄ  ｈｙｄｒｏｘｙａｐａｔｉｔｅ  ｃｏｍｐｏｓｉｔｅ  ｆｏｒ  ｏｒｔｈｏｐｅｄｉｃ  ｉｍｐｌａｎｔｓ，"  Ｂｉｏｍａｔｅｒｉａｌｓ  ２７：５８４５−５８５４  （２００６）  （ａｖａｉｌａｂｌｅ  ｏｎｌｉｎｅ  Ａｕｇ．  ２１，  ２００６）．  ＮＰＬ−８９０
【非特許文献９１７】  ＮＡＩＲ，  Ｌ．Ｓ．，  ｅｔ  ａｌ．，  "Ｎａｎｏｆｉｂｅｒｓ  ａｎｄ  ｎａｎｏｐａｒｔｉｃｌｅｓ  ｆｏｒ  ｏｒｔｈｏｐａｅｄｉｃ  ｓｕｒｇｅｒｙ  ａｐｐｌｉｃａｔｉｏｎｓ，"  Ｊ．  Ｂｏｎｅ  Ｊｏｉｎｔ  Ｓｕｒｇ．  Ａｍ．  ９０  （Ｓｕｐｐ．  １）：１２８−１３１  （２００８）．  ＮＰＬ−
【非特許文献９１８】  ＡＢＤＥＬ−ＦＡＴＴＡＨ，  Ｗ．Ｉ．，  ｅｔ  ａｌ．，  "Ｓｙｎｔｈｅｓｉｓ，  ｃｈａｒａｃｔｅｒｉｚａｔｉｏｎ  ｏｆ  ｃｈｉｔｏｓａｎｓ  ａｎｄ  ｆａｂｒｉｃａｔｉｏｎ  ｏｆ  ｓｉｎｔｅｒｅｄ  ｃｈｉｔｏｓａｎ  ｍｉｃｒｏｓｐｈｅｒｅ  ｍａｔｒｉｃｅｓ  ｆｏｒ  ｂｏｎｅ  ｔｉｓｓｕｅ  ｅｎｇｉｎｅｅｒｉｎｇ，"  Ａｃｔａ  Ｂｉｏｍａｔｅｒｉａｌｉａ  ３：５０３−５１４  （２００７）．  ＮＰＬ−８９２
【非特許文献９１９】  ＬＩ，  Ｍ．，  ｅｔ  ａｌ．，  "Ｃｏ−ｅｌｅｃｔｒｏｓｐｕｎ  ｐｏｌｙ（ｌａｃｔｉｄｅ−ｃｏ−ｇｌｙｃｏｌｉｄｅ），  ｇｅｌａｔｉｎ，  ａｎｄ  ｅｌａｓｔｉｎ  ｂｌｅｎｄｓ  ｆｏｒ  ｔｉｓｓｕｅ  ｅｎｇｉｎｅｅｒｉｎｇ  ｓｃａｆｆｏｌｄｓ，"  Ｊ．  Ｂｉｏｍｅｄ．  Ｍａｔｅｒ．  Ｒｅｓ．  Ａ．  ７９（４）：９６３−９７３  （Ｄｅｃ．  １５，  ２００６）  （ｐｕｂｌｉｓｈｅｄ  ｏｎｌｉｎｅ  Ａｕｇ．  ３１，  ２００６）．  ＮＰＬ−８９３
【非特許文献９２０】  ＬＩ，  Ｍ．，  ｅｔ  ａｌ．，  "Ｅｌｅｃｔｒｏｓｐｕｎ  ｂｌｅｎｄｓ  ｏｆ  ｎａｔｕｒａｌ  ａｎｄ  ｓｙｎｔｈｅｔｉｃ  ｐｏｌｙｍｅｒｓ  ａｓ  ｓｃａｆｆｏｌｄｓ  ｆｏｒ  ｔｉｓｓｕｅ  ｅｎｇｉｎｅｅｒｉｎｇ，"  Ｃｏｎｆ．  Ｐｒｏｃ．  ＩＥＥＥ  Ｅｎｇ．  Ｍｅｄ．  Ｂｉｏｌ．  Ｓｏｃ．  ６：５８５８−５８６１  （２００５），  １  ｓｈｅｅｔ  ａｂｓｔｒａｃｔ．  ＮＰＬ−８９４
【非特許文献９２１】  ＹＡＮＧ，  Ｘ．，  ｅｔ  ａｌ．，  "Ｍｕｌｔｉｆｕｎｃｔｉｏｎａｌ  ｎａｎｏｆｉｂｒｏｕｓ  ｓｃａｆｆｏｌｄ  ｆｏｒ  ｔｉｓｓｕｅ  ｅｎｇｉｎｅｅｒｉｎｇ，"  Ｊｏｕｒｎａｌ  ｏｆ  Ｅｘｐｅｒｉｍｅｎｔａｌ  Ｎａｎｏｓｃｉｅｎｃｅ  ３  （４）：３２９−３４５  （２００８）．  ＮＰＬ−８９５
【非特許文献９２２】  ＹＡＮＧ，  Ｊ．，  ｅｔ  ａｌ．，  "Ｓｙｎｔｈｅｓｉｓ  ａｎｄ  ｅｖａｌｕａｔｉｏｎ  ｏｆ  ｐｏｌｙ（ｄｉｏｌ  ｃｉｔｒａｔｅ）  ｂｉｏｄｅｇｒａｄａｂｌｅ  ｅｌａｓｔｏｍｅｒｓ，"  Ｂｉｏｍａｔｅｒｉａｌｓ  ２７：１８８９−１８９８  （２００６；  ａｖａｉｌａｂｌｅ  ｏｎｌｉｎｅ  Ｎｏｖ．  １５，  ２００５）．  ＮＰＬ−９００
【非特許文献９２３】  ＹＯＳＨＩＭＯＴＯ，  Ｈ．，  ｅｔ  ａｌ．，  "Ａ  ｂｉｏｄｅｇｒａｄａｂｌｅ  ｎａｎｏｆｉｂｅｒ  ｓｃａｆｆｏｌｄ  ｂｙ  ｅｌｅｃｔｒｏｓｐｉｎｎｉｎｇ  ａｎｄ  ｉｔｓ  ｐｏｔｅｎｔｉａｌ  ｆｏｒ  ｂｏｎｅ  ｔｉｓｓｕｅ  ｅｎｇｉｎｅｅｒｉｎｇ，"  Ｂｉｏｍａｔｅｒｉａｌｓ  ２４（１２）：２０７７−２０８２  （Ｍａｙ  ２００３）．  ＮＰＬ−９０１
【非特許文献９２４】  ＮＤＲＥＵ，  Ａ．，  ｅｔ  ａｌ．，  "Ｅｌｅｃｔｒｏｓｐｕｎ  ｂｉｏｄｅｇｒａｄａｂｌｅ  ｎａｎｏｆｉｂｒｏｕｓ  ｍａｔｓ  ｆｏｒ  ｔｉｓｓｕｅ  ｅｎｇｉｎｅｅｒｉｎｇ，"  Ｎａｎｏｍｅｄｉｃｉｎｅ  （Ｌｏｎｄ．）  ３  （１）：４５−６０  （Ｆｅｂ．  ２００８），  １  ｓｈｅｅｔ  ａｂｓｔｒａｃｔ．  ＮＰＬ−９０２
【非特許文献９２５】  ＫＩＭ，  Ｓ．Ｓ．，  ｅｔ  ａｌ．，  "Ａｃｃｅｌｅｒａｔｅｄ  ｂｏｎｅｌｉｋｅ  ａｐａｔｉｔｅ  ｇｒｏｗｔｈ  ｏｎ  ｐｏｒｏｕｓ  ｐｏｌｙｍｅｒ／ｃｅｒａｍｉｃ  ｃｏｍｐｏｓｉｔｅ  ｓｃａｆｆｏｌｄｓ  ｉｎ  ｖｉｔｒｏ，"  Ｔｉｓｓｕｅ  Ｅｎｇ．  １２（１０）：２９９７−３００６  （Ｏｃｔ．  ２００６）．  ＮＰＬ−９０３
【非特許文献９２６】  ＬＩ，  Ｍ．，  ｅｔ  ａｌ．，  "Ｅｌｅｃｔｒｏｓｐｕｎ  ｐｒｏｔｅｉｎ  ｆｉｂｅｒｓ  ａｓ  ｍａｔｒｉｃｅｓ  ｆｏｒ  ｔｉｓｓｕｅ  ｅｎｇｉｎｅｅｒｉｎｇ，"  Ｂｉｏｍａｔｅｒｉａｌｓ  ２６（３０）：５９９９−６００８  （Ｏｃｔ．  ２００５）  （ａｖａｉｌａｂｌｅ  ｏｎｌｉｎｅ  Ｍａｙ  １３，  ２００５）．  ＮＰＬ−９０４
【非特許文献９２７】  ＫＩＤＯＡＫＩ，  Ｓ．，  ｅｔ  ａｌ．，  "Ｍｅｓｏｓｃｏｐｉｃ  ｓｐａｔｉａｌ  ｄｅｓｉｇｎｓ  ｏｆ  ｎａｎｏ−  ａｎｄ  ｍｉｃｒｏｆｉｂｅｒ  ｍｅｓｈｅｓ  ｆｏｒ  ｔｉｓｓｕｅ−ｅｎｇｉｎｅｅｒｉｎｇ  ｍａｔｒｉｘ  ａｎｄ  ｓｃａｆｆｏｌｄ  ｂａｓｅｄ  ｏｎ  ｎｅｗｌｙ  ｄｅｖｉｓｅｄ  ｍｕｌｔｉｌａｙｅｒｉｎｇ  ａｎｄ  ｍｉｘｉｎｇ  ｅｌｅｃｔｒｏｓｐｉｎｎｉｎｇ  ｔｅｃｈｎｉｑｕｅｓ，"  Ｂｉｏｍａｔｅｒｉａｌｓ  ２６（１）：３７−４６  （Ｊａｎ．  ２００５）  （ａｖａｉｌａｂｌｅ  ｏｎｌｉｎｅ  Ｍａｒ．  ２，  ２００４）．  ＮＰＬ−９０５
【非特許文献９２８】  ＭＡ，  Ｚ．，  ｅｔ  ａｌ．，  "Ｐｏｔｅｎｔｉａｌ  ｏｆ  ｎａｎｏｆｉｂｅｒ  ｍａｔｒｉｘ  ａｓ  ｔｉｓｓｕｅ−ｅｎｇｉｎｅｅｒｉｎｇ  ｓｃａｆｆｏｌｄｓ，"  Ｔｉｓｓｕｅ  Ｅｎｇｉｎｅｅｒｉｎｇ  １１（１／２）：１０１−１０９  （２００５）．  ＮＰＬ−９０６
【非特許文献９２９】  ＦＡＲＩＡ，  Ｍ．Ｌ．Ｅ．，  ｅｔ  ａｌ．，  "Ｒｅｃｏｍｂｉｎａｎｔ  ｈｕｍａｎ  ｂｏｎｅ  ｍｏｒｐｈｏｇｅｎｅｔｉｃ  ｐｒｏｔｅｉｎ−２  ｉｎ  ａｂｓｏｒｂａｂｌｅ  ｃｏｌｌａｇｅｎ  ｓｐｏｎｇｅ  ｅｎｈａｎｃｅｓ  ｂｏｎｅ  ｈｅａｌｉｎｇ  ｏｆ  ｔｉｂｉａｌ  ｏｓｔｅｏｔｏｍｉｅｓ  ｉｎ  ｄｏｇｓ，"  Ｖｅｔｅｒｉｎａｒｙ  Ｓｕｒｇｅｒｙ  ３６（２）：１２２−１３１  （Ｆｅｂ．  ２００７；  ｆｉｒｓｔ  ｐｕｂｌｉｓｈｅｄ  ｏｎｌｉｎｅ  Ｍａｒ．  ２，  ２００７）．  ＮＰＬ−９０７
【非特許文献９３０】  ＬＩ，  Ｗ．Ｊ．，  ｅｔ  ａｌ．，  "Ｆａｂｒｉｃａｔｉｏｎ  ａｎｄ  ｃｈａｒａｃｔｅｒｉｚａｔｉｏｎ  ｏｆ  ｓｉｘ  ｅｌｅｃｔｒｏｓｐｕｎ  ｐｏｌｙ（ａｌｐｈａ−ｈｙｄｒｏｘｙ  ｅｓｔｅｒ）−ｂａｓｅｄ  ｆｉｂｒｏｕｓ  ｓｃａｆｆｏｌｄｓ  ｆｏｒ  ｔｉｓｓｕｅ  ｅｎｇｉｎｅｅｒｉｎｇ  ａｐｐｌｉｃａｔｉｏｎｓ，"  Ａｃｔａ  Ｂｉｏｍａｔｅｒ．  ２（４）：３７７−３８５  （Ｊｕｌ．  ２００６；  ｐｕｂｌｉｓｈｅｄ  ｏｎｌｉｎｅ  Ｍａｙ  ６，  ２００６）．  ＮＰＬ−９０８
【非特許文献９３１】  ＳＭＩＴＨ，  Ｌ．Ａ．，  ｅｔ  ａｌ．，  "Ｎａｎｏ−ｆｉｂｒｏｕｓ  ｓｃａｆｆｏｌｄｓ  ｆｏｒ  ｔｉｓｓｕｅ  ｅｎｇｉｎｅｅｒｉｎｇ，"  Ｃｏｌｌｏｉｄｓ  ａｎｄ  Ｓｕｒｆａｃｅｓ  Ｂ：  Ｂｉｏｉｎｔｅｒｆａｃｅｓ  ３９  （３）：１２５−１３１  （Ｄｅｃ．  １０，  ２００４；  ａｖａｉｌａｂｌｅ  ｏｎｌｉｎｅ  Ｆｅｂ．  ４，  ２００４）．  ＮＰＬ−９０９
【非特許文献９３２】  ＷＡＮＧ，  Ｗ．，  ｅｔ  ａｌ．，  "Ｂｉｏｄｅｇｒａｄａｂｌｅ  ｐｏｌｙｕｒｅｔｈａｎｅ  ｂａｓｅｄ  ｏｎ  ｒａｎｄｏｍ  ｃｏｐｏｌｙｍｅｒ  ｏｆ  Ｌ−ｌａｃｔｉｄｅ  ａｎｄ  ｃ−ｃａｐｒｏｌａｃｔｏｎｅ  ａｎｄ  ｉｔｓ  ｓｈａｐｅ−ｍｅｍｏｒｙ  ｐｒｏｐｅｒｔｙ，"  Ｊ．  Ａｐｐｌ．  Ｐｏｌｙｍ．  Ｓｃｉ．  １０４：４１８２−４１８７  （２００７）．  ＮＰＬ−９１２
【非特許文献９３３】  ＣＨＲＯＮＡＫＩＳ，  Ｉ．Ｓ．，  "Ｎｏｖｅｌ  ｎａｎｏｃｏｍｐｏｓｉｔｅｓ  ａｎｄ  ｎａｎｏｃｅｒａｍｉｃｓ  ｂａｓｅｄ  ｏｎ  ｐｏｌｙｍｅｒ  ｎａｎｏｆｉｂｅｒｓ  ｕｓｉｎｇ  ｅｌｅｃｔｒｏｓｐｉｎｎｉｎｇ  ｐｒｏｃｅｓｓ  −  Ａ  ｒｅｖｉｅｗ，"  Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ  １６７：２８３−２９３  （２００５）．  ＮＰＬ−９１４
【非特許文献９３４】  ＧＵＡＮ，  Ｊ．，  ｅｔ  ａｌ．，  "Ｐｒｅｐａｒａｔｉｏｎ  ａｎｄ  ｃｈａｒａｃｔｅｒｉｚａｔｉｏｎ  ｏｆ  ｈｉｇｈｌｙ  ｐｏｒｏｕｓ，  ｂｉｏｄｅｇｒａｄａｂｌｅ  ｐｏｌｙｕｒｅｔｈａｎｅ  ｓｃａｆｆｏｌｄｓ  ｆｏｒ  ｓｏｆｔ  ｔｉｓｓｕｅ  ａｐｐｌｉｃａｔｉｏｎｓ，"  Ｂｉｏｍａｔｅｒｉａｌｓ  ２６：３９６１−３９７１  （２００５；  ａｖａｉｌａｂｌｅ  ｏｎｌｉｎｅ  Ｄｅｃ．  ８，  ２００４）．  ＮＰＬ−９１５
【非特許文献９３５】  ＫＩＭ，  Ｈ．Ｗ．，  ｅｔ  ａｌ．，  "Ｂｉｏａｃｔｉｖｅ  ｇｌａｓｓ  ｎａｎｏｆｉｂｅｒ−ｃｏｌｌａｇｅｎ  ｎａｎｏｃｏｍｐｏｓｉｔｅ  ａｓ  ａ  ｎｏｖｅｌ  ｂｏｎｅ  ｒｅｇｅｎｅｒａｔｉｏｎ  ｍａｔｒｉｘ，"  Ｊ．  Ｂｉｏｍｅｄ．  Ｍａｔｅｒ．  Ｒｅｓ．  Ａ  ７９：６９８−７０５  （２００６；  ｐｕｂｌｉｓｈｅｄ  ｏｎｌｉｎｅ  Ｊｕｌ．  １８，  ２００６）．  ＮＰＬ−９２０
【非特許文献９３６】  ＮＡＩＲ，  Ｌ．Ｓ．，  ｅｔ  ａｌ．，  "Ｂｉｏｄｅｇｒａｄａｂｌｅ  ｐｏｌｙｍｅｒｓ  ａｓ  ｂｉｏｍａｔｅｒｉａｌｓ，"  Ｐｒｏｇ．  Ｐｏｌｙｍ．  Ｓｃｉ．  ３２：７６２−７９８  （２００７；  ａｖａｉｌａｂｌｅ  ｏｎｌｉｎｅ  Ｊｕｎ．  １１，  ２００７）．  ＮＰＬ−９２１
【非特許文献９３７】  ＺＨＡＮＧ，  Ｙ．，  ｅｔ  ａｌ．，  "Ｅｌｅｃｔｒｏｓｐｕｎ  ｂｉｏｍｉｍｅｔｉｃ  ｎａｎｏｃｏｍｐｏｓｉｔｅ  ｎａｎｏｆｉｂｅｒｓ  ｏｆ  ｈｙｄｒｏｘｙａｐａｔｉｔｅ／ｃｈｉｔｏｓａｎ  ｆｏｒ  ｂｏｎｅ  ｔｉｓｓｕｅ  ｅｎｇｉｎｅｅｒｉｎｇ，"  Ｂｉｏｍａｔｅｒｉａｌｓ  ２９：４３１４−４３２２  （２００８；  ａｖａｉｌａｂｌｅ  ｏｎｌｉｎｅ  Ａｕｇ．  ２０，  ２００８）．  ＮＰＬ−９２２
【非特許文献９３８】  ＷＡＮ，  Ｙ．，  ｅｔ  ａｌ．，  "Ｂｉｐｈａｓｉｃ  ｓｃａｆｆｏｌｄ  ｆｏｒ  ａｎｎｕｌｕｓ  ｆｉｂｒｏｓｕｓ  ｔｉｓｓｕｅ  ｒｅｇｅｎｅｒａｔｉｏｎ，"  Ｂｉｏｍａｔｅｒｉａｌｓ  ２９：６４３−６５２  （２００８；  ａｖａｉｌａｂｌｅ  ｏｎｌｉｎｅ  Ｎｏｖ．  １３，  ２００７）．  ＮＰＬ−９２５
【非特許文献９３９】  ＵＭ，  Ｉ．Ｃ．，  ｅｔ  ａｌ．，  "Ｅｌｅｃｔｒｏ−ｓｐｉｎｎｉｎｇ  ａｎｄ  ｅｌｅｃｔｒｏ−ｂｌｏｗｉｎｇ  ｏｆ  ｈｙａｌｕｒｏｎｉｃ  ａｃｉｄ，"  Ｂｉｏｍａｃｒｏｍｏｌｅｃｕｌｅｓ  ５：１４２８−１４３６  （２００４；  ｐｕｂｌｉｓｈｅｄ  ｏｎｌｉｎｅ  Ｍａｙ  ７，  ２００４）．  ＮＰＬ−９２９
【非特許文献９４０】  ＢＯＬＡＮＤ，  Ｅ．Ｄ．，  ｅｔ  ａｌ．，  "Ｅｌｅｃｔｒｏｓｐｉｎｎｉｎｇ  ｐｏｌｙｄｉｏｘａｎｏｎｅ  ｆｏｒ  ｂｉｏｍｅｄｉｃａｌ  ａｐｐｌｉｃａｔｉｏｎｓ，"  Ａｃｔａ  Ｂｉｏｍａｔｅｒｉａｌｉａ  １：１１５−１２３  （２００５）．  ＮＰＬ−９３１
【非特許文献９４１】  ＰＣＴ／ＵＳ０８／３０５８１  −  Ｉｎｔｅｒｎａｔｉｏｎａｌ  Ｒｅｐｏｒｔ  ｏｎ  Ｐａｔｅｎｔａｂｉｌｉｔｙ  Ｐ０４４８６Ｗ００−ＩＰＲＰ  （Ｊｕｌ．  ２２，  ２０１０）．
【非特許文献９４２】  ＰＣＴ／ＵＳ０９／５０８０６  −  Ｗｒｉｔｔｅｎ  Ｏｐｉｎｉｏｎ  ａｎｄ  Ｉｎｔｅｒｎａｔｉｏｎａｌ  Ｓｅａｒｃｈ  Ｒｅｐｏｒｔ  Ｐ０４１６５Ｗ００  −  ＩＳＲ＿ＷＯ  （Ｓｅｐ．  １５，  ２００９）．
【非特許文献９４３】  ＰＣＴ／ＵＳ０９／５０８０６  −  Ｉｎｔｅｒｎａｔｉｏｎａｌ  Ｒｅｐｏｒｔ  ｏｎ  Ｐａｔｅｎｔａｂｉｌｉｔｙ  Ｐ０４１６５Ｗ００  −  ＩＰＲＰ  （Ｊａｎ．  ２７，  ２０１１）．
【非特許文献９４４】  ＪＩ，  Ｙ．，  ｅｔ  ａｌ．，  "Ｅｌｅｃｔｒｏｓｐｕｎ  ｔｈｒｅｅ−ｄｉｍｅｎｓｉｏｎａｌ  ｈｙａｌｕｒｏｎｉｃ  ａｃｉｄ  ｎａｎｏｆｉｂｒｏｕｓ  ｓｃａｆｆｏｌｄｓ，"  Ｂｉｏｍａｔｅｒｉａｌｓ  ２７：３７８２−３７９２  （２００６；  ａｖａｉｌａｂｌｅ  ｏｎｌｉｎｅ  Ｍａｒ．  ２３，  ２００６）．  ＮＰＬ−９３２
【非特許文献９４５】  ＦＵＪＩＨＡＲＡ，  Ｋ．，  ｅｔ  ａｌ．，  "Ｇｕｉｄｅｄ  ｂｏｎｅ  ｒｅｇｅｎｅｒａｔｉｏｎ  ｍｅｍｂｒａｎｅ  ｍａｄｅ  ｏｆ  ｐｏｌｙｃａｐｒｏｌａｃｔｏｎｅ／ｃａｌｃｉｕｍ  ｃａｒｂｏｎａｔｅ  ｃｏｍｐｏｓｉｔｅ  ｎａｎｏ−ｆｉｂｅｒｓ，"  Ｂｉｏｍａｔｅｒｉａｌｓ  ２６：４１３９−４１４７  （２００５；  ａｖａｉｌａｂｌｅ  ｏｎｌｉｎｅ  Ｄｅｃ．  ２４，  ２００４）．  ＮＰＬ−９３４
【非特許文献９４６】  ＳＥＴＨＵＲＡＭＡＮ，  Ｓ．，  ｅｔ  ａｌ．，  "Ｎｏｖｅｌ  ｌｏｗ  ｔｅｍｐｅｒａｔｕｒｅ  ｓｅｔｔｉｎｇ  ｎａｎｏｃｒｙｓｔａｌｌｉｎｅ  ｃａｌｃｉｕｍ  ｐｈｏｓｐｈａｔｅ  ｃｅｍｅｎｔｓ  ｆｏｒ  ｂｏｎｅ  ｒｅｐａｉｒ：  Ｏｓｔｅｏｂｌａｓｔ  ｃｅｌｌｕｌａｒ  ｒｅｓｐｏｎｓｅ  ａｎｄ  ｇｅｎｅ  ｅｘｐｒｅｓｓｉｏｎ  ｓｔｕｄｉｅｓ，"  Ｊ．  Ｂｉｏｍｅｄ．  Ｍａｔｅｒ．  Ｒｅｓ．  Ａ  ８２：８８４−８９１  （２００７；  ｐｕｂｌｉｓｈｅｄ  ｏｎｌｉｎｅ  Ｍａｒ．  ２，  ２００７）．  ＮＰＬ−９３６
【非特許文献９４７】  ＤＥＮＧ，  Ｍ．，  ｅｔ  ａｌ．，  "Ｍｉｓｃｉｂｉｌｉｔｙ  ａｎｄ  ｉｎ  ｖｉｔｒｏ  ｏｓｔｅｏｃｏｍｐａｔｉｂｉｌｉｔｙ  ｏｆ  ｂｉｏｄｅｇｒａｄａｂｌｅ  ｂｌｅｎｄｓ  ｏｆ  ｐｏｌｙＲｅｔｈｙｌ  ａｌａｎａｔｏ）  （ｐ−ｐｈｅｎｙｌ  ｐｈｅｎｏｘｙ）  ｐｈｏｓｐｈａｚｅｎｅ］  ａｎｄ  ｐｏｌｙ（ｌａｃｉｔｉｃ  ａｃｉｄ−ｇｌｙｃｏｌｉｃ  ａｃｉｄ），"  Ｂｉｏｍａｔｅｒｉａｌｓ  ２９：３３７−３４９  （２００８；  ａｖａｉｌａｂｌｅ  ｏｎｌｉｎｅ  Ｏｃｔ．  １７，  ２００７）．  ＮＰＬ−９３８
【非特許文献９４８】  ＬＵ，  Ｘ．Ｌ．，  ｅｔ  ａｌ．，  "Ｓｈａｐｅ  ｍｅｍｏｒｙ  ｐｒｏｐｅｒｔｙ  ｏｆ  ｐｏｌｙ（Ｌ−ｌａｃｔｉｄｅ−ｃｏ−Ｅ−ｃａｐｒｏｌａｃｔｏｎｅ）  ｃｏｐｏｌｙｍｅｒｓ，"  Ｍａｔｅｒｉａｌｓ  Ｓｃｉｅｎｃｅ  ａｎｄ  Ｅｎｇｉｎｅｅｒｉｎｇ  Ａ  ４３８−４４０：８５７−８６１  （２００６）．  ＮＰＬ−９４３
【非特許文献９４９】  ＬＥＯＮＥＬＬＩ，  Ｃ．，  ｅｔ  ａｌ．，  "Ｓｙｎｔｈｅｓｉｓ  ａｎｄ  ｃｈａｒａｃｔｅｒｉｚａｔｉｏｎ  ｏｆ  ｃｅｒｉｕｍ−ｄｏｐｅｄ  ｇｌａｓｓｅｓ  ａｎｄ  ｉｎ  ｖｉｔｒｏ  ｅｖａｌｕａｔｉｏｎ  ｏｆ  ｂｉｏａｃｔｉｖｉｔｙ，"  Ｊｏｕｒｎａｌ  ｏｆ  Ｎｏｎ−Ｃｒｙｓｔａｌｌｉｎｅ  Ｓｏｌｉｄｓ  ３１６：１９８−２１６  （２００３）．  ＮＰＬ−９４４
【非特許文献９５０】  ＷＩＬＳＯＮ，  Ｊ．Ｌ．，  ｅｔ  ａｌ．，  "Ｌｏｓｓ  ｏｆ  ｂｌｏｏｄ  ｖｏｌｕｍｅ  ｉｎ  ｓｐｉｎａｌ  ｓｕｒｇｅｒｙ  ｗｉｔｈ  ｕｓｅ  ｏｆ  ｃｌｏｓｅｄ  ｗｏｕｎｄ  ｓｕｃｔｉｏｎ：  ａｎ  ｅｘｐｅｒｉｍｅｎｔａｌ  ｓｔｕｄｙ"，  Ｓｏｕｔｈｅｒｎ  Ｍｅｄ．  Ｊ．，  ６１：７６１−７６３，  （Ｊｕｌｙ  １９６８），  ｒｅａｄ  ｂｅｆｏｒｅ  ｔｈｅ  Ｓｅｃｔｉｏｎ  ｏｎ  Ｏｒｔｈｏｐａｅｄｉｃ  ａｎｄ  Ｔｒａｕｍａｔｉｃ  Ｓｕｒｇｅｒｙ，  Ｓｏｕｔｈｅｒｎ  Ｍｅｄｉｃａｌ  Ａｓｓｏｃｉａｔｉｏｎ，  ６１ｓｔ  Ａｎｎｕａｌ  Ｍｅｅｔｉｎｇ，  Ｍｉａｍｉ  Ｂｅａｃｈ，  ＦＬ．，  （Ｎｏｖｅｍｂｅｒ  １３−１６，  １９６７）．  ＮＰＬ−４３７
【非特許文献９５１】  ＥＲＤＭＡＮＮ，  Ｄ．，  ｅｔ  ａｌ．，  "Ａｂｄｏｍｉｎａｌ  ｗａｌｌ  ｄｅｆｅｃｔ  ａｎｄ  ｅｎｔｅｒｏｃｕｔａｎｅｏｕｓ  ｆｉｓｔｕｌａ  ｔｒｅａｔｍｅｎｔ  ｗｉｔｈ  ｔｈｅ  ｖａｃｕｕｍ−ａｓｓｉｓｔｅｄ  ｃｌｏｓｕｒｅ  （ＶＡＣ）  ｓｙｓｔｅｍ"，  Ｐｌａｓｔ．  Ｒｅｃｏｎｓｔｒｕｃｔ．  Ｓｕｒｇ．，  １０８（７）：２０６６−８  （Ｄｅｃｅｍｂｅｒ  ２００１）．  ＮＰＬ−１４１
【非特許文献９５２】  ＵＳ  １２／３５１，３３１  −  Ｏｆｆｉｃｉａｌ  ａｃｔｉｏｎ  Ｐ０４４８６ＵＳ０１−ＯＡ−０１  （Ｍａｒ．  ２６，  ２０１１）．
【非特許文献９５３】  ＰＣＴ／ＵＳ０８／３０５８１  −  Ｉｎｔｅｒｎａｔｉｏｎａｌ  Ｒｅｐｏｒｔ  ｏｎ  Ｐａｔｅｎｔａｂｉｌｉｔｙ  Ｐ０４４８６Ｗ００−ＩＰＲＰ  （Ｊｕｌ．  ２２，  ２０１０）．
【非特許文献９５４】  Ｐｈｏｔｏｇｒａｐｈｓ  ｓｈｏｗｉｎｇ  ｐａｔｉｅｎｔ  ｔｒｅａｔｍｅｎｔ，  "ｓｈｅｅｔ  ２"，  （Ｊｅｔｅｒ  ｄｅｐｏｓｉｔｉｏｎ  Ｅｘｈｉｂｉｔ  ７４１）  （ａｌｌｅｇｅｄｌｙ  ｄａｔｅｄ  １９８５）．  ＢＳ−２２８
【非特許文献９５５】  Ｍ．  Ｇｏｓｔａ  Ａｒｔｕｒｓｏｎ，  Ｔｈｅ  Ｐａｔｈｏｐｈｙｓｉｏｌｏｇｙ  ｏｆ  Ｓｅｖｅｒｅ  Ｔｈｅｒｍａｌ  Ｉｎｊｕｒｙ，  ＪＢＣＲ，６（２）：１２９−１４６  （Ｍａｒｃｈ−Ａｐｒｉｌ）  １９８５．  ＮＰＬ−０２０
【非特許文献９５６】  Ｒ．  Ａ．Ｆ．  Ｃｌａｒｋ  ｅｔ  ａｌ．，  Ｔｈｅ  Ｍｏｌｅｃｕｌａｒ  ａｎｄ  Ｃｅｌｌｕｌａｒ  Ｂｉｏｌｏｇｙ  ｏｆ  Ｗｏｕｎｄ  Ｒｅｐａｉｒ，  Ｃｈａｐｔｅｒ  １  （１９８８）  ＮＰＬ−０８５
【非特許文献９５７】  Ｊｅｔｅｒ，  Ｋ．Ｆ．  ｅｔ  ａｌ．  （ｅｄｓ．），  "Ｍａｎａｇｉｎｇ  Ｄｒａｉｎｉｎｇ  Ｗｏｕｎｄｓ  ａｎｄ  Ｆｉｓｔｕｌａｅ：  Ｎｅｗ  ａｎｄ  Ｅｓｔａｂｌｉｓｈｅｄ  Ｍｅｔｈｏｄｓ，"  Ｃｈｒｏｎｉｃ  Ｗｏｕｎｄ  Ｃａｒｅ：  Ｈｅａｌｔｈ  Ｍａｎａｇｅｍｅｎｔ  Ｐｕｂｌｉｃａｔｉｏｎｓ，  １９９０，  ｐｐ  ２４０−２４６．  ＮＰＬ−２２３
【非特許文献９５８】  Ａｅｒｏｓ，  "Ｍｏｂ！ｖａｃ  ＩＩ．"  ＮＰＬ−００４
【非特許文献９５９】  Ａｅｒｏｓ，  Ａｅｒｏｓ  Ｉｎｓｔｒｕｍｅｎｔｓ，  Ｉｎｃ．  １１１１  Ｌａｋｅｓｉｄｅ  Ｄｒｉｖｅ，  Ｇｕｒｎｅｅ，  ＩＬ  ６００３１．  Ａｕｇｕｓｔ，  １９９３．  "Ｃａｒｅ−Ｅ−Ｖａｃ．"  ＮＰＬ−００５
【非特許文献９６０】  Ｅｍｅｒｓｏｎ，  Ｓｅｒｉｅｓ  ５５．  Ｊ．  Ｈ．  Ｅｍｅｒｓｏｎ  Ｃｏ．，  ２２  Ｃｏｔｔａｇｅ  Ｐａｒｋ  Ａｖｅ．，  Ｃａｍｂｒｉｄｇｅ，  ＭＡ  ０２１４０．  "Ｅｍｅｒｓｏｎ  Ｐｏｓｔ−Ｏｐｅｒａｔｉｖｅ  Ｓｕｃｔｉｏｎ  Ｐｕｍｐｓ．"  ＮＰＬ−１３９
【非特許文献９６１】  Ｅｍｅｒｓｏｎ，  Ｊ．  Ｈ．  Ｅｍｅｒｓｏｎ  Ｃｏ．，  （ａｄｄｒｅｓｓ：  ｓａｍｅ  ａｓ  ａｂｏｖｅ）．  "Ｅｍｅｒｓｏｎ  Ｔｒａｎｓｐｏｒｔ  Ｓｕｃｔｉｏｎ  Ｕｎｉｔ．"  ＮＰＬ−１３８
【非特許文献９６２】  Ａｅｒｏｓ，  Ａｅｒｏｓ  Ｉｎｓｔｒｕｍｅｎｔｓ，  Ｉｎｃ．  ３４１１  Ｃｏｍｍｅｒｃｉａｌ  Ａｖｅ．，  Ｎｏｒｔｈｂｒｏｏｋ，  ＩＬ  ６００６２．  Ｏｃｔｏｂｅｒ  １９８８．  Ｐａｒｔ  Ｎｏ．  １５０４−０２  ７Ｍ．  "Ｉｎｓｔａｖａｃ  Ａｓｐｉｒａｔｏｒ．"  ＮＰＬ−００６
【非特許文献９６３】  "Ｐｌｅｕｒ−ｅｖａｃ．  Ａｄｕｌｔ−Ｐｅｄｉａｔｒｉｃ，  Ｎｏｎ−Ｍｅｔｅｒｅｄ．"  Ｃｏｄｅ  Ｎｕｍｂｅｒ：  Ａ−４０００．  Ｃｏｎｔｒｏｌ  Ｎｕｍｂｅｒ：  Ｆ７９６１Ｊ．  ＮＰＬ−３３３
【発明の概要】
【課題を解決するための手段】